(57)【要約】【課題】  超伝導を用いずに及び／又は超伝導を用いて、電磁気力を利用して、（それ自体（自身）で、）空中浮揚、停止、及び／又は推進することができる空中浮揚停止推進体を提供することを目的とする。【解決手段】  空中浮揚停止推進体１は、少なくとも、磁性物体を巻いている若しくは巻いていない導電性線状コイル形状物体２２と導電性線状コイル形状物体に巻かれている若しくは巻かれていない磁性物体２１と電力供給部２４とから構成され、電力供給部２４により供給された電力により磁性物体を巻いている若しくは巻いていない導電性線状コイル形状物体２２と導電性線状コイル形状物体に巻かれている若しくは巻かれていない磁性物体２１との相互作用により、超伝導を用いずに及び／又は超伝導を用いて、電磁気力を利用して、（それ自体（自身）で、）空中に浮揚、停止、及び／又は推進することができる。【選択図】  図２
2011100528.tif 000002
【特許請求の範囲】
【請求項１】
電磁気力を利用して（それ自体（自身）で）空中に浮揚、停止することができるようにしたことを特徴とする空中浮揚停止推進体であって、
空中浮揚停止推進体に単数又は複数設けられた、伝導性のある線状の物体を巻いたものである導電性線状コイル形状物体に巻かれている若しくは巻かれていない磁性を有する磁性物体と、
空中浮揚停止推進体に単数又は複数設けられた、磁性を有する磁性物体を巻いている若しくは巻いていない伝導性のある線状の物体を巻いたものである導電性線状コイル形状物体と、
単数又は複数設けられた、磁性を有する磁性物体を巻いている若しくは巻いていない導電性線状コイル形状物体、及び／又は、伝導性のある線状の物体を巻いたものである導電性線状コイル形状物体に巻かれている若しくは巻かれていない磁性を有する磁性物体の導電性線状コイル形状物体に電力を供給する電力供給手段と、
及び／又は、
電力供給手段により供給する電力を制御する電力供給制御手段と
を備え、
伝導性のある線状の物体を巻いたものである導電性線状コイル形状物体に巻かれている若しくは巻かれていない磁性を有する磁性物体と磁性を有する磁性物体を巻いている若しくは巻いていない伝導性のある線状の物体を巻いたものである導電性線状コイル形状物体とは、前記導電性線状コイル形状物体に電力を供給した際、相互作用により空中浮揚及び／又は停止力が得られるように設置され、
電力供給制御手段は、電力供給手段により前記導電性線状コイル形状物体に電力を供給して相互作用により空中浮揚及び／又は停止力を得られるように制御する
ことを特徴とし、
前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、かつ、又は空中浮揚停止推進体を構成する各手段がさらに設けられた、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、供給された電力により（（空中浮揚停止推進体）それ自体（自身）で）空中浮揚停止推進力を生成（獲得）し、電磁気力を利用して（（空中浮揚停止推進体）それ自体（自身）で）空中に浮揚、停止することができるようにした
ことを特徴とする空中浮揚停止推進体。
【請求項２】
電磁気力を利用して（それ自体（自身）で）空中に浮揚、停止、及び／又は推進することができるようにしたことを特徴とする空中浮揚停止推進体であって、
空中浮揚停止推進体に単数又は複数設けられた、伝導性のある線状の物体を巻いたものである導電性線状コイル形状物体に巻かれている若しくは巻かれていない磁性を有する磁性物体と、
空中浮揚停止推進体に単数又は複数設けられた、磁性を有する磁性物体を巻いている若しくは巻いていない伝導性のある線状の物体を巻いたものである導電性線状コイル形状物体と、
単数又は複数設けられた、磁性を有する磁性物体を巻いている若しくは巻いていない導電性線状コイル形状物体、及び／又は、伝導性のある線状の物体を巻いたものである導電性線状コイル形状物体に巻かれている若しくは巻かれていない磁性を有する磁性物体の導電性線状コイル形状物体に電力を供給する電力供給手段と、
及び／又は、
電力供給手段により供給する電力を制御する電力供給制御手段と
を備え、
伝導性のある線状の物体を巻いたものである導電性線状コイル形状物体に巻かれている若しくは巻かれていない磁性を有する磁性物体と磁性を有する磁性物体を巻いている若しくは巻いていない伝導性のある線状の物体を巻いたものである導電性線状コイル形状物体とは、前記導電性線状コイル形状物体に電力を供給した際、相互作用により空中浮揚、停止、及び／又は、推進力が得られるように設置され、
電力供給制御手段は、電力供給手段により電力を供給して相互作用により空中浮揚、停止、及び／又は、推進力を得られるように制御する
ことを特徴とし、
前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、かつ、又は空中浮揚停止推進体を構成する各手段がさらに設けられた、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、供給された電力により（（空中浮揚停止推進体）それ自体（自身）で）空中浮揚停止推進力を生成（獲得）し、電磁気力を利用して（（空中浮揚停止推進体）それ自体（自身）で）空中に浮揚、停止、及び／又は、推進することができるようにした
ことを特徴とする空中浮揚停止推進体。
【請求項３】
電磁気力を利用して空中に浮揚、停止、及び／又は推進することができるようにしたことを特徴とする空中浮揚停止推進体であって、
請求項１又は請求項２に記載の空中浮揚停止推進体において、
前記伝導性のある線状の物体を巻いたものである導電性線状コイル形状物体に巻かれている若しくは巻かれていない磁性物体及び／又は、前記磁性を有する磁性物体を巻いている若しくは巻いていない伝導性のある線状の物体を巻いたものである導電性線状コイル形状物体を可動可能に設置する可動可能設置手段を備え、
及び／又は、
前記伝導性のある線状の物体を巻いたものである導電性線状コイル形状物体に巻かれている若しくは巻かれていない磁性物体及び／又は、前記磁性を有する磁性物体を巻いている若しくは巻いていない伝導性のある線状の物体を巻いたものである導電性線状コイル形状物体は、空中浮揚、停止、及び／又は推進力を得るように所望な位置及び方向に可動設置可能に制御する可動可能手段位置制御手段を備えた
ことを特徴とする請求項１又は請求項２に記載の空中浮揚停止推進体。
【請求項４】
電磁気力を利用して空中に浮揚、停止、及び／又は推進することができるようにしたことを特徴とする空中浮揚停止推進体であって、
請求項１乃至請求項３に記載の空中浮揚停止推進体において、
単数又は複数の、前記伝導性のある線状の物体を巻いたものである導電性線状コイル形状物体に巻かれている若しくは巻かれていない磁性物体と、単数又は複数の、前記磁性を有する磁性物体を巻いている若しくは巻いていない伝導性のある線状の物体を巻いたものである導電性線状コイル形状物体とから構成される、単数又は複数の一対の組により生成される電磁気力により、浮揚力、停止力、及び／又は推進力を得る為の電磁気力を生成するように構成したこと、
又は、単数又は複数の、前記伝導性のある線状の物体を巻いたものである導電性線状コイル形状物体に巻かれている若しくは巻かれていない磁性物体、及び／又は、単数又は複数の、前記磁性を有する磁性物体を巻いている若しくは巻いていない伝導性のある線状の物体を巻いたものである導電性線状コイル形状物体と、単数又は複数の、前記磁性を有する磁性物体を巻いている若しくは巻いていない伝導性のある線状の物体を巻いたものである導電性線状コイル形状物体、及び／又は、単数又は複数の、前記伝導性のある線状の物体を巻いたものである導電性線状コイル形状物体に巻かれている若しくは巻かれていない磁性物体とから構成される、単数又は複数の一対の組により生成される電磁気力により、浮揚力、停止力、及び／又は推進力を得る為の電磁気力を生成するように構成したこと
を特徴とする請求項１乃至請求項３に記載の空中浮揚停止推進体。
【請求項５】
電磁気力を利用して空中に浮揚、停止、及び／又は推進することができるようにしたことを特徴とする空中浮揚停止推進体であって、
請求項４に記載の空中浮揚停止推進体において、
前記伝導性のある線状の物体を巻いたものである導電性線状コイル形状物体に巻かれている若しくは巻かれていない磁性を有する磁性物体、及び／又は、前記磁性を有する磁性物体を巻いている若しくは巻いていない伝導性のある線状の物体を巻いたものである導電性線状コイル形状物体は、複数設置されていて、単数設置されているよりも大きな合成電磁気力を発生するように、及び／又は、単数設置されているよりも大きな合成電磁気力が一点に集中して発生するように設置されており、
複数の前記磁性を有する磁性物体を巻いている若しくは巻いていない伝導性のある線状の物体を巻いたものである導電性線状コイル形状物体は、前記伝導性のある線状の物体を巻いたものである導電性線状コイル形状物体に巻かれている若しくは巻かれていない磁性を有する磁性物体に対して一列に円弧状及び／又は前記伝導性のある線状の物体を巻いたものである導電性線状コイル形状物体に巻かれている若しくは巻かれていない磁性を有する磁性物体から見て円若しくは楕円状に設置され、複数の前記伝導性のある線状の物体を巻いたものである導電性線状コイル形状物体に巻かれている若しくは巻かれていない磁性を有する磁性物体は、前記磁性を有する磁性物体を巻いている若しくは巻いていない伝導性のある線状の物体を巻いたものである導電性線状コイル形状物体に対して横から見ると一列に若しくは円弧状に及び／又は前記磁性を有する磁性物体を巻いている若しくは巻いていない伝導性のある線状の物体を巻いたものである導電性線状コイル形状物体から見て円若しくは楕円状に設置されていること、
及び／又は、
複数の前記伝導性のある線状の物体を巻いたものである導電性線状コイル形状物体に巻かれている若しくは巻かれていない磁性を有する磁性物体は、前記磁性を有する磁性物体を巻いている若しくは巻いていない伝導性のある線状の物体を巻いたものである導電性線状コイル形状物体に対して一列に円弧状及び／又は前記磁性を有する磁性物体を巻いている若しくは巻いていない伝導性のある線状の物体を巻いたものである導電性線状コイル形状物体から見て円若しくは楕円状に設置され、複数の前記磁性を有する磁性物体を巻いている若しくは巻いていない伝導性のある線状の物体を巻いたものである導電性線状コイル形状物体は、前記伝導性のある線状の物体を巻いたものである導電性線状コイル形状物体に巻かれている若しくは巻かれていない磁性を有する磁性物体に対して横から見ると一列に若しくは円弧状に及び／又は前記伝導性のある線状の物体を巻いたものである導電性線状コイル形状物体に巻かれている若しくは巻かれていない磁性を有する磁性物体から見て円若しくは楕円状に設置されていること、
並びに／若しくは、
電流を整流する電流整流手段等の（自己）誘導起電力防止手段を前記導電性線状コイル形状物体に（直列に及び／又は並列に）前記導電性線状コイル形状物体の（自己）誘導起電力を防止するよう（な向き）に備えられていること
を特徴とする請求項４に記載の空中浮揚停止推進体。
【請求項６】
電磁気力を利用して空中に浮揚、停止、及び／又は推進することができるようにしたことを特徴とする空中浮揚停止推進体であって、
請求項１乃至請求項５に記載の空中浮揚停止推進体において、
前記磁性を有する磁性物体を巻いている若しくは巻いていない伝導性のある線状の物体を巻いたものである導電性線状コイル形状物体を、及び／又は、前記磁性を有する磁性物体を巻いている若しくは巻いていない伝導性のある線状の物体を巻いたものである導電性線状コイル形状物体を、並びに／若しくは、相互作用を及ぼしあう前記伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との間を、電磁気力を与えたい若しくは与えたくない領域には電磁気力を与える若しくは与えないように、又は、電磁気力を受けたい若しくは受けたくない領域には電磁気力を受ける若しくは受けないように、相互作用により浮揚、停止、及び／又は推進力を得る一対の組ごとに其々電磁気力遮断手段で覆うこと、相互作用により浮揚、停止、及び／又は推進力を得る一対の組の其々の要素ごとに電磁気力遮断手段で覆うこと、及び／又は、全体を電磁気力遮断手段で覆うこと、
及び／又は、
可動可能手段が備えられている場合は、電磁気力遮断手段は、可動可能なように切れ込みが入っていること
を特徴とする請求項１乃至請求項５に記載の空中浮揚停止推進体。
【請求項７】
電磁気力を利用して空中に浮揚、停止、及び／又は推進することができるようにしたことを特徴とする空中浮揚停止推進体であって、
請求項６に記載の空中浮揚停止推進体において、
前記磁性を有する磁性物体を巻いている若しくは巻いていない伝導性のある線状の物体を巻いたものである導電性線状コイル形状物体を、及び／又は、前記磁性を有する磁性物体を巻いている若しくは巻いていない伝導性のある線状の物体を巻いたものである導電性線状コイル形状物体を、並びに／若しくは、相互作用を及ぼしあう前記伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との間を、電磁気力を与えたい若しくは与えたくない領域には電磁気力を与え若しくは与えないように、又は、電磁気力を受けたい若しくは受けたくない領域には電磁気力を受け若しくは受けないように、電磁気力遮断手段で覆う構成は、電磁気力を与えたい若しくは受けたい領域は、覆う電磁気力遮断手段に開口部が生成されており、電磁気力遮断手段の開口部に向けての傾斜は可変／非可変に構成されていること
を特徴とする請求項６に記載の空中浮揚停止推進体。
【請求項８】
電磁気力を利用して空中に浮揚、停止、及び／又は推進することができるようにしたことを特徴とする空中浮揚停止推進体であって、
請求項１乃至請求項７のうちのいずれかに記載の空中浮揚停止推進体において、
前記伝導性のある線状の物体を巻いたものである導電性線状コイル形状物体に巻かれている若しくは巻かれていない磁性物体、及び／又は、前記磁性を有する磁性物体を巻いている若しくは巻いていない伝導性のある線状の物体を巻いたものである導電性線状コイル形状物体は、少なくとも前記空中浮揚停止推進体のうちの一部であるように構成されたこと、
及び／又は、
対応する一対の組である、前記磁性を有する磁性物体を巻いている若しくは巻いていない伝導性のある線状の物体を巻いたものである導電性線状コイル形状物体、及び／又は、前記伝導性のある線状の物体を巻いたものである導電性線状コイル形状物体に巻かれている若しくは巻かれていない磁性物体は、壁側に近接して設置されていること
を特徴とする請求項１乃至請求項７のうちのいずれかに記載の空中浮揚停止推進体。
【請求項９】
電磁気力を利用して空中に浮揚、停止、及び／又は推進することができるようにしたことを特徴とする空中浮揚停止推進体であって、
請求項１乃至請求項８のうちのいずれかに記載の空中浮揚停止推進体において、
前記伝導性のある線状の物体を巻いたものである導電性線状コイル形状物体に巻かれている若しくは巻かれていない磁性物体により生成される電磁気力、及び／又は、前記磁性を有する磁性物体を巻いている若しくは巻いていない伝導性のある線状の物体を巻いたものである導電性線状コイル形状物により生成される電磁気力、並びに／若しくは、伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との相互作用により生成される電磁気力のうち、空中浮揚停止推進体の外部に与える不要な電磁気力を遮断する電磁気力遮断手段
を備えたことを特徴とする請求項１乃至請求項８のうちのいずれかに記載の空中浮揚停止推進体。
【請求項１０】
電磁気力を利用して空中に浮揚、停止、及び／又は推進することができるようにしたことを特徴とする空中浮揚停止推進体であって、
請求項１乃至請求項９に記載の空中浮揚停止推進体において、
前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体は、電磁気力による不要な向きの力を受けないように（力を受けたくない向きに力を受けないように）（移動できないように）構成されており、
前記磁性を有する磁性物体を巻いている若しくは巻いていない伝導性のある線状の物体を巻いたものである導電性線状コイル形状物体における磁性物体、及び／又は、前記磁性を有する磁性物体を巻いている若しくは巻いていない伝導性のある線状の物体を巻いたものである導電性線状コイル形状物体における磁性物体は、中央部がくり貫かれており、前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体は、中央部がくり貫かれており、前記中央部には非磁性体が挿入されていること、及び／又は、衝撃を緩めるような第１の緩衝率を有する第１の緩衝手段及び／又は所定の気圧のガスに挟まれて設置されていること、並びに／若しくは容器に格納／非格納されていること、
及び／又は、
一対の組の力を受ける方の側には、力を受ける方の向きには第１の緩衝手段及び／又は所定の気圧のガスが挿入されておらず、一対の組の力を与える方の側には、力を受ける方の向きには第１の緩衝手段及び／又は所定の気圧のガスが挿入されていること
を特徴とする請求項１乃至請求項９に記載の空中浮揚停止推進体。
【請求項１１】
電磁気力を利用して空中に浮揚、停止、及び／又は推進することができるようにしたことを特徴とする空中浮揚停止推進体であって、
請求項１乃至請求項１０のうちのいずれかに記載の空中浮揚停止推進体において、
前記伝導性のある線状の物体を巻いたものである導電性線状コイル形状物体に巻かれている若しくは巻かれていない磁性物体、及び／又は、前記磁性を有する磁性物体を巻いている若しくは巻いていない伝導性のある線状の物体を巻いたものである導電性線状コイル形状物と空中浮揚停止推進体との間に、衝撃を緩める為の第１の緩衝率よりも小さい第２の緩衝率を有する第２の緩衝手段が備えられているか、
及び／又は、
空中浮揚停止推進体が、第１の緩衝率よりも小さい第３の緩衝率を有する衝撃を緩めるような材質を含んで構成されている
ことを特徴とし、
空中浮揚停止推進体は、衝撃を緩めるように構成されていることを特徴とする請求項１乃至請求項１０のうちのいずれかに記載の空中浮揚停止推進体。
【請求項１２】
電磁気力を利用して空中に浮揚、停止、及び／又は推進することができるようにしたことを特徴とする空中浮揚停止推進体であって、
請求項１乃至請求項１１のうちのいずれかに記載の空中浮揚停止推進体において、
空中浮揚停止推進体は、球形、ほぼ球形、楕円体、回転楕円体、直方体、又は立方体であることを特徴とする請求項１乃至請求項１１のうちのいずれかに記載の空中浮揚停止推進体。
【請求項１３】
電磁気力を利用して空中に浮揚、停止、及び／又は推進することができるようにしたことを特徴とする空中浮揚停止推進体であって、
請求項１乃至請求項１２のうちのいずれかに記載の空中浮揚停止推進体において、
空中浮揚停止推進体内部は、多層構造（階層）となっており、多層構造（階層）上又は下、又は多層構造（階層）を非磁性体と前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体とで区切られた構造となっており、多層構造（階層）間には、一対の組の一方の前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体が単数又は複数配置、又は筒状に単数又は複数配置され、多層構造（階層）の単数又は複数の単位構造内に及び／又は外に備えられた、並びに／若しくは、多層構造（階層）の単数又は複数の単位構造内の単数又は複数の一対の組間に備えられた、並びに／若しくは、互いにぶつからないように構成された、多層構造（階層）間を連結して力を空中浮揚停止推進体に与える与力手段を介して空中浮揚停止推進体に空中浮揚、停止、及び／又は推進力を与える
ことを特徴とする請求項１乃至請求項１２のうちのいずれかに記載の空中浮揚停止推進体。
【請求項１４】
電磁気力を利用して空中に浮揚、停止、及び／又は推進することができるようにしたことを特徴とする空中浮揚停止推進体であって、
請求項１３に記載の空中浮揚停止推進体において、
及び／又は、単数又は複数の同種類及び／又は異種類の空中浮揚停止推進体を、及び／又は、当該空中浮揚停止推進体が多層構造を有する場合、単数又は複数の単位構造から構成される単数又は複数の単位構造を連結して複合体としたことを特徴とする請求項１３に記載の空中浮揚停止推進体、
及び／又は、前記空中浮揚停止推進体を安定して支持し、安定して空中浮揚及び／又は安定して着陸できるように、単数又は複数の支持浮揚着陸安定手段を備えることを特徴する請求項１３に記載の空中浮揚停止推進体、
並びに／若しくは、単数又は複数の同種類及び／又は異種類の空中浮揚停止推進体を、及び／又は、当該空中浮揚停止推進体が多層構造を有する場合、単数又は複数の単位構造から構成される単数又は複数の単位構造との連結に、及び／又は、前記空中浮揚停止推進体と前記支持浮揚着陸安定手段との連結に、
及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成されたことを特徴とする連結手段により、
単数又は複数の自身の及び／又は他の手段の位置計測手段により計測した連結手段及び／又は連結手段を内在し及び／又は備えた各手段との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（単位構造と与力手段）との間の距離が一定の距離の間に保たれるように遠隔制御して（非接触で）遠隔連結するようにしたことを特徴とし、
及び／又は、連結手段は、及び／又は請求項２１乃至請求項２４に記載の空中浮揚停止推進物体遠隔操作機及び／又は請求項２５に記載の物体遠隔操作システムを備えており、連結手段には、及び／又は単数又は複数の空中浮揚停止推進遠隔操作機が備えられており、少なくとも1つの連結手段から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな磁場勾配を生成し、制御し、各手段との間の距離が一定の距離の間に保たれるように遠隔制御して（非接触で）遠隔連結するようにしたことを特徴とし、
及び／又は、連結手段の要素に供給する電力量、及び／又はを制御する位置、及び／又は高圧ガスの吹付量，吹付速度，吹付向、並びに／若しくは制御する電磁気力遮断手段の位置を制御することを特徴とする請求項１３に記載の空中浮揚停止推進体。
【請求項１５】
電磁気力を利用して空中に浮揚、停止、及び／又は推進することができるようにしたことを特徴とする空中浮揚停止推進体であって、
請求項１乃至請求項１４のうちのいずれかに記載の空中浮揚停止推進体において、
前記電力供給手段は外部に設置され、有線により電力を供給する
ことを特徴とする請求項１乃至請求項１４のうちのいずれかに記載の空中浮揚停止推進体。
【請求項１６】
電磁気力を利用して空中に浮揚、停止、及び／又は推進することができるようにしたことを特徴とする空中浮揚停止推進体であって、
請求項１乃至請求項１５のうちのいずれかに記載の空中浮揚停止推進体において、
前記電力供給手段は外部に設置され、無線により電力を供給する燃料無搭載燃料無線供給空中浮揚停止推進体であって、空中浮揚停止推進体内部に電力無線受信手段を備えており、前記電力無線受信手段により受信された電力を前記磁性を有する磁性物体を巻いている若しくは巻いていない導電性線状コイル形状物体、及び／又は伝導性のある線状の物体を巻いたものである導電性線状コイル形状物体に巻かれている若しくは巻かれていない磁性物体の導電性線状コイル形状物体に供給する
ことを特徴とする請求項１乃至請求項１５のうちのいずれかに記載の空中浮揚停止推進体、又は燃料無搭載燃料無線供給空中浮揚停止推進体。
【請求項１７】
電磁気力を利用して空中に浮揚、停止、及び／又は推進することができるようにしたことを特徴とする空中浮揚停止推進体、又は燃料無搭載燃料無線供給空中浮揚停止推進体であって、
請求項１乃至請求項１６のうちのいずれかに記載の空中浮揚停止推進体、又は請求項１６に記載の燃料無搭載燃料無線供給空中浮揚停止推進体において、
空中浮揚停止推進体又は燃料無搭載燃料無線供給空中浮揚停止推進体に備えられた、前記電力供給手段及び／又は前記可動可能設置手段を無線又は有線により制御情報を出力する制御情報出力手段により出力された制御情報を無線又は有線で受信する制御情報受信手段と、
及び／又は、空中浮揚停止推進体又は燃料無搭載燃料無線供給空中浮揚停止推進体に備えられた、空中浮揚停止推進体又は燃料無搭載燃料無線供給空中浮揚停止推進体の位置を計測する、（位置伸縮及び／又は）可動可能／非可能な位置計測手段と、
空中浮揚停止推進体又は燃料無搭載燃料無線供給空中浮揚停止推進体に備えられた、位置計測手段により計測された位置計測情報に基づいて／基づかず、及び／又は、制御情報受信手段により入力された制御情報に基づいて、前記電力供給手段及び／又は前記可動可能設置手段を制御する電力供給及び／又は可動可能設置位置制御手段と
を有することを特徴とし、
並びに／若しくは、
前記電力供給及び／又は可動可能設置位置制御手段は、随時、それまでに出された制御情報受信手段により入力された制御情報である命令に応じた命令位置と位置計測手段により計測された位置計測情報である現在の位置とを比較し、命令位置と現在の位置との差分がなくなるように随時前記電力供給手段及び／又は前記可動可能設置手段を制御すること
を特徴とする請求項１乃至請求項１６のうちのいずれかに記載の空中浮揚停止推進体、又は請求項１６に記載の燃料無搭載燃料無線供給空中浮揚停止推進体。
【請求項１８】
電磁気力を利用して空中に浮揚、停止、及び／又は推進することができるようにしたことを特徴とする空中浮揚停止推進電子機器若しくは機器であって、
請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体、又は様々な機能を有した電子機器若しくは機器に、様々な機能を有した電子機器若しくは機器、又は請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体を搭載、格納、又は、装着し、空中に浮揚、停止、及び／又は推進しつつ、電子機器若しくは機器が有している機能を発揮することができる
ことを特徴とする空中浮揚停止推進体電子機器若しくは機器。
【請求項１９】
電磁気力を利用して空中に浮揚、停止、及び／又は推進することができるようにしたことを特徴とする空中浮揚停止推進電子機器若しくは機器であって、
請求項１８に記載の空中浮揚停止推進体電子機器若しくは機器において、
磁気（及び／又は光）ディスク装置において、磁気（及び／又は光）ヘッドを請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体に単数又は複数装着し、単数装着した場合、磁気（及び／又は光）ディスク上（面及び／又は下面）を所定の間隔で空中浮揚、停止、及び／又は推進して走査するように制御し（例えば、トラックに対して同心円状に、トラックに対して垂直に、及び／又は任意の領域を走査するように制御し）、複数装着した場合、磁気（及び／又は光）ヘッドを空中浮揚停止推進体に所定の個数（単数又は複数）だけ備えた空中浮揚停止推進磁気（及び／又は光）ヘッドとし、所定の個数（単数又は複数）の磁気（及び／又は光）ヘッドが備えられた空中浮揚停止推進磁気（及び／又は光）ヘッドが磁気（及び／又は光）ディスク上（面及び／又は下面）の其々所定の領域を磁気（及び／又は光）ディスク上（面及び／又は下面）から所定の間隔で空中浮揚、停止、及び／又は推進して走査するように制御するか（例えば、其々の所定の領域のトラックに対して同心円状に、其々の所定の領域のトラックに垂直に、及び／又は其々の所定の領域の任意の向き及び／又は距離を走査するように制御するか）、又は、複数装着した場合、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御し、以上の場合において、電源投入後、別（所定）の場所から磁気（及び／又は光）ディスク上に移動するように制御し、終了時は、別（所定）の場所へ移動するように制御し、所定の記憶領域への空中浮揚停止推進磁気（及び／又は光）ヘッドの到達（移動）制御は、所望（各種）の到達手段（移動経路）（尚、以上において、磁気（及び／又は光）ディスク上（面及び／又は下面）の空中浮揚停止推進磁気（及び／又は光）ヘッドの走査は、（及び／又は（及び／又は磁気（及び／又は光）ディスク装置を含む）空中浮揚停止推進磁気（及び／又は光）ヘッド具備磁気（及び／又は光）ディスク装置に及び／又は空中浮揚停止推進磁気（及び／又は光）ヘッドの空中浮揚停止推進体に単数又は複数備えられた位置計測手段により計測された位置計測情報に基づいた、及び／又は、設定された）走査制御情報に基づいて、後述する空中浮揚停止推進磁気（及び／又は光）ヘッド制御情報生成／制御手段により走査制御され、）磁気（及び／又は光）ディスクと所定の間隔を有していればよく、例えば、空中浮揚停止推進磁気（及び／又は光）ヘッドを磁気（及び／又は光）ディスクに対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッドの到達は所定の記憶領域に到達できればよく、所望（各種）の到達手段（移動経路）としてよい）により到達（移動）できるように制御し、制御は有線又は無線により通信制御を行い、空中浮揚停止推進磁気（及び／又は光）ヘッドを制御する空中浮揚停止推進磁気（及び／又は光）ヘッド制御情報（走査制御情報を含む）を受信する第１の空中浮揚停止推進磁気（及び／又は光）ヘッド制御情報受信手段と、第１の空中浮揚停止推進磁気（及び／又は光）ヘッド制御情報受信手段により受信された空中浮揚停止推進磁気（及び／又は光）ヘッド制御情報（及び／又は位置計測手段に計測された位置計測情報）に基づいて、空中浮揚停止推進磁気（及び／又は光）ヘッド制御情報（走査制御情報を含む）を生成し、空中浮揚停止推進磁気（及び／又は光）ヘッドからの読み込み、書き込み等の空中浮揚停止推進磁気（及び／又は光）ヘッド（空中浮揚停止推進体及び／又は磁気（及び／又は光）ヘッド）を後述する空中浮揚停止推進磁気（及び／又は光）ヘッド制御手段により制御（走査制御を含む）する空中浮揚停止推進磁気（及び／又は光）ヘッド制御情報生成／制御手段と、空中浮揚停止推進磁気（及び／又は光）ヘッド制御情報生成／制御手段により生成された空中浮揚停止推進磁気（及び／又は光）ヘッド制御情報（走査制御情報を含む）に基づいて、空中浮揚停止推進磁気（及び／又は光）ヘッド（空中浮揚停止推進体及び／又は磁気（及び／又は光）ヘッド）を制御する空中浮揚停止推進磁気（及び／又は光）ヘッド制御手段と、空中浮揚停止推進磁気（及び／又は光）ヘッド制御手段により制御された、空中浮揚停止推進磁気（及び／又は光）ヘッド制御結果情報（及び／又は位置計測手段により計測された位置計測情報を含む）を送信する第１の空中浮揚停止推進磁気（及び／又は光）ヘッド制御結果情報送信手段とから構成される第１の空中浮揚停止推進磁気（及び／又は光）ヘッド制御手段が空中浮揚停止推進体に備えられていることを特徴とする空中浮揚停止推進磁気（及び／又は光）ヘッド又は空中浮揚停止推進磁気（及び／又は光）ヘッドを備えたことを特徴とする空中浮揚停止推進磁気（及び／又は光）ヘッド具備磁気（及び／又は光）ディスク装置、
及び／又は、空中浮揚停止推進磁気（及び／又は光）ヘッドを制御する空中浮揚停止推進磁気（及び／又は光）ヘッド制御情報（及び／又は走査制御情報を含む）を受信する第２の空中浮揚停止推進磁気（及び／又は光）ヘッド制御情報受信手段と、及び／又は、第２の空中浮揚停止推進磁気（及び／又は光）ヘッド制御結果情報受信手段により受信された空中浮揚停止推進磁気（及び／又は光）ヘッド制御情報（及び／又は走査制御情報を含む）（及び／又は位置計測手段に計測された位置計測情報）に基づいて、空中浮揚停止推進磁気（及び／又は光）ヘッド制御情報（走査制御情報を含む）を生成する空中浮揚停止推進磁気（及び／又は光）ヘッド制御情報生成手段と、第２の空中浮揚停止推進磁気（及び／又は光）ヘッド制御情報受信手段により受信された、及び／又は、空中浮揚停止推進磁気（及び／又は光）ヘッド制御情報生成手段により生成された空中浮揚停止推進磁気（及び／又は光）ヘッドを制御する空中浮揚停止推進磁気（及び／又は光）ヘッド制御情報（走査制御情報を含む）を第１の空中浮揚停止推進磁気（及び／又は光）ヘッド制御情報受信手段に送信する第２の空中浮揚停止推進磁気（及び／又は光）ヘッド制御情報送信手段と、第１の空中浮揚停止推進磁気（及び／又は光）ヘッド制御結果情報送信手段により送信された空中浮揚停止推進磁気（及び／又は光）ヘッド制御結果情報（及び／又は位置計測手段により計測された位置計測情報を含む）を受信する第２の空中浮揚停止推進磁気（及び／又は光）ヘッド制御結果情報受信手段と、第２の空中浮揚停止推進磁気（及び／又は光）ヘッド制御結果情報受信手段により受信された空中浮揚停止推進磁気（及び／又は光）ヘッド制御結果情報（及び／又は位置計測手段により計測された位置計測情報を含む）を送信する第２の空中浮揚停止推進磁気（及び／又は光）ヘッド制御結果情報送信手段とから構成される第２の空中浮揚停止推進磁気（及び／又は光）ヘッド制御手段を、有することを特徴とする空中浮揚停止推進磁気（及び／又は光）ヘッド、又は、を、（及び／又は磁気（及び／又は光）ディスク装置を含む）空中浮揚停止推進磁気（及び／又は光）ヘッド具備磁気（及び／又は光）ディスク装置に備えたことを特徴とする空中浮揚停止推進磁気（及び／又は光）ヘッド具備磁気（及び／又は光）ディスク装置、
及び／又は、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、請求項２１乃至請求項２４に記載の遠隔物体操作機及び／又は請求項２５に記載の物体遠隔操作システムを単数又は複数備え、請求項２１乃至請求項２４に記載の遠隔物体操作機及び／又は請求項２５に記載の物体遠隔操作システムにより、及び／又は、第１及び／又は第２の空中浮揚停止推進磁気（及び／又は光）ヘッド制御手段による制御による、請求項２１乃至請求項２４に記載の遠隔物体操作機及び／又は請求項２５に記載の物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた請求項２１乃至請求項２４に記載の遠隔物体操作機及び／又は請求項２５に記載の物体遠隔操作システムにより検知し、遠隔に操作し、ディスク上から取り除くようにしたことを特徴とし、及び／又は、取り除いてから走査及び／又は読み書きを継続するようにしたことを特徴とする空中浮揚停止推進磁気（及び／又は光）ヘッド又は空中浮揚停止推進磁気（及び／又は光）ヘッド具備磁気（及び／又は光）ディスク装置
であることを特徴とする請求項１８に記載の空中浮揚停止推進体電子機器若しくは機器の一例である空中浮揚停止推進磁気（及び／又は光）ヘッド又は空中浮揚停止推進磁気（及び／又は光）ヘッド具備磁気（及び／又は光）ディスク装置。
【請求項２０】
燃料を搭載せずに、燃料を無線で供給し、飛行できるようにしたことを特徴とする燃料無搭載燃料無線供給飛行体であって、
燃料無搭載燃料無線供給飛行体の飛行に必要な電力を供給する電力供給手段は外部に設置され、燃料無搭載燃料無線供給飛行体内部に電力無線受信手段を備え、前記電力無線受信手段により受信された電力を動力源とする
ことを特徴とする燃料無搭載燃料無線供給飛行体。
【請求項２１】
伝導性のある線状の物体を巻いたものである導電性線状コイル形状物体に巻かれている若しくは巻かれていない磁性を有する磁性物体、
及び／又は、
電流を流した際に、磁性物体との相互作用により空中浮揚、停止力を得られるように設置された、磁性を有する磁性物体を巻いている若しくは巻いていない伝導性のある線状の物体を巻いたものである導電性線状コイル形状物体
は、液体ヘリウム、液体窒素等の冷却材に浸された容器若しくは体自身に格納されているか、又は、冷凍機により冷却され、及び／又は容器若しくは体自身に格納されており、超伝導体、第２種超伝導体、又は高温超電導体となっており、
単数又は複数の伝導性のある線状の物体を巻いたものである導電性線状コイル形状物体に巻かれている若しくは巻かれていない磁性を有する磁性物体、及び／又は、磁性を有する磁性物体を巻いている若しくは巻いていない伝導性のある線状の物体を巻いたものである導電性線状コイル形状物体が可動可能な可動可能手段に設置され、又は非可動に前記容器若しくは体自身に設置されていること、
並びに／若しくは、
前記磁性物体及び／又は前記導電性線状コイル形状物体の近傍に電磁気力計測手段及び／又は温度計測手段を備え、及び／又は、前記冷却材を排出、注入する冷却材排出注入手段を備え、及び／又は、前記電力供給制御手段、又は電力供給並びに／若しくは可動可能設置位置制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給すること
を特徴とする請求項１乃至請求項１７のうちのいずれかに記載の空中浮揚停止推進体、請求項１６若しくは請求項１７に記載の燃料無搭載燃料無線供給空中浮揚停止推進体、又は請求項１８乃至請求項１９に記載の空中浮揚停止推進体電子機器若しくは機器。
【請求項２２】
物体を引き寄せたり、物体を遠ざけたり（上下、左右）等の遠隔操作することができる物体遠隔操作機であって、
単数又は複数の、可動可能な可動可能手段に設置され、又は非可動に容器若しくは体自身に設置された、伝導性のある線状の物体を巻いたものである導電性線状コイル形状物体に巻かれている若しくは巻かれていない磁性を有する磁性物体と、
及び／又は、
単数又は複数の、可動可能な可動可能手段に設置され、又は非可動に容器若しくは体自身に設置された、磁性を有する磁性物体を巻いている若しくは巻いていない伝導性のある線状の物体を巻いたものである導電性線状コイル形状物体と、
を有し、
前記単数又は複数の磁性物体、及び／又は、前記単数又は複数の導電性線状コイル形状物体は、液体ヘリウム、液体窒素等の冷却材に浸された容器若しくは体自身に格納されているか、又は、冷凍機により冷却され、及び／又は容器若しくは体自身に格納されており、
並びに／若しくは、
単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段
を有し、
並びに／若しくは、
単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段
を有し、
及び／又は、
前記した高圧ガス吹付手段から吹き付ける高圧ガスの向き、速度、及び／又は量を制御し、
及び／又は、
磁場勾配を大きくするように前記単数又は複数の磁性物体、及び／又は、前記単数又は複数の導電性線状コイル形状物体の向き及び生成される電磁気力を制御する
制御手段を有すること、
並びに／若しくは、
前記磁性物体及び／又は前記導電性線状コイル形状物体の近傍に（位置伸縮及び／又は）可動可能／非可能な電磁気力計測手段及び／又は（位置伸縮及び／又は）可動可能／非可能な温度計測手段を備え、及び／又は、前記冷却材を排出、注入する冷却材排出注入手段を備え、及び／又は、前記制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給すること、及び／又は、（位置伸縮及び／又は）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、)物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）こと、
並びに／若しくは、
上述した高圧ガス吹付手段代わりに／にさらに加えて、液体窒素、液体ヘリウム等の冷却材を吹付ける冷却材吹付手段を搭載し、及び／又は、位置伸縮可動可能／非可能な温度計測手段及び／又は位置伸縮可動可能／非可能な位置計測手段を搭載し、温度計測手段による温度計測に基づいて及び／又は位置計測手段による計測位置に基づいて物体に一定（所定）の距離まで近づいて（及び／又は、一定（所定）の領域で待機しておき、物体が一定（所定）の領域中に存在した（例えば、通過する等の移動等を含む）場合）、電磁気力を物体に作用させ、電磁気力を物体に作用させながら、液体窒素、液体ヘリウム等の冷却材を吹付けて、超伝導状態にして、位置計測手段により物体を一定（所定）の距離に捕捉できたかどうかの判断及び／又は確認を行い、物体を一定（所定）の距離で捕捉し、物体遠隔操作機が移動し、物体を所望の位置に移動させて遠隔で操作するようにしたこと
を特徴とする物体遠隔操作機。
【請求項２３】
物体を引き寄せたり、物体を遠ざけたり、並びに／又は、上下及び／若しくは左右の全方向に遠隔で操作することができる物体遠隔操作機であって、
請求項２２に記載の物体遠隔操作機が単数又は複数、可動可能な可動可能手段に設置され、又は非可動に容器若しくは体自身に設置されていること、
並びに／若しくは、
単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段
を有し、
並びに／若しくは、
単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段
を有し、
及び／又は、
前記した高圧ガス吹付手段から吹き付ける高圧ガスの向き、速度、及び／又は量を制御し、
及び／又は、
磁場勾配を大きくするように前記単数又は複数の磁性物体、及び／又は、前記単数又は複数の導電性線状コイル形状物体の向き及び生成される電磁気力を制御する
制御手段を有すること、
並びに／若しくは、
前記磁性物体及び／又は前記導電性線状コイル形状物体の近傍に（位置伸縮及び／又は）可動可能／非可能な電磁気力計測手段及び／又は（位置伸縮及び／又は）可動可能／非可能な温度計測手段を備え、及び／又は、前記冷却材を排出、注入する冷却材排出注入手段を備え、及び／又は、前記制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給すること、及び／又は、（位置伸縮及び／又は）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、) （並びに／若しくは、物体及び／又は物体の周辺に高圧ガスを吹き付け、高圧ガス雰囲気中にすると共に）物体を遠隔で操作する（所望の電磁気力を物体及び／又は物体周辺に作用させる）こと、
並びに／若しくは、
上述した高圧ガス吹付手段代わりに／にさらに加えて、液体窒素、液体ヘリウム等の冷却材を吹付ける冷却材吹付手段を搭載し、及び／又は、位置伸縮可動可能／非可能な温度計測手段及び／又は位置伸縮可動可能／非可能な位置計測手段を搭載し、温度計測手段による温度計測に基づいて及び／又は位置計測手段による計測位置に基づいて物体に一定（所定）の距離まで近づいて（及び／又は、一定（所定）の領域で待機しておき、物体が一定（所定）の領域中に存在した（例えば、通過する等の移動等を含む）場合）、電磁気力を物体に作用させ、電磁気力を物体に作用させながら、液体窒素、液体ヘリウム等の冷却材を吹付けて、超伝導状態にして、位置計測手段により物体を一定（所定）の距離に捕捉できたかどうかの判断及び／又は確認を行い、物体を一定（所定）の距離で捕捉し、物体遠隔操作機が移動し、物体を所望の位置に移動させて遠隔で操作するようにしたこと
を特徴とする物体遠隔操作機。
【請求項２４】
物体を引き寄せたり、物体を遠ざけたり、並びに／又は、上下及び／若しくは左右の全方向に遠隔で操作することができる物体遠隔操作機であって、
請求項１乃至請求項１７、若しくは請求項２１のうちのいずれかに記載の空中浮揚停止推進体、請求項１６、請求項１７、若しくは請求項２１に記載の燃料無搭載燃料無線供給空中浮揚停止推進体、又は請求項１８乃至請求項１９、請求項２１に記載の空中浮揚停止推進体電子機器若しくは機器に、請求項２２若しくは請求項２３に記載の物体遠隔操作機が、
単数又は複数、可動可能又は非可動に設置、搭載、格納、又は装着されていること、
並びに／若しくは、
請求項２２乃至２３に記載の物体遠隔操作機の移動は、請求項１乃至請求項１７、若しくは請求項２１のうちのいずれかに記載の空中浮揚停止推進体、請求項１６、請求項１７、若しくは請求項２１に記載の燃料無搭載燃料無線供給空中浮揚停止推進体、又は請求項１８乃至請求項１９、請求項２１に記載の空中浮揚停止推進体電子機器若しくは機器による移動であること
を特徴とする物体遠隔操作機。
【請求項２５】
単数又は複数の請求項２２乃至請求項２４のうちのいずれかに記載の物体遠隔操作機から構成され、単数又は複数の請求項２２乃至請求項２４のうちのいずれかに記載の物体遠隔操作機により物体を遠隔で操作することを特徴とする物体遠隔操作システム。
【請求項２６】
各手段（部、装置、システム）間を一定の距離の間に保たれるように（非接触で）遠隔で連結することができるようにしたことを特徴とする遠隔連結手段（部、装置、システム）であって、
並びに／若しくは、各手段（部、装置、システム）の連結に、
及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成されたことを特徴とする連結手段（部、装置、システム）であって、
単数又は複数の自身の及び／又は他の手段の位置計測手段により計測した連結手段（部、装置、システム）及び／又は連結手段（部、装置、システム）を内在し及び／又は備えた各手段（部、装置、システム）との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段は、及び／又は請求項２１乃至請求項２４に記載の空中浮揚停止推進物体遠隔操作機及び／又は請求項２５に記載の物体遠隔操作システムを備えており、連結手段（部、装置、システム）には、及び／又は単数又は複数の空中浮揚停止推進遠隔操作機が備えられており、少なくとも1つの連結手段（部、装置、システム）から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段（部、装置、システム）の要素に供給する電力量、及び／又はを制御する位置、及び／又は高圧ガスの吹付量，吹付速度，吹付向、並びに／若しくは制御する電磁気力遮断手段の位置を制御することを特徴とする遠隔連結部（、装置、システム）。
【発明の詳細な説明】
【技術分野】
【０００１】
本発明は、空中浮揚、停止、及び推進することができる空中浮揚停止推進体及び方法、燃料無搭載空中浮揚停止推進体及び方法、燃料無搭載飛行体及び方法、空中浮揚停止推進電子機器若しくは機器及び方法、無燃料飛行体及び方法、物体遠隔操作機及び方法、並びに、物体遠隔操作システム及び方法、並びに、空中浮揚停止推進磁気（及び／又は光）ヘッド及び方法、空中浮揚停止推進磁気（及び／又は光）ヘッド具備磁気（及び／又は光）ディスク装置及び方法、及び、遠隔連結部（、装置、システム）及び方法に関する。
【背景技術】
【０００２】
【発明の開示】
【発明が解決しようとする課題】
【０００３】
従来、火力、及び風力等を用いずに空を飛ぶことができなかった。
【０００４】
また、飛行物体は、空中にて停止することができなかった。
【０００５】
また、超伝導を用いずに物体を空中に浮揚、停止させることができなかった。
【０００６】
また、飛行物体それ自体（自身）で、空中にて浮揚、停止することができなかった。
【０００７】
また、飛行物体は、燃料を搭載せずに空中浮揚、停止、及び／又は推進、並びに／若しくは飛行することができなかった。
【０００８】
また、飛行物体は、無燃料で空中浮揚、停止、及び／又は推進、並びに／若しくは飛行することができなかった。
【０００９】
本発明は、上記問題を解決する為に、超伝導を用いずに及び／又は超伝導を用いて、（それ自体（自身）で、）空中浮揚、停止、及び／又は推進することができる空中浮揚停止推進体及び方法、並びに空中浮揚停止推進電子機器若しくは機器及び方法、燃料を搭載せずに空中浮揚、停止、及び／又は推進することができる燃料無搭載空中浮揚停止推進体及び方法、無燃料で空中浮揚、停止、及び／又は飛行することができる燃料無搭載飛行体及び方法、無燃料で飛行することができる無燃料飛行体及び方法、物体を遠隔で操作することができる物体遠隔操作機及び方法、並びに、物体を遠隔で操作することができる物体遠隔操作システム及び方法、並びに、（それ自体（自身）で、）空中浮揚、停止、及び／又は推進することができる空中浮揚停止推進磁気（及び／又は光）ヘッド及び方法、（それ自体（自身）で、）空中浮揚、停止、及び／又は推進することができる空中浮揚停止推進磁気（及び／又は光）ヘッド具備磁気（及び／又は光）ディスク装置及び方法、及び、各手段（部、装置、システム）間を遠隔連結することができる遠隔連結部（、装置、システム）及び方法を提供することを目的とする。
【課題を解決するための手段】
【００１０】
上記課題を解決するために、請求項１に記載の空中浮揚停止推進体は、（浮揚、停止）電磁気力を利用して（それ自体（自身）で）空中に浮揚、停止することができるようにしたことを特徴とする空中浮揚停止推進体であって、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体と、単数又は複数設けられた、磁性を有する磁性物体を巻いている若しくは巻いていない導電性線状コイル形状物体、及び／又は、伝導性のある線状の物体を巻いたものである導電性線状コイル形状物体に巻かれている若しくは巻かれていない磁性を有する磁性物体の導電性線状コイル形状物体に電力を供給する電力供給手段と、及び／又は、電力供給手段により供給する電力を制御する電力供給制御手段とを備え、伝導性のある線状の物体を巻いたものである導電性線状コイル形状物体に巻かれている若しくは巻かれていない磁性を有する磁性物体と磁性を有する磁性物体を巻いている若しくは巻いていない伝導性のある線状の物体を巻いたものである導電性線状コイル形状物体とは、前記導電性線状コイル形状物体に電力を供給した際、相互作用により空中浮揚及び／又は停止力が得られるように設置され、電力供給制御手段は、電力供給手段により前記導電性線状コイル形状物体に電力を供給して相互作用により空中浮揚及び／又は停止力を得られるように制御することを特徴とし、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、かつ、又は空中浮揚停止推進体を構成する各手段がさらに設けられた、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、供給された電力により（（空中浮揚停止推進体）それ自体（自身）で）空中浮揚停止推進力を生成（獲得）し、電磁気力を利用して（（空中浮揚停止推進体）それ自体（自身）で）空中に浮揚、停止することができるようにしたことを特徴とする空中浮揚停止推進体とする���とによって解決された。
尚、本明細書中、特許請求の範囲中、図面中、及び／又は要約書中において、空中浮揚停止推進力自己生成（獲得）,自己空中浮揚停止推進手段とは、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止する手段であって、空中浮揚停止推進体及び／又は空中浮揚停止推進体に設けられた各手段並びに／若しくは空中浮揚停止推進体に内在する各手段のことを示しており、例えば、後述する一対の組をはじめとし、空中浮揚停止推進体等、多層構造（階層）の空中浮揚停止推進体の単位構造、複合体の空中浮揚停止推進体を構成する空中浮揚停止推進体、多層構造（階層）の空中浮揚停止推進体、複合体の空中浮揚停止推進体、（物体遠隔操作機及び／又は物体遠隔操作システムを備えた）連結手段及び／又は支持浮揚着陸安定手段を備えた空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等に至る迄、本明細書中、特許請求の範囲中、図面中、及び／又は要約書中に記載の全ての空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等を含み、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止する手段は、空中浮揚停止推進力自己生成（獲得）,自己空中浮揚停止推進手段である。また、複合体の空中浮揚停止推進体が空中浮揚停止推進体を有する場合、複合体の空中浮揚停止推進体も複合体の空中浮揚停止推進体を構成する空中浮揚停止推進体も空中浮揚停止推進体である。また、本明細書中、特許請求の範囲中、図面中、及び／又は要約書中において、「それ自体（自身）」とは、「それ（自己）自体（自身）」のことを示し、「（空中浮揚停止推進体）それ（自己）自体（自身）」のことを示し、「（それ自体（自身）で）」とは、「（それ（自己）自体（自身）で）」のことを示し、「（（空中浮揚停止推進体）それ（自己）自体（自身）で）」のことを示している。
【００１１】
これにより、（それ自体（自身）で）空中に浮揚、停止することができる。
【００１２】
また、上記課題を解決するために、請求項２に記載の空中浮揚停止推進体は、（推進）電磁気力を利用して（それ自体（自身）で）空中に浮揚、停止、及び／又は推進することができるようにしたことを特徴とする空中浮揚停止推進体であって、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体と、単数又は複数設けられた、磁性を有する磁性物体を巻いている若しくは巻いていない導電性線状コイル形状物体、及び／又は、伝導性のある線状の物体を巻いたものである導電性線状コイル形状物体に巻かれている若しくは巻かれていない磁性を有する磁性物体の導電性線状コイル形状物体に電力を供給する電力供給手段と、及び／又は、電力供給手段により供給する電力を制御する電力供給制御手段とを備え、伝導性のある線状の物体を巻いたものである導電性線状コイル形状物体に巻かれている若しくは巻かれていない磁性を有する磁性物体と磁性を有する磁性物体を巻いている若しくは巻いていない伝導性のある線状の物体を巻いたものである導電性線状コイル形状物体とは、前記導電性線状コイル形状物体に電力を供給した際、相互作用により空中浮揚、停止、及び／又は、推進力が得られるように設置され、電力供給制御手段は、電力供給手段により電力を供給して相互作用により空中浮揚、停止、及び／又は、推進力を得られるように制御することを特徴とし、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、かつ、又は空中浮揚停止推進体を構成する各手段がさらに設けられた、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、供給された電力により（（空中浮揚停止推進体）それ自体（自身）で）空中浮揚停止推進力を生成（獲得）し、電磁気力を利用して（（空中浮揚停止推進体）それ自体（自身）で）空中に浮揚、停止、及び／又は、推進することができるようにし���ことを特徴とする空中浮揚停止推進体とすることによって解決された。
尚、本明細書中、特許請求の範囲中、図面中、及び／又は要約書中において、空中浮揚停止推進力自己生成（獲得）,自己空中浮揚停止推進手段とは、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する手段であって、空中浮揚停止推進体及び／又は空中浮揚停止推進体に設けられた各手段並びに／若しくは空中浮揚停止推進体に内在する各手段のことを示しており、例えば、後述する一対の組をはじめとし、空中浮揚停止推進体等、多層構造（階層）の空中浮揚停止推進体の単位構造、複合体の空中浮揚停止推進体を構成する空中浮揚停止推進体、多層構造（階層）の空中浮揚停止推進体、複合体の空中浮揚停止推進体、（物体遠隔操作機及び／又は物体遠隔操作システムを備えた）連結手段及び／又は支持浮揚着陸安定手段を備えた空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等に至る迄、本明細書中、特許請求の範囲中、図面中、及び／又は要約書中に記載の全ての空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等を含み、それ自体（自身）に単数又は複数設けられた、伝導性のある線状の物体を巻いたものである導電性線状コイル形状物体に巻かれている若しくは巻かれていない磁性を有する磁性物体と、それ自体（自身）に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する手段は、空中浮揚停止推進力自己生成（獲得）,自己空中浮揚停止推進手段である。また、複合体の空中浮揚停止推進体が空中浮揚停止推進体を有する場合、複合体の空中浮揚停止推進体も複合体の空中浮揚停止推進体を構成する空中浮揚停止推進体も空中浮揚停止推進体である。また、本明細書中、特許請求の範囲中、図面中、及び／又は要約書中において、「それ自体（自身）」とは、「それ（自己）自体（自身）」のことを示し、「（空中浮揚停止推進体）それ（自己）自体（自身）」のことを示し、「（それ自体（自身）で）」とは、「（それ（自己）自体（自身）で）」のことを示し、「（（空中浮揚停止推進体）それ（自己）自体（自身）で）」のことを示している。
【００１３】
これにより、（それ自体（自身）で）空中に浮揚、停止、及び／又は推進することができる。
【００１４】
また、上記課題を解決するために、請求項３に記載の空中浮揚停止推進体は、（可動可能）電磁気力を利用して空中に浮揚、停止、及び／又は推進することができるようにしたことを特徴とする空中浮揚停止推進体であって、請求項１又は請求項２に記載の空中浮揚停止推進体において、前記伝導性のある線状の物体を巻いたものである導電性線状コイル形状物体に巻かれている若しくは巻かれていない磁性物体及び／又は、前記磁性を有する磁性物体を巻いている若しくは巻いていない伝導性のある線状の物体を巻いたものである導電性線状コイル形状物体を可動可能に設置する可動可能設置手段を備え、及び／又は、前記伝導性のある線状の物体を巻いたものである導電性線状コイル形状物体に巻かれている若しくは巻かれていない磁性物体及び／又は、前記磁性を有する磁性物体を巻いている若しくは巻いていない伝導性のある線状の物体を巻いたものである導電性線状コイル形状物体は、空中浮揚、停止、及び／又は推進力を得るように所望な位置及び方向に可動設置可能に制御する可動可能手段位置制御手段を備えたことを特徴とする請求項１又は請求項２に記載の空中浮揚停止推進体とすることによって解決された。
【００１５】
これにより、空中に浮揚、停止、及び／又は推進することができると共に、様々な方向の推進力を得ることができる。
【００１６】
また、上記課題を解決するために、請求項４に記載の空中浮揚停止推進体は、（一対の組）電磁気力を利用して空中に浮揚、停止、及び／又は推進することができるようにしたことを特徴とする空中浮揚停止推進体であって、請求項１乃至請求項３に記載の空中浮揚停止推進体において、単数又は複数の、前記伝導性のある線状の物体を巻いたものである導電性線状コイル形状物体に巻かれている若しくは巻かれていない磁性物体と、単数又は複数の、前記磁性を有する磁性物体を巻いている若しくは巻いていない伝導性のある線状の物体を巻いたものである導電性線状コイル形状物体とから構成される、単数又は複数の一対の組により生成される電磁気力により、浮揚力、停止力、及び／又は推進力を得る為の電磁気力を生成するように構成したこと、又は、単数又は複数の、前記伝導性のある線状の物体を巻いたものである導電性線状コイル形状物体に巻かれている若しくは巻かれていない磁性物体、及び／又は、単数又は複数の、前記磁性を有する磁性物体を巻いている若しくは巻いていない伝導性のある線状の物体を巻いたものである導電性線状コイル形状物体と、単数又は複数の、前記磁性を有する磁性物体を巻いている若しくは巻いていない伝導性のある線状の物体を巻いたものである導電性線状コイル形状物体、及び／又は、単数又は複数の、前記伝導性のある線状の物体を巻いたものである導電性線状コイル形状物体に巻かれている若しくは巻かれていない磁性物体とから構成される、単数又は複数の一対の組により生成される電磁気力により、浮揚力、停止力、及び／又は推進力を得る為の電磁気力を生成するように構成したことを特徴とする請求項１乃至請求項３に記載の空中浮揚停止推進体とすることによって解決された。
【００１７】
これにより、空中浮揚、停止、及び／又は推進させたりする制御が容易となると共に、少ない電力で大きな空中浮揚、停止、及び／又は推進力を得ることができる。
【００１８】
また、上記課題を解決するために、請求項５に記載の空中浮揚停止推進体は、（複数設置で単数設置よりも大きな電磁気力）電磁気力を利用して空中に浮揚、停止、及び／又は推進することができるようにしたことを特徴とする空中浮揚停止推進体であって、請求項４に記載の空中浮揚停止推進体において、前記伝導性のある線状の物体を巻いたものである導電性線状コイル形状物体に巻かれている若しくは巻かれていない磁性を有する磁性物体、及び／又は、前記磁性を有する磁性物体を巻いている若しくは巻いていない伝導性のある線状の物体を巻いたものである導電性線状コイル形状物体は、複数設置されていて、単数設置されているよりも大きな合成電磁気力を発生するように、及び／又は、単数設置されているよりも大きな合成電磁気力が一点に集中して発生するように設置されており、複数の前記磁性を有する磁性物体を巻いている若しくは巻いていない伝導性のある線状の物体を巻いたものである導電性線状コイル形状物体は、前記伝導性のある線状の物体を巻いたものである導電性線状コイル形状物体に巻かれている若しくは巻かれていない磁性を有する磁性物体に対して一列に円弧状及び／又は前記伝導性のある線状の物体を巻いたものである導電性線状コイル形状物体に巻かれている若しくは巻かれていない磁性を有する磁性物体から見て円若しくは楕円状に設置され、複数の前記伝導性のある線状の物体を巻いたものである導電性線状コイル形状物体に巻かれている若しくは巻かれていない磁性を有する磁性物体は、前記磁性を有する磁性物体を巻いている若しくは巻いていない伝導性のある線状の物体を巻いたものである導電性線状コイル形状物体に対して横から見ると一列に若しくは円弧状に及び／又は前記磁性を有する磁性物体を巻いている若しくは巻いていない伝導性のある線状の物体を巻いたものである導電性線状コイル形状物体から見て円若しくは楕円状に設置されていること、及び／又は、複数の前記伝導性のある線状の物体を巻いたものである導電性線状コイル形状物体に巻かれている若しくは巻かれていない磁性を有する磁性物体は、前記磁性を有する磁性物体を巻いている若しくは巻いていない伝導性のある線状の物体を巻いたものである導電性線状コイル形状物体に対して一列に円弧状及び／又は前記磁性を有する磁性物体を巻いている若しくは巻いていない伝導性のある線状の物体を巻いたものである導電性線状コイル形状物体から見て円若しくは楕円状に設置され、複数の前記磁性を有する磁性物体を巻いている若しくは巻いていない伝導性のある線状の物体を巻いたものである導電性線状コイル形状物体は、前記伝導性のある線状の物体を巻いたものである導電性線状コイル形状物体に巻かれている若しくは巻かれていない磁性を有する磁性物体に対して横から見ると一列に若しくは円弧状に及び／又は前記伝導性のある線状の物体を巻いたものである導電性線状コイル形状物体に巻かれている若しくは巻かれていない磁性を有する磁性物体から見て円若しくは楕円状に設置されていること、並びに／若しくは、電流を整流する電流整流手段等の（自己）誘導起電力防止手段を前記導電性線状コイル形状物体に（直列に及び／又は並列に）前記導電性線状コイル形状物体の（自己）誘導起電力を防止するよう（な向き）に備えられていること、（及び／又は、前記導電性線状コイル形状物体とは異なる、（及び／又は、電流整流手段等の（自己）誘導起電力防止手段が（直列に及び／又は並列に）前記導電性線状コイル形状物体の（自己）誘導起電力を防止するように備えられた）他の前記導電性線状コイル形状物体等の（自己）誘導起電力防止手段を前記導電性線状コイル形状物体の（自己）誘導起電力を防止するよう（な向き）に前記導電性線状コイル形状物体の近傍に（例えば、上及び／又は下に並びに／若しくはそれ以外の近傍に）備えられていること、及び／又は、電力供給制御手段は、複数の其々の導電性線状コイル形状物体に供給する電力供給開始時刻、及び／又は電力供給量（並びに／若しくは、電力供給に於ける供給電力が規則性を有する（周期的な）及び／又は予め予期される変動を伴う場合、前記規則性を有する（周期的な）及び／又は予め予期される変動の大きさ、開始時刻、形、及び／又は、規則性を有する（周期的な）及び／又は予め予期される変動の間隔も）を少しずつずらす及び／又は変化させる等して、複数の導電性線状コイル形状物体から生成される電磁気力の合成電磁気力が最大（及び／又は所望の大きさ並びに／若しくは一定の大きさ及び／又は所定の大きさ）となるようにして調整供給すること）を特徴とする請求項４に記載の空中浮揚停止推進体とすることによって解決された。
【００１９】
これにより、各導電性線状コイル形状物体が発生させる電磁気力を合成し、其々の各導電性線状コイル形状物体のみが発生させる電磁気力よりも大きな電磁気力を有することができ、電力が不足する場合等でも、所望の大きな電磁気力を有することができる。
【００２０】
また、上記課題を解決するために、請求項６に記載の空中浮揚停止推進体は、（磁性物体とコイルとの間の不用電磁気力の遮断）（電磁気力の合成）（合成電磁気力の一点集中）電磁気力を利用して空中に浮揚、停止、及び／又は推進することができるようにしたことを特徴とする空中浮揚停止推進体であって、請求項１乃至請求項５に記載の空中浮揚停止推進体において、前記磁性を有する磁性物体を巻いている若しくは巻いていない伝導性のある線状の物体を巻いたものである導電性線状コイル形状物体を、及び／又は、前記磁性を有する磁性物体を巻いている若しくは巻いていない伝導性のある線状の物体を巻いたものである導電性線状コイル形状物体を、並びに／若しくは、相互作用を及ぼしあう前記伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との間を、電磁気力を与えたい若しくは与えたくない領域には電磁気力を与える若しくは与えないように、又は、電磁気力を受けたい若しくは受けたくない領域には電磁気力を受ける若しくは受けないように、相互作用により浮揚、停止、及び／又は推進力を得る一対の組ごとに其々電磁気力遮断手段で覆うこと、相互作用により浮揚、停止、及び／又は推進力を得る一対の組の其々の要素ごとに電磁気力遮断手段で覆うこと、及び／又は、全体を電磁気力遮断手段で覆うこと、及び／又は、可動可能手段が備えられている場合は、電磁気力遮断手段は、可動可能なように切れ込みが入っていることを特徴とする請求項１乃至請求項５に記載の空中浮揚停止推進体とすることによって解決された。
【００２１】
これにより、電磁気力の相互作用を及ぼしたくない領域に電磁気力が作用するのを防ぐことができ、推進方向への制御が容易となる。
【００２２】
また、上記課題を解決するために、請求項７に記載の空中浮揚停止推進体は、（開口部）電磁気力を利用して空中に浮揚、停止、及び／又は推進することができるようにしたことを特徴とする空中浮揚停止推進体であって、請求項６に記載の空中浮揚停止推進体において、前記磁性を有する磁性物体を巻いている若しくは巻いていない伝導性のある線状の物体を巻いたものである導電性線状コイル形状物体を、及び／又は、前記磁性を有する磁性物体を巻いている若しくは巻いていない伝導性のある線状の物体を巻いたものである導電性線状コイル形状物体を、並びに／若しくは、相互作用を及ぼしあう前記伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との間を、電磁気力を与えたい若しくは与えたくない領域には電磁気力を与え若しくは与えないように、又は、電磁気力を受けたい若しくは受けたくない領域には電磁気力を受け若しくは受けないように、電磁気力遮断手段で覆う構成は、電磁気力を与えたい若しくは受けたい領域は、覆う電磁気力遮断手段に開口部が生成されており、電磁気力遮断手段の開口部に向けての傾斜は可変／非可変に構成されていることを特徴とする請求項６に記載の空中浮揚停止推進体とすることによって解決された。
【００２３】
これにより、空中浮揚、停止、及び／又は推進させたりする制御が容易となると共に、少ない電力で大きな空中浮揚、停止、及び／又は推進力を得ることができる。
【００２４】
また、上記課題を解決するために、請求項８に記載の空中浮揚停止推進体は、（一部）（一対の組は、壁に近接して設置されている）電磁気力を利用して空中に浮揚、停止、及び／又は推進することができるようにしたことを特徴とする空中浮揚停止推進体であって、請求項１乃至請求項７のうちのいずれかに記載の空中浮揚停止推進体において、前記伝導性のある線状の物体を巻いたものである導電性線状コイル形状物体に巻かれている若しくは巻かれていない磁性物体、及び／又は、前記磁性を有する磁性物体を巻いている若しくは巻いていない伝導性のある線状の物体を巻いたものである導電性線状コイル形状物体は、少なくとも前記空中浮揚停止推進体のうちの一部であるように構成されたこと、及び／又は、対応する一対の組である、前記磁性を有する磁性物体を巻いている若しくは巻いていない伝導性のある線状の物体を巻いたものである導電性線状コイル形状物体、及び／又は、前記伝導性のある線状の物体を巻いたものである導電性線状コイル形状物体に巻かれている若しくは巻かれていない磁性物体は、壁側に近接して設置されていることを特徴とする請求項１乃至請求項７のうちのいずれかに記載の空中浮揚停止推進体とすることによって解決された。
【００２５】
これにより、磁性物体と空中浮揚停止推進体との間に発生する衝撃を緩めることができる。また、一対の組が近接して設置されている為、空中浮揚、停止、及び／又は推進させたりする制御が容易となる。
【００２６】
また、上記課題を解決するために、請求項９に記載の空中浮揚停止推進体は、（磁性物体、コイル、磁性物体とコイルとの間の不用電磁気力の遮断）（空中浮揚停止推進体の外部に与える不要電磁気力遮断）電磁気力を利用して空中に浮揚、停止、及び／又は推進することができるようにしたことを特徴とする空中浮揚停止推進体であって、請求項１乃至請求項８のうちのいずれかに記載の空中浮揚停止推進体において、前記伝導性のある線状の物体を巻いたものである導電性線状コイル形状物体に巻かれている若しくは巻かれていない磁性物体により生成される電磁気力、及び／又は、前記磁性を有する磁性物体を巻いている若しくは巻いていない伝導性のある線状の物体を巻いたものである導電性線状コイル形状物により生成される電磁気力、並びに／若しくは、伝導性のある線状の物体を巻いたものである導電性線状コイル形状物体に巻かれている若しくは巻かれていない磁性物体と前記磁性を有する磁性物体を巻いている若しくは巻いていない伝導性のある線状の物体を巻いたものである導電性線状コイル形状物体との相互作用により生成される電磁気力のうち、空中浮揚停止推進体の外部に与える不要な電磁気力を遮断する電磁気力遮断手段を備えたことを特徴とする請求項１乃至請求項８のうちのいずれかに記載の空中浮揚停止推進体とすることによって解決された。
【００２７】
これにより、不要な電磁波、電磁気力の影響を受けないようにすることができる。
【００２８】
また、上記課題を解決するために、請求項１０に記載の空中浮揚停止推進体は、（不要な力を受けないように，第１の緩衝率を有する第１の緩衝手段）電磁気力を利用して空中に浮揚、停止、及び／又は推進することができるようにしたことを特徴とする空中浮揚停止推進体であって、請求項１乃至請求項９に記載の空中浮揚停止推進体において、前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体は、電磁気力による不要な向きの力を受けないように（力を受けたくない向きに力を受けないように）（移動できないように）構成されており、前記磁性を有する磁性物体を巻いている若しくは巻いていない伝導性のある線状の物体を巻いたものである導電性線状コイル形状物体における磁性物体、及び／又は、前記磁性を有する磁性物体を巻いている若しくは巻いていない伝導性のある線状の物体を巻いたものである導電性線状コイル形状物体における磁性物体は、中央部がくり貫かれており、前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体は、中央部がくり貫かれており、前記中央部には非磁性体が挿入されていること、及び／又は、衝撃を緩めるような第１の緩衝率を有する第１の緩衝手段及び／又は所定の気圧のガスに挟まれて設置されていること、並びに／若しくは容器に格納／非格納されていること、及び／又は、一対の組の力を受ける方の側には、力を受ける方の向きには第１の緩衝手段及び／又は所定の気圧のガスが挿入されておらず、一対の組の力を与える方の側には、力を受ける方の向きには第１の緩衝手段及び／又は所定の気圧のガスが挿入されていることを特徴とする請求項１乃至請求項９に記載の空中浮揚停止推進体とすることによって解決された。
【００２９】
これにより、不要な力を受けないようにすることができ、力を受けたくない向きに力を受けないようにすることができる為、推進方向に平行な方向にのみしか力を発揮できないようにすることができる。従って、空中浮揚、停止、及び／又は推進させたりする制御が容易となる。また、一対の組の力を与える方の側には、力を受ける方の向きには第１の緩衝手段及び／又は所定の気圧のガスが挿入されている為、不用な力を受けなくすることができる。
【００３０】
また、上記課題を解決するために、請求項１１に記載の空中浮揚停止推進体は、（第２の緩衝手段）電磁気力を利用して空中に浮揚、停止、及び／又は推進することができるようにしたことを特徴とする空中浮揚停止推進体であって、請求項１乃至請求項１０のうちのいずれかに記載の空中浮揚停止推進体において、前記伝導性のある線状の物体を巻いたものである導電性線状コイル形状物体に巻かれている若しくは巻かれていない磁性物体、及び／又は、前記磁性を有する磁性物体を巻いている若しくは巻いていない伝導性のある線状の物体を巻いたものである導電性線状コイル形状物と空中浮揚停止推進体との間に、衝撃を緩める為の第１の緩衝率よりも小さい第２の緩衝率を有する第２の緩衝手段が備えられていることを特徴とする請求項１乃至請求項１０のうちのいずれかに記載の空中浮揚停止推進体とすることによって解決された。
【００３１】
これにより、磁性物体と前記空中浮揚停止推進体との間に発生する衝撃を緩めることができる。
【００３２】
また、上記課題を解決するために、請求項１１に記載の空中浮揚停止推進体は、（第３の緩衝手段）電磁気力を利用して空中に浮揚、停止、及び／又は推進することができるようにしたことを特徴とする空中浮揚停止推進体であって、請求項１乃至請求項１０のうちのいずれかに記載の空中浮揚停止推進体において、空中浮揚停止推進体が、第１の緩衝率よりも小さい第３の緩衝率を有する衝撃を緩めるような材質を含んで構成されていることを特徴とし、空中浮揚停止推進体は、衝撃を緩めるように構成されていることを特徴とする請求項１乃至請求項１０のうちのいずれかに記載の空中浮揚停止推進体とすることによって解決された。
【００３３】
これにより、磁性物体と前記空中浮揚停止推進体との間に発生する衝撃を緩めることができ、及び／又は、空中浮揚停止推進体が受ける衝撃を緩めることができる。
【００３４】
また、上記課題を解決するために、請求項１２に記載の空中浮揚停止推進体は、（球形、ほぼ球形、楕円体、回転楕円体、直方体、又は立方体）電磁気力を利用して空中に浮揚、停止、及び／又は推進することができるようにしたことを特徴とする空中浮揚停止推進体であって、請求項１乃至請求項１１のうちのいずれかに記載の空中浮揚停止推進体において、空中浮揚停止推進体は、球形、ほぼ球形、楕円体、回転楕円体、直方体、又は立方体であることを特徴とする請求項１乃至請求項１１のうちのいずれかに記載の空中浮揚停止推進体とすることによって解決された。
【００３５】
これにより、空中浮揚停止推進体に対称性がある為、空中浮揚、停止、及び／又は推進させたりする制御が容易となる。
【００３６】
また、上記課題を解決するために、請求項１３に記載の空中浮揚停止推進体は、（多層階層、上下に配置、筒状に配置、（与力手段））電磁気力を利用して空中に浮揚、停止、及び／又は推進することができるようにしたことを特徴とする空中浮揚停止推進体であって、請求項１乃至請求項１２のうちのいずれかに記載の空中浮揚停止推進体において、空中浮揚停止推進体内部は、多層構造（階層）となっており、多層構造（階層）上又は下、又は多層構造（階層）を非磁性体と前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体とで区切られた構造となっており、多層構造（階層）間には、一対の組の一方の前記磁性を有する磁性物体を巻いている若しくは巻いていない伝導性のある線状の物体を巻いたものである導電性線状コイル形状物体、及び／又は、前記磁性を有する磁性物体を巻いている若しくは巻いていない伝導性のある線状の物体を巻いたものである導電性線状コイル形状物体が単数又は複数配置、又は筒状に単数又は複数配置され、多層構造（階層）の単数又は複数の単位構造内に及び／又は外に備えられた、並びに／若しくは、多層構造（階層）の単数又は複数の単位構造内の単数又は複数の一対の組間に備えられた、並びに／若しくは、互いにぶつからないように構成された、多層構造（階層）間を連結して力を空中浮揚停止推進体に与える与力手段を介して空中浮揚停止推進体に空中浮揚、停止、及び／又は推進力を与えることを特徴とする請求項１乃至請求項１２のうちのいずれかに記載の空中浮揚停止推進体とすることによって解決された。（例えば、多層構造（階層）の形態としては、例えば、図１２、図１４、図１５に示す多層構造（階層）の形態がある。）
【００３７】
これにより、空中浮揚、停止、及び／又は推進力を増大できる為、空中浮揚、停止、及び／又は推進力の制御が容易となる。
【００３８】
また、上記課題を解決するために、請求項１４に記載の空中浮揚停止推進体は、（複合体）（支持浮揚着陸安定手段）（連結手段）
電磁気力を利用して空中に浮揚、停止、及び／又は推進することができるようにしたことを特徴とする空中浮揚停止推進体であって、
請求項１３に記載の空中浮揚停止推進体において、
（複合体）
及び／又は、単数又は複数の同種類及び／又は異種類の空中浮揚停止推進体を、及び／又は、当該空中浮揚停止推進体が多層構造を有する場合、単数又は複数の単位構造から構成される単数又は複数の単位構造を連結して複合体としたことを特徴とする請求項１３に記載の空中浮揚停止推進体、
（支持浮揚着陸安定手段）
及び／又は、前記空中浮揚停止推進体を安定して支持し、安定して空中浮揚及び／又は安定して着陸できるように、単数又は複数の支持浮揚着陸安定手段を備えることを特徴する請求項１３に記載の空中浮揚停止推進体、
（連結手段）
並びに／若しくは、単数又は複数の同種類及び／又は異種類の空中浮揚停止推進体を、及び／又は、当該空中浮揚停止推進体が多層構造を有する場合、単数又は複数の単位構造から構成される単数又は複数の単位構造との連結に、及び／又は、前記空中浮揚停止推進体と前記支持浮揚着陸安定手段との連結に、
及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成されたことを特徴とする連結手段により、
単数又は複数の自身の及び／又は他の手段の位置計測手段により計測した連結手段及び／又は連結手段を内在し及び／又は備えた各手段との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（単位構造と与力手段）との間の距離が一定の距離の間に保たれるように遠隔制御して（非接触で）遠隔連結するようにしたことを特徴とし、
及び／又は、連結手段は、及び／又は請求項２１乃至請求項２４に記載の空中浮揚停止推進物体遠隔操作機及び／又は請求項２５に記載の物体遠隔操作システムを備えており、連結手段には、及び／又は単数又は複数の空中浮揚停止推進遠隔操作機が備えられており、少なくとも1つの連結手段から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな磁場勾配を生成し、制御し、各手段との間の距離が一定の距離の間に保たれるように遠隔制御して（非接触で）遠隔連結するようにしたことを特徴とし、
及び／又は、連結手段の要素に供給する電力量、及び／又はを制御する位置、及び／又は高圧ガスの吹付量，吹付速度，吹付向、並びに／若しくは制御する電磁気力遮断手段の位置を制御することを特徴とする請求項１３に記載の空中浮揚停止推進体
とすることによって解決された。
【００３９】
即ち、請求項１３に記載の空中浮揚停止推進体において、
（複合体）
及び／又は、単数又は複数の同種類及び／又は異種類の空中浮揚停止推進体を、及び／又は、当該空中浮揚停止推進体が多層構造を有する場合、単数又は複数の単位構造から構成される単数又は複数の単位構造を連結して複合体としたことを特徴とした空中浮揚停止推進体としてもよい。このように複合体の空中浮揚停止推進体とすることにより、空中浮揚停止推進力が増加し、制御が容易となる。
（支持浮揚着陸安定手段）
及び／又は、前記空中浮揚停止推進体を安定して支持し、安定して空中浮揚及び／又は安定して着陸できるように、単数又は複数の支持浮揚着陸安定手段を備えることを特徴した空中浮揚停止推進体としてもよい。このようにすれば、空中浮揚停止推進体を安定して支持、空中浮揚、及び／又は、着陸させることができる。
（連結手段）
並びに／若しくは、単数又は複数の同種類及び／又は異種類の空中浮揚停止推進体を、及び／又は、当該空中浮揚停止推進体が多層構造を有する場合、単数又は複数の単位構造から構成される単数又は複数の単位構造との連結に、及び／又は、前記空中浮揚停止推進体と前記支持浮揚着陸安定手段との連結に、請求項１乃至請求項２５に記載の各手段の連結に、
及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成された連結手段により、単数又は複数の自身の及び／又は他の手段の位置計測手段により計測した連結手段及び／又は連結手段を内在し及び／又は備えた各手段との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（単位構造と与力手段）との間の距離が一定の距離の間に保たれるように遠隔制御して（非接触で）遠隔連結するようにしてもよい。及び／又は、連結手段は、及び／又は請求項２１乃至請求項２４に記載の空中浮揚停止推進物体遠隔操作機及び／又は請求項２５に記載の物体遠隔操作システムを備えており、連結手段には、及び／又は単数又は複数の空中浮揚停止推進遠隔操作機が備えられており、少なくとも1つの連結手段から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな��場勾配を生成し、制御し、各手段との間の距離が一定の距離の間に保たれるように遠隔制御して（非接触で）遠隔連結するようにしてもよい。また、連結手段の要素に供給する電力量、及び／又はを制御する位置、及び／又は高圧ガスの吹付量，吹付速度，吹付向、並びに／若しくは制御する電磁気力遮断手段の位置を制御することにより、連結の状態（形態）を任意の時刻に任意に変化させることができる。このようにすれば、供給する電力量、高圧ガスの吹付量，吹付速度，吹付向、及び／又は各要素の位置を変化させることにより、複合体自身全体の形状を変化させることができると共に、連結手段及び／又は各手段が非接触の為磨耗による消耗を無くすことができる。また、単数又は複数の同種類及び／又は異種類の空中浮揚停止推進体を、及び／又は、当該空中浮揚停止推進体が多層構造を有する場合、単数又は複数の単位構造から構成される単数又は複数の単位構造の空中浮揚停止推進力、並びに／若しくは連結手段により、連結の状態（形態）を任意の時刻に任意に変化させることができると共に、複合体自身全体の形状を任意の時刻に任意に変化させることができる。また、支持浮揚着陸安定手段と空中浮揚停止推進体との連結に適用すれば、柔軟に空中浮揚停止推進体を支持することができると共に柔軟に空中浮揚停止推進体を着陸させることができる。
【００４０】
また、上記課題を解決するために、請求項１５に記載の空中浮揚停止推進体は、（電力外部設置有線）電磁気力を利用して空中に浮揚、停止、及び／又は推進することができるようにしたことを特徴とする空中浮揚停止推進体であって、請求項１乃至請求項１４のうちのいずれかに記載の空中浮揚停止推進体において、前記電力供給手段は外部に設置され、有線により電力を供給することを特徴とする請求項１乃至請求項１４のうちのいずれかに記載の空中浮揚停止推進体とすることによって解決された。
【００４１】
これにより、空中浮揚停止推進体を軽量化できる。
【００４２】
また、上記課題を解決するために、請求項１６に記載の燃料無搭載飛行体又は燃料無搭載燃料無線供給空中浮揚停止推進体は、（電力外部設置無線）電磁気力を利用して空中に浮揚、停止、及び／又は推進することができるようにしたことを特徴とする空中浮揚停止推進体であって、請求項１乃至請求項１５のうちのいずれかに記載の空中浮揚停止推進体において、前記電力供給手段は外部に設置され、無線により電力を供給する燃料無搭載燃料無線供給空中浮揚停止推進体であって、空中浮揚停止推進体内部に電力無線受信手段を備えており、前記電力無線受信手段により受信された電力を前記磁性を有する磁性物体を巻いている若しくは巻いていない導電性線状コイル形状物体、及び／又は伝導性のある線状の物体を巻いたものである導電性線状コイル形状物体に巻かれている若しくは巻かれていない磁性物体の導電性線状コイル形状物体に供給することを特徴とする請求項１乃至請求項１５のうちのいずれかに記載の空中浮揚停止推進体、又は燃料無搭載燃料無線供給空中浮揚停止推進体とすることによって解決された。
【００４３】
これにより、空中浮揚停止推進体を軽量化できると共に、燃料を無搭載で飛行することができる。
【００４４】
また、上記課題を解決するために、請求項１７に記載の空中浮揚停止推進体、又は燃料無搭載燃料無線供給空中浮揚停止推進体は、（電力供給及び／又は可動可能設置位置制御手段）電磁気力を利用して空中に浮揚、停止、及び／又は推進することができるようにしたことを特徴とする空中浮揚停止推進体、又は燃料無搭載燃料無線供給空中浮揚停止推進体であって、請求項１乃至請求項１６のうちのいずれかに記載の空中浮揚停止推進体、又は請求項１６に記載の燃料無搭載燃料無線供給空中浮揚停止推進体において、空中浮揚停止推進体又は燃料無搭載燃料無線供給空中浮揚停止推進体に備えられた、前記電力供給手段及び／又は前記可動可能設置手段を無線又は有線により制御情報を出力する制御情報出力手段により出力された制御情報を無線又は有線で受信する制御情報受信手段と、及び／又は、空中浮揚停止推進体又は燃料無搭載燃料無線供給空中浮揚停止推進体に備えられた、空中浮揚停止推進体又は燃料無搭載燃料無線供給空中浮揚停止推進体の位置を計測する、（位置伸縮及び／又は）可動可能／非可能な位置計測手段と、空中浮揚停止推進体又は燃料無搭載燃料無線供給空中浮揚停止推進体に備えられた、位置計測手段により計測された位置計測情報に基づいて／基づかず、及び／又は、制御情報受信手段により入力された制御情報に基づいて、前記電力供給手段及び／又は前記可動可能設置手段を制御する電力供給及び／又は可動可能設置位置制御手段とを有することを特徴とし、並びに／若しくは、前記電力供給及び／又は可動可能設置位置制御手段は、随時、それまでに出された制御情報受信手段により入力された制御情報である命令に応じた命令位置と位置計測手段により計測された位置計測情報である現在の位置とを比較し、命令位置と現在の位置との差分がなくなるように随時前記電力供給手段及び／又は前記可動可能設置手段を制御することを特徴とする請求項１乃至請求項１６のうちのいずれかに記載の空中浮揚停止推進体、又は請求項１６に記載の燃料無搭載燃料無線供給空中浮揚停止推進体とすることによって解決された。
【００４５】
これにより、前記磁性物体及び／又は導電性線状コイル形状物体の可動位置並びに／若しくは導電性線状コイル形状物体に供給する電力を制御することができ、空中浮揚停止推進体、又は燃料無搭載燃料無線供給空中浮揚停止推進体の推進を制御することができる。また、前記電力供給及び／又は前記可動可能設置位置制御手段は、随時、それまでに出された制御情報受信手段により入力された制御情報である命令に応じた命令位置と位置計測手段により計測された位置計測情報である現在の位置とを比較し、命令位置と現在の位置との差分がなくなるように随時前記電力供給手段及び／又は前記可動可能設置手段を制御する為、空中浮揚停止推進体、又は燃料無搭載燃料無線供給空中浮揚停止推進体は、出された命令位置で停止し続けることができる。
【００４６】
また、上記課題を解決するために、請求項１８に記載の空中浮揚停止推進体電子機器若しくは機器は、（空中浮揚停止推進体電子機器若しくは機器）電磁気力を利用して空中に浮揚、停止、及び／又は推進することができるようにしたことを特徴とする空中浮揚停止推進電子機器若しくは機器であって、請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体、又は様々な機能を有した電子機器若しくは機器に、様々な機能を有した電子機器若しくは機器、又は請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体を搭載、格納、又は、装着し、空中に浮揚、停止、及び／又は推進しつつ、電子機器若しくは機器が有している機能を発揮することができることを特徴とする空中浮揚停止推進体電子機器若しくは機器とすることによって解決された。
【００４７】
これにより、電子機器若しくは機器が有する機能を、空中において、浮揚、停止、及び／又は推進しつつ、発揮することができる。
【００４８】
例えば、磁気ディスク装置において、磁気ヘッドを請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体に単数又は複数装着し、単数装着した場合、磁気ディスク上（面及び／又は下面）を所定の間隔で空中浮揚、停止、及び／又は推進して走査するように制御し（例えば、トラックに対して同心円状に、トラックに対して垂直に、及び／又は任意の領域を走査するように制御し）、複数装着した場合、磁気ヘッドを所定の個数（単数又は複数）だけ備えた空中浮揚停止推進磁気ヘッドとし、所定の個数（単数又は複数）の磁気ヘッドが備えられた空中浮揚停止推進磁気ヘッドが磁気ディスク上（面及び／又は下面）の其々所定の領域を磁気ディスク上（面及び／又は下面）から所定の間隔で空中浮揚、停止、及び／又は推進して走査するように制御するか（例えば、其々の所定の領域のトラックに対して同心円状に、其々の所定の領域のトラックに垂直に、及び／又は其々の所定の領域の任意の向き及び／又は距離を走査するように制御するか）、又は、複数装着した場合、磁気ディスクの記憶領域に対応した個数の磁気ヘッドを空中浮揚停止推進体に備えた空中浮揚停止推進磁気ヘッドとし、空中浮揚停止推進磁気ヘッドは磁気ディスク上（面及び／又は下面）を所定の間隔で空中浮揚、停止したままで、磁気ディスクへの読み取り、書き込みを行うように制御し、以上の場合において、電源投入後、別（所定）の場所から磁気ディスク上（面及び／又は下面）に移動するように制御し、終了時は、別（所定）の場所へ移動するように制御し、所定の記憶領域への空中浮揚停止推進磁気ヘッド８０２−４の到達（移動）制御は、所望（各種）の到達手段（移動経路）により到達（移動）できるように制御し、制御は有線又は無線により通信制御を行い、磁気ヘッドを制御する磁気ヘッド制御情報を受信する磁気ヘッド制御情報受信手段と、制御情報受信手段により受信された制御情報に基づいて、磁気ヘッドからの読み込み、書き込み等の磁気ヘッドを制御する磁気ヘッド制御手段と、磁気ヘッド制御結果情報を送信する磁気ヘッド制御結果情報送信手段とが空中浮揚停止推進体に備えられている空中浮揚停止推進磁気ヘッドを備えたことを特徴とする空中浮揚停止推進磁気ヘッド具備磁気ディスク装置としてもよい。尚、以上において、磁気ディスク上（面及び／又は下面）の空中浮揚停止推進磁気ヘッドの走査は、磁気ディスクと所定の間隔を有していればよく、例えば、空中浮揚停止推進磁気ヘッドを磁気ディスクに対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気ヘッドの到達は所定の記憶領域に到達できればよく、どのような手段をとってもよい。
【００４９】
このようにすれば、磁気ディスクを回転させる必要がないと共に、磁気ヘッドによる磁気ディスクへのクラッシュ、吸着等の障害を回避するようにすることができる。また、磁気ディスクを回転させる必要が無く、読み込み、書き込み等の必要な処理を行う必要な記憶領域上のみの走査だけとすることができ、記憶領域で発生する様々な記憶領域に於ける障害等を回避することができる。また、磁気ディスクの記憶領域に対応した個数の磁気ヘッドを空中浮揚停止推進体に備えた空中浮揚停止推進磁気ヘッドとし、空中浮揚停止推進磁気ヘッドは磁気ディスク上（面及び／又は下面）を所定の間隔で空中浮揚、停止したままで、磁気ディスクへの読み取り、書き込みを行うように制御する場合、空中浮揚停止推進磁気ヘッドが空中に浮揚して停止しており、走査する必要がない為、記憶領域で発生する様々な記憶領域に於ける障害等を回避することができる。また、空中浮揚停止推進磁気ヘッド具備磁気ディスク装置の空中浮揚停止推進磁気ヘッドに後述する遠隔物体操作機及び／又は物体遠隔操作システムを備え、ディスクの走査及び／又は読み書き中、ディスクとの所望の走査及び／又は読み書き距離と距離が異なる位置に存在する異物を位置センサ（位置計測手段）が備えられた後述する遠隔物体操作機及び／又は物体遠隔操作システムにより検知し、遠隔に操作し、ディスク上から取り除いてから走査及び／又は読み書きを継続するようにしてもよい。このようにすれば、記憶領域で発生するクラッシュ、吸着等の様々な記憶領域に於ける障害等を回避することができる。
【００５０】
尚、以上において、磁気ディスクを光ディスク、磁気ヘッドを光ヘッド、磁気ディスク装置を光ディスク装置とした空中浮揚停止推進光ヘッド具備光ディスク装置としてもよい。すなわち、例えば、磁気（及び／又は光）ディスク装置において、磁気（及び／又は光）ヘッドを請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体に単数又は複数装着し、単数装着した場合、磁気（及び／又は光）ディスク上（面及び／又は下面）を所定の間隔で空中浮揚、停止、及び／又は推進して走査するように制御し（例えば、トラックに対して同心円状に、トラックに対して垂直に、及び／又は任意の領域を走査するように制御し）、複数装着した場合、磁気（及び／又は光）ヘッドを所定の個数（単数又は複数）だけ備えた空中浮揚停止推進磁気（及び／又は光）ヘッドとし、所定の個数（単数又は複数）の磁気（及び／又は光）ヘッドが備えられた空中浮揚停止推進磁気（及び／又は光）ヘッドが磁気（及び／又は光）ディスク上（面及び／又は下面）の其々所定の領域を磁気（及び／又は光）ディスク上（面及び／又は下面）から所定の間隔で空中浮揚、停止、及び／又は推進して走査するように制御するか（例えば、其々の所定の領域のトラックに対して同心円状に、其々の所定の領域のトラックに垂直に、及び／又は其々の所定の領域の任意の向き及び／又は距離を走査するように制御するか）、又は、複数装着した場合、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御し、以上の場合において、電源投入後、別（所定）の場所から磁気（及び／又は光）ディスク上に移動するように制御し、終了時は、別（所定）の場所へ移動するように制御し、所定の記憶領域への空中浮揚停止推進磁気（及び／又は光）ヘッドの到達（移動）制御は、所望（各種）の到達手段（移動経路）により到達（移動）できるように制御し、制御は有線又は無線により通信制御を行い、磁気（及び／又は光）ヘッドを制御する磁気（及び／又は光）ヘッド制御情報を受信する磁気（及び／又は光）ヘッド制御情報受信手段と、制御情報受信手段により受信された制御情報に基づいて、磁気（及び／又は光）ヘッドからの読み込み、書き込み等の磁気（及び／又は光）ヘッドを制御する磁気（及び／又は光）ヘッド制御手段と、磁気（及び／又は光）ヘッド制御結果情報を送信する磁気（及び／又は光）ヘッド制御結果情報送信手段とが空中浮揚停止推進体に備えられている空中浮揚停止推進磁気（及び／又は光）ヘッドを備えたことを特徴とする空中浮揚停止推進磁気（及び／又は光）ヘッド具備磁気（及び／又は光）ディスク装置としてもよい。尚、以上において、磁気（及び／又は光）ディスク上（面及び／又は下面）の空中浮揚停止推進磁気（及び／又は光）ヘッドの走査は、磁気（及び／又は光）ディスクと所定の間隔を有していればよく、例えば、空中浮揚停止推進磁気（及び／又は光）ヘッドを磁気（及び／又は光）ディスクに対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッドの到達は所定の記憶領域に到達できればよく、どのような手段をとってもよい。
【００５１】
このようにすれば、磁気（及び／又は光）ディスクを回転させる必要がないと共に、磁気（及び／又は光）ヘッドによる磁気（及び／又は光）ディスクへのクラッシュ、吸着等の障害を回避するようにすることができる。また、磁気（及び／又は光）ディスクを回転させる必要が無く、読み込み、書き込み等の必要な処理を行う必要な記憶領域上のみの走査だけとすることができ、記憶領域で発生する様々な記憶領域に於ける障害等を回避することができる。また、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御する場合、空中浮揚停止推進磁気（及び／又は光）ヘッドが空中に浮揚して停止しており、走査する必要がない為、記憶領域で発生する様々な記憶領域に於ける障害等を回避することができる。また、空中浮揚停止推進磁気（及び／又は光）ヘッド具備磁気（及び／又は光）ディスク装置の空中浮揚停止推進磁気（及び／又は光）ヘッドに請求項２１乃至請求項２４に記載の遠隔物体操作機及び／又は請求項２５に記載の物体遠隔操作システムを備え、ディスクの走査及び／又は読み書き中、ディスクとの所望の走査及び／又は読み書き距離と距離が異なる位置に存在する異物を位置計測手段が備えられた請求項２１乃至請求項２４に記載の遠隔物体操作機及び／又は請求項２５に記載の物体遠隔操作システムにより検知し、遠隔に操作し、ディスク上から取り除いてから走査及び／又は読み書きを継続するようにしてもよい。このようにすれば、記憶領域で発生するクラッシュ、吸着等の様々な記憶領域に於ける障害等を回避することができる。
【００５２】
また、上記課題を解決するために、請求項１９に記載の空中浮揚停止推進体電子機器若しくは機器は、（空中浮揚停止推進磁気（及び／又は光）ヘッド具備磁気（及び／又は光）ディスク装置）
電磁気力を利用して空中に浮揚、停止、及び／又は推進することができるようにしたことを特徴とする空中浮揚停止推進電子機器若しくは機器であって、
請求項１８に記載の空中浮揚停止推進体電子機器若しくは機器において、
磁気（及び／又は光）ディスク装置において、磁気（及び／又は光）ヘッドを請求項１乃至請求項１７のうちのいずれかに記載の空中浮揚停止推進体、若しくは請求項１６乃至請求項１７のうちのいずれかに記載の燃料無搭載燃料無線供給空中浮揚停止推進体に単数又は複数装着し、単数装着した場合、磁気（及び／又は光）ディスク上（面及び／又は下面）を所定の間隔で空中浮揚、停止、及び／又は推進して走査するように制御し（例えば、トラックに対して同心円状に、トラックに対して垂直に、及び／又は任意の領域を走査するように制御し）、複数装着した場合、磁気（及び／又は光）ヘッドを空中浮揚停止推進体に所定の個数（単数又は複数）だけ備えた空中浮揚停止推進磁気（及び／又は光）ヘッドとし、所定の個数（単数又は複数）の磁気（及び／又は光）ヘッドが備えられた空中浮揚停止推進磁気（及び／又は光）ヘッドが磁気（及び／又は光）ディスク上（面及び／又は下面）の其々所定の領域を磁気（及び／又は光）ディスク上（面及び／又は下面）から所定の間隔で空中浮揚、停止、及び／又は推進して走査するように制御するか（例えば、其々の所定の領域のトラックに対して同心円状に、其々の所定の領域のトラックに垂直に、及び／又は其々の所定の領域の任意の向き及び／又は距離を走査するように制御するか）、又は、複数装着した場合、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御し、以上の場合において、電源投入後、別（所定）の場所から磁気（及び／又は光）ディスク上に移動するように制御し、終了時は、別（所定）の場所へ移動するように制御し、所定の記憶領域への空中浮揚停止推進磁気（及び／又は光）ヘッドの到達（移動）制御は、所望（各種）の到達手段（移動経路）（尚、以上において、磁気（及び／又は光）ディスク上（面及び／又は下面）の空中浮揚停止推進磁気（及び／又は光）ヘッドの走査は、（及び／又は（及び／又は磁気（及び／又は光）ディスク装置を含む）空中浮揚停止推進磁気（及び／又は光）ヘッド具備磁気（及び／又は光）ディスク装置に及び／又は空中浮揚停止推進磁気（及び／又は光）ヘッドの空中浮揚停止推進体に単数又は複数備えられた位置計測手段により計測された位置計測情報に基づいた、及び／又は、設定された）走査制御情報に基づいて、後述する空中浮揚停止推進磁気（及び／又は光）ヘッド制御情報生成／制御手段により走査制御され、）磁気（及び／又は光）ディスクと所定の間隔を有していればよく、例えば、空中浮揚停止推進磁気（及び／又は光）ヘッドを磁気（及び／又は光）ディスクに対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッドの到達は所定の記憶領域に到達できればよく、所望（各種）の到達手段（移動経路）としてよい）により到達（移動）できるように制御し、制御は有線又は無線により通信制御を行い、空中浮揚停止推進磁気（及び／又は光）ヘッドを制御する空中浮揚停止推進磁気（及び／又は光）ヘッド制御情報（走査制御情報を含む）を受信する第１の空中浮揚停止推進磁気（及び／又は光）ヘッド制御情報受信手段と、第１の空中浮揚停止推進磁気（及び／又は光）ヘッド制御情報受信手段により受信された空中浮揚停止推進磁気（及び／又は光）ヘッド制御情報（及び／又は位置計測手段に計測された位置計測情報）に基づいて、空中浮揚停止推進磁気（及び／又は光）ヘッド制御情報（走査制御情報を含む）を生成し、空中浮揚停止推進磁気（及び／又は光）ヘッドからの読み込み、書き込み等の空中浮揚停止推進磁気（及び／又は光）ヘッド（空中浮揚停止推進体及び／又は磁気（及び／又は光）ヘッド）を後述する空中浮揚停止推進磁気（及び／又は光）ヘッド制御手段により制御（走査制御を含む）する空中浮揚停止推進磁気（及び／又は光）ヘッド制御情報生成／制御手段と、空中浮揚停止推進磁気（及び／又は光）ヘッド制御情報生成／制御手段により生成された空中浮揚停止推進磁気（及び／又は光）ヘッド制御情報（走査制御情報を含む）に基づいて、空中浮揚停止推進磁気（及び／又は光）ヘッド（空中浮揚停止推進体及び／又は磁気（及び／又は光）ヘッド）を制御する空中浮揚停止推進磁気（及び／又は光）ヘッド制御手段と、空中浮揚停止推進磁気（及び／又は光）ヘッド制御手段により制御された、空中浮揚停止推進磁気（及び／又は光）ヘッド制御結果情報（及び／又は位置計測手段により計測された位置計測情報を含む）を送信する第１の空中浮揚停止推進磁気（及び／又は光）ヘッド制御結果情報送信手段とから構成される第１の空中浮揚停止推進磁気（及び／又は光）ヘッド制御手段が空中浮揚停止推進体に備えられていることを特徴とする空中浮揚停止推進磁気（及び／又は光）ヘッド又は空中浮揚停止推進磁気（及び／又は光）ヘッドを備えたことを特徴とする空中浮揚停止推進磁気（及び／又は光）ヘッド具備磁気（及び／又は光）ディスク装置、
及び／又は、空中浮揚停止推進磁気（及び／又は光）ヘッドを制御する空中浮揚停止推進磁気（及び／又は光）ヘッド制御情報（及び／又は走査制御情報を含む）を受信する第２の空中浮揚停止推進磁気（及び／又は光）ヘッド制御情報受信手段と、及び／又は、第２の空中浮揚停止推進磁気（及び／又は光）ヘッド制御結果情報受信手段により受信された空中浮揚停止推進磁気（及び／又は光）ヘッド制御情報（及び／又は走査制御情報を含む）（及び／又は位置計測手段に計測された位置計測情報）に基づいて、空中浮揚停止推進磁気（及び／又は光）ヘッド制御情報（走査制御情報を含む）を生成する空中浮揚停止推進磁気（及び／又は光）ヘッド制御情報生成手段と、第２の空中浮揚停止推進磁気（及び／又は光）ヘッド制御情報受信手段により受信された、及び／又は、空中浮揚停止推進磁気（及び／又は光）ヘッド制御情報生成手段により生成された空中浮揚停止推進磁気（及び／又は光）ヘッドを制御する空中浮揚停止推進磁気（及び／又は光）ヘッド制御情報（走査制御情報を含む）を第１の空中浮揚停止推進磁気（及び／又は光）ヘッド制御情報受信手段に送信する第２の空中浮揚停止推進磁気（及び／又は光）ヘッド制御情報送信手段と、第１の空中浮揚停止推進磁気（及び／又は光）ヘッド制御結果情報送信手段により送信された空中浮揚停止推進磁気（及び／又は光）ヘッド制御結果情報（及び／又は位置計測手段により計測された位置計測情報を含む）を受信する第２の空中浮揚停止推進磁気（及び／又は光）ヘッド制御結果情報受信手段と、第２の空中浮揚停止推進磁気（及び／又は光）ヘッド制御結果情報受信手段により受信された空中浮揚停止推進磁気（及び／又は光）ヘッド制御結果情報（及び／又は位置計測手段により計測された位置計測情報を含む）を送信する第２の空中浮揚停止推進磁気（及び／又は光）ヘッド制御結果情報送信手段とから構成される第２の空中浮揚停止推進磁気（及び／又は光）ヘッド制御手段を、有することを特徴とする空中浮揚停止推進磁気（及び／又は光）ヘッド、又は、を、（及び／又は磁気（及び／又は光）ディスク装置を含む）空中浮揚停止推進磁気（及び／又は光）ヘッド具備磁気（及び／又は光）ディスク装置に備えたことを特徴とする空中浮揚停止推進磁気（及び／又は光）ヘッド具備磁気（及び／又は光）ディスク装置、
及び／又は、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、請求項２１乃至請求項２４に記載の遠隔物体操作機及び／又は請求項２５に記載の物体遠隔操作システムを単数又は複数備え、請求項２１乃至請求項２４に記載の遠隔物体操作機及び／又は請求項２５に記載の物体遠隔操作システムにより、及び／又は、第１及び／又は第２の空中浮揚停止推進磁気（及び／又は光）ヘッド制御手段による制御による、請求項２１乃至請求項２４に記載の遠隔物体操作機及び／又は請求項２５に記載の物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた請求項２１乃至請求項２４に記載の遠隔物体操作機及び／又は請求項２５に記載の物体遠隔操作システムにより検知し、遠隔に操作し、ディスク上から取り除くようにしたことを特徴とし、及び／又は、取り除いてから走査及び／又は読み書きを継続するようにしたことを特徴とする空中浮揚停止推進磁気（及び／又は光）ヘッド又は空中浮揚停止推進磁気（及び／又は光）ヘッド具備磁気（及び／又は光）ディスク装置
であることを特徴とする請求項１８に記載の空中浮揚停止推進体電子機器若しくは機器の一例である空中浮揚停止推進磁気（及び／又は光）ヘッド又は空中浮揚停止推進磁気（及び／又は光）ヘッド具備磁気（及び／又は光）ディスク装置
とすることによって解決された。
【００５３】
このようにすれば、磁気（及び／又は光）ディスクを回転させる必要がないと共に、磁気（及び／又は光）ヘッドによる磁気（及び／又は光）ディスクへのクラッシュ、吸着等の障害を回避するようにすることができる。また、磁気（及び／又は光）ディスクを回転させる必要が無く、読み込み、書き込み等の必要な処理を行う必要な記憶領域上のみの走査だけとすることができ、記憶領域で発生する様々な記憶領域に於ける障害等を回避することができる。また、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御する場合、空中浮揚停止推進磁気（及び／又は光）ヘッドが空中に浮揚して停止しており、走査する必要がない為、記憶領域で発生する様々な記憶領域に於ける障害等を回避することができる。また、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、請求項２１乃至請求項２４に記載の遠隔物体操作機及び／又は請求項２５に記載の物体遠隔操作システムを単数又は複数備え、請求項２１乃至請求項２４に記載の遠隔物体操作機及び／又は請求項２５に記載の物体遠隔操作システムにより、及び／又は、第１及び／又は第２の磁気（及び／又は光）ヘッド制御手段による制御による、請求項２１乃至請求項２４に記載の遠隔物体操作機及び／又は請求項２５に記載の物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた請求項２１乃至請求項２４に記載の遠隔物体操作機及び／又は請求項２５に記載の物体遠隔操作システムにより検知し、遠隔に操作し、ディスク上から取り除くようにし、及び／又は、取り除いてから走査及び／又は読み書きを継続するようにすれば、記憶領域で発生するクラッシュ、吸着等の様々な記憶領域に於ける障害等を回避することができる。
【００５４】
また、上記課題を解決するために、請求項２０に記載の燃料無搭載燃料無線供給飛行体は、燃料を搭載せずに、燃料を無線で供給し、飛行できるようにしたことを特徴とする燃料無搭載燃料無線供給飛行体であって、燃料無搭載燃料無線供給飛行体の飛行に必要な電力を供給する電力供給手段は外部に設置され、燃料無搭載燃料無線供給飛行体内部に電力無線受信手段を備え、前記電力無線受信手段により受信された電力を動力源とすることを特徴とする燃料無搭載燃料無線供給飛行体とすることにより解決された。
【００５５】
これにより、燃料無搭載燃料無線供給飛行体を軽量化できると共に、燃料を無搭載で飛行することができる。
【００５６】
また、上記課題を解決するために、請求項２１に記載の空中浮揚停止推進体、燃料無搭載燃料無線供給空中浮揚停止推進体、又は空中浮揚停止推進体電子機器若しくは機器は、（単数又は複数のコイルが可動可能／非可動に容器に設置された、超伝導維持機又は物体遠隔操作機）伝導性のある線状の物体を巻いたものである導電性線状コイル形状物体に巻かれている若しくは巻かれていない磁性を有する磁性物体、及び／又は、電流を流した際に、磁性物体との相互作用により空中浮揚、停止力を得られるように設置された、磁性を有する磁性物体を巻いている若しくは巻いていない伝導性のある線状の物体を巻いたものである導電性線状コイル形状物体は、液体ヘリウム、液体窒素等の冷却材に浸された容器若しくは体自身に格納されているか、又は、冷凍機により冷却され、及び／又は容器若しくは体自身に格納されており、超伝導体、第２種超伝導体、又は高温超電導体となっており、単数又は複数の伝導性のある線状の物体を巻いたものである導電性線状コイル形状物体に巻かれている若しくは巻かれていない磁性を有する磁性物体、及び／又は、磁性を有する磁性物体を巻いている若しくは巻いていない伝導性のある線状の物体を巻いたものである導電性線状コイル形状物体が可動可能な可動可能手段に設置され、又は非可動に前記容器若しくは体自身に設置されていること、並びに／若しくは、前記磁性物体及び／又は前記導電性線状コイル形状物体の近傍に電磁気力計測手段及び／又は温度計測手段を備え、及び／又は、前記冷却材を排出、注入する冷却材排出注入手段を備え、及び／又は、前記電力供給制御手段、又は電力供給並びに／若しくは可動可能設置位置制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給することを特徴とする請求項１乃至請求項１７のうちのいずれかに記載の空中浮揚停止推進体、請求項１６若しくは請求項１７に記載の燃料無搭載燃料無線供給空中浮揚停止推進体、又は請求項１８乃至請求項１９に記載の空中浮揚停止推進体電子機器若しくは機器とすることにより解決された。
【００５７】
これにより、電力消費が少ないと共に、強力な電磁場を生成することができ、空中浮揚停止推進体、燃料無搭載燃料無線供給空中浮揚停止推進体、又は空中浮揚停止推進体電子機器の推進力を容易に得ることができる。
【００５８】
また、上記課題を解決するために、請求項２２に記載の物体遠隔操作機は、（物体遠隔操作機）物体を引き寄せたり、物体を遠ざけたり（上下、左右）等の遠隔操作することができる物体遠隔操作機であって、単数又は複数の、可動可能な可動可能手段に設置され、又は非可動に容器若しくは体自身に設置された、伝導性のある線状の物体を巻いたものである導電性線状コイル形状物体に巻かれている若しくは巻かれていない磁性を有する磁性物体と、及び／又は、単数又は複数の、可動可能な可動可能手段に設置され、又は非可動に容器若しくは体自身に設置された、磁性を有する磁性物体を巻いている若しくは巻いていない伝導性のある線状の物体を巻いたものである導電性線状コイル形状物体と、を有し、前記単数又は複数の磁性物体、及び／又は、前記単数又は複数の導電性線状コイル形状物体は、液体ヘリウム、液体窒素等の冷却材に浸された容器若しくは体自身に格納されているか、又は、冷凍機により冷却され、及び／又は容器若しくは体自身に格納されており、並びに／若しくは、単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段を有し、並びに／若しくは、単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段を有し、及び／又は、前記した高圧ガス吹付手段から吹き付ける高圧ガスの向き、速度、及び／又は量を制御し、及び／又は、磁場勾配を大きくするように前記単数又は複数の磁性物体、及び／又は、前記単数又は複数の導電性線状コイル形状物体の向き及び生成される電磁気力を制御する制御手段を有すること、並びに／若しくは、前記磁性物体及び／又は前記導電性線状コイル形状物体の近傍に（位置伸縮及び／又は）可動可能／非可能な電磁気力計測手段及び／又は（位置伸縮及び／又は）可動可能／非可能な温度計測手段を備え、及び／又は、前記冷却材を排出、注入する冷却材排出注入手段を備え、及び／又は、前記制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給すること、及び／又は、（位置伸縮及び／又は）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、)物体を遠隔で操作する（（並びに／若しくは、物体及び／又は物体の周辺に高圧ガスを吹き付け、高圧ガス雰囲気中にすると共に）所望の電磁気力を物体及び／又は物体周辺に���用させる）こと、並びに／若しくは、上述した高圧ガス吹付手段代わりに／にさらに加えて、液体窒素、液体ヘリウム等の冷却材を吹付ける冷却材吹付手段を搭載し、及び／又は、位置伸縮可動可能／非可能な温度計測手段及び／又は位置伸縮可動可能／非可能な位置計測手段を搭載し、温度計測手段による温度計測に基づいて及び／又は位置計測手段による計測位置に基づいて物体に一定（所定）の距離まで近づいて（及び／又は、一定（所定）の領域で待機しておき、物体が一定（所定）の領域中に存在した（例えば、通過する等の移動等を含む）場合）、電磁気力を物体に作用させ、電磁気力を物体に作用させながら、液体窒素、液体ヘリウム等の冷却材を吹付けて、超伝導状態にして、位置計測手段により物体を一定（所定）の距離に捕捉できたかどうかの判断及び／又は確認を行い、物体を一定（所定）の距離で捕捉し、物体遠隔操作機が移動し、物体を所望の位置に移動させて遠隔で操作するようにしたことを特徴とする物体遠隔操作機とすることにより解決された。
【００５９】
これにより、物体を遠隔で操作することができる。
【００６０】
また、上記課題を解決するために、請求項２３に記載の物体遠隔操作機は、（容器に入った物体遠隔操作機が複数容器に格納された、物体遠隔操作機）物体を引き寄せたり、物体を遠ざけたり、並びに／又は、上下及び／若しくは左右の全方向に遠隔で操作することができる物体遠隔操作機であって、請求項２２に記載の物体遠隔操作機が単数又は複数、可動可能な可動可能手段に設置され、又は非可動に容器若しくは体自身に設置されていること、並びに／若しくは、単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段を有し、並びに／若しくは、単数又は複数の、可動可能な可動可能手段に設置され、又は非可動に容器若しくは体自身に設置された、物体及び／又は物体の周辺に高圧ガスを吹き付け、高圧ガス雰囲気中にする高圧ガス吹付手段を有し、及び／又は、前記した高圧ガス吹付手段から吹き付ける高圧ガスの向き、速度、及び／又は量を制御し、及び／又は、磁場勾配を大きくするように前記単数又は複数の磁性物体、及び／又は、前記単数又は複数の導電性線状コイル形状物体の向き及び生成される電磁気力を制御する制御手段を有すること、並びに／若しくは、前記磁性物体及び／又は前記導電性線状コイル形状物体の近傍に（位置伸縮及び／又は）可動可能／非可能な電磁気力計測手段及び／又は（位置伸縮及び／又は）可動可能／非可能な温度計測手段を備え、及び／又は、前記冷却材を排出、注入する冷却材排出注入手段を備え、及び／又は、前記制御手段は、前記電磁気力計測手段により計測された電磁気力が所望の電磁気力となるように、前記冷却材排出注入手段により冷却材の排出注入、冷却機の冷却／非冷却（及び／又は温度計測手段による温度計測）、及び／又は前記位置制御手段による位置の制御をすると共に、前記磁性物体及び／又は前記導電性線状コイル形状物体に巻いている／巻かれている電性線状コイル形状物体に電力を供給すること、及び／又は、（位置伸縮及び／又は）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、)物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）こと、並びに／若しくは、上述した高圧ガス吹付手段代わりに／にさらに加えて、液体窒素、液体ヘリウム等の冷却材を吹付ける冷却材吹付手段を搭載し、及び／又は、位置伸縮可動可能／非可能な温度計測手段及び／又は位置伸縮可動可能／非可能な位置計測手段を搭載し、温度計測手段による温度計測に基づいて及び／又は位置計測手段による計測位置に基づいて物体に一定（所定）の距離まで近づいて（及び／又は、一定（所定）の領域で待機しておき、物体が一定（所定）の領域中に存在した（例えば、通過���る等の移動等を含む）場合）、電磁気力を物体に作用させ、電磁気力を物体に作用させながら、液体窒素、液体ヘリウム等の冷却材を吹付けて、超伝導状態にして、位置計測手段により物体を一定（所定）の距離に捕捉できたかどうかの判断及び／又は確認を行い、物体を一定（所定）の距離で捕捉し、物体遠隔操作機が移動し、物体を所望の位置に移動させて遠隔で操作するようにしたことを特徴とする物体遠隔操作機とすることにより解決された。
【００６１】
これにより、物体を遠隔で所望の全方向に制御することができる。
【００６２】
また、上記課題を解決するために、請求項２４に記載の物体遠隔操作機は、（空中浮揚停止推進体に２２，２３の物体遠隔操作機を装着された、物体遠隔操作機）物体を引き寄せたり、物体を遠ざけたり、並びに／又は、上下及び／若しくは左右の全方向に遠隔で操作することができる物体遠隔操作機であって、請求項１乃至請求項１７、若しくは請求項２１のうちのいずれかに記載の空中浮揚停止推進体、請求項１６、請求項１７、若しくは請求項２１に記載の燃料無搭載燃料無線供給空中浮揚停止推進体、又は請求項１８乃至請求項１９、請求項２１に記載の空中浮揚停止推進体電子機器若しくは機器に、請求項２２若しくは請求項２３に記載の物体遠隔操作機が、単数又は複数、可動可能又は非可動に設置、搭載、格納、又は装着されていること、並びに／若しくは、請求項２２乃至２３に記載の物体遠隔操作機の移動は、請求項１乃至請求項１７、若しくは請求項２１のうちのいずれかに記載の空中浮揚停止推進体、請求項１６、請求項１７、若しくは請求項２１に記載の燃料無搭載燃料無線供給空中浮揚停止推進体、又は請求項１８乃至請求項１９、請求項２１に記載の空中浮揚停止推進体電子機器若しくは機器による移動であることを特徴とする物体遠隔操作機とすることにより解決された。
【００６３】
これにより、物体を遠隔で所望の全方向に容易に制御することができる。
【００６４】
また、上記課題を解決するために、請求項２５に記載の物体遠隔操作システムは、（物体遠隔操作システム）単数又は複数の請求項２２乃至請求項２４のうちのいずれかに記載の物体遠隔操作機から構成され、単数又は複数の請求項２２乃至請求項２４のうちのいずれかに記載の物体遠隔操作機により物体を遠隔で操作することを特徴とする物体遠隔操作システムとすることにより解決された。
【００６５】
これにより、物体を遠隔で所望の全方向に容易に制御することができる。
【００６６】
また、上記課題を解決するために、請求項２６に記載の遠隔連結部（、装置、システム）は、
各手段（部、装置、システム）間を一定の距離の間に保たれるように（非接触で）遠隔で連結することができるようにしたことを特徴とする遠隔連結手段（部、装置、システム）であって、
並びに／若しくは、各手段（部、装置、システム）の連結に、
及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項２１乃至請求項２４に記載の物体遠隔操作機及び／又は請求項２５に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成されたことを特徴とする連結手段（部、装置、システム）であって、
単数又は複数の自身の及び／又は他の手段の位置計測手段により計測した連結手段（部、装置、システム）及び／又は連結手段（部、装置、システム）を内在し及び／又は備えた各手段（部、装置、システム）との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段は、及び／又は請求項２１乃至請求項２４に記載の空中浮揚停止推進物体遠隔操作機及び／又は請求項２５に記載の物体遠隔操作システムを備えており、連結手段（部、装置、システム）には、及び／又は単数又は複数の空中浮揚停止推進遠隔操作機が備えられており、少なくとも1つの連結手段（部、装置、システム）から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段（部、装置、システム）の要素に供給する電力量、及び／又はを制御する位置、及び／又は高圧ガスの吹付量，吹付速度，吹付向、並びに／若しくは制御する電磁気力遮断手段の位置を制御することを特徴とする遠隔連結部（、装置、システム）
とすることにより解決された。
【００６７】
これにより、各手段（部、装置、システム）間を一定の距離の間に保たれるように（非接触で）遠隔で連結することができる。
【００６８】
【発明の効果】
【００６９】
請求項１に記載の空中浮揚停止推進体によれば、超伝導を用いずに及び／又は超伝導を用いて、電磁気力を使用することにより、（それ自体（自身）で、）空中に浮揚させたり、空中で停止させたりすることができる。
【００７０】
また、請求項２に記載の空中浮揚停止推進体によれば、超伝導を用いずに及び／又は超伝導を用いて、電磁気力を使用することにより、（それ自体（自身）で、）空中に浮揚させたり、空中で停止させたり、推進させたりすることができる。
【００７１】
また、請求項３に記載の空中浮揚停止推進体によれば、超伝導を用いずに及び／又は超伝導を用いて、電磁気力を使用することにより、空中に浮揚させたり、空中で停止させたり、推進させたりすることができる。
【００７２】
また、請求項４に記載の空中浮揚停止推進体によれば、空中浮揚、停止、及び／又は推進させたりする制御が容易となると共に、少ない電力で大きな空中浮揚、停止、及び／又は推進力を得ることができる。
【００７３】
また、請求項５に記載の空中浮揚停止推進体によれば、超伝導を用いずに及び／又は超伝導を用いて、電磁気力を使用することにより、各導電性線状コイル形状物体が発生させる電磁気力を合成し、其々の各導電性線状コイル形状物体のみが発生させる電磁気力よりも大きな電磁気力を有することができ、電力が不足する場合等でも、所望の大きな電磁気力を有することができつつ、空中に浮揚させたり、空中で停止させたり、推進させたりすることができる。
【００７４】
また、請求項６に記載の空中浮揚停止推進体によれば、電磁気力の相互作用を及ぼしたくない領域に電磁気力が作用するのを防ぐことができ、推進方向への制御が容易となる。
【００７５】
また、請求項７に記載の空中浮揚停止推進体によれば、空中浮揚、停止、及び／又は推進させたりする制御が容易となると共に、少ない電力で大きな空中浮揚、停止、及び／又は推進力を得ることができる。
【００７６】
また、請求項８に記載の空中浮揚停止推進体によれば、超伝導を用いずに及び／又は超伝導を用いて、電磁気力を使用することにより、磁性物体と空中浮揚停止推進体との間に発生する衝撃を緩めることができつつ、空中で停止させたり、推進させたりすることができる。また、一対の組が近接して設置されている為、空中浮揚、停止、及び／又は推進させたりする制御が容易となる。
【００７７】
また、請求項９に記載の空中浮揚停止推進体によれば、超伝導を用いずに及び／又は超伝導を用いて、電磁気力を使用することにより、不要な電磁波、電磁気力による影響を防止しつつ、空中に浮揚させたり、空中で停止させたり、推進させたりすることができる。
【００７８】
また、請求項１０に記載の空中浮揚停止推進体によれば、不要な力を受けないようにすることができ、力を受けたくない向きに力をうけないようにすることができる為、推進方向に平行な方向にのみしか力を発揮できないようにすることができる。従って、空中浮揚、停止、及び／又は推進させたりする制御が容易となる。また、一対の組の力を与える方の側には、力を受ける方の向きには第１の緩衝手段及び／又は所定の気圧のガスが挿入されている為、不用な力を受けなくすることができる。
【００７９】
また、請求項１１に記載の空中浮揚停止推進体によれば、超伝導を用いずに及び／又は超伝導を用いて、電磁気力を使用することにより、磁性物体と前記空中浮揚停止推進体との間に発生する衝撃を緩めることができつつ、空中に浮揚させたり、空中で停止させたり、推進させたりすることができる。
【００８０】
また、請求項１１に記載の空中浮揚停止推進体によれば、超伝導を用いずに及び／又は超伝導を用いて、電磁気力を使用することにより、磁性物体と前記空中浮揚停止推進体との間に発生する衝撃を緩めることができつつ、及び／又は、空中浮揚停止推進体が受ける衝撃を緩めることができつつ、空中に浮揚させたり、空中で停止させたり、推進させたりすることができる。
【００８１】
また、請求項１２に記載の空中浮揚停止推進体によれば、空中浮揚停止推進体に対称性がある為、空中浮揚、停止、及び／又は推進させたりする制御が容易となる。
【００８２】
また、請求項１３に記載の空中浮揚停止推進体によれば、空中浮揚、停止、及び／又は推進力を増大できる為、空中浮揚、停止、及び／又は推進力の制御が容易となる。
【００８３】
また、請求項１４に記載の空中浮揚停止推進体によれば、複合体の空中浮揚停止推進体とすることにより、空中浮揚停止推進力が増加し、制御が容易となる。また、支持浮揚着陸安定手段により、空中浮揚停止推進体を安定して支持、空中浮揚、及び／又は、着陸させることができる。また、遠隔連結手段により、各手段との間の距離が一定の距離の間に保たれるように遠隔制御して（非接触で）遠隔連結することができる。また、連結手段の要素に供給する電力量、及び／又はを制御する位置、及び／又は高圧ガスの吹付量，吹付速度，吹付向、並びに／若しくは制御する電磁気力遮断手段の位置を制御することにより、連結の状態（形態）を任意の時刻に任意に変化させることができる。このようにすれば、供給する電力量、高圧ガスの吹付量，吹付速度，吹付向、及び／又は各要素の位置を変化させることにより、複合体自身全体の形状を変化させることができると共に、連結手段及び／又は各手段が非接触の為磨耗による消耗を無くすことができる。また、単数又は複数の同種類及び／又は異種類の空中浮揚停止推進体を、及び／又は、当該空中浮揚停止推進体が多層構造を有する場合、単数又は複数の単位構造から構成される単数又は複数の単位構造の空中浮揚停止推進力、並びに／若しくは連結手段により、連結の状態（形態）を任意の時刻に任意に変化させることができると共に、複合体自身全体の形状を任意の時刻に任意に変化させることができる。また、支持浮揚着陸安定手段と空中浮揚停止推進体との連結に適用すれば、柔軟に空中浮揚停止推進体を支持することができると共に柔軟に空中浮揚停止推進体を着陸させることができる。
【００８４】
また、請求項１５に記載の空中浮揚停止推進体は、空中浮揚停止推進体を軽量化することができる。
【００８５】
また、請求項１６に記載の空中浮揚停止推進体、又は燃料無搭載燃料無線供給空中浮揚停止推進体は、空中浮揚停止推進体、又は無搭載燃料無線供給空中浮揚停止推進体を軽量化できると共に、燃料を無搭載で飛行することができる。
【００８６】
また、請求項１７に記載の空中浮揚停止推進体又は燃料無搭載燃料無線供給空中浮揚停止推進体によれば、前記磁性物体及び／又は導電性線状コイル形状物体の可動位置並びに／若しくは導電性線状コイル形状物体に供給する電力を制御することができ、空中浮揚停止推進体、又は燃料無搭載燃料無線供給空中浮揚停止推進体の推進を制御することができる。また、電力供給及び／又は可動可能設置位置制御手段は、随時、それまでに出された制御情報受信手段により入力された制御情報である命令に応じた命令位置と位置計測手段により計測された位置計測情報である現在の位置とを比較し、命令位置と現在の位置との差分がなくなるように随時前記電力供給手段及び／又は前記可動可能設置手段を制御する為、空中浮揚停止推進体、又は燃料無搭載燃料無線供給空中浮揚停止推進体は、出された命令位置で停止し続けることができる。
【００８７】
また、請求項１８に記載の空中浮揚停止推進電子機器若しくは機器は、電子機器若しくは機器が有する機能を、空中において、浮揚、停止、及び／又は推進しつつ、発揮することができる。
【００８８】
また、請求項１９に記載の空中浮揚停止推進体電子機器若しくは機器である空中浮揚停止推進磁気（及び／又は光）ヘッド具備磁気（及び／又は光）ディスク装置によれば、磁気（及び／又は光）ディスクを回転させる必要がないと共に、磁気（及び／又は光）ヘッドによる磁気（及び／又は光）ディスクへのクラッシュ、吸着等の障害を回避するようにすることができる。また、磁気（及び／又は光）ディスクを回転させる必要が無く、読み込み、書き込み等の必要な処理を行う必要な記憶領域上のみの走査だけとすることができ、記憶領域で発生する様々な記憶領域に於ける障害等を回避することができる。また、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御する場合、空中浮揚停止推進磁気（及び／又は光）ヘッドが空中に浮揚して停止しており、走査する必要がない為、記憶領域で発生する様々な記憶領域に於ける障害等を回避することができる。また、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、請求項２１乃至請求項２４に記載の遠隔物体操作機及び／又は請求項２５に記載の物体遠隔操作システムを単数又は複数備え、請求項２１乃至請求項２４に記載の遠隔物体操作機及び／又は請求項２５に記載の物体遠隔操作システムにより、及び／又は、第１及び／又は第２の磁気（及び／又は光）ヘッド制御手段による制御による、請求項２１乃至請求項２４に記載の遠隔物体操作機及び／又は請求項２５に記載の物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた請求項２１乃至請求項２４に記載の遠隔物体操作機及び／又は請求項２５に記載の物体遠隔操作システムにより検知し、遠隔に操作し、ディスク上から取り除くようにし、及び／又は、取り除いてから走査及び／又は読み書きを継続するようにすれば、記憶領域で発生するクラッシュ、吸着等の様々な記憶領域に於ける障害等を回避することができる。
【００８９】
また、請求項２０に記載の燃料無搭載燃料無線供給飛行体は、燃料無搭載燃料無線供給飛行体を軽量化できると共に、燃料を無搭載で飛行することができる。
【００９０】
また、請求項２１に記載の空中浮揚停止推進体、燃料無搭載燃料無線供給空中浮揚停止推進体、又は空中浮揚停止推進体電子機器若しくは機器によれば、電力消費が少ないと共に、強力な電磁場を生成することができ、空中浮揚停止推進体、燃料無搭載燃料無線供給空中浮揚停止推進体、又は空中浮揚停止推進体電子機器の推進力を容易に得ることができる。
【００９１】
また、請求項２２に記載の物体遠隔操作機によれば、物体を遠隔で操作することができる。
【００９２】
また、請求項２３に記載の物体遠隔操作機によれば、物体を遠隔で所望の全方向に制御することができる。
【００９３】
また、請求項２４に記載の物体遠隔操作機によれば、物体を遠隔で所望の全方向に容易に制御することができる。
【００９４】
また、請求項２５に記載の物体遠隔操作システムによれば、物体を遠隔で所望の全方向に容易に制御することができる。
【００９５】
また、請求項２６に記載の遠隔連結部（、装置、システム）によれば、各手段（部、装置、システム）間を一定の距離の間に保たれるように（非接触で）遠隔で連結することができる。
【００９６】
従って、本発明により、超伝導を用いずに及び／又は超伝導を用いて、電磁気力を使用することにより、（それ自体（自身）で、）空中に浮揚させたり、空中で停止させたり、推進させたりすることができる空中浮揚停止推進体及び方法、並びに空中浮揚停止推進電子機器若しくは機器及び方法、燃料を搭載せずに空中で停止させたり、推進させたりすることができる燃料無搭載空中浮揚停止推進体及び方法、無燃料で空中で停止させたり、推進させたりすることができる燃料無搭載飛行体及び方法、無燃料で飛行することができる無燃料飛行体及び方法、物体を遠隔で操作することができる物体遠隔操作機及び方法、並びに、物体を遠隔で操作することができる物体遠隔操作システム及び方法、並びに、（それ自体（自身）で、）空中浮揚、停止、及び／又は推進することができる空中浮揚停止推進磁気（及び／又は光）ヘッド及び方法、（それ自体（自身）で、）空中浮揚、停止、及び／又は推進することができる空中浮揚停止推進磁気（及び／又は光）ヘッド具備磁気（及び／又は光）ディスク装置及び方法、及び、各手段（部、装置、システム）間を遠隔連結することができる遠隔連結部（、装置、システム）及び方法を提供することができた。
【００９７】
【発明を実施するための最良の形態】
【００９８】
空中浮揚停止推進体は、少なくとも、空中浮揚停止推進体に単数又は複数設けられた、磁性を有する磁性物体を巻いている若しくは巻いていない導電性線状コイル形状物体と、空中浮揚停止推進体に単数又は複数設けられた、伝導性のある線状の物体を巻いたものである導電性線状コイル形状物体に巻かれている若しくは巻かれていない磁性物体と、単数又は複数設けられた、磁性を有する磁性物体を巻いている若しくは巻いていない導電性線状コイル形状物体、及び／又は、伝導性のある線状の物体を巻いたものである導電性線状コイル形状物体に巻かれている若しくは巻かれていない磁性を有する磁性物体の導電性線状コイル形状物体に電力を供給する電力供給部とから構成され、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、かつ、又は空中浮揚停止推進体を構成する各手段がさらに設けられた、供給された電力により（それ自体（自身）で）空中浮揚停止推進力を生成（獲得）し、電磁気力を利用して（それ自体（自身）で）空中浮揚、停止する空中浮揚停止推進力自己生成（獲得）,自己空中浮揚停止推進手段を内在した（、並びに／若しくは、手段を有した及び／又は手段である並びに／若しくは機能を有した）空中浮揚停止推進体であって、供給された電力により（（空中浮揚停止推進体）それ自体（自身）で）空中浮揚停止推進力を生成（獲得）し、電磁気力を利用して（（空中浮揚停止推進体）それ自体（自身）で）空中に浮揚、停止、及び／又は、推進することができるようにしたことを特徴とし、電力供給部により供給された電力により導電性線状コイル形状物体と磁性物体との相互作用により、超伝導を用いずに及び／又は超伝導を用いて、電磁気力を利用して、（（空中浮揚停止推進体）それ自体（自身）で、）空中に浮揚、停止、及び／又は推進することができる空中浮揚停止推進体である。
尚、本明細書中、特許請求の範囲中、図面中、及び／又は要約書中において、空中浮揚停止推進力自己生成（獲得）,自己空中浮揚停止推進手段とは、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する手段であって、空中浮揚停止推進体及び／又は空中浮揚停止推進体に設けられた各手段並びに／若しくは空中浮揚停止推進体に内在する各手段のことを示しており、例えば、後述する一対の組をはじめとし、空中浮揚停止推進体等、多層構造（階層）の空中浮揚停止推進体の単位構造、複合体の空中浮揚停止推進体を構成する空中浮揚停止推進体、多層構造（階層）の空中浮揚停止推進体、複合体の空中浮揚停止推進体、（物体遠隔操作機及び／又は物体遠隔操作システムを備えた）連結手段及び／又は支持浮揚着陸安定手段を備えた空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等に至る迄、本明細書中、特許請求の範囲中、図面中、及び／又は要約書中に記載の全ての空中浮揚停止推進体（、空中浮揚停止推進体電子機器若しくは機器、燃料無搭載燃料無線供給空中浮揚停止推進体、燃料無搭載飛行体、及び／又は燃料無搭載燃料無線供給飛行体等）等を含み、前記した、空中浮揚停止推進体に単数又は複数設けられた、伝導性のある線状の物体を巻いたものである導電性線状コイル形状物体に巻かれている若しくは巻かれていない磁性を有する磁性物体と、空中浮揚停止推進体に単数又は複数設けられた、磁性を有する磁性物体を巻いている若しくは巻いていない伝導性のある線状の物体を巻いたものである導電性線状コイル形状物体とから少なくとも構成される、供給された電力により（それ自体（自身）で）空中浮揚停止推進力を生成（獲得）し、電磁気力を利用して（それ自体（自身）で）空中浮揚、停止、及び／又は、推進する手段は、空中浮揚停止推進力自己生成（獲得）,自己空中浮揚停止推進手段である。また、複合体の空中浮揚停止推進体も複合体の空中浮揚停止推進体を構成する空中浮揚停止推進体も空中浮揚停止推進体である。また、本明細書中、特許請求の範囲中、図面中、及び／又は要約書中において、「それ自体（自身）」とは、「それ（自己）自体（自身）」のことを示し、「（空中浮揚停止推進体）それ（自己）自体（自身）」のことを示し、「（それ自体（自身）で）」とは、「（それ（自己）自体（自身）で）」のことを示し、「（（空中浮揚停止推進体）それ（自己）自体（自身）で）」のことを示している。
【００９９】
本発明の空中浮揚停止推進体の第１の実施の形態について図１を用いて説明する。
【０１００】
本発明の第１の実施の形態の空中浮揚停止推進体１の構成について説明する。
【０１０１】
本実施の形態の空中浮揚停止推進体１は、図１（１）に示すように、空中浮揚停止推進体１内に設置された伝導性のある線状の物体を巻いたものである導電性線状コイル形状物体に巻かれている若しくは巻かれていない磁性を有する磁性物体（本明細書中、特許請求の範囲中、図面中、要約書中において、伝導性のある線状の物体を巻いたものである導電性線状コイル形状物体のことを導電性線状コイル形状物体、コイル形状物体、コイルとも略称し、伝導性のある線状の物体を巻いたものである導電性線状コイル形状物体に巻かれている若しくは巻かれていない磁性を有する磁性物体のことを導電性線状コイル形状物体被巻/不被巻磁性物体、コイル形状物体被巻/不被巻磁性物体、コイル被巻/不被巻磁性物体とも略称する）１１と、コイル導電性線状コイル形状物体に巻かれている若しくは巻かれていない磁性物体１１に対して、上方又は下方に設置された（コイル導電性線状コイル形状物体に巻かれている若しくは巻かれていない磁性物体１１との相互作用により重力と平行で逆向きに空中浮揚、停止力を得られるように設置された）磁性を有する磁性物体を巻いている若しくは巻いていない導電性線状コイル形状物体（本明細書中、特許請求の範囲中、図面中、要約書中において、磁性物体巻/不巻コイル形状物体とも磁性物体巻/不巻コイルとも略称する）１２と、磁性を有する磁性物体を巻いている若しくは巻いていない導電性線状コイル形状物体１２に電流を流す電力供給部１４とから構成されている。尚、磁性物体及び／又は導電性線状コイル形状物体を液体ヘリウム、液体窒素等の冷却材に浸したり、又は超伝導電流リード線により、冷凍機等により冷却して超伝導体を使用するようにしてもよく、第２種超伝導体を使用するようにしてもよく、高温超電導体を使用するようにしてもよい。
【０１０２】
コイル被巻/不被巻磁性物体１１の磁性物体、又は、磁性物体巻/不巻コイル１２の磁性物体としては、例えば、磁石等、磁性を有するものであれば何でもよい。また、磁性物体の形状は、球形、ほぼ球形、楕円体、回転楕円体、直方体、又は立方体等、どのようなものであってもよい。球形、ほぼ球形、楕円体、回転楕円体、直方体、又は立方体等の対称性を有した形状の磁性物体を使用すれば、空中浮揚、停止、及び／又は推進の制御が容易となる。コイル被巻/不被巻磁性物体１１又は磁性物体巻/不巻コイル１２の導電性線状コイル形状物体に巻かれている磁性物体（電磁石）としては、図１（１１−１）に示すように、単に磁性物体を導電性線状コイル形状物体で巻いたものから、図１（１１−２）に示すように、導電性線状コイル形状物体を巻いた後、導電性線状コイル形状物体を磁性物体で覆うように構成したものまで、磁性物体を導電性線状コイル形状物体で巻いた磁性物体（電磁石）であれば何でもよい。また、導電性線状コイル形状物体には、（自己）誘導起電力を防止する為にダイオード、トランジスタ等の電流整流手段等の（自己）誘導起電力防止手段を（導電性線状コイル形状物体に対して並列に及び／又は直列に（自己）誘導起電力を防止するよう（な向き）に）備える（並びに／若しくは、電流を整流する電流整流手段等の（自己）誘導起電力防止手段を前記導電性線状コイル形状物体に（直列に及び／又は並列に）前記導電性線状コイル形状物体の（自己）誘導起電力を防止するよう（な向き）に備える）ようにしてもよい。さらに、（並びに／若しくは、並列に及び／又は直列に（自己）誘導起電力を防止するよう（な向き）に電流整流手段等の（自己）誘導起電力防止手段が備えられた）（第１の）導電性線状コイル形状物体の（自己）誘導起電力を防止するために、（第１の）導電性線状コイル形状物体の近傍に（例えば、上及び／又は下に並びに／若しくはそれ以外の近傍に）、さらに、（第１の）導電性線状コイル形状物体の（自己）誘導起電力を妨げるよう（な向き）に、（及び／又はダイオード、トランジスタ等の電流整流手段等の（自己）誘導起電力防止手段を並列に及び／又は直列に（自己）誘導起電力を防止するよう（な向き）に備えた）第２の導電性線状コイル形状物体等の（自己）誘導起電力防止手段を備え、（第１の）導電性線状コイル形状物体に（自己）誘導起電力が発生しない（さらに、及び／又は、前記導電性線状コイル形状物体とは異なる、（及び／又は、電流整流手段等の（自己）誘導起電力防止手段が（直列に及び／又は並列に）前記導電性線状コイル形状物体の（自己）誘導起電力を防止するように備えられた）他の前記導電性線状コイル形状物体等の（自己）誘導起電力防止手段を前記導電性線状コイル形状物体の（自己）誘導起電力を防止するよう（な向き）に前記導電性線状コイル形状物体の近傍に（例えば、上及び／又は下に並びに／若しくはそれ以外の近傍に）備える）ようにしてもよい。（すなわち、図１（１７−１）、図１（１７−２）に示すように、導電性線状コイル形状物体１２には、（自己）誘導起電力を防止する為にダイオード、トランジスタ等の電流整流手段等の（自己）誘導起電力防止手段１７０を（導電性線状コイル形状物体１��に対して並列に及び／又は直列に（自己）誘導起電力を防止するよう（な向き）に）備える（並びに／若しくは、電流を整流する電流整流手段等の（自己）誘導起電力防止手段１７０を前記導電性線状コイル形状物体１２に（直列に及び／又は並列に）前記導電性線状コイル形状物体１２の（自己）誘導起電力を防止するよう（な向き）に備える）ようにしてもよい。さらに、図１（１７−１）、図１（１７−２）に示すように、（並びに／若しくは、並列に及び／又は直列に（自己）誘導起電力を防止するよう（な向き）に電流整流手段等の（自己）誘導起電力防止手段１７０が備えられた）（第１の）導電性線状コイル形状物体１２の（自己）誘導起電力を防止するために、（第１の）導電性線状コイル形状物体１２の近傍に（例えば、上及び／又は下に並びに／若しくはそれ以外の近傍に）、さらに、（第１の）導電性線状コイル形状物体１２の（自己）誘導起電力を妨げるよう（な向き）に、（及び／又はダイオード、トランジスタ等の電流整流手段等の（自己）誘導起電力防止手段１７０を並列に及び／又は直列に（自己）誘導起電力を防止するよう（な向き）に備えた）第２の導電性線状コイル形状物体等１８０の（自己）誘導起電力防止手段１７１を備え、（第１の）導電性線状コイル形状物体１２に（自己）誘導起電力が発生しない（さらに、及び／又は、前記導電性線状コイル形状物体１２とは異なる、（及び／又は、電流整流手段等の（自己）誘導起電力防止手段１７０が（直列に及び／又は並列に）前記導電性線状コイル形状物体１２の（自己）誘導起電力を防止するように備えられた）他の前記導電性線状コイル形状物体等１８０の（自己）誘導起電力防止手段１７１を前記導電性線状コイル形状物体１２の（自己）誘導起電力を防止するよう（な向き）に前記導電性線状コイル形状物体１２の近傍に（例えば、上及び／又は下に並びに／若しくはそれ以外の近傍に）備える）ようにしてもよい。）また、磁性物体巻/不巻導電性線状コイル形状物体１２、又は、コイル被巻/不被巻磁性物体１１の磁性物体の導電性線状コイル形状物体としては、例えば、コイル等、伝導性のある線状の物体を巻いたものであれば何でもよい。また、電力供給部１４としては、所望の電力を供給することができるものであれば何でもよい。例えば、1例として直流電源としてもよいし、一定電圧を供給するようにしてもよいし、所望の電力を供給することができるものであれば何でもよい。例えば、特願２００９−１２１５９５，特願２００９−２３１０６８，特願２０１０−１０９７２３に記載の微少電流蓄電装置を用いて、直列に接続された充電池により蓄電された電力により、所望の大電力を供給するようにしてもよい。また、複数の其々のコイルに供給する電力供給開始時刻、及び／又は電力供給量（並びに／若しくは、電力供給に於ける供給電力が規則性を有する（周期的な）及び／又は予め予期される変動を伴う場合、前記規則性を有する（周期的な）及び／又は予め予期される変動の大きさ、開始時刻、形、及び／又は、規則性を有する（周期的な）及び／又は予め予期される変動の間隔も）を少しずつずらす及び／又は変化させる等して、複数のコイルから生成される電磁気力の合成電磁気力が最大（及び／��は所望の大きさ並びに／若しくは一定の大きさ及び／又は所定の大きさ）となるようにして調整供給する（また、及び／又は、電力供給制御手段は、複数の其々の導電性線状コイル形状物体に供給する電力供給開始時刻、及び／又は電力供給量（並びに／若しくは、電力供給に於ける供給電力が規則性を有する（周期的な）及び／又は予め予期される変動を伴う場合、前記規則性を有する（周期的な）及び／又は予め予期される変動の大きさ、開始時刻、形、及び／又は、規則性を有する（周期的な）及び／又は予め予期される変動の間隔も）を少しずつずらす及び／又は変化させる等して、複数の導電性線状コイル形状物体から生成される電磁気力の合成電磁気力が最大（及び／又は所望の大きさ並びに／若しくは一定の大きさ及び／又は所定の大きさ）となるようにして調整供給する）ようにしてもよい。また、磁性物体巻/不巻コイル及び／又はコイル被巻/不被巻磁性物体による発生した無駄な電磁波を特願２００９−１２１５９５，特願２００９−２３１０６８，特願２０１０−１０９７２３に記載の無燃料蓄電（充電）装置（システム、素子）により蓄電するようにしてもよい。
【０１０３】
以下に、磁性物体巻/不巻コイルとコイル被巻/不被巻磁性物体とで生成される電磁気力により推進力を得る一組の構成のパターンについて説明する。
１．１（単数と単数の構成）
以下は、単数の磁性物体巻/不巻コイルと単数のコイル被巻/不被巻磁性物体との電磁気力による推進力を生成する一対の組の場合について説明する。
この場合、磁性物体不巻コイルとコイル被巻/不被巻磁性物体とした場合、磁性物体不巻コイルが力を受けにくく、コイル被巻/不被巻磁性物体は力を受けやすくすることができるので、推進方向にのみ力を加える制御が容易となっている。
１．２（単数と単数又は複数の構成）（電磁気力の合成、一点への集中）（一組の単数と単数又は複数の構成）
以下、単数の磁性物体巻／不巻コイルと複数のコイル被巻/不被巻磁性物体とにより生成される電磁気力による推進力を得る一対の組の場合について説明する。
１．２．１（一組の単数と単数又は複数の構成）（電磁気力の集中）
また、図1（７）に示すように、複数の、磁性物体巻/不巻コイル又はコイル被巻/不被巻磁性物体の磁性物体を巻いているコイルに電流を流した際、複数の磁性物体巻/不巻コイル又はコイル被巻/不被巻磁性物体から発生する電磁気力の合成により所望の方向にコイル被巻/不被巻磁性物体又は磁性物体巻/不巻コイルが受ける電磁気力が1つの磁性物体巻/不巻コイル又は磁性物体巻/不巻コイルの場合よりも大きく合成され、及び／又は、一点に合成電磁気力が作用するような位置及び向きにコイル被巻/不被巻磁性物体又は磁性物体巻/不巻コイルを設置し、磁性物体巻/不巻コイル又はコイル被巻/不被巻磁性物体の磁性物体を巻いているコイルに電流を流すような構成としてもよい（例えば、図１（８）に示すように、複数の磁性物体巻/不巻コイルで囲まれた領域上に電磁気力を合成した合成電磁気力を生成するようにしてもよい）。また、図１（７）においては、複数の磁性物体巻/不巻コイルは、図１（７−１）に示すように、コイル被巻/不被巻磁性物体に対して一列に円弧状及び／又はコイル被巻/不被巻磁性物体から見て円若しくは楕円状に設置されている。また、図１（８）においては、複数のコイル被巻/不被巻磁性物体は、図１（８−１）に示すように、磁性物体巻/不巻コイルに対して横から見ると一列に若しくは円弧状に及び／又は磁性物体巻/不巻コイルから見て円若しくは楕円状に設置されている。また、図１（７）、（８）において、複数の磁性物体巻/不巻コイル又はコイル被巻/不被巻磁性物体の傾きは、図１（７）、（７−１）、（８）、（８−１）に示すように、全方向の所望の方向に傾けて設置することが可能である。このように、複数の磁性物体巻／不巻コイル（電磁気力生成手段）により電磁気力を合成して一点に集中させる構成は、少ない電力で大きな推進力を得ることができ、電力が不足する場合等に効果を発揮する。
１．２．２（反対としたときの構成）
また、図１（９）、（１０）に示すように、磁性物体巻/不巻コイル又はコイル被巻/不被巻磁性物体との対応関係を図１（７）、（８）とは反対にするように構成してもよい。反対をしたときまでを含めると本構成は、単数の磁性物体巻／不巻コイルと単数若しくは複数のコイル被巻/不被巻磁性物体、単数若しくは複数の磁性物体巻／不巻コイルと単数のコイル被巻/不被巻磁性物体により生成される電磁気力により推進力を得る一組の構成となる。
１．２．２．１（適用範囲）
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図１（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように（力を受けないように、即ち、移動できないように）、例えば、図１（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１（１６−１−１）の後半には、コイル被巻/不被巻磁性物体が球体，ほぼ球体，楕円球体の場合が示されている。また、図１（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１（１６−１）は、一対の組のうち、力を受ける方の側の場合が示されており、力を受ける方の側には、緩衝材及び／又は所定の気圧のガスが挿入されておらず、図１（１６−２）は、一対の組のうち、力を与える方の側の場合が示されており、力を受ける方の側には、不要な力を受けない為に、緩衝材及び／又は所定の気圧のガスが挿入されている。尚、図１（１６−１）、図１（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１０４】
以下に、単数と単数若しくは複数、単数若しくは複数と単数の一組の組み合わせについて詳細に説明する。
１．２．の具体例（全パターン）単数と単数又は複数で一対の組み合わせ
（全パターン）単数と単数又は複数で一対の組み合わせ
これらの各種構成を示したのが図６である。図６（１−１）においては、コイル被巻/不被巻磁性物体に対して、磁性物体巻/不巻コイルが発生する電磁気力が発生する方向上に設置されている。この場合、磁性物体巻/不巻コイルは、磁性物体を巻いていないコイルを用いてもよく、磁性物体を巻いているコイルを用いてもよい。磁性物体を巻いているコイルを使用する場合は、コイル被巻/不被巻磁性物体よりも受ける電磁気力を小さくするように、磁性物体を巻いているコイルをコイル被巻/不被巻磁性物体より小型化するようにしてもよい。また、図６（２−１）においては、1つのコイル被巻/不被巻磁性物体に対して一列に円弧状及び／又はコイル被巻/不被巻磁性物体から見て円若しくは楕円状に設置された複数の磁性物体巻/不巻コイルによる合成電磁気力がコイル被巻/不被巻磁性物体に作用するように構成されている。また、図６（３−１）においては、1つの磁性物体巻/不巻コイルに対して一列に円弧状及び／又は磁性物体巻/不巻コイルから見て円若しくは楕円状に設置された複数のコイル被巻/不被巻磁性物体による合成電磁気力がコイル被巻/不被巻磁性物体に作用するように構成されている。また、図６（４−１）においては、複数のコイル被巻/不被巻磁性物体に対して、直角方向に磁性物体巻/不巻コイルが円若しくは楕円状に設置された複数の磁性物体巻/不巻コイルによる合成電磁気力がコイル被巻/不被巻磁性物体に作用するように複数のコイル被巻/不被巻磁性物体が磁性物体巻/不巻コイルに対して横から見ると一列に若しくは円弧状に及び／又は磁性物体巻/不巻コイルから見て円若しくは楕円状に設置されて構成されている。また、図６（８−１）においては、1つのコイル被巻/不被巻磁性物体若しくは磁性物体巻/不巻コイルに対して一列に円弧状及び／又はコイル被巻/不被巻磁性物体若しくは磁性物体巻/不巻コイルから見て円若しくは楕円状に設置された複数の磁性物体巻/不巻コイル若しくはコイル被巻/不被巻磁性物体による合成電磁気力がコイル被巻/不被巻磁性物体若しくは磁性物体巻/不巻コイルに作用するように複数のコイル被巻/不被巻磁性物体若しくは磁性物体巻/不巻コイルが構成されている。図６（８−１）の構成の場合、コイル被巻/不被巻磁性物体若しくは磁性物体巻/不巻コイル全体として生成される電磁気力により推進力を得る構成とすることが可能である。また、図６（５−１）においては、１つのコイル被巻/不被巻磁性物体に対して、直角方向に磁性物体巻/不巻コイルが円若しくは楕円状に設置された複数の磁性物体巻/不巻コイルによる合成電磁気力がコイル被巻/不被巻磁性物体に作用するように複数のコイル被巻/不被巻磁性物体が構成されている。図６（６−１）においては、１つの磁性物体巻/不巻コイルに対して、直角方向にコイル被巻/不被巻磁性物体が円若しくは楕円状に設置された複数のコイル被巻/不被巻磁性物体による合成電磁気力がコイル被巻/不被巻磁性物体に作用するように磁性物体巻/不巻コイルが構成されている。また、図６（７−１）においては、複数の直角方向に磁性物体巻/不巻コイルに対して、直角方向にコイル被巻/不被巻磁性物体が円若しくは楕円状に設置された複数のコイル被巻/不被巻磁性物体による合成電磁気力がコイル被巻/不被巻磁性物体��作用するように複数の磁性物体巻/不巻コイルがコイル被巻/不被巻磁性物体に対して横から見ると一列に若しくは円弧状に及び／又はコイル被巻/不被巻磁性物体から見て円若しくは楕円状に設置されて構成されている。図６（９−１）においては、１つの磁性物体巻/不巻コイル若しくはコイル被巻/不被巻磁性物体に対して、直角方向にコイル被巻/不被巻磁性物体若しくは磁性物体巻/不巻コイルが円若しくは楕円状に設置された複数のコイル被巻/不被巻磁性物体による合成電磁気力がコイル被巻/不被巻磁性物体に作用するように複数の磁性物体巻/不巻コイル若しくはコイル被巻/不被巻磁性物体が構成されている。図６（９−１）の構成の場合、コイル被巻/不被巻磁性物体若しくは磁性物体巻/不巻コイル全体として生成される電磁気力により推進力を得る構成とすることが可能である。尚、以上においては、単数又は複数の、コイル被巻/不被巻磁性物体、及び磁性物体巻/不巻コイルによる1つの組により生成される電磁気力により推進力を得るように構成されているが、備えられた全体の単数又は複数のコイル被巻/不被巻磁性物体、及び磁性物体巻/不巻コイルにより生成される電磁気力により推進力を得るような構成としてもよい。
（全パターンへの応用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図６（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１（１６−１−１）の後半には、コイル被巻/不被巻磁性物体が球体，ほぼ球体，楕円球体の��合が示されている。また、図１（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１（１６−１）は、一対の組のうち、力を受ける方の側の場合が示されており、力を受ける方の側には、緩衝材及び／又は所定の気圧のガスが挿入されておらず、図１（１６−２）は、一対の組のうち、力を与える方の側の場合が示されており、力を受ける方の側には、不要な力を受けない為に、緩衝材及び／又は所定の気圧のガスが挿入されている。尚、図１（１６−１）、図１（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１０５】
以下に、以上の構成において、一対の組の電磁気力を与えたくない又は受けたくない領域を絶縁体、磁気ガード、又は磁気シールド材等の電磁気力を防ぐものである電磁気力遮断手段で覆う場合の其々の構成について説明する。
１．３（単数と単数、単数と単数又は複数、及び、単数と単数、単数と単数又は複数同士の中間領域の電磁気力の遮断）
一対の組の電磁気力を与えたくない又は受けたくない領域を絶縁体、磁気ガード、又は磁気シールド材等の電磁気力を防ぐものである電磁気力遮断手段で覆うようにしてもよい。
１．３．１（単数と単数、単数と単数又は複数の一対の組を電磁気力遮断手段で覆う）
図１（１２−１）では、単数のコイル被巻/不被巻磁性体と単数又は複数の磁性物体巻／不巻コイルの一対の組が電磁気力遮断手段で覆われた構成が示されている。図１（１２−１−１）では、単数と単数の一対の組が電磁気力遮断手段で覆われた構成が示されている。図１（１２−１−２）では、図１（７）に示す構成の一対の組が電磁気力遮断手段で覆われた構成が示されている。図１（１２−１−３）では、図１（８）に示す構成の一対の組が電磁気力遮断手段で覆われた構成が示されており、図１（１２−１−３−１）では、単に全体を覆った構成が示されており、図１（１２−１−３−２）では、磁性物体巻／不巻コイル若しくはコイル被巻/不被巻磁性体で囲まれた領域の中心部分で生成された電磁気力のみを遮断しない構成となっている。また、図１（１２−１−３）に示すように、覆う傾斜１０−２は所望の傾斜としてよい。
１．３．２（一対の組の其々の要素ごとに覆う）
また、一対の組の其々の要素ごとに電磁気力を与えたくない又は受けたくない領域を絶縁体、磁気ガード、又は磁気シールド材等の電磁気力を防ぐものである電磁気力遮断手段で覆うようにしてもよい。
１．３．２．１．（単独コイルと磁性物体の電磁気力遮断）  （力を受けたくない、力を与えたくない領域を電磁気力遮断手段で覆う）
図１（１３）に示す磁性物体巻／不巻コイル１１，１２は、円筒状の電磁気力遮断体１０により覆われ、中心部分だけにほぼ円形の開口部１０−１が設けられており（このように対称性を有する形状とすれば、対称性がある為、空中浮揚、停止、及び／又は推進させたりする制御が容易となる。）、開口部１０−１が設けられた中心部分に発生する電磁気力のみが作用し、電磁気力遮断体１０により覆われた磁性物体不巻コイル１１，１２は、電磁気力による作用を受けないような構成となっている。図１（１３−１）〜（１３−３）は、磁性物体巻コイル１１，１２、磁性物体１１、磁性物体不巻コイル１２が電磁気力遮断体で覆われた構成を示している。図１（１３−４）は、磁性物体不巻コイル１２が電磁気力遮断体１０で覆われた図１（１２−３）とは異なる構成が示されており、電磁気力遮断体１０は、コイル１１に沿って覆っており、かつ円筒状の形状をしており、中心部分には、開口部１０−１が開かれており、開口部１０−１が設けられた中心部分に発生する電磁気力のみが作用し、電磁気力遮断体１０により覆われた磁性物体不巻コイル１１，１２は、電磁気力による作用を受けないような構成となっている。このようなコイルを上下に重ねて使用し、磁性物体巻／不巻コイル１１，１２としてもよい。以上において、開口部１０−１の形状及び大きさは所望の形状及び大きさとしてよく、また、開口部１０−１に向かっての傾き１０−２も所望の傾きとしてよい。また、磁性物体巻／不巻コイル１１，１２と電磁気力遮断手段との間の距離及び形状も所望の距離及び形状としてよい。また、電磁気力遮断手段の幅、大きさ、形状も所望の幅、大きさ、形状としてよい。
図１（１３−３）、（１３−４）に示す磁性物体不巻コイルは、制御として行う際には、電磁気力の力を受ける方の側の構成には用いることはできないが、全体の磁性物体巻/不巻コイル及びコイル被巻/不被巻磁性物体により生成される電磁気力による推進力を得るような構成の場合には、用いることができる。また、制御として行う際には、図１（１３−２）に示すコイル被巻磁性物体は、電磁気力を与える側としての制御を行う際の使用はできないが、この構成も可能である。
以上のように、一対の組の其々の要素ごとに、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、電磁気力遮断手段で覆うようにしたので、推進方向にのみ推進力を得るようにすることが容易となっている。
１．３．２．２．（中間領域も覆う）
さらに、一対のぺアとなる中間領域も図1（１３−５）に示すように電磁気力遮断手段で覆うようにしてもよい。
図１（１３−５）では、単数と単数又は複数の一対の組とその中間領域が電磁気力遮断手段で覆われた構成が示されている。図１（１３−５−１）では、単数と単数の一対の組とその中間領域が電磁気力遮断手段で覆われた構成が示されている。図１（１３−５−２）では、図１（７）に示す構成の一対の組の其々の要素ごとと其々の要素ごとの中間領域に電磁気力遮断手段で覆われた構成が示されている。図１（１３−５−３）では、図１（８）に示す構成の一対の組の其々の要素ごとと其々の要素ごとの中間領域に電磁気力遮断手段で覆われた構成が示されており、図１（１３−５−３）では、単に一対の組の其々の要素ごとに覆った構成と、磁性物体巻／不巻コイル若しくはコイル被巻/不被巻磁性体で囲まれた領域の中心部分で生成された電磁気力のみを遮断しないように、其々の要素ごとに電磁気力遮断手段で覆った構成となっている。開口部１０−１に向かっての傾き１０−２も所望の傾きとしてよい。また、磁性物体巻／不巻コイル１１，１２と電磁気力遮断手段との間の距離及び形状も所望の距離及び形状としてよい。
１．３．３．（一対の組の其々の要素ごとに狭めて覆う）
また、一対の組の其々の要素を、電磁気力遮断手段との間隔を電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うようにしてもよい。
１．３．３．１．（単独コイルと磁性物体の電磁気力遮断）  （力を受けたくない、力を与えたくない領域を電磁気力遮断手段で覆う）
図１（１４）では、図１（１３）に示したより、さらに電磁気力遮断手段の開口部が小さくなった構成となっており、磁性物体巻／不巻コイル若しくはコイル被巻/不被巻磁性体と電磁気力遮断手段間の距離がさらに狭まった構成となっており、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うような構成となっている。開口部１０−１に向かっての傾き１０−２も、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、所望の傾きとしてよい。また、磁性物体巻／不巻コイル１１，１２と電磁気力遮断手段との間の距離及び形状も、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、所望の距離及び形状としてよい。
１．３．３．２．（中間領域も覆う）
さらに、一対のぺアとなる中間領域も図に示すように電磁気力遮断手段で電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うようにしてもよい。
図１（１４）では、図１（１３）に示したより、さらに電磁気力遮断手段の開口部が小さくなり、磁性物体巻／不巻コイル若しくはコイル被巻/不被巻磁性体と電磁気力遮断手段間の距離が狭まった構成となっており、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うような構成となっている。
図１（１４−５）では、単数と単数又は複数の一対の組とその中間領域が電磁気力遮断手段で狭めて覆われた構成が示されている。図１（１４−５−１）では、単数と単数の一対の組とその中間領域が電磁気力遮断手段で狭めて覆われた構成が示されている。図１（１４−５−２）では、図１（７）に示す構成の一対の組の其々の要素ごとと其々の要素ごとの中間領域に電磁気力遮断手段で狭めて覆われた構成が示されている。図１（１４−５−３）では、図１（８）に示す構成の一対の組の其々の要素ごとと其々の要素ごとの中間領域に電磁気力遮断手段で狭めて覆われた構成が示されており、図１（１４−５−３）では、単に一対の組の其々の要素ごとに覆った構成と、磁性物体巻／不巻コイル若しくはコイル被巻/不被巻磁性体で囲まれた領域の中心部分で生成された電磁気力のみを遮断しないように、其々の要素ごとに電磁気力遮断手段で狭めて覆った構成となっている。開口部１０−１に向かっての傾き１０−２も所望の傾きとしてよい。また、磁性物体巻／不巻コイル１１，１２と電磁気力遮断手段との間の距離及び形状も所望の距離及び形状としてよい。また、電磁気力遮断手段の幅、大きさ、形状も所望の幅、大きさ、形状としてよい。
以上のように、一対の組の其々の要素ごとに、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、電磁気力遮断手段で狭めて覆うようにしたので、推進方向にのみ推進力を得るようにすることがさらに容易となっている。
（反対）
尚、以上において、単数のコイル被巻/不被巻磁性体と単数若しくは複数の磁性物体巻／不巻コイルの一対の組としたが、単数の磁性物体巻／不巻コイルと単数の若しくは複数のコイル被巻/不被巻磁性体の一対の組としてもよい。
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図６（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１（１６−１−１）の後半には、コイル被巻/不被巻磁性物体が球体，ほぼ球体，楕円球体の��合が示されている。また、図１（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１（１６−１）は、一対の組のうち、力を受ける方の側の場合が示されており、力を受ける方の側には、緩衝材及び／又は所定の気圧のガスが挿入されておらず、図１（１６−２）は、一対の組のうち、力を与える方の側の場合が示されており、力を受ける方の側には、不要な力を受けない為に、緩衝材及び／又は所定の気圧のガスが挿入されている。尚、図１（１６−１）、図１（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１０６】
以下に、電磁気力遮断手段で覆う構成について詳細に説明する。
１．３の具体例
（一対の組の電磁気力の遮断）
【０１０７】
また、図６に示すように、単数又は複数で一対の磁性物体巻/不巻コイルとコイル被巻/不被巻磁性物体の一対の部分を絶縁体、磁気ガード、磁気シールド材等電磁気力を防ぐものである電磁気力遮断手段で（電磁気力遮断手段は、ほぼ円柱若しくは楕円柱のような形状であっても、どのような形状であってもよい。）相互作用を及ぼしたくない領域に電磁気力が作用するのを防ぐようにしてもよい。図６は、磁性物体巻/不巻コイルとコイル被巻/不被巻磁性物体との構成の詳細な構成を示している。また、図６（１−２）〜（７−２）に示すように、図６（１−１）〜（７−１）において、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体と、並びに、電磁気力による相互作用を及ぼしあい推進力を得るための一組の、単数又は複数で一対のうちの一方の、コイル被巻/不被巻磁性物体及び／又は磁性物体巻/不巻コイルと、電磁気力による相互作用を及ぼしあい推進力を得るための一組の、単数又は複数で一対の、磁性物体巻/不巻コイル及び／又はコイル被巻/不被巻磁性物体との間を電磁気力の相互作用を及ぼしたくない領域に電磁気力が作用するのを防ぐように、電磁気力遮断手段で覆うような構成となっている。尚、図６（５−２）、図６（６−２）に示すように、複数の磁性物体巻/不巻コイル、複数のコイル被巻/不被巻磁性物体で囲まれた領域を除いて、複数の磁性物体巻/不巻コイル、複数のコイル被巻/不被巻磁性物体を包むように覆ってもよく、複数の磁性物体巻/不巻コイル、複数のコイル被巻/不被巻磁性物体の中心部分だけ空洞部を作るように複数の磁性物体巻/不巻コイル、複数のコイル被巻/不被巻磁性物体を覆うようにしてもよい。また、図６（１−３）〜（７−３）に示すように、図６（１−２）〜（７−２）において、単数又は複数で一対のうちの一方の、単数又は複数で一対の、コイル被巻/不被巻磁性物体及び／又磁性物体巻/不巻コイルのうちの単数又は複数の磁性物体巻/不巻コイル及び／又はコイル被巻/不被巻磁性物体と、電磁気力による相互作用を及ぼしあい推進力を得るための一対のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体と、並びに、単数又は複数で一対のうちの一方の、単数又は複数で一対の、コイル被巻/不被巻磁性物体及び／又磁性物体巻/不巻コイルのうちの単数又は複数の磁性物体巻/不巻コイル及び／又はコイル被巻/不被巻磁性物体と、電磁気力による相互作用を及ぼしあい推進力を得るための一対のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻��性物体との間を電磁気力の相互作用を及ぼしたくない領域に電磁気力が作用するのを防ぐように、電磁気力遮断手段で覆うような構成となっている。また、図６（１−４）〜（７−４）に示すように、図６（１−１）〜（７−１）において、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体とを覆っている電磁気力遮断手段と、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体との間隔を狭めて（狭まったように蜜な状態にし）、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体との間との電磁気力の相互作用が及ぼしあう空間領域を覆っている電磁気力遮断手段の間を狭め（狭まったように蜜な状態にし）て、電磁気力の相互作用を及ぼしたくない領域に電磁気力が作用するのを防ぐように、電磁気力の相互作用を及ぼしたい領域にのみの、狭い範囲の電磁気力しか作用できないような構成となっている。また、図６（３−２）、（６−２）（（３−３）、（６−３），（３−４）、（６−４））においては、図６（２−２）、（５−２）（（２−３）、（５−３），（２−４）、（５−４））において、コイル被巻/不被巻磁性物体と磁性物体巻/不巻コイルとの役割が逆になって、コイル被巻/不被巻磁性物体と磁性物体巻/不巻コイルとが覆われた構成となっている。また、図６（４−２）、（７−２）においては、図６（２−２）と（３−２）、図６（３−２）と図６（５−２）（図６（２−３）と（３−３）、図６（３−３）と図６（５−３），図６（２−４）と（３−４）、図６（３−４）と図６（５−４））に示された構成を合成した構成となっている。また、図６の全パターンにおいて、図６の６５に示すように、コイル被巻/不被巻磁性物体と磁性物体巻/不巻コイルとの間の電磁気力遮断手段は、コイル被巻/不被巻磁性物体と磁性物体巻/不巻コイルとのどちらか一方側で切れていて、コイル被巻/不被巻磁性物体と磁性物体巻/不巻コイルとの其々が自由に可動可能な構成としてもよい。
（全パターンへの適用）
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図７（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１（１６−１−１）の後半には、コイル被巻/不被巻磁性物体が球体，ほぼ球体，楕円球体の��合が示されている。また、図１（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１（１６−１）は、一対の組のうち、力を受ける方の側の場合が示されており、力を受ける方の側には、緩衝材及び／又は所定の気圧のガスが挿入されておらず、図１（１６−２）は、一対の組のうち、力を与える方の側の場合が示されており、力を受ける方の側には、不要な力を受けない為に、緩衝材及び／又は所定の気圧のガスが挿入されている。尚、図１（１６−１）、図１（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
【０１０８】
尚、図１（３）に示すように、上記の構成に、さらに、コイル被巻/不被巻磁性物体又は磁性物体巻/不巻コイルに対して、推進方向に対して平行に磁性物体巻/不巻コイル又はコイル被巻/不被巻磁性物体を設置するようにしてもよい（コイル被巻/不被巻磁性物体又は磁性物体巻/不巻コイルとの相互作用により、推進方向に平行に推進力を得られるように磁性物体巻/不巻コイル又はコイル被巻/不被巻磁性物体を設置するようにしてもよい。）（この場合、後述する第２の実施の形態に示すように、コイル被巻/不被巻磁性物体,磁性物体巻/不巻コイルを全方向に向きを可動可能な半球状の可動部２１０である可動可能設置手段に設置するようにする。この可動可能設置手段も後述する可変位置方向変更制御部により制御が可能である。）。尚、図１（５）に示すように、上記の構成に、さらに、コイル被巻/不被巻磁性物体又は磁性物体巻/不巻コイルと、コイル被巻/不被巻磁性物体又は磁性物体巻/不巻コイルに対して、推進方向に対して平行に設置された磁性物体巻/不巻コイル又はコイル被巻/不被巻磁性物体を設置するようにしてもよい（コイル被巻/不被巻磁性物体又は磁性物体巻/不巻コイルとの相互作用により、推進方向に平行に推進力を得られるように磁性物体巻/不巻コイル又はコイル被巻/不被巻磁性物体を設置するようにしてもよい。）。また、図１（２）、（４）、（６）に示すように、電力供給部１４から磁性物体巻/不巻コイル又はコイル被巻/不被巻磁性物体のコイルに供給される電力を調整制御する電力供給制御部１５（電力供給制御部１５の詳細は図１１に示す電力供給及び／又は位置変更制御部１５、２４において後述する。）を設けるようにしてもよい。また、この電力調整部（電力供給制御手段）は、其々の磁性物体巻/不巻コイル及び／又はコイル被巻/不被巻磁性物体の磁性物体を巻いているコイルごとに設けるようにしてもよい。また、単数又は複数のコイル被巻/不被巻磁性体及び／又は磁性物体巻/不巻コイルをまばらに又は蜜に設置するようにしてもよい。
【０１０９】
また、以上においては、空中浮揚停止推進体１内に、磁性物体巻/不巻コイル又はコイル被巻/不被巻磁性物体とコイル被巻/不被巻磁性物体又は磁性物体巻/不巻コイルとを反対の壁側に設置するようにしたが、一方の壁側に近接して設置させ、近接して設置した磁性物体巻/不巻コイル又はコイル被巻/不被巻磁性物体とコイル被巻/不被巻磁性物体又は磁性物体巻/不巻コイルとの相互作用により空中への浮揚、停止、及び／又は推進力を得るようにしてもよい。このようにすれば、空中浮揚、停止、及び／又は推進力を得る為の制御が容易となる。この際、電磁気力の影響を与えたくない領域を絶縁体、磁気ガード、又は磁気シールド材等の電磁気力を防ぐものである電磁気力遮断手段で覆うようにしてもよい（全体としての外部への影響を排除する為の電磁気力遮断手段を含む）。また、空中浮揚停止推進体１の形状は立方体に近いものから球形に近いものまでどのような形状をとってもよい。また、コイル被巻/不被巻磁性物体又は磁性物体巻/不巻導電性線状コイル形状物体の磁性物体巻導電性線状コイル形状物体に作用する力が大きすぎる場合、コイル被巻/不被巻磁性物体又は磁性物体巻/不巻導電性線状コイル形状物体の磁性物体巻導電性線状コイル形状物体と空中浮揚停止推進体１との間に、クッション、緩衝材、バネ等の衝撃を緩める為の第１の緩衝率よりも小さい第２の緩衝率を有する第２の緩衝手段を設けるようにしてもよい。また、空中浮揚停止推進体１自身をゴム製等弾性力を有する弾性体とし、空中浮揚停止推進体１自身が第１の緩衝率よりも小さい第２，第３の緩衝率を有する第３の緩衝手段としての機能を有するようにしてもよい。また、空中浮揚停止推進体２を、衝撃を緩めるような材質を含むような構成としてもよい。また、電力供給部１５を空中浮揚停止推進体１外部に設置し、有線で外部の電力供給部１５から導電性線状コイル形状物体１２及び／又はコイル被巻/不被巻磁性物体１１のコイルに電力を供給するようにしてもよい。このようにすれば、空中浮揚停止推進体１を軽量化することができる。また、空中浮揚停止推進体１内部（例えば、電磁気力遮断手段の外に）に特願２００９−１２１５９５，特願２００９−２３１０６８，特願２０１０−１０９７２３に記載の無燃料蓄電（充電）装置（システム、素子）（無線受信手段）を設け、外部に設置された電磁波供給手段（電力供給手段）（例えば、電流を流すことにより、磁性物体巻/不巻導電性線状コイル形状物体及び／又はコイル被巻/不被巻磁性物体のコイルから生成される電磁波により電力を供給する手段）から電磁波を供給し、特願２００９−１２１５９５，特願２００９−２３１０６８，特願２０１０−１０９７２３に記載の無燃料蓄電（充電）装置（システム、素子）（無線受信手段）により電力を（又は、蓄電し、蓄電した電力を）磁性物体巻/不巻導電性線状コイル形状物体１２及び／又はコイル被巻/不被巻磁性物体１１のコイルに供給するようにした燃料無搭載外部無線供給（燃料無線供給）飛行体（燃料無搭載燃料無線供給飛行体，空中浮揚停止推進体）としてもよい（例えば、一度に、空中浮揚、停止、及び／又は推進するのに必要な電力を外部から無線により電磁波で供給しつつ（例えば、外部から磁性物体巻/不巻導電性線状コイル形状物体及び／又はコイル被巻/不被巻磁性物体のコイルに流した電流により生成された電磁波を供給しつつ）、供給された電力をそのまま空中浮揚、停止、及び／又は推進に使用し、無燃料で空中浮揚、停止、及び／又は推進するようにしてもよいし、一定時間、空中浮揚、停止、及び／又は推進するのに必要な電力を外部から無線により電磁波で受信して蓄電し、必要な電力が蓄電されてから、蓄電された電力を空中浮揚、停止、及び／又は推進に使用するようにしてもよい）。このようにすれば、空中浮揚停止推進体１を軽量化することができると共に、燃料を搭載せずに飛行することができる。尚、電力が不足する場合は、特願２００９−１２１５９５，特願２００９−２３１０６８，特願２０１０−１０９７２３に記載のコンデンサー、及び／又はコンデンサーと定電圧（ツェナー）ダイオード等の整流手段若しくは（リレー）スイッチ等の、スイッチング機能を用いて充電された充電池を電池の代わりに使用し、複数使用する（例えば、複数のコンデンサーを、コンデンサーと定電圧（ツェナー）ダイオード等の整流手段若しくは（リレー）スイッチ等の、スイッチング機能によりコンデンサーを、コンデンサーと定電圧（ツェナー）ダイオード等の整流手段若しくは（リレー）スイッチ等の、スイッチング機能により充電された充電池を、コンデンサーと定電圧（ツェナー）ダイオード等の整流手段若しくは（リレー）スイッチ等の、スイッチング機能により充電された充電池を定電圧（ツェナー）ダイオード等の整流手段若しくは（リレー）スイッチ等の、スイッチング機能により充電池を切り替えて使用したり、複数のコンデンサー、及び／又は、コンデンサーと定電圧（ツェナー）ダイオード等の整流手段若しくは（リレー）スイッチ等の、スイッチング機能により充電された充電池を並列又は直列に接続して使用する）ようにすれば、軽量化できると共に大電力を供給することができる。また、空中浮揚停止推進体１内部（例えば、電磁気力遮断手段の外に）に特願２００９−１２１５９５，特願２００９−２３１０６８，特願２０１０−１０９７２３に記載の無燃料蓄電（充電）装置（システム、素子）（無線受信手段）を設け、特願２００９−１２１５９５，特願２００９−２３１０６８，特願２０１０−１０９７２３に記載の無燃料蓄電（充電）装置（システム、素子）（無線受信手段）により電力を蓄電し、蓄電した電力を磁性物体巻/不巻導電性線状コイル形状物体１２及び／又はコイル被巻/不被巻磁性物体のコイルに供給するようにした無燃料飛行体（燃料無搭載燃料無線供給飛行体，空中浮揚停止推進体）としてもよい（例えば、特願２００９−１２１５９５，特願２００９−２３１０６８，特願２０１０−１０９７２３に記載の無燃料蓄電（充電）装置（システム、素子）に、一定時間、空中浮揚、停止、及び／又は推進するのに必要な電力が充電されてから、無燃料で飛行するようにしてもよい。また、特願２００９−１２１５９５，特願２００９−２３１０６８，特願２０１０−１０９７２３に記載の無燃料蓄電（充電）装置（システム、素子）に、一定時間、空中浮揚、停止、及び／又は推進するのに必要な電力が充電されてから、無燃料で飛行し、燃料がなくなれば停止し、一定時間、空中浮揚、停止、及び／又は推進するのに必要な電力が充電されてから、無燃料で飛行しという動作を繰り返すようにしてもよい。）。このようにすれば、空中浮揚停止推進体１を軽量化することができると共に、無燃料で飛行することができる。尚、蓄電する電力が不足する場合は、特願２００９−１２１５９５，特願２００９−２３１０６８，特願２０１０−１０９７２３に記載のコンデンサー、及び／又はコンデンサーと定電圧（ツェナー）ダイオード等の整流手段若しくは（リレー）スイッチ等の、スイッチング機能を用いて充電された充電池を電池の代わりに使用し、複数使用する（例えば、複数のコンデンサーを、コンデンサーと定電圧（ツェナー）ダイオード等の整流手段若しくは（リレー）スイッチ等の、スイッチング機能によりコンデンサーを、コンデンサーと定電圧（ツェナー）ダイオード等の整流手段若しくは（リレー）スイッチ等の、スイッチング機能により充電された充電池を、コンデンサーと定電圧（ツェナー）ダイオード等の整流手段若しくは（リレー）スイッチ等の、スイッチング機能により充電された充電池を定電圧（ツェナー）ダイオード等の整流手段若しくは（リレー）スイッチ等の、スイッチング機能により充電池を切り替えて使用したり、複数のコンデンサー、及び／又は、コンデンサーと定電圧（ツェナー）ダイオード等の整流手段若しくは（リレー）スイッチ等の、スイッチング機能により充電された充電池を並列又は直列に接続して使用する）ようにすれば、軽量化できると共に大電力を供給することができる。尚、以上において、電力供給部１５と電力供給部１５から磁性物体巻/不巻導電性線状コイル形状物体１２及び／又はコイル被巻/不被巻磁性物体１１のコイルに電力を供給する間に、抵抗を設けるようにしてもよい。
【０１１０】
次に、本実施の形態の空中浮揚停止推進体１の動作及び本発明の空中浮揚停止推進方法の第１の実施の形態であり、本実施の形態の空中浮揚停止推進体１の空中浮揚停止推進方法について説明する。
【０１１１】
電力供給部１４は空中に浮遊する為に、必要な電源を供給する。磁性物体巻/不巻導電性線状コイル形状物体１２及びコイル被巻/不被巻磁性物体１１からは電磁場が発生し、コイル被巻/不被巻磁性物体１１及び磁性物体巻/不巻導電性線状コイル形状物体１２を上方に引き上げる力（空中浮揚停止推進体１全体にかかる重力よりも大きな電磁気力による浮力）を与える。これにより、空中浮揚停止推進体１は、空中に浮揚する。停止したい位置で、電力供給部１４は、停止する為に必要な電源を供給する。磁性物体巻/不巻導電性線状コイル形状物体１２及びコイル被巻/不被巻磁性物体１１からは電磁場が発生し、コイル被巻/不被巻磁性物体１１及び磁性物体巻/不巻導電性線状コイル形状物体１２を空中に停止するだけの力を与える。これにより、空中浮揚停止推進体１は、空中に停止する。また、図１（３）に示すように、推進方法に対して平行にコイルを設置するようにすれば、磁性物体巻/不巻コイル及び／又はコイル被巻/不被巻磁性物体のコイルに電力を供給することにより、推進方向に推進することができる。また、図１（５）に示すように、推進方法に対して平行に磁性物体巻/不巻コイル又はコイル被巻/不被巻磁性物体を設置するようにすれば、磁性物体巻/不巻コイル又はコイル被巻/不被巻磁性物体のコイルに電力を供給することにより、推進方向に推進することができる。また、図１（２）、（４）、（６）に示すように、磁性物体巻/不巻コイル又はコイル被巻/不被巻磁性物体のコイルに供給する電力を調整する電源電力調整部（電力供給制御手段）を設けると、磁性物体巻/不巻コイル又はコイル被巻/不被巻磁性物体から発生する電磁気力の損失を補填することができ、所望の電磁気力を発生させることができ、所望の推進力を得ることができる。
【０１１２】
以上のように、空中浮揚停止推進体１によれば、（それ自体（自身）で）空中に浮揚、及び／又は停止することができる。また、さらに、磁性物体巻/不巻コイル又はコイル被巻/不被巻磁性物体を推進方向に対して平行に設置するようにすれば（コイル被巻/不被巻磁性物体又は磁性物体巻/不巻コイルと磁性物体巻/不巻コイル又はコイル被巻/不被巻磁性物体との相互作用により推進方向に対して推進力を得られるように磁性物体巻/不巻コイル又はコイル被巻/不被巻磁性物体とコイル被巻/不被巻磁性物体又は磁性物体巻/不巻コイルとを配置すれば）、磁性物体巻/不巻コイル又はコイル被巻/不被巻磁性物体のコイルに電力を供給することにより、推進方向に推進することができる。従って、空中浮揚停止推進体１によれば、（それ自体（自身）で）空中に浮揚、停止、及び／又は推進することができる。
【０１１３】
（全パターンへの適用）
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図７（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１（１６−１−１）の後半には、コイル被巻/不被巻磁性物体が球体，ほぼ球体，楕円球体の��合が示されている。また、図１（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１（１６−１）は、一対の組のうち、力を受ける方の側の場合が示されており、力を受ける方の側には、緩衝材及び／又は所定の気圧のガスが挿入されておらず、図１（１６−２）は、一対の組のうち、力を与える方の側の場合が示されており、力を受ける方の側には、不要な力を受けない為に、緩衝材及び／又は所定の気圧のガスが挿入されている。尚、図１（１６−１）、図１（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。また、空中浮揚停止推進体を構成する各要素（空中浮揚停止推進体、コイル被巻/不被巻磁性物体、磁性物体巻/不巻コイル、電磁気力遮断体、緩衝材、コイル被巻/不被巻磁性物体, 磁性物体巻/不巻コイルを格納する容器等を対称性を有した形状とすれば、空中浮揚、停止、及び／又は推進力を得る為の制御が容易となる。）
【０１１４】
本発明の空中浮揚停止推進体の第２の実施の形態の空中浮揚停止推進体２について図２を用いて説明する。
【０１１５】
本発明の第１の実施の形態の空中浮揚停止推進体２の構成について説明する。
【０１１６】
本実施の形態の空中浮揚停止推進体２は、図２（１）に示すように、空中浮揚停止推進体２内に設置された導電性線状コイル形状物体に巻かれている若しくは巻かれていない磁性を有する磁性物体２１と、導電性線状コイル形状物体に巻かれている若しくは巻かれていない磁性物体２１に対して、位置及び方向を可変に設置された磁性物体を巻いている若しくは巻いていない導電性線状コイル形状物体２２と、磁性物体を巻いている若しくは巻いていない導電性線状コイル形状物体２２とを導電性線状コイル形状物体に巻かれている若しくは巻かれていない磁性物体２１の位置及び向きを所望な位置及び方向に変更制御可能な可変位置方向変更制御部２３と、磁性物体を巻いている若しくは巻いていない導電性線状コイル形状物体２２に電流を流す電力供給部２４とから構成されている。尚、磁性物体及び／又は導電性線状コイル形状物体を液体ヘリウム、液体窒素等の冷却材に浸したり、又は超伝導電流リード線により、冷凍機等により冷却して超伝導体を使用するようにしてもよく、第２種超伝導体を使用するようにしてもよく、高温超電導体を使用するようにしてもよい。
【０１１７】
コイル被巻/不被巻磁性物体２１の磁性物体、又は、磁性物体巻/不巻コイル２２の磁性物体としては、例えば、磁石等、磁性を有するものであれば何でもよい。また、磁性物体の形状は、球形、ほぼ球形、楕円体、回転楕円体、直方体、又は立方体等、どのようなものであってもよい。球形、ほぼ球形、楕円体、回転楕円体、直方体、又は立方体等の対称性を有した形状の磁性物体を使用すれば、空中浮揚、停止、及び／又は推進の制御が容易となる。コイル被巻/不被巻磁性物体２１又は磁性物体巻/不巻コイル２２の導電性線状コイル形状物体に巻かれている磁性物体（電磁石）としては、図２（１１−１）に示すように、単に磁性物体を導電性線状コイル形状物体で巻いたものから、図２（１１−２）に示すように、導電性線状コイル形状物体を巻いた後、導電性線状コイル形状物体を磁性物体で覆うように構成したものまで、磁性物体を導電性線状コイル形状物体で巻いた磁性物体（電磁石）であれば何でもよい。また、導電性線状コイル形状物体には、（自己）誘導起電力を防止する為にダイオード、トランジスタ等の電流整流手段等の（自己）誘導起電力防止手段を（導電性線状コイル形状物体に対して並列に及び／又は直列に（自己）誘導起電力を防止するよう（な向き）に）備える（並びに／若しくは、電流を整流する電流整流手段等の（自己）誘導起電力防止手段を前記導電性線状コイル形状物体に（直列に及び／又は並列に）前記導電性線状コイル形状物体の（自己）誘導起電力を防止するよう（な向き）に備える）ようにしてもよい。さらに、（並びに／若しくは、並列に及び／又は直列に（自己）誘導起電力を防止するよう（な向き）に電流整流手段等の（自己）誘導起電力防止手段が備えられた）（第１の）導電性線状コイル形状物体の（自己）誘導起電力を防止するために、（第１の）導電性線状コイル形状物体の近傍に（例えば、上及び／又は下に並びに／若しくはそれ以外の近傍に）、さらに、（第１の）導電性線状コイル形状物体の（自己）誘導起電力を妨げるよう（な向き）に、（及び／又はダイオード、トランジスタ等の電流整流手段等の（自己）誘導起電力防止手段を並列に及び／又は直列に（自己）誘導起電力を防止するよう（な向き）に備えた）第２の導電性線状コイル形状物体等の（自己）誘導起電力防止手段を備え、（第１の）導電性線状コイル形状物体に（自己）誘導起電力が発生しない（さらに、及び／又は、前記導電性線状コイル形状物体とは異なる、（及び／又は、電流整流手段等の（自己）誘導起電力防止手段が（直列に及び／又は並列に）前記導電性線状コイル形状物体の（自己）誘導起電力を防止するように備えられた）他の前記導電性線状コイル形状物体等の（自己）誘導起電力防止手段を前記導電性線状コイル形状物体の（自己）誘導起電力を防止するよう（な向き）に前記導電性線状コイル形状物体の近傍に（例えば、上及び／又は下に並びに／若しくはそれ以外の近傍に）備える）ようにしてもよい。（すなわち、図２（１７−１）、図２（１７−２）に示すように、導電性線状コイル形状物体１２には、（自己）誘導起電力を防止する為にダイオード、トランジスタ等の電流整流手段等の（自己）誘導起電力防止手段１７０を（導電性線状コイル形状物体１��に対して並列に及び／又は直列に（自己）誘導起電力を防止するよう（な向き）に）備える（並びに／若しくは、電流を整流する電流整流手段等の（自己）誘導起電力防止手段１７０を前記導電性線状コイル形状物体１２に（直列に及び／又は並列に）前記導電性線状コイル形状物体１２の（自己）誘導起電力を防止するよう（な向き）に備える）ようにしてもよい。さらに、図２（１７−１）、図２（１７−２）に示すように、（並びに／若しくは、並列に及び／又は直列に（自己）誘導起電力を防止するよう（な向き）に電流整流手段等の（自己）誘導起電力防止手段１７０が備えられた）（第１の）導電性線状コイル形状物体１２の（自己）誘導起電力を防止するために、（第１の）導電性線状コイル形状物体１２の近傍に（例えば、上及び／又は下に並びに／若しくはそれ以外の近傍に）、さらに、（第１の）導電性線状コイル形状物体１２の（自己）誘導起電力を妨げるよう（な向き）に、（及び／又はダイオード、トランジスタ等の電流整流手段等の（自己）誘導起電力防止手段１７０を並列に及び／又は直列に（自己）誘導起電力を防止するよう（な向き）に備えた）第２の導電性線状コイル形状物体等１８０の（自己）誘導起電力防止手段１７１を備え、（第１の）導電性線状コイル形状物体１２に（自己）誘導起電力が発生しない（さらに、及び／又は、前記導電性線状コイル形状物体１２とは異なる、（及び／又は、電流整流手段等の（自己）誘導起電力防止手段１７０が（直列に及び／又は並列に）前記導電性線状コイル形状物体１２の（自己）誘導起電力を防止するように備えられた）他の前記導電性線状コイル形状物体等１８０の（自己）誘導起電力防止手段１７１を前記導電性線状コイル形状物体１２の（自己）誘導起電力を防止するよう（な向き）に前記導電性線状コイル形状物体１２の近傍に（例えば、上及び／又は下に並びに／若しくはそれ以外の近傍に）備える）ようにしてもよい。）また、磁性物体巻/不巻導電性線状コイル形状物体２２、又は、コイル被巻/不被巻磁性物体２１の磁性物体の導電性線状コイル形状物体としては、例えば、コイル等、伝導性のある線状の物体を巻いたものであれば何でもよい。また、可変位置方向変更制御部２３としては、磁性物体巻/不巻導電性線状コイル形状物体２２とコイル被巻/不被巻磁性物体２１の位置及び向きを所望な位置及び方向に変更が可能とすることができるものであれば何でもよい。また、可変位置方向変更制御部２３として、磁性物体巻/不巻導電性線状コイル形状物体２２とコイル被巻/不被巻磁性物体２１の位置及び向きを其々別々に所望な位置及び方向に変更が可能とすることができる導電性線状コイル形状物体可変位置方向変更部と磁性物体可変位置方向変更部とを其々別に備えるようにしてもよい。また、図２（５）に示すような、磁性物体巻/不巻導電性線状コイル形状物体２２とコイル被巻/不被巻磁性物体２１とが可動可能な円状の筒、レール等の位置及び向きを可変可能に設置可能なものである可動部（及び／又は全方向に向きを可動可能な半球状の可動部２１０がレール等に設置されている）（可動可能設置手段）に可動可能に設置し、可変可能に設置可能なものである可動部（可動可能設置手段）を360度回転可能なような構成としてもよい。また、図２（６）に示すように、さらに、方向推進用に設置されたコイル被巻/不被巻磁性物体と磁性物体巻/不巻コイルを、其々別に変更制御可能とする構成としてもよい。図２（５）、（６）の構成において、さらに、設置された磁性物体若しくは導電性線状コイル形状物体で巻かれた電磁石と磁性物体巻/不巻コイルを其々別々に位置及び方向を制御可能な構成としてもよい。また、電力供給部２４としては、所望の電力を供給することができるものであれば何でもよい。例えば、1例として直流電源としてもよいし、一定電圧を供給するようにしてもよいし、所望の電力を供給することができるものであれば何でもよい。例えば、特願２００９−１２１５９５，特願２００９−２３１０６８，特願２０１０−１０９７２３に記載の微少電流蓄電装置を用いて、直列に接続された充電池により蓄電された電力により、所望の大電力を供給するようにしてもよい。また、複数の其々のコイルに供給する電力供給開始時刻、及び／又は電力供給量（並びに／若しくは、電力供給に於ける供給電力が規則性を有する（周期的な）及び／又は予め予期される変動を伴う場合、前記規則性を有する（周期的な）及び／又は予め予期される変動の大きさ、開始時刻、形、及び／又は、規則性を有する（周期的な）及び／又は予め予期される変動の間隔も）を少しずつずらす及び／又は変化させる等して、複数のコイルから生成される電磁気力の合成電磁気力が最大（及び／又は所望の大きさ並びに／若しくは一定の大きさ及び／又は所定の大きさ）となるようにして調整供給するようにしてもよい。また、電力供給部１４からコイルに供給される電力を調整する電力調整部（電力供給制御手段）を設ける（また、及び／又は、電力供給制御手段は、複数の其々の導電性線状コイル形状物体に供給する電力供給開始時刻、及び／又は電力供給量（並びに／若しくは、電力供給に於ける供給電力が規則性を有する（周期的な）及び／又は予め予期される変動を伴う場合、前記規則性を有する（周期的な）及び／又は予め予期される変動の大きさ、開始時刻、形、及び／又は、規則性を有する（周期的な）及び／又は予め予期される変動の間隔も）を少しずつずらす及び／又は変化させる等して、複数の導電性線状コイル形状物体から生成される電磁気力の合成電磁気力が最大（及び／又は所望の大きさ並びに／若しくは一定の大きさ及び／又は所定の大きさ）となるようにして調整供給する）ようにしてもよい。また、可変位置方向変更制御部及び／又は燃料供給制御部を制御して所望の位置及び／又は方向に制御し、所望の電力を供給する電力供給及び／又は可動可能設置位置制御手段を設けるようにしてもよい。また、（位置伸縮）可動可能／非可能に備えられた位置計測手段（センサ）を用いて、磁性物体巻/不巻コイル及び／又はコイル被巻/不被巻磁性物体の位置及び／又は方向と磁性物体巻/不巻コイル及び／又はコイル被巻/不被巻磁性物体のコイルに供給する電力を調節して、所望の推進力を得、空中浮揚停止推進体を所望の位置及び方向に制御する電力供給及び／又は可動可能設置位置制御手段を設けるようにしてもよい。（詳細は、図１１に示す電力供給及び／又は可動可能設置位置制御手段において後述する。���また、磁性物体巻/不巻コイル及び／又はコイル被巻/不被巻磁性物体による発生した無駄な電磁波を特願２００９−１２１５９５，特願２００９−２３１０６８，特願２０１０−１０９７２３に記載の無燃料蓄電（充電）装置（システム、素子）により蓄電するようにしてもよい。
【０１１８】
以下に、磁性物体巻/不巻コイルとコイル被巻/不被巻磁性物体とで生成される電磁気力により推進力を得る一組の構成のパターンについて説明する。
１．１（単数と単数の構成）
以下は、単数の磁性物体巻/不巻コイルと単数のコイル被巻/不被巻磁性物体との電磁気力による推進力を生成する一対の組の場合について説明する。
この場合、磁性物体不巻コイルとコイル被巻/不被巻磁性物体とした場合、磁性物体不巻コイルが力を受けにくく、コイル被巻/不被巻磁性物体は力を受けやすくすることができるので、推進方向にのみ力を加える制御が容易となっている。
１．２（単数と単数又は複数の構成）（電磁気力の合成、一点への集中）（一組の単数と単数又は複数の構成）
以下、単数の磁性物体巻／不巻コイルと複数のコイル被巻/不被巻磁性物体とにより生成される電磁気力による推進力を得る一対の組の場合について説明する。
１．２．１（一組の単数と単数又は複数の構成）（電磁気力の集中）
また、図２（７）に示すように、複数の、磁性物体巻/不巻コイル又はコイル被巻/不被巻磁性物体の磁性物体を巻いているコイルに電流を流した際、複数の磁性物体巻/不巻コイル又はコイル被巻/不被巻磁性物体から発生する電磁気力の合成により所望の方向にコイル被巻/不被巻磁性物体又は磁性物体巻/不巻コイルが受ける電磁気力が1つの磁性物体巻/不巻コイル又は磁性物体巻/不巻コイルの場合よりも大きく合成され、及び／又は、一点に合成電磁気力が作用するような位置及び向きにコイル被巻/不被巻磁性物体又は磁性物体巻/不巻コイルを設置し、磁性物体巻/不巻コイル又はコイル被巻/不被巻磁性物体の磁性物体を巻いているコイルに電流を流すような構成としてもよい（例えば、図２（８）に示すように、複数の磁性物体巻/不巻コイルで囲まれた領域上に電磁気力を合成した合成電磁気力を生成するようにしてもよい）。また、図２（７）においては、複数の磁性物体巻/不巻コイルは、図２（７−１）に示すように、コイル被巻/不被巻磁性物体に対して一列に円弧状及び／又はコイル被巻/不被巻磁性物体から見て円若しくは楕円状に設置されている。また、図２（８）においては、複数のコイル被巻/不被巻磁性物体は、図２（８−１）に示すように、磁性物体巻/不巻コイルに対して横から見ると一列に若しくは円弧状に及び／又は磁性物体巻/不巻コイルから見て円若しくは楕円状に設置されている。また、図２（７）、（８）において、複数の磁性物体巻/不巻コイル又はコイル被巻/不被巻磁性物体の傾きは、図２（７）、（７−１）、（８）、（８−１）に示すように、全方向の所望の方向に傾けて設置することが可能である。このように、複数の磁性物体巻／不巻コイル（電磁気力生成手段）により電磁気力を合成して一点に集中させる構成は、少ない電力で大きな推進力を得ることができ、電力が不足する場合等に効果を発揮する。
１．２．２（反対としたときの構成）
また、図２（９）、（１０）に示すように、磁性物体巻/不巻コイル又はコイル被巻/不被巻磁性物体との対応関係を図２（７）、（８）とは反対にするように構成してもよい。反対をしたときまでを含めると本構成は、単数の磁性物体巻／不巻コイルと単数若しくは複数のコイル被巻/不被巻磁性物体、単数若しくは複数の磁性物体巻／不巻コイルと単数のコイル被巻/不被巻磁性物体により生成される電磁気力により推進力を得る一組の構成となる。
１．２．２．１（適用範囲）
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図２（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図２（１６−１−１）の後半には、コイル被巻/不被巻磁性物体が球体，ほぼ球体，楕円球体の��合が示されている。また、図２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図２（１６−１）は、一対の組のうち、力を受ける方の側の場合が示されており、力を受ける方の側には、緩衝材及び／又は所定の気圧のガスが挿入されておらず、図２（１６−２）は、一対の組のうち、力を与える方の側の場合が示されており、力を受ける方の側には、不要な力を受けない為に、緩衝材及び／又は所定の気圧のガスが挿入されている。尚、図２（１６−１）、図２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１１９】
以下に、単数と単数若しくは複数、単数若しくは複数と単数の一組の組み合わせについて詳細に説明する。
１．２．の具体例（全パターン）単数と単数又は複数で一対の組み合わせ
（全パターン）単数と単数又は複数で一対の組み合わせ
これらの各種構成を示したのが図６である。図６（１−１）においては、コイル被巻/不被巻磁性物体に対して、磁性物体巻/不巻コイルが発生する電磁気力が発生する方向上に設置されている。この場合、磁性物体巻/不巻コイルは、磁性物体を巻いていないコイルを用いてもよく、磁性物体を巻いているコイルを用いてもよい。磁性物体を巻いているコイルを使用する場合は、コイル被巻/不被巻磁性物体よりも受ける電磁気力を小さくするように、磁性物体を巻いているコイルをコイル被巻/不被巻磁性物体より小型化するようにしてもよい。また、図６（２−１）においては、1つのコイル被巻/不被巻磁性物体に対して一列に円弧状及び／又はコイル被巻/不被巻磁性物体から見て円若しくは楕円状に設置された複数の磁性物体巻/不巻コイルによる合成電磁気力がコイル被巻/不被巻磁性物体に作用するように構成されている。また、図６（３−１）においては、1つの磁性物体巻/不巻コイルに対して一列に円弧状及び／又は磁性物体巻/不巻コイルから見て円若しくは楕円状に設置された複数のコイル被巻/不被巻磁性物体による合成電磁気力がコイル被巻/不被巻磁性物体に作用するように構成されている。また、図６（４−１）においては、複数のコイル被巻/不被巻磁性物体に対して、直角方向に磁性物体巻/不巻コイルが円若しくは楕円状に設置された複数の磁性物体巻/不巻コイルによる合成電磁気力がコイル被巻/不被巻磁性物体に作用するように複数のコイル被巻/不被巻磁性物体が磁性物体巻/不巻コイルに対して横から見ると一列に若しくは円弧状に及び／又は磁性物体巻/不巻コイルから見て円若しくは楕円状に設置されて構成されている。また、図６（８−１）においては、1つのコイル被巻/不被巻磁性物体若しくは磁性物体巻/不巻コイルに対して一列に円弧状及び／又はコイル被巻/不被巻磁性物体若しくは磁性物体巻/不巻コイルから見て円若しくは楕円状に設置された複数の磁性物体巻/不巻コイル若しくはコイル被巻/不被巻磁性物体による合成電磁気力がコイル被巻/不被巻磁性物体若しくは磁性物体巻/不巻コイルに作用するように複数のコイル被巻/不被巻磁性物体若しくは磁性物体巻/不巻コイルが構成されている。図６（８−１）の構成の場合、コイル被巻/不被巻磁性物体若しくは磁性物体巻/不巻コイル全体として生成される電磁気力により推進力を得る構成とすることが可能である。また、図６（５−１）においては、１つのコイル被巻/不被巻磁性物体に対して、直角方向に磁性物体巻/不巻コイルが円若しくは楕円状に設置された複数の磁性物体巻/不巻コイルによる合成電磁気力がコイル被巻/不被巻磁性物体に作用するように複数のコイル被巻/不被巻磁性物体が構成されている。図６（６−１）においては、１つの磁性物体巻/不巻コイルに対して、直角方向にコイル被巻/不被巻磁性物体が円若しくは楕円状に設置された複数のコイル被巻/不被巻磁性物体による合成電磁気力がコイル被巻/不被巻磁性物体に作用するように磁性物体巻/不巻コイルが構成されている。また、図６（７−１）においては、複数の直角方向に磁性物体巻/不巻コイルに対して、直角方向にコイル被巻/不被巻磁性物体が円若しくは楕円状に設置された複数のコイル被巻/不被巻磁性物体による合成電磁気力がコイル被巻/不被巻磁性物体��作用するように複数の磁性物体巻/不巻コイルがコイル被巻/不被巻磁性物体に対して横から見ると一列に若しくは円弧状に及び／又はコイル被巻/不被巻磁性物体から見て円若しくは楕円状に設置されて構成されている。図６（９−１）においては、１つの磁性物体巻/不巻コイル若しくはコイル被巻/不被巻磁性物体に対して、直角方向にコイル被巻/不被巻磁性物体若しくは磁性物体巻/不巻コイルが円若しくは楕円状に設置された複数のコイル被巻/不被巻磁性物体による合成電磁気力がコイル被巻/不被巻磁性物体に作用するように複数の磁性物体巻/不巻コイル若しくはコイル被巻/不被巻磁性物体が構成されている。図６（９−１）の構成の場合、コイル被巻/不被巻磁性物体若しくは磁性物体巻/不巻コイル全体として生成される電磁気力により推進力を得る構成とすることが可能である。図６（９−１）の構成の場合、コイル被巻/不被巻磁性物体若しくは磁性物体巻/不巻コイル全体として生成される電磁気力により推進力を得る構成とすることが可能である。尚、以上においては、単数又は複数の、コイル被巻/不被巻磁性物体、及び磁性物体巻/不巻コイルによる1つの組により生成される電磁気力により推進力を得るように構成されているが、備えられた全体の単数又は複数のコイル被巻/不被巻磁性物体、及び磁性物体巻/不巻コイルにより生成される電磁気力により推進力を得るような構成としてもよい。
（全パターンへの応用）
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図６（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図２（１６−１−１）の後半には、コイル被巻/不被巻磁性物体が球体，ほぼ球体，楕円球体の��合が示されている。また、図２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図２（１６−１）は、一対の組のうち、力を受ける方の側の場合が示されており、力を受ける方の側には、緩衝材及び／又は所定の気圧のガスが挿入されておらず、図２（１６−２）は、一対の組のうち、力を与える方の側の場合が示されており、力を受ける方の側には、不要な力を受けない為に、緩衝材及び／又は所定の気圧のガスが挿入されている。尚、図２（１６−１）、図２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１２０】
以下に、以上の構成において、一対の組の電磁気力を与えたくない又は受けたくない領域を絶縁体、磁気ガード、又は磁気シールド材等の電磁気力を防ぐものである電磁気力遮断手段で覆う場合の其々の構成について説明する。
１．３（単数と単数、単数と単数又は複数、及び、単数と単数、単数と単数又は複数同士の中間領域の電磁気力の遮断）
一対の組の電磁気力を与えたくない又は受けたくない領域を絶縁体、磁気ガード、又は磁気シールド材等の電磁気力を防ぐものである電磁気力遮断手段で覆うようにしてもよい。
１．３．１（単数と単数、単数と単数又は複数の一対の組を電磁気力遮断手段で覆う）
図２（１２−１）では、単数のコイル被巻/不被巻磁性体と単数又は複数の磁性物体巻／不巻コイルの一対の組が電磁気力遮断手段で覆われた構成が示されている。図２（１２−１−１）では、単数と単数の一対の組が電磁気力遮断手段で覆われた構成が示されている。図２（１２−１−２）では、図２（７）に示す構成の一対の組が電磁気力遮断手段で覆われた構成が示されている。図２（１２−１−３）では、図２（８）に示す構成の一対の組が電磁気力遮断手段で覆われた構成が示されており、図２（１２−１−３−１）では、単に全体を覆った構成が示されており、図２（１２−１−３−２）では、磁性物体巻／不巻コイル若しくはコイル被巻/不被巻磁性体で囲まれた領域の中心部分で生成された電磁気力のみを遮断しない構成となっている。また、図２（１２−１−３）に示すように、覆う傾斜１０−２は所望の傾斜としてよい。
１．３．２（一対の組の其々の要素ごとに覆う）
また、一対の組の其々の要素ごとに電磁気力を与えたくない又は受けたくない領域を絶縁体、磁気ガード、又は磁気シールド材等の電磁気力を防ぐものである電磁気力遮断手段で覆うようにしてもよい。
１．３．２．１．（単独コイルと磁性物体の電磁気力遮断）  （力を受けたくない、力を与えたくない領域を電磁気力遮断手段で覆う）
図２（１３）に示す磁性物体巻／不巻コイル１１，１２は、円筒状の電磁気力遮断体１０により覆われ、中心部分だけにほぼ円形の開口部１０−１が設けられており、開口部１０−１が設けられた中心部分に発生する電磁気力のみが作用し、電磁気力遮断体１０により覆われた磁性物体不巻コイル１１，１２は、電磁気力による作用を受けないような構成となっている。図２（１３−１）〜（１３−３）は、磁性物体巻コイル１１，１２、磁性物体１１、磁性物体不巻コイル１２が電磁気力遮断体で覆われた構成を示している。図２（１３−４）は、磁性物体不巻コイル１２が電磁気力遮断体１０で覆われた図２（１２−３）とは異なる構成が示されており、電磁気力遮断体１０は、コイル１１に沿って覆っており、かつ円筒状の形状をしており、中心部分には、開口部１０−１が開かれており、開口部１０−１が設けられた中心部分に発生する電磁気力のみが作用し、電磁気力遮断体１０により覆われた磁性物体不巻コイル１１，１２は、電磁気力による作用を受けないような構成となっている。このようなコイルを上下に重ねて使用し、磁性物体巻／不巻コイル１１，１２としてもよい。以上において、開口部１０−１の形状及び大きさは所望の形状及び大きさとしてよく、また、開口部１０−１に向かっての傾き１０−２も所望の傾きとしてよい。また、磁性物体巻／不巻コイル１１，１２と電磁気力遮断手段との間の距離及び形状も所望の距離及び形状としてよい。
図２（１３−３）、（１３−４）に示す磁性物体不巻コイルは、制御として行う際には、電磁気力の力を受ける方の側の構成には用いることはできないが、全体の磁性物体巻/不巻コイル及びコイル被巻/不被巻磁性物体により生成される電磁気力による推進力を得るような構成の場合には、用いることができる。また、制御として行う際には、図２（１３−２）に示すコイル被巻磁性物体は、電磁気力を与える側としての制御を行う際の使用はできないが、この構成も可能である。
以上のように、一対の組の其々の要素ごとに、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、電磁気力遮断手段で覆うようにしたので、推進方向にのみ推進力を得るようにすることが容易となっている。
１．３．２．２．（中間領域も覆う）
さらに、一対のぺアとなる中間領域も図２（１３−５）に示すように電磁気力遮断手段で覆うようにしてもよい。
図２（１３−５）では、単数と単数又は複数の一対の組とその中間領域が電磁気力遮断手段で覆われた構成が示されている。図２（１３−５−１）では、単数と単数の一対の組とその中間領域が電磁気力遮断手段で覆われた構成が示されている。図２（１３−５−２）では、図２（７）に示す構成の一対の組の其々の要素ごとと其々の要素ごとの中間領域に電磁気力遮断手段で覆われた構成が示されている。図２（１３−５−３）では、図２（８）に示す構成の一対の組の其々の要素ごとと其々の要素ごとの中間領域に電磁気力遮断手段で覆われた構成が示されており、図２（１３−５−３）では、単に一対の組の其々の要素ごとに覆った構成と、磁性物体巻／不巻コイル若しくはコイル被巻/不被巻磁性体で囲まれた領域の中心部分で生成された電磁気力のみを遮断しないように、其々の要素ごとに電磁気力遮断手段で覆った構成となっている。開口部１０−１に向かっての傾き１０−２も所望の傾きとしてよい。また、磁性物体巻／不巻コイル１１，１２と電磁気力遮断手段との間の距離及び形状も所望の距離及び形状としてよい。
１．３．３．（一対の組の其々の要素ごとに狭めて覆う）
また、一対の組の其々の要素を、電磁気力遮断手段との間隔を電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うようにしてもよい。
１．３．３．１．（単独コイルと磁性物体の電磁気力遮断）  （力を受けたくない、力を与えたくない領域を電磁気力遮断手段で覆う）
図２（１４）では、図２（１３）に示したより、さらに電磁気力遮断手段の開口部が小さくなった構成となっており、磁性物体巻／不巻コイル若しくはコイル被巻/不被巻磁性体と電磁気力遮断手段間の距離がさらに狭まった構成となっており、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うような構成となっている。開口部１０−１に向かっての傾き１０−２も、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、所望の傾きとしてよい。また、磁性物体巻／不巻コイル１１，１２と電磁気力遮断手段との間の距離及び形状も、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、所望の距離及び形状としてよい。また、電磁気力遮断手段の幅、大きさ、形状も所望の幅、大きさ、形状としてよい。
１．３．３．２．（中間領域も覆う）
さらに、一対のぺアとなる中間領域も図に示すように電磁気力遮断手段で電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うようにしてもよい。
図２（１４）では、図２（１３）に示したより、さらに電磁気力遮断手段の開口部が小さくなり、磁性物体巻／不巻コイル若しくはコイル被巻/不被巻磁性体と電磁気力遮断手段間の距離が狭まった構成となっており、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、狭めて覆うような構成となっている。
図２（１４−５）では、単数と単数又は複数の一対の組とその中間領域が電磁気力遮断手段で狭めて覆われた構成が示されている。図２（１４−５−１）では、単数と単数の一対の組とその中間領域が電磁気力遮断手段で狭めて覆われた構成が示されている。図２（１４−５−２）では、図２（７）に示す構成の一対の組の其々の要素ごとと其々の要素ごとの中間領域に電磁気力遮断手段で狭めて覆われた構成が示されている。図２（１４−５−３）では、図２（８）に示す構成の一対の組の其々の要素ごとと其々の要素ごとの中間領域に電磁気力遮断手段で狭めて覆われた構成が示されており、図２（１４−５−３）では、単に一対の組の其々の要素ごとに覆った構成と、磁性物体巻／不巻コイル若しくはコイル被巻/不被巻磁性体で囲まれた領域の中心部分で生成された電磁気力のみを遮断しないように、其々の要素ごとに電磁気力遮断手段で狭めて覆った構成となっている。開口部１０−１に向かっての傾き１０−２も所望の傾きとしてよい。また、磁性物体巻／不巻コイル１１，１２と電磁気力遮断手段との間の距離及び形状も所望の距離及び形状としてよい。また、電磁気力遮断手段の幅、大きさ、形状も所望の幅、大きさ、形状としてよい。
以上のように、一対の組の其々の要素ごとに、電磁気力を強く与えたい箇所は強く与えるように、電磁気力を弱く与えたい又は遮断したい箇所は弱く又は遮断するように、電磁気力を強く受けたい箇所は強く受けるように、電磁気力を弱く受けたい又は遮断したい箇所は弱く又は遮断するように、電磁気力遮断手段で狭めて覆うようにしたので、推進方向にのみ推進力を得るようにすることがさらに容易となっている。
（反対）
尚、以上において、単数のコイル被巻/不被巻磁性体と単数若しくは複数の磁性物体巻／不巻コイルの一対の組としたが、単数の磁性物体巻／不巻コイルと単数の若しくは複数のコイル被巻/不被巻磁性体の一対の組としてもよい。
（単数又は単数若しくは複数と単数若しくは複数又は単数で一対の組）
尚、以上においては、単数のコイル被巻/不被巻磁性物体と単数若しくは複数の磁性物体巻／不巻コイル、又は、単数若しくは複数のコイル被巻/不被巻磁性物体と単数の磁性物体巻／不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻／不巻コイルの全体で相互作用をしあう一組としてもよく、その構成を含めると、単数若しくは複数のコイル被巻/不被巻磁性物体と単数若しくは複数の磁性物体巻／不巻コイルの相互作用をしあう一対の組としてもよく、
（一対の片一方がコイル被巻/不被巻磁性物体と磁性物体巻／不巻コイルの混合体）
さらに、図６（０）に示すように、一対の片一方がコイル被巻/不被巻磁性物体と磁性物体巻／不巻コイルの混合体でもよく、その構成を含めると、単数若しくは複数のコイル被巻/不被巻磁性物体及び／又は磁性物体巻／不巻コイル並びに／若しくは単数若しくは複数の磁性物体巻／不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図２（１６−１−１）の後半には、コイル被巻/不被巻磁性物体が球体，ほぼ球体，楕円球体の��合が示されている。また、図２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図２（１６−１）は、一対の組のうち、力を受ける方の側の場合が示されており、力を受ける方の側には、緩衝材及び／又は所定の気圧のガスが挿入されておらず、図２（１６−２）は、一対の組のうち、力を与える方の側の場合が示されており、力を受ける方の側には、不要な力を受けない為に、緩衝材及び／又は所定の気圧のガスが挿入されている。尚、図２（１６−１）、図２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
【０１２１】
以下に、電磁気力遮断手段で覆う構成について詳細に説明する。
１．３の具体例
（一対の組の電磁気力の遮断）
【０１２２】
また、図６に示すように、単数又は複数で一対の磁性物体巻/不巻コイルとコイル被巻/不被巻磁性物体の一対の部分を絶縁体、磁気ガード、磁気シールド材等電磁気力を防ぐものである電磁気力遮断手段で（電磁気力遮断手段は、ほぼ円柱若しくは楕円柱のような形状であっても、どのような形状であってもよい。）相互作用を及ぼしたくない領域に電磁気力が作用するのを防ぐようにしてもよい。図６は、磁性物体巻/不巻コイルとコイル被巻/不被巻磁性物体との構成の詳細な構成を示している。また、図６（１−２）〜（７−２）に示すように、図６（１−１）〜（７−１）において、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体と、並びに、電磁気力による相互作用を及ぼしあい推進力を得るための一組の、単数又は複数で一対のうちの一方の、コイル被巻/不被巻磁性物体及び／又は磁性物体巻/不巻コイルと、電磁気力による相互作用を及ぼしあい推進力を得るための一組の、単数又は複数で一対の、磁性物体巻/不巻コイル及び／又はコイル被巻/不被巻磁性物体との間を電磁気力の相互作用を及ぼしたくない領域に電磁気力が作用するのを防ぐように、電磁気力遮断手段で覆うような構成となっている。尚、図６（５−２）、図６（６−２）に示すように、複数の磁性物体巻/不巻コイル、複数のコイル被巻/不被巻磁性物体で囲まれた領域を除いて、複数の磁性物体巻/不巻コイル、複数のコイル被巻/不被巻磁性物体を包むように覆ってもよく、複数の磁性物体巻/不巻コイル、複数のコイル被巻/不被巻磁性物体の中心部分だけ空洞部を作るように複数の磁性物体巻/不巻コイル、複数のコイル被巻/不被巻磁性物体を覆うようにしてもよい。また、図６（１−３）〜（７−３）に示すように、図６（１−２）〜（７−２）において、単数又は複数で一対のうちの一方の、単数又は複数で一対の、コイル被巻/不被巻磁性物体及び／又磁性物体巻/不巻コイルのうちの単数又は複数の磁性物体巻/不巻コイル及び／又はコイル被巻/不被巻磁性物体と、電磁気力による相互作用を及ぼしあい推進力を得るための一対のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体と、並びに、単数又は複数で一対のうちの一方の、単数又は複数で一対の、コイル被巻/不被巻磁性物体及び／又磁性物体巻/不巻コイルのうちの単数又は複数の磁性物体巻/不巻コイル及び／又はコイル被巻/不被巻磁性物体と、電磁気力による相互作用を及ぼしあい推進力を得るための一対のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻��性物体との間を電磁気力の相互作用を及ぼしたくない領域に電磁気力が作用するのを防ぐように、電磁気力遮断手段で覆うような構成となっている。また、図６（１−４）〜（７−４）に示すように、図６（１−１）〜（７−１）において、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体とを覆っている電磁気力遮断手段と、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体との間隔を狭めて（狭まったように蜜な状態にし）、電磁気力による相互作用を及ぼしあい推進力を得るための一組のうちの一方の、単数又は複数で一対の、コイル被巻/不被巻磁性物体及び／又は磁性物体巻/不巻コイルのうちの単数又は複数のコイル被巻/不被巻磁性物体及び／又は磁性物体巻/不巻コイルと、電磁気力による相互作用を及ぼしあい推進力を得るための一組のうちの他方の、単数又は複数で一対の、磁性物体巻/不巻コイル及び／又はコイル被巻/不被巻磁性物体のうちの単数又は複数の磁性物体巻/不巻コイル及び／又はコイル被巻/不被巻磁性物体との間との電磁気力の相互作用が及ぼしあう空間領域を覆っている電磁気力遮断手段の間を狭め（狭まったように蜜な状態にし）て、電磁気力の相互作用を及ぼしたくない領域に電磁気力が作用するのを防ぐように、電磁気力の相互作用を及ぼしたい領域にのみの、狭い範囲の電磁気力しか作用できないような構成となっている。また、図６（３−２）、（６−２）（（３−３）、（６−３），（３−４）、（６−４））においては、図６（２−２）、（５−２）（（２−３）、（５−３），（２−４）、（５−４））において、コイル被巻/不被巻磁性物体と磁性物体巻/不巻コイルとの役割が逆になって、コイル被巻/不被巻磁性物体と磁性物体巻/不巻コイルとが覆われた構成となっている。また、図６（４−２）、（７−２）においては、図６（２−２）と（３−２）、図６（３−２）と図６（５−２）（図６（２−３）と（３−３）、図６（３−３）と図６（５−３），図６（２−４）と（３−４）、図６（３−４）と図６（５−４））に示された構成を合成した構成となっている。また、図６の全パターンにおいて、図６の６５に示すように、コイル被巻/不被巻磁性物体と磁性物体巻/不巻コイルとの間の電磁気力遮断手段は、コイル被巻/不被巻磁性物体と磁性物体巻/不巻コイルとのどちらか一方側で切れていて、コイル被巻/不被巻磁性物体と磁性物体巻/不巻コイルとの其々が自由に可動可能な構成としてもよい。
（全パターンへの適用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図７（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図２（１６−１−１）の後半には、コイル被巻/不被巻磁性物体が球体，ほぼ球体，楕円球体の��合が示されている。また、図２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図２（１６−１）は、一対の組のうち、力を受ける方の側の場合が示されており、力を受ける方の側には、緩衝材及び／又は所定の気圧のガスが挿入されておらず、図２（１６−２）は、一対の組のうち、力を与える方の側の場合が示されており、力を受ける方の側には、不要な力を受けない為に、緩衝材及び／又は所定の気圧のガスが挿入されている。尚、図２（１６−１）、図２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
また、単数又は複数のコイル被巻/不被巻磁性体又は磁性物体巻/不巻コイルをまばらに又は蜜に設置するようにしてもよい。
【０１２３】
また、以上においては、空中浮揚停止推進体２内に、磁性物体巻/不巻コイル又はコイル被巻/不被巻磁性物体とコイル被巻/不被巻磁性物体又は磁性物体巻/不巻コイルとを反対の壁側に設置するようにしたが、一方の壁側に近接して設置させ、近接して設置した磁性物体巻/不巻コイル又はコイル被巻/不被巻磁性物体とコイル被巻/不被巻磁性物体又は磁性物体巻/不巻コイルとの相互作用により空中への浮揚、停止、推進力を得るようにしてもよい。このようにすれば、空中浮揚、停止、及び／又は推進力を得る為の制御が容易となる。この際、電磁気力の影響を与えたくない領域を絶縁体、磁気ガード、磁気シールド材等の電磁気力を防ぐものである電磁気力遮断手段で覆うようにしてもよい。また、空中浮揚停止推進体１の形状は立方体に近いものから球形に近いものまでどのような形状をとってもよい。また、コイル被巻/不被巻磁性物体又は磁性物体巻/不巻導電性線状コイル形状物体の磁性物体巻導電性線状コイル形状物体に作用する力が大きすぎる場合、コイル被巻/不被巻磁性物体又は磁性物体巻/不巻導電性線状コイル形状物体の磁性物体巻導電性線状コイル形状物体と空中浮揚停止推進体１との間に、クッション、緩衝材、バネ等の衝撃を緩める為の第１の緩衝率よりも小さい第２の緩衝率を有する第２の緩衝手段を設けるようにしてもよい。また、空中浮揚停止推進体２自身をゴム製等弾性力を有する弾性体とし、空中浮揚停止推進体２自身が第１の緩衝率よりも小さい第２，第３の緩衝率を有する第３の緩衝手段としての機能を有するようにしてもよい。また、空中浮揚停止推進体２を、衝撃を緩めるような材質を含むような構成としてもよい。また、電力供給部２５を空中浮揚停止推進体２外部に設置し、有線で外部の電力供給部２５から磁性物体巻/不巻導電性線状コイル形状物体２２及び／又はコイル被巻/不被巻磁性物体２１のコイルに電力を供給するようにしてもよい。このようにすれば、空中浮揚停止推進体１を軽量化することができる。また、空中浮揚停止推進体１内部に（例えば、電磁気力遮断手段の外に）特願２００９−１２１５９５，特願２００９−２３１０６８，特願２０１０−１０９７２３に記載の無燃料蓄電（充電）装置（システム、素子）（無線受信手段）を設け、外部に設置された電磁波供給手段（電力供給手段）（例えば、電流を流すことにより、磁性物体巻/不巻導電性線状コイル形状物体及び／又はコイル被巻/不被巻磁性物体のコイルから生成される電磁波により電力を供給する手段）から電磁波を供給し、特願２００９−１２１５９５，特願２００９−２３１０６８，特願２０１０−１０９７２３に記載の無燃料蓄電（充電）装置（システム、素子）（無線受信手段）により電力を蓄電し、蓄電した電力を磁性物体巻/不巻導電性線状コイル形状物体２２及び／又はコイル被巻/不被巻磁性物体２１のコイルに供給するようにした燃料無搭載外部無線供給（燃料無線供給）飛行体（燃料無搭載燃料無線供給飛行体，空中浮揚停止推進体）としてもよい（例えば、一度に、空中浮揚、停止、及び／又は推進するのに必要な電力を外部から無線により電磁波で供給しつつ（例えば、外部から磁性物体巻/不巻導電性線状コイル形状物体及び／又はコイル被巻/不被巻磁性物体のコイルに流し���電流により生成された電磁波を供給しつつ）、供給された電力をそのまま空中浮揚、停止、及び／又は推進に使用し、無燃料で空中浮揚、停止、及び／又は推進するようにしてもよいし、一定時間、空中浮揚、停止、及び／又は推進するのに必要な電力を外部から無線により電磁波で受信して蓄電し、必要な電力が蓄電されてから、蓄電された電力を空中浮揚、停止、及び／又は推進に使用するようにしてもよい）。このようにすれば、空中浮揚停止推進体２を軽量化することができると共に、燃料を搭載せずに飛行することができる。尚、電力が不足する場合は、特願２００９−１２１５９５，特願２００９−２３１０６８，特願２０１０−１０９７２３に記載のコンデンサー、及び／又はコンデンサーと定電圧（ツェナー）ダイオード等の整流手段若しくは（リレー）スイッチ等の、スイッチング機能を用いて充電された充電池を電池の代わりに使用し、複数使用する（例えば、複数のコンデンサーを、コンデンサーと定電圧（ツェナー）ダイオード等の整流手段若しくは（リレー）スイッチ等の、スイッチング機能によりコンデンサーを、コンデンサーと定電圧（ツェナー）ダイオード等の整流手段若しくは（リレー）スイッチ等の、スイッチング機能により充電された充電池を、コンデンサーと定電圧（ツェナー）ダイオード等の整流手段若しくは（リレー）スイッチ等の、スイッチング機能により充電された充電池を定電圧（ツェナー）ダイオード等の整流手段若しくは（リレー）スイッチ等の、スイッチング機能により充電池を切り替えて使用したり、複数のコンデンサー、及び／又は、コンデンサーと定電圧（ツェナー）ダイオード等の整流手段若しくは（リレー）スイッチ等の、スイッチング機能により充電された充電池を並列又は直列に接続して使用する）ようにすれば、軽量化できると共に大電力を供給することができる。また、空中浮揚停止推進体２内部（例えば、電磁気力遮断手段の外に）に特願２００９−１２１５９５，特願２００９−２３１０６８，特願２０１０−１０９７２３に記載の無燃料蓄電（充電）装置（システム、素子）（無線受信手段）を設け、特願２００９−１２１５９５，特願２００９−２３１０６８，特願２０１０−１０９７２３に記載の無燃料蓄電（充電）装置（システム、素子）（無線受信手段）により電力を蓄電し、蓄電した電力を磁性物体巻/不巻導電性線状コイル形状物体２２及び／又はコイル被巻/不被巻磁性物体２１のコイルに供給するようにした無燃料飛行体（燃料無搭載燃料無線供給飛行体，空中浮揚停止推進体）としてもよい（例えば、特願２００９−１２１５９５，特願２００９−２３１０６８に記載の無燃料蓄電（充電）装置（システム、素子）に、一定時間、空中浮揚、停止、及び／又は推進するのに必要な電力が充電されてから、無燃料で飛行するようにしてもよい。また、特願２００９−１２１５９５，特願２００９−２３１０６８，特願２０１０−１０９７２３に記載の無燃料蓄電（充電）装置（システム、素子）に、一定時間、空中浮揚、停止、及び／又は推進するのに必要な電力が充電されてから、無燃料で飛行し、燃料がなくなれば停止し、一定時間、空中浮揚、停止、及び／又は推進するのに必要な電力が充電されてから、無燃料で飛行し��いう動作を繰り返すようにしてもよい。）。このようにすれば、空中浮揚停止推進体２を軽量化することができると共に、無燃料で飛行することができる。尚、蓄電する電力が不足する場合は、特願２００９−１２１５９５，特願２００９−２３１０６８，特願２０１０−１０９７２３に記載のコンデンサー、及び／又はコンデンサーと定電圧（ツェナー）ダイオード等の整流手段若しくは（リレー）スイッチ等の、スイッチング機能を用いて充電された充電池を電池の代わりに使用し、複数使用する（例えば、複数のコンデンサー、コンデンサーと定電圧（ツェナー）ダイオード等の整流手段若しくは（リレー）スイッチ等の、スイッチング機能によりコンデンサーを、コンデンサーと定電圧（ツェナー）ダイオード等の整流手段若しくは（リレー）スイッチ等の、スイッチング機能により充電された充電池を、コンデンサーと定電圧（ツェナー）ダイオード等の整流手段若しくは（リレー）スイッチ等の、スイッチング機能により充電された充電池を定電圧（ツェナー）ダイオード等の整流手段若しくは（リレー）スイッチ等の、スイッチング機能により充電池をを切り替えて使用したり、複数のコンデンサー、及び／又は、コンデンサーと定電圧（ツェナー）ダイオード等の整流手段若しくは（リレー）スイッチ等の、スイッチング機能により充電された充電池を並列又は直列に接続して使用する）ようにすれば、軽量化できると共に大電力を供給することができる。尚、以上において、電力供給部２５と電力供給部２５から磁性物体巻/不巻導電性線状コイル形状物体２２及び／又はコイル被巻/不被巻磁性物体２１のコイルに電力を供給する間に、抵抗を設けるようにしてもよい。
【０１２４】
次に、本実施の形態の空中浮揚停止推進体２の動作及び本発明の空中浮揚停止推進方法の第２の実施の形態であり、本実施の形態の空中浮揚停止推進体２の空中浮揚停止推進方法について説明する。
【０１２５】
電力供給部２４は空中に浮遊する為に、必要な電源を供給する。磁性物体巻/不巻導電性線状コイル形状物体２２及びコイル被巻/不被巻磁性物体２１からは電磁場が発生し、コイル被巻/不被巻磁性物体２１及び磁性物体巻/不巻導電性線状コイル形状物体２２を上方に引き上げる力（空中浮揚停止推進体２全体にかかる重力よりも大きな電磁気力による浮力）を与える。これにより、空中浮揚停止推進体２は、空中に浮揚する。停止したい位置で、電力供給部２４は、停止する為に必要な電源を供給する。磁性物体巻/不巻導電性線状コイル形状物体２２及びコイル被巻/不被巻磁性物体２１からは電磁場が発生し、コイル被巻/不被巻磁性物体２１及び磁性物体巻/不巻導電性線状コイル形状物体２２を空中に停止するだけの力を与える。これにより、空中浮揚停止推進体２は、空中に停止する。可変方向変更部２４は、推進方向に磁性物体巻/不巻導電性線状コイル形状物体２２及び／又はコイル被巻/不被巻磁性物体２１を変動し、電力供給部２４は、推進方向に推進する為に必要なだけの電源を磁性物体巻/不巻導電性線状コイル形状物体２２及び／又はコイル被巻/不被巻磁性物体２１のコイルに供給する。これにより、空中浮揚停止推進体２は、推進したい方向に推進することができる。
【０１２６】
以上のように、空中浮揚停止推進体２によれば、（それ自体（自身）で）空中に浮揚、停止、及び／又は推進することができる。
【０１２７】
（全パターンへの適用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図７（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図２（１６−１−１）の後半には、コイル被巻/不被巻磁性物体が球体，ほぼ球体，楕円球体の��合が示されている。また、図２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図２（１６−１）は、一対の組のうち、力を受ける方の側の場合が示されており、力を受ける方の側には、緩衝材及び／又は所定の気圧のガスが挿入されておらず、図２（１６−２）は、一対の組のうち、力を与える方の側の場合が示されており、力を受ける方の側には、不要な力を受けない為に、緩衝材及び／又は所定の気圧のガスが挿入されている。尚、図２（１６−１）、図２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
【０１２８】
【実施例１】
【０１２９】
本発明の空中浮揚停止推進体の第１及び／又は第２の実施の形態の実施例１について、図３を用いて説明する。
【０１３０】
本発明の空中浮揚停止推進体の実施例１は、中身が空洞のほぼ球形の磁石により形成された、導電性線状コイル形状物体に巻かれている若しくは巻かれていない磁性を有する磁性物体３と、磁性物体３内に設置された所望の方向に推進できるような向きに設置された導電性線状コイル形状物体に巻かれている若しくは巻かれていない磁性物体３の導電性線状コイル形状物体に巻かれている磁性物体３のコイル及び／又は磁性物体を巻いている若しくは巻いていないコイル３２と、導電性線状コイル形状物体に巻かれている若しくは巻かれていない磁性物体３の導電性線状コイル形状物体に巻かれている磁性物体３のコイル及び／又は磁性物体を巻いている若しくは巻いていないコイル３２に電力を供給する電力供給部（不図示）と、磁性物体若しくは導電性線状コイル形状物体で巻かれた磁性物体３の導電性線状コイル形状物体及び／又は磁性物体を巻いている若しくは巻いていないコイル３２に供給する電力を調整制御する電力供給制御部（不図示）とから構成されている。
【０１３１】
図３の其々のパターンは、コイルの設置位置、向き、又は設置数による違いである。図３（１−１）〜（１−４）においては、上側又は下側及び前方若しくは後方に設置されており、上下方向と前方後方の推進が可能となっている。また、第２の実施の形態に示すように、其々のコイルが四方に可動可能としてもよい。また、図３（２−１）においては、上下側及び前後方に設置されている。図３（２−２）、（２−３）、（２−４）においては、さらに、コイルが前後方向、上下方向、前後上下方向に蜜に複数設置されている。図３（３−１）においては、図３（２−１）において、コイルが上下前後斜め４５度方向に設置されている。図３（３−２）〜（３−７）においては、さらに、コイルが前後方向、上下方向、斜め４５度方向、前後上下方向、上下斜め４５度方向、前後上下斜め４５度方向に蜜に複数設置されている。このように、図３（１−１）〜（１−４）、（２−１）〜（１−４）（３−２）〜（３−７）に示すように、ほぼ球体の空中浮揚停止推進体内部に球体の中心に対して対象にコイルを設置すれば、空中浮揚、停止、及び／又は推進させたりする制御が容易となる。以上において、第２の実施の形態に示すように、其々のコイルが四方に可動可能としてもよい。また、第２の実施の形態に示すように、コイルを一個だけ球体内部に設置して、図２（５）に示す可変位置方向変更部を用いて、可動可能とするような構成としてもよい。また、第２の実施の形態に示すように、コイルを２個球体内部に設置して、図２（６）に示す可変位置方向変更部を用いて、可動可能とするような構成としてもよい。また、図３中において、図示していないが、球体内部に電力供給部が備えられており、電力供給部は、コイルに電力を供給する。さらに、コイルに供給する電力を調整制御する電力供給制御部（電力供給及び／又は可動可能設置位置制御手段（詳細は、図１１に示す電力供給及び／又は可動可能設置位置制御手段において後述する。））を設けるようにしてもよい。（電源供給を外部から行う。また、電力供給部を球体外部に備え、球体内部に無線受信部を設け、外部から電源供給をする無線により電源供給するようにしてもよい。また、外部から別の無線手段により電源制御部を制御したり、コイル可動部が設けられている場合は、可動部を可動させたり、複数のコイルが設置されている場合は、其々のコイルの電源を其々制御する電力供給及び／又は可動可能設置位置制御手段（詳細は、図１１に示す電力供給及び／又は可動可能設置位置制御手段において後述する。）を設けるようにしてもよい。）
【０１３２】
また、以上においては、磁性物体は、ほぼ球形としたが、球形としてもよいし、楕円体、回転楕円体のようにしてもよく、直方体、立方体のようにしてもよく（このように対称性を有する形状を使用すれば、空中浮揚、停止、及び／又は推進させたりする制御が容易となる。）、また、図３（４）に示すように、磁性物体３に対して複数のコイルに電流を流した際、複数のコイルから発生する電磁気力の合成により所望の方向に磁性物体３が受ける電磁気力が1つのコイルの場合よりも大きく合成され、及び／又は、一点に合成電磁気力が作用するような位置及び向きにコイルを設置し、コイルに電流を流すような構成としてもよく（例えば、図３（５）に示すように、複数のコイルで囲まれた領域上に電磁気力を合成した合成電磁気力を生成するようにしてもよく）、また、図３（４）において、複数のコイルは、図１（４−１）に示すように、磁性物体に対して一列に円弧状及び／又は磁性物体から見て円若しくは楕円状に設置されている。図３に示すように、単数又は複数の一対の組を使用して及び／又は全体で制御する構成を使用して、全体を構成するようにしてもよい。このようにすれば、空中浮揚、停止、及び／又は推進力を得る為の制御が容易となる。また、図３（４）において、複数のコイルの傾きは、図４（４−１）に示すように、全方向の所望の方向に傾けて設置するようにしてもよく、また、図３（６）に示すように、物体の１部分だけコイル被巻/不被巻磁石とし、他は絶縁性のもの、磁性を有しないものとしてもよく、磁石部分とコイル部分の相互作用により、空中浮揚、停止、推進することができるようなものであればどのようなものであってもよい。
【０１３３】
このように、図３（４）〜（６）（コイル被巻/不被巻磁性物体を絶縁体で区切りながら磁性物体巻/不巻コイルを設置する場合の図）に示すように、物体の１部分だけ磁石とし、他は絶縁性のもの、磁性を有しないものをも含めた磁石部分と複数のコイル部分の相互作用の関係は、図７に示すような構成のパターンがある。これらの各種構成を示したのが図７である。尚、図７（０）に示したように、磁性物体部分は、単数又は複数の磁性物体及び／又はコイル並びに／若しくは磁性物体及び／又はコイルであり、コイルは、単数又は複数のコイル及び／又は磁性物体並びに／若しくはコイル及び／又は磁性物体を示している。図７（１−１）においては、コイル被巻/不被巻磁性物体に対して、磁性物体巻/不巻コイルが電磁気力が発生する方向上に設置されている。この場合、磁性物体巻/不巻コイルは、磁性物体を巻いていないコイルを用いてもよく、磁性物体を巻いているコイルを用いてもよい。磁性物体を巻いているコイルを使用する場合は、コイル被巻/不被巻磁性物体よりも受ける電磁気力を小さくするように、磁性物体を巻いているコイルをコイル被巻/不被巻磁性物体より小型化するようにしてもよい。また、図７（２−１）においては、また、物体が、磁性物体と絶縁物体とで構成されており、物体の磁性部分とコイルとの大きさがほぼ同じ場合の構成としたものである。また、図７（３−１）においては、物体が、磁性物体と絶縁物体とで構成されており、物体の磁性部分の大きさがコイルよりも小さい場合の構成としたものであり、コイルに対して一列に円弧状及び／又はコイルから見て円若しくは楕円状に設置された複数の磁性物体による合成電磁気力が磁性物体に作用するように構成されている。図７（４−１）においては、1つの磁性物体に対して一列に円弧状及び／又は磁性物体から見て円若しくは楕円状に設置された複数のコイルによる合成電磁気力が磁性物体に作用するように構成されている。また、図７（５−１）においては、また、物体が、磁性物体と絶縁物体とで構成されており、物体の磁性部分と複数のコイルとの大きさがほぼ同じ場合の構成としたものである。また、図７（６−１）においては、物体が、磁性物体と絶縁物体とで構成されており、物体の磁性部分の大きさがコイルよりも小さい場合の構成としたものであり、1つの磁性物体又はコイルに対して一列に円弧状及び／又はコイル又は磁性物体から見て円若しくは楕円状に設置された複数の磁性物体又はコイルによる合成電磁気力が磁性物体又はコイルに作用するように構成されている。また、図７（７−１）においては、磁性物体に対して、直角方向に円若しくは楕円状に設置された複数のコイルによる合成電磁気力が磁性物体に作用するように構成されている。図７（８−１）においては、図７（７−１）において、物体が、磁性物体と絶縁物体とで構成されており、物体の磁性部分と複数のコイルとの大きさがほぼ同じ場合の構成としたものである。図７（９−１）においては、図７（８−１）において、物体が、磁性物体と絶縁物体とで構成されており、物体の磁性部分の大きさがコイルよりも小さい場合の構成としたものであり、コイルに対して一列に円弧状及び／又はコイルから見て円若しくは楕円状に設置された複数の磁性物体による合成電磁気力が磁性物体に作用するように構成されている。
【０１３４】
また、図７（１−２）〜（９−２）に示すように、図７（１−１）〜（９−１）において、電磁気力による相互作用を及ぼしあい推進力を得るための一組のうちの一方の、単数又は複数で一対の、磁性物体及び／又はコイルのうちの単数又は複数の磁性物体及び／又はコイルと、電磁気力による相互作用を及ぼしあい推進力を得るための一組のうちの他方の、単数又は複数で一対の、コイル及び／又は磁性物体のうちの単数又は複数のコイル及び／又は磁性物体と、並びに、電磁気力による相互作用を及ぼしあい推進力を得るための一組の、単数又は複数で一対のうちの一方の、磁性物体及び／又はコイルと、電磁気力による相互作用を及ぼしあい推進力を得るための一組の、単数又は複数で一対の、コイル及び／又は磁性物体との間を電磁気力の相互作用を及ぼしたくない領域に電磁気力が作用するのを防ぐように、電磁気力遮断手段で覆うような構成となっている。また、図７（１−３）〜（９−３）に示すように、図７（１−２）〜（９−２）において、単数又は複数で一対のうちの一方の、単数又は複数で一対の、磁性物体及び／又コイルのうちの単数又は複数のコイル及び／又は磁性物体と、電磁気力による相互作用を及ぼしあい推進力を得るための一対のうちの他方の、単数又は複数で一対の、コイル及び／又は磁性物体のうちの単数又は複数のコイル及び／又は磁性物体と、並びに、単数又は複数で一対のうちの一方の、単数又は複数で一対の、磁性物体及び／又コイルのうちの単数又は複数のコイル及び／又は磁性物体と、電磁気力による相互作用を及ぼしあい推進力を得るための一対のうちの他方の、単数又は複数で一対の、コイル及び／又は磁性物体のうちの単数又は複数のコイル及び／又は磁性物体との間を電磁気力の相互作用を及ぼしたくない領域に電磁気力が作用するのを防ぐように、電磁気力遮断手段で覆うような構成となっている。尚、図７（７−２）、図７（８−２）、図７（９−２）に示すように、複数の磁性物体巻/不巻コイル、複数のコイル被巻/不被巻磁性物体で囲まれた領域を除いて、複数の磁性物体巻/不巻コイル、複数のコイル被巻/不被巻磁性物体を包むように覆ってもよく、複数の磁性物体巻/不巻コイル、複数のコイル被巻/不被巻磁性物体の中心部分だけ空洞部を作るように複数の磁性物体巻/不巻コイル、複数のコイル被巻/不被巻磁性物体を覆うようにしてもよい。また、図７（１−４）〜（９−４）に示すように、図７（１−１）〜（９−１）において、電磁気力による相互作用を及ぼしあい推進力を得るための一組のうちの一方の、単数又は複数で一対の、磁性物体及び／又はコイルのうちの単数又は複数の磁性物体及び／又はコイルと、電磁気力による相互作用を及ぼしあい推進力を得るための一組のうちの他方の、単数又は複数で一対の、コイル及び／又は磁性物体のうちの単数又は複数のコイル及び／又は磁性物体とを覆っている電磁気力遮断手段と、電磁気力による相互作用を及ぼしあい推進力を得るための一組のうちの一方の、単数又は複数で一対の、磁性物体及び／又はコイルのうちの単数又は複数の磁性物体及び／又はコイルと、電磁気力による相互作用を及ぼしあい推進力を得るための一組のうちの他方の、単数又は複数で一対の、コイル及び／又は磁性物体���うちの単数又は複数のコイル及び／又は磁性物体との間隔を狭めて（狭まったように蜜な状態にし）、電磁気力による相互作用を及ぼしあい推進力を得るための一組のうちの一方の、単数又は複数で一対の、磁性物体及び／又はコイルのうちの単数又は複数の磁性物体及び／又はコイルと、電磁気力による相互作用を及ぼしあい推進力を得るための一組のうちの他方の、単数又は複数で一対の、コイル及び／又は磁性物体のうちの単数又は複数のコイル及び／又は磁性物体との間との電磁気力の相互作用が及ぼしあう空間領域を覆っている電磁気力遮断手段の間を狭め（狭まったように蜜な状態にし）て、電磁気力の相互作用を及ぼしたくない領域に電磁気力が作用するのを防ぐように、電磁気力の相互作用を及ぼしたい領域にのみの、狭い範囲の電磁気力しか作用できないような構成となっているまた、図７の全パターンにおいて、図７の６５に示すように、コイル被巻/不被巻磁性物体と磁性物体巻/不巻コイルとの間の電磁気力遮断手段は、コイル被巻/不被巻磁性物体と磁性物体巻/不巻コイルとのどちらか一方側で切れていて、コイル被巻/不被巻磁性物体と磁性物体巻/不巻コイルとの其々が自由に可動可能な構成としてもよい。
【０１３５】
（全パターンへの適用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図７（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１，２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１，２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１，２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１，２（１６−１−１）の後半には、コイル被巻/不被巻磁性物体が球体，ほぼ��体，楕円球体の場合が示されている。また、図１，２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１，２（１６−１）は、一対の組のうち、力を受ける方の側の場合が示されており、力を受ける方の側には、緩衝材及び／又は所定の気圧のガスが挿入されておらず、図１，２（１６−２）は、一対の組のうち、力を与える方の側の場合が示されており、力を受ける方の側には、不要な力を受けない為に、緩衝材及び／又は所定の気圧のガスが挿入されている。尚、図１，２（１６−１）、図１，２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
【０１３６】
次に、本発明の空中浮揚停止推進体の第１及び／又は第２の実施の形態の実施例１の空中浮揚停止推進体３の空中浮揚停止推進方法について説明する。
【０１３７】
図３（７）は、本実施例の空中浮揚停止推進体の空中浮揚停止推進方法の一例を示している。
【０１３８】
本実施例の空中浮揚停止推進体３においては、空中に浮揚及び／又は、停止する場合は、図３（７−１）に示すように、球体３の上部及び／又は下部に設置されているコイル３２に電流を流すことにより、空中に浮揚及び／又は、停止する。また、安定して空中に浮揚、及び／又は、停止する為に、左斜め下方向、右斜め下方向に設置されたコイル３２に電流を流すことにより、安定性を得るようにしてもよい。また、空中での前方及び／又は後方への移動は、図３（７−２）に示すように、球体３の上部及び／又は下部、並びに／若しくは、球体の左及び／又は右方向に設置されたコイル３２に電流を流すことにより、空中で前方及び／又は後方に推進する。また、空中での右斜め上及び／又は左斜め下への移動は、図３（７−３）に示すように、球体３の上部及び／又は下部、並びに／若しくは、球体の右斜め上及び／又は左斜め下方向に設置されたコイル３２に電流を流すことにより、空中で右斜め上及び／又は左斜め下に推進する。また、空中での左斜め上及び／又は右斜め下への移動は、図３（７−４）に示すように、球体３の上部及び／又は下部、並びに／若しくは、球体の左斜め上及び／又は右斜め下方向に設置されたコイル３２に電流を流すことにより、空中で右斜め上及び／又は左斜め下に推進する。以上説明した推進方法は、電磁気力による推進力を得るのに、一組のまとまった磁性物体及び／又はコイルの1つの組を用いて推進力を得るようにしているが、磁性物体及び／又はコイルの全体が生成する全体での電磁気力により推進力を得るようにしてもよい。空中に浮揚及び／又は停止、並びに／若しくは、前方及び／又は後方、右斜め上及び／又は左斜め下、右斜め上及び／又は左斜め下、等の所望の全方向に推進できる方法であれば、空中浮揚停止推進体３のどの箇所に電流を流し、どの箇所とどの箇所との電磁気力により生成される推進力を使用するようにしてもよい。
【０１３９】
以上のように、本実施例によれば、球体内部にコイルを推進方向に平行に設置するようにしたので（推進方向に推進力を得られるように設置したので）、電力供給部からコイルに電源を流すことにより、空中浮揚停止推進体の空中浮揚、停止、及び／又は推進を可能とすることができる。また、ほぼ球体の空中浮揚停止推進体内部に球体の中心に対して対象にコイルを設置すれば、空中浮揚、停止、及び／又は推進させたりする制御が容易となる。
【０１４０】
（全パターンへの適用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図７（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１，２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１，２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１，２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１，２（１６−１−１）の後半には、コイル被巻/不被巻磁性物体が球体，ほぼ��体，楕円球体の場合が示されている。また、図１，２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１，２（１６−１）は、一対の組のうち、力を受ける方の側の場合が示されており、力を受ける方の側には、緩衝材及び／又は所定の気圧のガスが挿入されておらず、図１，２（１６−２）は、一対の組のうち、力を与える方の側の場合が示されており、力を受ける方の側には、不要な力を受けない為に、緩衝材及び／又は所定の気圧のガスが挿入されている。尚、図１，２（１６−１）、図１，２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
【０１４１】
【実施例２】
【０１４２】
本発明の空中浮揚停止推進体の第１及び／又は第２の実施の形態の空中浮揚停止推進体の実施例２について、図４及び図５を用いて説明する。
【０１４３】
本発明の空中浮揚停止推進体の実施例２は、実施例１の其々のパターンにおいて、さらに、図４（１−１）、（１−２）に示すように、磁気シールド材、磁気ガード材、絶縁体等の電磁気力を遮断することができる電磁気力遮断体４８で球体を覆い、球体４の内部又は外部にコイル４２を設置するような構成とするか、図４（１−３）、（１−４）に示すように、図４（１−２）、（１−３）において、さらに、内部に磁気シールド材、磁気ガード材、絶縁体等の電磁気力を遮断することができる電磁気力遮断体４９a（外部には４９ｂ）を設けるような構成としたものである。図３の実施例１に、図４（１−１）、（１−２）、（１−３）、（１−４）を適用したものが、其々図５の（１−  ）、（２−  ）、（３−  ）、（４−  ）である。また、磁性物体と複数のコイルとの構成の間には、実施例１の図３（４）、（５）のように、球体の内部に設置し、球体の外部を電磁気力遮断手段で覆った構成のものが図４（３）、（４）に該当し、球体の外部にコイルを設置して、その外部を電磁気力遮断手段で覆ったものが、図４（５）、（６）に該当し、実施例１と同様に、図４（７）に示すように、球体の一部を磁性体とすることもでき、それらの単数又は複数のコイルと磁性体の全ての構成を示しているのが図７である。図７においては、内部にコイルが格納されている場合が示されているが、コイルを外部に設置したとしても、コイルと磁性体の構成の対応関係は同様であり、内部に設置されている場合は、球体の外部を電磁気力遮断手段で覆い、外部に設置されている場合は、コイルの外部を電磁気力遮断手段で覆い、球体の内部から電磁気力遮断手段を設置するで覆う場合は、球体の内部に電磁気力遮断手段を設置する。尚、電磁気力遮断体は球体でなくても球体を覆うようなものであればどのようなものであってもよい。
【０１４４】
以上のように、本実施例の空中浮揚停止推進体によれば、電磁気力の影響を与えたくない領域を磁気シールド材、磁気カード、絶縁体等の電磁気力を防ぎ、遮断できるもので覆うようにしたので、不要な電磁気力の影響を受けないようにすることができる。
【０１４５】
（全パターンへの適用）
（単数又は単数若しくは複数と単数若しくは複数又は単数で一対の組）
尚、以上においては、単数のコイル被巻/不被巻磁性物体と単数若しくは複数の磁性物体巻/不巻コイル、又は、単数若しくは複数のコイル被巻/不被巻磁性物体と単数の磁性物体巻/不巻コイルの相互作用をしあう一対の組としたが、
（全体で制御する場合も含めると単数若しくは複数と単数若しくは複数で一対の組）
複数のコイル被巻/不被巻磁性物体と複数の磁性物体巻/不巻コイルの全体で相互作用をしあう一組としてもよく、その構成を含めると、単数若しくは複数のコイル被巻/不被巻磁性物体と単数若しくは複数の磁性物体巻/不巻コイルの相互作用をしあう一対の組としてもよく、
（一対の片一方がコイル被巻/不被巻磁性物体と磁性物体巻/不巻コイルの混合体）
さらに、図７（０）に示すように、一対の片一方がコイル被巻/不被巻磁性物体と磁性物体巻/不巻コイルの混合体でもよく、その構成を含めると、単数若しくは複数のコイル被巻/不被巻磁性物体及び／又は磁性物体巻/不巻コイル並びに／若しくは単数若しくは複数の磁性物体巻/不巻コイル及び／又はコイル被巻/不被巻磁性物体の相互作用をしあう一対の組としてもよく、このような構成も適用が可能である。
尚、単数又は複数の、コイル被巻/不被巻磁性物体、及び磁性物体巻/不巻コイルによる一組により電磁気力を得る構成の場合は、制御として行う際には、電磁気力を受ける方の側には、磁性物体不巻コイルは使用することができない。ただし、全体により生成される電磁気力による推進力を得る場合は、この場合も構成の中に入れることができる。また、尚、単数又は複数の、コイル被巻/不被巻磁性物体、及び磁性物体巻/不巻コイルによる一組により電磁気力を得る構成の場合は、制御として行う際には、電磁気力を与える方の側に磁性物体巻コイルを使用する場合、電磁気力を受ける方の側が受ける力よりも小さくなるように小型化したり、磁性物体巻コイルが生成する電磁気力による磁性物体巻コイルに作用する力の方が、磁性物体巻コイルが生成する電磁気力による磁性物体巻コイルに生成する力よりも大きく（又は小さく）なるように電磁気力を制御する必要がある。ただし、全体により生成される電磁気力による推進力を得る場合は、この場合も構成の中に入れることができる。また、制御として行う際には、コイル被巻磁性物体は、電磁気力を与える側としての制御を行う際の使用はできないが、この構成も可能である。（尚、コイル側は固定又はクッション、緩衝材、バネ等の衝撃を緩める為の第１の緩衝率を有する第１の緩衝手段を挟んで固定し、不要な力（不要な向きの力）を分散し、受けないように（力を受けたくない向きに力を受けないように）してもよい。また、コイル被巻/不被巻磁性物体、及び磁性物体巻/不巻コイルを特定の方向、例えば推進方向に平行な方向にのみしか力を発揮できないように、例えば、図１，２（１１−３）に示すように、コイル被巻/不被巻磁性物体、磁性物体巻/不巻コイルの磁性物体の真ん中（中央部）を円筒状にくり貫き、その中に棒状の非磁性体２０を通し、推進方向に平行な方向にのみしか力を発揮できないようにしてもよい。推進方向に平行な方向にのみしか力を発揮できないようにする形態は、磁性物体の真ん中（中央部）に棒状の非磁性体を通す形態のみならず、推進方向に平行な方向にのみしか力を発揮できないようにできればどのような形態であってもよい。例えば、図１，２（１６−１）には、電磁気力遮断手段に被覆／非被覆された、固定具３０に固定／非固定された、単数又は複数の、立方体,直方体、又は球形,ほぼ球形,楕円球の形状のコイル被巻/不被巻磁性物体,磁性物体巻コイル、又は、磁性物体巻/不巻コイル１１and/or１２が（電磁気力遮断手段に被覆／非被覆の）容器２９に挿入されて空中浮揚停止推進体１に固定され、不要な力の向きの方向に緩衝材及び／又は所定の気圧のガス２８が挿入され、不要な向きの力を受けないようにした構成が示されている。さらに、図１，２（１６−１−１）には、電磁気力遮断手段に被覆／非被覆された、固定具３０に固定／非固定された、単数又は複数の、非磁性体２０が挿入／非挿入されたコイル被巻/不被巻磁性物体, 磁性物体巻/不巻コイル１１and/or１２が（電磁気力遮断手段に被覆／非被覆の）容器２９に挿入されて固定され、緩衝材及び／又は所定の気圧のガス２８が挿入／非挿入された構成が示されている。また、図１，２（１６−１−１）の後半には、コイル被巻/不被巻磁性物体が球体，ほぼ��体，楕円球体の場合が示されている。また、図１，２（１６−２）に示すように、このようにして構成された単数又は複数の、（電磁気力遮断手段に被覆／非被覆の、固定具３０に固定／非固定）容器２９そのものが、（電磁気力遮断手段に被覆／非被覆の）容器２９に挿入されて空中浮揚停止推進体１に固定され、不要な力の向きの方向に緩衝材及び／又は所定の気圧のガス２８が挿入された構成が示されている。図１，２（１６−１）は、一対の組のうち、力を受ける方の側の場合が示されており、力を受ける方の側には、緩衝材及び／又は所定の気圧のガスが挿入されておらず、図１，２（１６−２）は、一対の組のうち、力を与える方の側の場合が示されており、力を受ける方の側には、不要な力を受けない為に、緩衝材及び／又は所定の気圧のガスが挿入されている。尚、図１，２（１６−１）、図１，２（１６−２）に示すように、容器２９、固定具３０、コイル被巻/不被巻磁性物体,磁性物体巻コイル又は磁性物体巻/不巻コイル１１and/or１２、及び／又は、非磁性体２０との間に緩衝材及び／又は所定の気圧のガス２８を挿入するようにしてもよい。）
尚、空中浮揚停止推進体全体を空中浮揚、停止、及び／又は推進する為の空中浮揚停止推進体全体を構成するのに、単数又は複数の一対の組を使用して及び／又は全体で制御する構成を使用して、全体を構成するようにしてもよい。このようにすれば、空中浮揚、停止、及び／又は推進力を得る為の制御が容易となる。
【０１４６】
（多層階層、一対の上下配置、一対の筒状配置、（与力手段（単位構造内及び／又は外）））
尚、以上において、空中浮揚停止推進体１２３，１２３’、１２３’’内部を多層階層１２０，１２０−１〜１２０−ｎとして、その多層階層上にコイル被巻/不被巻磁性物体１１,又は磁性物体巻コイル１２を配置して、多層階層１２０，１２０−１〜１２０−ｎからの合成した力を多層階層間を繋ぐ与力（力を与える）部１２２（多層階層の層を含めて与力部１２２としてもよい）を介して空中浮揚停止推進体１２３に与え、空中浮揚停止推進力を増大するようにしてもよい。このようにすれば、さらに、空中浮揚停止推進力を増大できる為、空中浮揚停止推進力の制御が容易となる。図１２（１）においては、その多層階層１２０，１２０−１〜１２０−ｎ上にコイル被巻/不被巻磁性物体１１,又は磁性物体巻コイル１２を配置して、又は、その多層階層１２０，１２０−１〜１２０−ｎを非磁性体とコイル被巻/不被巻磁性物体１１,又は磁性物体巻コイル１２とで区切り生成し、そして、その多層階層１２０，１２０−１〜１２０−ｎ上に単数又は複数の、一対の組を配置した構成が示されている（尚、一対の組の其々は、所定の設置（固定）手段により所定の位置に設置（固定）されている）。また、図１２（２）においては、その多層階層１２０，１２０−１〜１２０−ｎ上にコイル被巻/不被巻磁性物体１１,又は磁性物体巻コイル１２を配置して、又は、その多層階層１２０，１２０−１〜１２０−ｎを非磁性体とコイル被巻/不被巻磁性物体１１,又は磁性物体巻コイル１２とで区切り生成し、そして、その多層階層１２０，１２０−１〜１２０−ｎ上下に単数又は複数の、一対の組を配置した構成が示されている（尚、一対の組の其々は、所定の設置（固定）手段により所定の位置に設置（固定）されている）。また、図１２（３）においては、図１２（２）において、多層階層１２０，１２０−１〜１２０−ｎ間のコイル被巻/不被巻磁性物体１１,又は磁性物体巻コイル１２が筒状に蜜に、又は筒状に形成された構成が単数又は複数も設けられた構成が示されている（尚、筒状に蜜に又は筒状に形成された一対の組の其々は、所定の設置（固定）手段により所定の位置に設置（固定）されている）。尚、図１２において、空中浮揚停止推進体１２３，１２３’、１２３’’、多層階層１２０，１２０−１〜１２０−ｎは球体、又はほぼ球体であり、コイル被巻/不被巻磁性物体１１,又は磁性物体巻コイル１２は、多層階層１２０，１２０−１〜１２０−ｎに密に形成され、力を受ける方の側は、力を与える方の側に対して横から見ると線状又は円弧上で、力を与える方の側から見ると円状、楕円状に設置され（力を与える方の側は全く力を受けない構成）た構成が示されている。このように、空中浮揚停止推進体１２３，１２３’、１２３’’、多層階層１２０，１２０−１〜１２０−ｎを球体又はほぼ球体とし、球対象にコイル被巻/不被巻磁性物体１１,又は磁性物体巻コイル１２を蜜に配置し、力を受ける方の側は、力を与える方の側に対して横から見ると線状又は円弧上で、力を与える方の側から見ると円状、楕円状に設置されている為、空中浮揚停止推進力を増大できると共に空中浮揚停止推進力を無駄なく使用することができ、空中浮揚停止推進力の制御が容易となる。尚、図１２においては図示していないが��一対の組には、力を与えたい箇所は力を与えるように、力を与えたくない箇所は力を与えないように、一対の組の例において説明した電磁気力遮断手段で覆われており、一対の組の電磁気力遮断手段で覆う例で示した各種パターンの適用が可能である。また、一対の組も、一対の組の例で示した各種構成パターンの組み合わせが適用可能である。また、図１２では、電力供給部１４，２４、電力供給制御部１５，２５は図示を省略してある。尚、多層構造の単位は、図１２では６面体となっているが、6面体でなくとも多面体であってもよく、また、多面体に限らず（及び／又は与力部１２２が備えられる）任意の（形状の）形態の単位であれば（単位としての（形状の）形態を有していなくとも）どのようなものであってもよく（例えば、単位構造１２０（，１２１）を図１２の多層構造及び／又は単数若しくは複数の単位構造１２０（，１２１）とするのみならず、後述する図１４及び／又は図１５の多層構造及び／又は単数若しくは複数の単位構造１２０（，１２１）としてもよく）、また、単位ごとが異なる（形状の）形態をとってもよく、また、単位あたりの多面体及び／又は任意の（形状の）形態間に其々隙間ができるような多層構造としてもよい（図１２（４））。また、与力部１２２は、多層構造の単数又は複数の単位構造内及び／又は外に備え（与力部１２２を含んで単位構造としてもよく、与力部１２２の一部を含んで単位構造としてもよく、与力部１２２を含まずに単位構造としてもよい）、多層構造間に力を与えるように連結されるようにしてもよい（また、多層構造間及び／又は多層構造内の単数又は複数の単位構造間が与力部１２２により連結されるようにしてもよい）。また、多層構造内の単数又は複数の単位構造内に設けられた単数又は複数の一対の組が与力部１２２を設置する設置手段（及び／又は上述した設置（固定）手段）を備えている場合は、単数又は複数の一対の組間に与力部１２２を備え、多層構造間並びに／若しくは多層構造内の単数又は複数の単位構造内に設けられた単数又は複数の一対の組間に力を与えるように連結されるようにしていもよい。すなわち、与力部１２２は、多層構造内の単数又は複数の単位構造内及び／又は外に与力部１２２を備え（与力部１２２を含んで単位構造としてもく、与力部１２２の一部を含んで単位構造としてもよく、与力部１２２を含まずに単位構造としてもよい）、並びに／若しくは、多層構造内の単数又は複数の単位構造内に設けられた単数又は複数の一対の組が与力部１２２を設置する設置手段（及び／又は上述した設置（固定）手段）を備えている場合は、単数又は複数の一対の組間に与力部１２２を備え、多層構造間並びに／若しくは多層構造内の単位構造内に設けられた単数又は複数の一対の組間に力を与えるように連結されるようにしてもよい（また、多層構造間、多層構造内の単数又は複数の単位構造間、並びに／若しくは、多層構造内の単数又は複数の単位構造内に設けられた単数又は複数の一対の組間が与力部１２２により連結されるようにしてもよい）。空中浮揚停止推進体全体としての形状はどのようなものであってもよい。尚、以上において、多層構造とは、多層構造（階層）のことを示し、また、単数又は複数の単���構造から構成される多層構造（階層）のことを示す。
【０１４７】
（多層階層（体外向き（体内部））、一対の上下配置（体外向き（体内部））、一対の筒状配置（体外向き（体内部））、（与力手段（単位構造内及び／又は外）））
尚、図１４に示すように、図１２における多層階層１２０，１２０−１〜１２０−ｎを空中浮揚停止推進体１２３，１２３’、１２３’’の外部に向けて推進力付与部１４０を単数又は複数設けるようにしてもよい（この多層階層１２０，１２０−１〜１２０−ｎを含んで空中浮揚停止推進体１２３，１２３’、１２３’’となる。）。すなわち、推進力付与部１４０が空中浮揚停止推進体１２３，１２３’、１２３’’の表面に単数又は複数形成され、多層階層を構成し、空中浮揚停止推進体１２３，１２３’、１２３’’を構成したものとなっている（尚、図１６（３−３）に示すように、多層構造の空中浮揚停止推進体１２３，１２３’，１２３’’において、推進力付与部１４０，１４０’，１４０’’は、所望の方向に所望の数だけ設置が可能である。）。図１４に示す球形１２３，１２３’、１２３’’の半径は伸縮自在に構成することが可能であり、球形１２３，１２３’、１２３’’の半径は極限まで小さくし、若しくは失くして（及び／又は連結手段により）連結するのみとし、単数又は複数の推進力付与部１４０を連結する機能のみにすることも可能である。尚、多層構造の単位は、図１４では６面体となっているが、6面体でなくとも多面体であってもよく、また、多面体に限らず（及び／又は与力部１２２が備えられる）任意の（形状の）形態の単位であれば（単位としての（形状の）形態を有していなくとも）どのようなものであってもよく（例えば、単位構造１２０（，１２１）を図１４及び／又は図１２の多層構造及び／又は単数若しくは複数の単位構造１２０（，１２１）とするのみならず、後述する図１５の多層構造及び／又は単数若しくは複数の単位構造１２０（，１２１）としてもよく）、また、単位ごとが異なる（形状の）形態をとってもよく、また、単位あたりの多面体及び／又は任意の（形状の）形態間に其々隙間ができるような多層構造としてもよい（図１４（４））。また、与力部１２２は、多層構造の単数又は複数の単位構造内及び／又は外に備え（与力部１２２を含んで単位構造としてもよく、与力部１２２の一部を含んで単位構造としてもよく、与力部１２２を含まずに単位構造としてもよい）、多層構造間に力を与えるように連結されるようにしてもよい（また、多層構造間及び／又は多層構造内の単数又は複数の単位構造間が与力部１２２により連結されるようにしてもよい）。また、多層構造内の単数又は複数の単位構造内に設けられた単数又は複数の一対の組が与力部１２２を設置する設置手段（及び／又は上述した設置（固定）手段）を備えている場合は、単数又は複数の一対の組間に与力部１２２を備え、多層構造間並びに／若しくは多層構造内の単数又は複数の単位構造内に設けられた単数又は複数の一対の組間に力を与えるように連結されるようにしていもよい。すなわち、与力部１２２は、多層構造内の単数又は複数の単位構造内及び／又は外に与力部１２２を備え（与力部１２２を含んで単位構造としてもく、与力部１２２の一部を含んで単位構造としてもよく、与力部１２２を含まずに単位構造としてもよい）、並びに／若しくは、多層構造内の単数又は複数の単位構造内に設けられた単数又は複数の一対の組が与力部１２２を設置する設置手段（及��／又は上述した設置（固定）手段）を備えている場合は、単数又は複数の一対の組間に与力部１２２を備え、多層構造間並びに／若しくは多層構造内の単位構造内に設けられた単数又は複数の一対の組間に力を与えるように連結されるようにしてもよい（また、多層構造間、多層構造内の単数又は複数の単位構造間、並びに／若しくは、多層構造内の単数又は複数の単位構造内に設けられた単数又は複数の一対の組間が与力部１２２により連結されるようにしてもよい）。空中浮揚停止推進体全体としての形状はどのようなものであってもよい。尚、以上において、多層構造とは、多層構造（階層）のことを示し、また、単数又は複数の単位構造から構成される多層構造（階層）のことを示す。
【０１４８】
（多層階層（立方体、直方体等の６面体，n（多）面体、任意の形態）、一対の上下配置（立方体、直方体等の６面体，n（多）面体、任意の形態）、一対の筒状配置）（立方体、直方体等の６面体，n（多）面体、任意の形態）、（与力手段（単位構造内及び／又は外）））
尚、図１５に示すように、図１４におけるこの推進力付与部を空中浮揚停止推進体としてもよい。この場合、図１、図2に示した空中浮揚停止推進体１，２内部に与力部１２２を備えたもの（例えば、多層階層（多層階層上に一対の組を備えたもの（図１５（１））、一対の組を上下に配置し備えたもの（図１５（２）、一対の組を筒状に配置し備えたもの（図１５（３））１２０間を与力部１２２で連結したもの）を単位としたものを単数又は複数積み重ね（例えば、多層階層（多層階層上に一対の組を備えたもの（図１５（１）、一対の組を上下に配置し備えたもの（図１５（２）、一対の組を筒状に配置し備えたもの（図１５（３））１２０間を与力部１２２で連結したものを単位としたものを単数又は複数積み重ね（ただし、単位内は、（図１５（１）〜（図１５（３）に示すように、其々の力を与える方向に連結されている多層階層間１２０、与力部１２２がぶつかる場合は、ぶつからないように、其々の方向に連結されている多層階層間１２０、与力部１２２を交差させたもの、すなわち、単位内を各種（与力）方向（用）に切り分けて区切り、ぶつからないようにしたもの）（形状が立方体、直方体等６面体であれば１〜３方向であり、n（多）面体であれば１〜n（多）/2方向であり、其々の方向に連結されている多層階層間１２０、与力部１２２がぶつからないように交差されたもの、すなわち、単位内を各種（与力）方向（用）に切り分けて区切り、ぶつからないようにしたもの）（ただし、（図１５（４）に示すように、n（多）面体の単位の積み重ねは、単位あたりのn（多）面体及び／又は任意の（形状の）形態間に其々隙間ができるように積み重ねるようにしてもよい。尚、多層構造の単位は、6面体でなくとも多面体であってもよく、また、多面体に限らず（及び／又は与力部１２２が備えられる）任意の（形状の）形態の単位であれば（単位としての（形状の）形態を有していなくとも）どのようなものであってもよく（例えば、単位構造１２０（，１２１）を図１５の多層構造及び／又は単数若しくは複数の単位構造１２０（，１２１）とするのみならず、図１２及び／又は図１４の多層構造及び／又は単数若しくは複数の単位構造１２０（，１２１）としてもよく）、また、単位ごとが異なる（形状の）形態をとってもよく、また、単位あたりの多面体及び／又は任意の（形状の）形態間に其々隙間ができるような多層構造としてもよい（図１５（４））（図１５（４）に示すように、n（多）面体及び／又は任意の（形状の）形態の単位の積み重ねは、単位あたりのn（多）面体及び／又は任意の（形状の）形態間に其々隙間ができるように積み重ねるようにしてもよい。）。また、与力部１２２は、多層構造の単数又は複数の単位構造内及び／又は外に備え（与力部１２２を含んで単位構造としてもよく、与力部１２２の一部を含んで単位構造としてもよく、与力部１２２を含まずに単位構造としてもよい）、多層構造間に力を与えるように連結されるようにしてもよい（また、多層構造間及び／又は多層構造内の単数又は複数の単位構造間が与力部１２２により連結されるようにしてもよい）。また、多層構造内の単数又は複数の単位構造内に設けられた単数又は複数の一対の組が与力部１２２を設��する設置手段（及び／又は上述した設置（固定）手段）を備えている場合は、単数又は複数の一対の組間に与力部１２２を備え、多層構造間並びに／若しくは多層構造内の単数又は複数の単位構造内に設けられた単数又は複数の一対の組間に力を与えるように連結されるようにしていもよい。すなわち、与力部１２２は、多層構造内の単数又は複数の単位構造内及び／又は外に与力部１２２を備え（与力部１２２を含んで単位構造としてもく、与力部１２２の一部を含んで単位構造としてもよく、与力部１２２を含まずに単位構造としてもよい）、並びに／若しくは、多層構造内の単数又は複数の単位構造内に設けられた単数又は複数の一対の組が与力部１２２を設置する設置手段（及び／又は上述した設置（固定）手段）を備えている場合は、単数又は複数の一対の組間に与力部１２２を備え、多層構造間並びに／若しくは多層構造内の単位構造内に設けられた単数又は複数の一対の組間に力を与えるように連結されるようにしてもよい（また、多層構造間、多層構造内の単数又は複数の単位構造間、並びに／若しくは、多層構造内の単数又は複数の単位構造内に設けられた単数又は複数の一対の組間が与力部１２２により連結されるようにしてもよい）。空中浮揚停止推進体全体としての形状はどのようなものであってもよい。尚、以上において、多層構造とは、多層構造（階層）のことを示し、また、単数又は複数の単位構造から構成される多層構造（階層）のことを示す。））、空中浮揚停止推進体を多層階層としたものであり、図１、図２に示すように、可変位置変更部２７を設け、全方向に移動可能とする。
【０１４９】
尚、以上に示した図１２、１４、１５の多層構造の空中浮揚停止推進体１２３，１２３’，１２３’’において、与力部（手段）内には及び／又は連結部（手段）が内在され及び／又は備えられており、設置部（手段）にも及び／又は連結部（手段）が内在され及び／又は備えられており、これら連結部（手段）及び／又は各手段（設置部（手段）が備えられた単位構造と与力部（手段））が構造的、機械的、及び／又は電磁気力的結合等の手段により結合することにより設置部（手段）が備えられた単位構造と与力部（手段）とが（一定の距離の範囲内に）連結される。（連結部（手段），制御手段説明参照箇所始まり）例えば、図１６（７）（７−１），（７−１−１）に示すように、及び／又は後述する物体遠隔操作機及び／又は物体遠隔操作システムを備えており、及び／又は単数又は複数の高圧ガス吹付機１２１３を備えており、及び／又は単数又は複数の（（位置伸縮）可動可能な）位置センサ（位置計測手段）（不図示）を備えた、連結する複数の各手段１２１９の少なくとも１つの手段１２１９に備えられた、単数又は複数の要素１２１１（（及び／又は後述する物体遠隔操作機及び／又は物体遠隔操作システムを備えており、及び／又は単数又は複数の高圧ガス吹付機１２１３を備えており、及び／又は単数又は複数の（（位置伸縮）可動可能な）位置センサ（位置計測手段）（不図示）を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６、コイル被巻/不被巻磁性物体及び／又は磁性物体巻/不巻コイル１２１６に電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６の位置を（位置伸縮）可動可能に制御する（位置伸縮）可動可能（設置）位置制御手段、要素１２１１間及び／又は要素１２１１内に備えられた電磁気力遮断手段１２１２、及び／又は単数又は複数の（並びに／若しくは（位置伸縮）可動可能な及び／又は（位置伸縮）可動可能（設置）手段に備えられている）電磁気力遮断手段１２１２の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体１２１６、及び／又は物体１２１６の位置を（位置伸縮）可動可能に制御する物体（位置伸縮）可動可能（設置）位置制御手段）から構成された連結部（手段）１２１０により、単数又は複数の自身の及び／又は他の手段の位置センサ（位置計測手段）により計測した単位構造と与力部（手段）（連結部（手段），制御手段説明参照箇所では、単位構造と与力部（手段）とは、後述する複合体の場合は、単数又は複数の同種類及び／又は異種類の空中浮揚停止推進体を、及び／又は、当該空中浮揚停止推進体が多層構造を有する場合、単数又は複数の単位構造から構成される単数又は複数の単位構造と、単数又は複数の同種類及び／又は異種類の空中浮揚停止推進体を、及び／又は、当該空中浮揚停止推進体が多層構造を有する場合、単数又は複数の単位構造から構成される単数又は複数の単位構造とのことを示し，（後述する支持浮揚着陸安定部（手段）の場合は、空中浮揚停止推進体と支持浮揚着陸安定部（手段）とのことを示しており、連結部（手段）及び／又は連結部（手段）を内在し及び／又は備えた各手段のことを示している。）との間の距離に基づいて、及び／又は高圧ガス吹付機１２１３により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、単位構造と与力部（手段）との間の距離が一定の距離の間に保たれるように遠隔制御して（非接触で）遠隔連結するようにしてもよい。及び／又は、図１６（７）（７−２）に示すように、連結部（手段）１２１０は、及び／又は後述する空中浮揚停止推進物体遠隔操作機及び／又は物体遠隔操作システムを備えており、連結部（手段）１２１０には、及び／又は単数又は複数の空中浮揚停止推進遠隔操作機１２１４が備えられており、少なくとも1つの連結部（手段）から離脱した単数又は複数の空中浮揚停止推進物体遠隔操作機及び／又は物体遠隔操作システムにより、単数又は複数の他の手段１２１９及び／又は連結部（手段）１２１０との間の距離に基づいて、及び／又は高圧ガス吹付機１２１３により高圧ガスを吹き付けて高圧ガス雰囲気中にすると共に、所望の数の所望の方向から電磁気力により、大きな磁場勾配を生成し、制御し、各手段１２１９との間の距離が一定の距離の間に保たれるように遠隔制御して（非接触で）遠隔連結するようにしてもよい。また、連結部（手段）１２１０の要素１２１１に供給する電力量、及び／又はを制御する位置、及び／又は高圧ガスの吹付量，吹付速度，吹付向、並びに／若しくは制御する電磁気力遮断手段１２１２，１２１２’の位置を制御することにより、連結の状態（形態）を任意の時刻に任意に変化させることができる。（後述する複合体における説明始まり）このようにすれば、供給する電力量、高圧ガスの吹付量，吹付速度，吹付向、及び／又は各要素の位置を変化させることにより、複合体自身全体の形状を変化させることができると共に、連結部（手段）及び／又は各手段が非接触の為磨耗による消耗を無くすことができる。また、単数又は複数の同種類及び／又は異種類の空中浮揚停止推進体を、及び／又は、当該空中浮揚停止推進体が多層構造を有する場合、単数又は複数の単位構造から構成される単数又は複数の単位構造の空中浮揚停止推進力、並びに／若しくは連結部（手段）により、連結の状態（形態）を任意の時刻に任意に変化させることができると共に、複合体自身全体の形状を任意の時刻に任意に変化させることができる。（後述する複合体における説明終わり）（後述する支持浮揚着陸安定部（手段）における説明始まり）また、支持浮揚着陸安定部（手段）と空中浮揚停止推進体との連結に適用すれば、柔軟に空中浮揚停止推進体を支持することができると共に��軟に空中浮揚停止推進体を着陸させることができる。（後述する支持浮揚着陸安定部（手段）における説明終わり）また、図１６（７）（７−１）には、連結部（手段）１２１０及び／又は手段１２１９と連結部（手段）１２１０及び／又は手段１２１９とが遠隔連結された様子が示されており、連結部（手段）１２１０は、例えば、図１６（７）（７−１−２）に示すように、外向き及び／又は内向きの半円球(弧）状の形状となっており、半円球(弧）状の中に要素１２１１が単数又は複数形成され、１つの要素１２１１がさらに半円球(弧）状となっており、図１６（７）（７−１−３）に示すように、その要素１２１１に要素１２１１内の各要素（（位置伸縮）可動可能に設置された位置計測手段、高圧ガス吹付機１２１３、コイル被巻/不被巻磁性物体及び／又は磁性物体巻/不巻コイル１２１６、電力供給手段、電力供給制御手段、（位置伸縮）可動可能（設置）位置制御手段、電磁気力遮断手段１２１２、電磁気力遮断手段（位置伸縮）可動可能（設置）位置制御手段、及び／又は物体）が設置されている。このように半円球(弧）状内を（位置伸縮）可動可能とすることにより全方位に渡って連結部（手段）１２１０及び／又は各手段１２１９を制御することができる。尚、連結部（手段）１２１０は、構造的、機械的、及び／又は電磁気力的結合等の手段により連結できるものであればどのような構造、形状、形態、配置、及び／又は材質であってもよく（例えば、図１６（７）（７−１−１）には、連結部（手段）１２１０が曲面として構成された場合が示されている。）、任意の構造、任意の形状、任意の形態、任意の（形状の）形態、材質、任意の配置、及び／又は任意の形態の配置（任意の（形状の）形態及び／又は任意の形態の配置）としてよく、どのようなものであってもよい。また、図１６（７）（７−１−４）には、連結部（手段）同士１２１０，１２１０’が遠隔連結した様子が示されており、半円球(弧）状の各要素１２１１，１２１１’が近接するように、又は半円球(弧）状の各要素１２１１，１２１１’が互い違いに近接するように遠隔連結した様子が示されている。また、例えば、図１６（７）（７−１−５）に示すように、連結部（手段）１２１０，１２１０’を凹凸のある入り組んだ形状としてもよく、互いの連結部（手段）１２１０，１２１０’が噛み合うように遠隔連結するようにしてもよい。このようにすれば、近接面積が大きくなり、より制御が容易となる。尚、図１６（７）（７−１−６）に示すように、連結部（手段）１２１０，１２１０’は、構造的、機械的、及び／又は電磁気力的結合等の手段により連結できるものであればどのような構造、形状、形態、配置、及び／又は材質であってもよく（例えば、図１６（７）（７−１−６）には、連結部（手段）１２１０，１２１０’が曲面として構成された場合が示されている。）、任意の構造、任意の形状、任意の形態、任意の（形状の）形態、材質、任意の配置、及び／又は任意の形態の配置（任意の（形状の）形態及び／又は任意の形態の配置）としてよく、どのようなものであってもよい。尚、連結部（手段）１２１０，１２１０’同士の結合において、一方の及び／又は互いの連結部（手段）１２１０，１２１０’の（及び／又は電磁気力遮断手段で遮られた）各要素１２１１−１，１２１１−２，１２１１−３の生成する電磁気力の向きが少なくとも同種類、異種類、同種類の順、又は、異種、同種、異種の順に構成する、及び／又は、１つの同種類同士及び２つの異種類同士の組、又は、２つの同種類同士及び１つの異種類同士の組が少なくとも異種類、同種類、異種類の順、又は、同種類、異種類、同種類の順により構成する（すなわち、一方の連結部（手段）１２１０が同種類の要素１２１１、他方の連結部（手段）１２１０’が一方の連結部（手段）１２１０の要素１２１１に対して異種類、同種類、異種類の順に連結部（手段）１２１１，１２１１’の要素１２１１’−１，１２１１’−２，１２１１’−３を構成する）ようにし、各手段との間の距離が一定の距離の間に保たれるように制御して（非接触で）連結するようにしてもよい（尚、接触して結合するようにしてもよい。）。尚、接触して結合するようにしてもよく、単なる生成する電磁気力の向きが異種類同士の電磁気力的結合による接触結合としてもよい。また、各手段及び／又は連結部（手段）とが単なる接触して結合する構造的、機械的結合としてもよい。尚、本明細書中、特許請求の範囲中、図面中、及び／又は要約書中に記載の全ての各手段は、及び／又は、各手段外部に影響を与えないように及び／又は各手段内部に影響を与えないように電磁気力遮断手段で覆われている。また、電力供給及び／又は（位置伸縮）可動可能（設置）位置及び／又は電磁気力遮断手段（位置伸縮）可動可能（設置）位置制御手段は、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル並びに電磁気力遮断手段、及び／又は単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル並びに電磁気力遮断手段を制御する単数又は複数の（電力供給及び／又は（位置伸縮）可動可能（設置）位置及び／又は電磁気力遮断手段（位置伸縮）可動可能（設置）位置）制御手段を制御する単数又は複数の（電力供給及び／又は（位置伸縮）可動可能（設置）位置及び／又は電磁気力遮断手段（位置伸縮）可動可能（設置）位置）制御手段である（詳細は、図１
１に示す電力供給及び／又は可動可能（設置）位置制御手段において後述し、図１１に示す電力供給及び／又は（位置伸縮）可動可能（設置）位置制御手段において、電力供給及び／又は（位置伸縮）可動可能（設置）位置制御手段は、電力供給及び／又は（位置伸縮）可動可能（設置）位置及び／又は電磁気力遮断手段可動可能（設置）位置制御手段であり、単数又は複数の（並びに／若しくは可動可能な及び／又は可動可能（設置）手段に備えられている）コイル被巻/不被巻磁性物体及び／又は磁性物体巻/不巻コイル並びに電磁気力遮断手段、及び／又は単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル並びに電磁気力遮断手段を制御する単数又は複数の（電力供給及び／又は（位置伸縮）可動可能（設置）位置及び／又は電磁気力遮断手段（位置伸縮）可動可能（設置）位置）制御手段を制御する単数又は複数の（電力供給及び／又は可動可能（設置）位置及び／又は電磁気力遮断手段可動可能（設置）位置）制御手段である。）。（尚、本明細書中、特許請求の範囲中、図面中、及び／又は要約書中に記載の全ての電力供給及び／又は可動可能位置制御手段は、電力供給及び／又は（位置伸縮）可動可能（設置）位置及び／又は電磁気力遮断手段（位置伸縮）可動可能（設置）位置制御手段であり、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル並びに電磁気力遮断手段、及び／又は単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル並びに電磁気力遮断手段を制御する単数又は複数の（電力供給及び／又は（位置伸縮）可動可能（設置）位置及び／又は電磁気力遮断手段（設置）位置）制御手段を制御する単数又は複数の（電力供給及び／又は可動可能（設置）位置及び／又は電磁気力遮断手段（位置伸縮）可動可能（設置）位置）制御手段である。また、本明細書中、特許請求の範囲中、図面中、及び／又は要約書中において、電磁気力遮断手段が備えられている場合は、及び／又は（並びに／若しくは可動可能な及び／又は可動可能（設置）手段に備えられている）電磁気力遮断手段の位置を制御する電磁気力遮断手段（位置伸縮）可動可能（設置）位置制御手段が備えられているものである。（位置伸縮）可動可能（設置）手段は、（及び／又は位置伸縮可動可能手段が備えられており、）並びに／若しくは位置伸縮が可動可能な手段である。（尚、本明細書中、特許請求の範囲中、図面中、及び／又は要約書中に記載の全ての可動可能（設置）手段は、（及び／又は位置伸縮可動可能手段が備えられており、）並びに／若しくは位置伸縮が可動可能な手段であり、また、本明細書中、特許請求の範囲中、図面中、及び／又は要約書中に記載の全ての各種手段は、並びに／若しくは、全方位に向けての可動が可能である位置伸縮可動可能手段である。）また、本明細書中、特許請求の範囲中、図面���、及び／又は要約書中にコイル被巻/不被巻磁性物体及び／又は磁性物体巻/不巻コイル並びに電磁気力遮断手段が備えられている場合は、及び／又は上述した要素１２１１の各要素（すなわち、（及び／又は後述する物体遠隔操作機及び／又は物体遠隔操作システムを備えており、及び／又は単数又は複数の高圧ガス吹付機１２１３を備えており、及び／又は単数又は複数の（（位置伸縮）可動可能な）位置センサ（位置計測手段）（不図示）を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６、コイル被巻/不被巻磁性物体及び／又は磁性物体巻/不巻コイル１２１６に電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６の位置を（位置伸縮）可動可能に制御する（位置伸縮）可動可能（設置）位置制御手段、要素１２１１間及び／又は要素１２１１内に備えられた電磁気力遮断手段１２１２、及び／又は単数又は複数の（並びに／若しくは（位置伸縮）可動可能な及び／又は（位置伸縮）可動可能（設置）手段に備えられている）電磁気力遮断手段１２１２の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体１２１６、及び／又は物体１２１６の位置を（位置伸縮）可動可能に制御する物体（位置伸縮）可動可能（設置）位置制御手段）が備えられている。また、本明細書中、特許請求の範囲中、図面中、及び／又は要約書中に記載の各種部位（手段）の結合において、上述した連結部（手段）を内在し及び／又は備えることが可能である。）。（連結部（手段），制御手段説明参照箇所終わり）
【０１５０】
（複合体）
また、図１６（１）、図１６（６）に示すように、本明細書中、特許請求の範囲中、図面中、及び／又は要約書中に記載の全ての空中浮揚停止推進体において、単数又は複数の同種類及び／又は異種類の空中浮揚停止推進体１１６１−１，１１６１−２，１１６１−３，１１６１−４、１２３１を、及び／又は、当該空中浮揚停止推進体１１６１−１，１１６１−２，１１６１−３，１１６１−４、１２３１が多層構造を有する場合、単数又は複数の単位構造から構成される単数又は複数の単位構造１１６１−１−１，１１６１−２−１，１１６１−３−１、１２３１を、単数又は複数並びに同種類及び／又は異種類の連結部（手段）１１６２により連結して複合体とした空中浮揚停止推進体１１６０，１２３０を形成するようにしてもよい。図１６（１）には、単数又は複数の同種類及び／又は異種類の空中浮揚停止推進体１１６１−１，１１６１−２，１１６１−３，１１６１−４を、及び／又は、当該空中浮揚停止推進体１１６１−１，１１６１−２，１１６１−３，１１６１−４が多層構造を有する場合、単数又は複数の単位構造から構成される単数又は複数の単位構造１１６１−１−１，１１６１−２−１，１１６１−３−１を、単数又は複数並びに同種類及び／又は異種類の連結部（手段）１１６２により連結して空中浮揚停止推進体１１６０を形成した構成が示されている。図１６（２−１）,（３−１）,（４−１）には、図１２、図１４、図１５に示した空中浮揚停止推進体１１７１，１１８１，１１９１が単数又は複数並びに同種類及び／又は異種類の連結部（手段）１１７２，１１８２，１１９２により連結された構成が示されている。また、図１６（２−２）,（３−２）,（４−２）には、図１２、図１４、又は、図１５に示した空中浮揚停止推進体１１７１，１１８１，１１９１、及び／又は、前記空中浮揚停止推進体１１７１，１１８１，１１９１を構成する、単数又は複数の単位構造から構成される単数又は複数の単位構造１１７１−１，１１７１−２，１１８１−１，１１８１−２，１１９１−１，１１９１−２が単数又は複数並びに同種類及び／又は異種類の連結部（手段）１１７２，１１８２，１１９２により連結された構成が示されている。尚、図１６（３）においては、図１６（３−３）に示すように、図１４に示した空中浮揚停止推進体１１８１において、推進力付与部は、上下、左右方向のみならず、所望の方向に所望の数だけ設置が可能である（すなわち、図１４に示すように、多層構造の空中浮揚停止推進体１２３，１２３’，１２３’’において、推進力付与部１４０，１４０’，１４０’’は、所望の方向に所望の数だけ設置が可能である）。図１６（５）には、図１２、図１４、及び／又は、図１５に示した空中浮揚停止推進体１１７１，１１８１，１１９１、及び／又は、前記空中浮揚停止推進体１１７１，１１８１，１１９１を構成する、単数又は複数の単位構造から構成される単数又は複数の単位構造１１７１−１，１１７１−２，１１８１−１，１１８１−２，１１９１−１，１１９１−２が単数又は複数並びに同種類及び／又は異種類の連結部（手段）１１７２，１１８２，１１９２により連結された構成が示されている。其々の単数又は複数の同種類及び／又は異��類の空中浮揚停止推進体１１６１−１，１１６1−２，１１６１−３，１１６１−４、１１７１，１１８１，１１９１、１２３１を、及び／又は、当該空中浮揚停止推進体１１６１−１，１１６１−２，１１６１−３，１１６１−４、１１７１，１１８１，１１９１、１２３１が多層構造を有する場合、単数又は複数の単位構造から構成される単数又は複数の単位構造１１６１−１−１，１１６１−１−２，１１６１−２−１，１１６１−２−２，１１６１−３−１，１１６１−３−２、１１７１−１，１１７１−２，１１８１−１，１１８１−２，１１９１−１，１１９１−２、１２３１、複合体としての空中浮揚停止推進体１１６０，１１７０，１１８０，１１９０，１２３０は、任意の構造、形状、形態、配置、及び／又は材質とすることができ、任意の構造、任意の形状、任意の形態、任意の（形状の）形態、材質、任意の配置、及び／又は任意の形態の配置（任意の（形状の）形態及び／又は任意の形態の配置）とすることができる。このように複合体の空中浮揚停止推進体とすることにより、空中浮揚停止推進力が増加し、制御が容易となる。また、連結部（手段）１１６２，１１７２，１１８２，１１９２，１２３２は、及び／又は与力手段を内在しており、単数又は複数の同種類及び／又は異種類の空中浮揚停止推進体を、及び／又は、当該空中浮揚停止推進体が多層構造を有する場合、単数又は複数の単位構造から構成される単数又は複数の単位構造にも及び／又は連結部（手段）１１６２，１１７２，１１８２，１１９２，１２３２が内在され及び／又は備えられており、これら連結部（手段）１１６２，１１７２，１１８２，１１９２，１２３２及び／又は各手段（単数又は複数の同種類及び／又は異種類の空中浮揚停止推進体を、及び／又は、当該空中浮揚停止推進体が多層構造を有する場合、単数又は複数の単位構造から構成される単数又は複数の単位構造）が構造的、機械的、及び／又は電磁気力的結合等の手段により結合することにより単数又は複数の同種類及び／又は異種類の空中浮揚停止推進体を、及び／又は、当該空中浮揚停止推進体が多層構造を有する場合、単数又は複数の単位構造から構成される単数又は複数の単位構造と単数又は複数の同種類及び／又は異種類の空中浮揚停止推進体を、及び／又は、当該空中浮揚停止推進体が多層構造を有する場合、単数又は複数の単位構造から構成される単数又は複数の単位構造とが（一定の距離の範囲内に）連結される（詳細は、（連結部（手段），制御手段説明参照箇所始まり）〜（連結部（手段），制御手段説明参照箇所終わり）と同様である。尚、図１６中、連結部（手段）の１例として直方体として示されているが、球形としてもよく、連結できるものであればどのような構造、形状、形態、配置、及び／又は材質であってもよく、任意の構造、任意の形状、任意の形態、任意の（形状の）形態、材質、任意の配置、及び／又は任意の形態の配置（任意の（形状の）形態及び／又は任意の形態の配置）であってもよく、任意の（形状の）形態及び／又は任意の形態の配置としてよい。）。
【０１５１】
（支持浮揚着陸安定部（手段））
尚、図１６（８）に示すように、図３に示す空中浮揚停止推進体３において、空中浮揚停止推進体３を安定して支持し、安定して空中浮揚及び／又は安定して着陸できるように、単数又は複数の支持浮揚着陸安定部（手段）１２２１−ｎを備えるようにしてもよい（このようにすれば、空中浮揚停止推進体３を安定して支持、空中浮揚、及び／又は、着陸させることができる）。また、支持浮揚着陸安定部（手段）１２２１−ｎを空中浮揚停止推進体３を安定して支持し、安定して空中浮揚及び／又は安定して着陸できるような空中浮揚停止推進体としてもよい。すなわち、空中浮揚停止推進体３を安定して支持し、安定して空中浮揚及び／又は安定して着陸できるように、単数又は複数の、支持浮揚着陸安定部（手段）１２２１−ｎ及び／又は空中浮揚停止推進体（支持浮揚着陸安定部（手段））を備えるようにしてもよい。例えば、図１６（８）（１）（１−１）、又は図１６（８）（１）（１−２）においては、空中浮揚停止推進体３（例えば、空中浮揚停止推進体３の下部に）に単数又は複数の、（例えば、球形又は棒状の）支持浮揚着陸安定部（手段）１２２１−ｎが備えられた様子が一例として示されている（尚、図１６（８）（１）（１−１）、又は図１６（８）（１）（１−２）には、球形又は棒状として示されているが、半球形状、楕円形状、半楕円形状、先端に向かって細くなっていく又は広がっていくような棒状等、安定して空中浮揚及び／又は着陸できるようなものであればあらゆる形状としてよい。）。尚、図１６（８）（１−２）に示すように、この支持浮揚着陸安定部（手段）１２２１−ｎは、空中浮揚停止推進体３を安定して支持し、安定して空中浮揚及び／又は着陸できるようなものであればどのような構造、形状、形態、及び／又は材質を有していてもよく、任意の構造、任意の形状、任意の形態、任意の（形状の）形態、材質、任意の配置、及び／又は任意の形態の配置（任意の（形状の）形態及び／又は任意の形態の配置）であってもよく、また、設置位置も所望の位置に設置可能である）。また、支持浮揚着陸安定部（手段）１２２１−ｎと空中浮揚停止推進体３とを連結させる為の単数又は複数の並びに同種類及び／又は異種類の連結部（手段）１２２２−ｎを備えるようにしてもよい。連結部（手段）１２２２−ｎは、及び／又は与力手段を内在しており、空中浮揚停止推進体にも及び／又は連結部（手段）１２２２−ｎが内在され及び／又は備えられており、これら連結部（手段）１２２２−ｎ及び／又は各手段（空中浮揚停止推進体と支持浮揚着陸安定部（手段））が構造的、機械的、及び／又は電磁気力的結合等の手段により結合することにより空中浮揚停止推進体と支持浮揚着陸安定部（手段）１２２１−ｎとが（一定の距離の範囲内に）連結される（詳細は、（連結部（手段），制御手段説明参照箇所始まり）〜（連結部（手段），制御手段説明参照箇所終わり）と同様である。この連結部（手段）も、支持浮揚着陸安定部（手段）と空中浮揚停止推進体３とを連結させることができるものであればどのような構造、形状、形態、配置、及び／又は材質を有していてもよく、任意の構造、任意の形状、任意の形態、任意の（形状の）形態、材質、任意の配置、及び／又は任意の形態の配置（任意の（形状の）形態及び／又は任意の形態の配置）としてよく、どのようなものであってもよい。）。これら支持浮揚着陸安定部（手段）１２２１−ｎ及び／又は連結部（手段）１２２２−ｎは、本明細書中、特許請求の範囲中、図面中、及び／又は要約書中に記載の全ての空中浮揚停止推進体に備えることができる。
【０１５２】
尚、以上において説明した連結手段を、各手段（部、装置、システム）間の連結に使用するようにしてもよい。
即ち、
各手段（部、装置、システム）間の連結に、
各手段（部、装置、システム）間を一定の距離の間に保たれるように（非接触で）遠隔で連結することができるようにしたことを特徴とする遠隔連結手段（部、装置、システム）であって、
並びに／若しくは、各手段（部、装置、システム）の連結に、
及び／又は請求項１９乃至請求項２２に記載の物体遠隔操作機及び／又は請求項２３に記載の物体遠隔操作システムを備えており、及び／又は単数又は複数の高圧ガス吹付機を備えており、及び／又は単数又は複数の（（位置伸縮）可動可能な）位置計測手段を備えた、連結する複数の各手段の少なくとも１つの手段に備えられた、単数又は複数の要素（（及び／又は請求項１９乃至請求項２２に記載の物体遠隔操作機及び／又は請求項２３に記載の物体遠隔操作システムを備えており、及び／又は単数又は複数の高圧ガス吹付機を備えており、及び／又は単数又は複数の（（位置伸縮）可動可能な）位置計測手段を備えた、）単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル、コイル被巻/不被巻磁性物体及び／又は磁性物体巻/不巻コイルに電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイルの位置を（位置伸縮）可動可能に制御する（位置伸縮）可動可能（設置）位置制御手段、要素間及び／又は要素内に備えられた電磁気力遮断手段、及び／又は単数又は複数の（並びに／若しくは（位置伸縮）可動可能な及び／又は（位置伸縮）可動可能（設置）手段に備えられている）電磁気力遮断手段の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体、及び／又は物体の位置を（位置伸縮）可動可能に制御する物体（位置伸縮）可動可能（設置）位置制御手段）から構成されたことを特徴とする連結手段（部、装置、システム）であって、
単数又は複数の自身の及び／又は他の手段の位置計測手段により計測した連結手段（部、装置、システム）及び／又は連結手段（部、装置、システム）を内在し及び／又は備えた各手段（部、装置、システム）との間の距離に基づいて、及び／又は高圧ガス吹付機により高圧ガスを吹き付けて高圧ガス雰囲気中にすると共に、電力供給制御手段及び／又は（位置伸縮）可動可能（設置）位置制御手段及び／又は電磁気力遮断手段（位置伸縮）可動可能（設置）位置制御手段により電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段は、及び／又は請求項１９乃至請求項２２に記載の空中浮揚停止推進物体遠隔操作機及び／又は請求項２３に記載の物体遠隔操作システムを備えており、連結手段（部、装置、システム）には、及び／又は単数又は複数の空中浮揚停止推進遠隔操作機が備えられており、少なくとも1つの連結手段（部、装置、システム）から離脱した単数又は複数の空中浮揚停止推進物体遠隔操作機及び／又は物体遠隔操作システムにより、単数又は複数の他の手段及び／又は連結手段との間の距離に基づいて、及び／又は高圧ガス吹付機により高圧ガスを吹き付けて高圧ガス雰囲気中にすると共に、所望の数の所望の方向から電磁気力により、大きな磁場勾配を生成し、制御し、各手段（部、装置、システム）との間の距離が一定の距離の間に保たれるように遠隔制御して（非接触で）遠隔連結するようにしたことを特徴とし、
及び／又は、連結手段（部、装置、システム）の要素に供給する電力量、及び／又はを制御する位置、及び／又は高圧ガスの吹付量，吹付速度，吹付向、並びに／若しくは制御する電磁気力遮断手段の位置を制御することを特徴とする遠隔連結部（、装置、システム）
を使用するようにしてもよい。このようにすれば、各手段（部、装置、システム）間を一定の距離の間に保たれるように（非接触で）遠隔で連結することができる。
【０１５３】
尚、本実施例の空中浮揚停止推進体は、本発明の空中浮揚停止推進体の第１及び／又は第２の実施の形態の１実施例であり、本発明の空中浮揚停止推進体の第１及び／又は第２の実施の形態が有する構成及び効果を有する。
【０１５４】
尚、上記した実施例は、小型で、軽量で持ち運び可能なものとしたが、大規模な乗り物としてもよい。また、上述した実施の形態も、小型で、軽量で持ち運び可能なものから、大規模な装置や乗り物まで適用が可能である。また、以上において、空中浮揚停止推進体に様々な機能を有した電子機器若しくは機器を搭載し、空中に停止し、空中で自由に動き回りながら（空中に浮揚、停止、及び／又は推進しつつ）、様々な電子機器若しくは機器の機能を発揮できる空中浮揚停止推進電子機器若しくは機器としてもよい（例えば、電子掲示板、机）。これにより、電子機器若しくは機器が有する機能を、空中において、浮揚、停止、及び／又は推進しつつ、発揮することができる。
【０１５５】
本願発明の空中浮揚停止推進電子機器若しくは機器の実施の形態の実施例の空中浮揚停止推進電子機器若しくは機器の１実施例である空中浮揚停止推進電子掲示板について図８を用いて説明する。
【０１５６】
図８（１）〜（５）は、本願発明の空中浮揚停止推進電子機器若しくは機器を電子掲示板に応用した例である空中浮揚停止推進電子掲示板を示している。
【０１５７】
電子掲示板の内部に単数又は複数の空中浮揚停止推進体が格納又は装着されているか、空中浮揚停止推進体の内部に電子掲示板が格納又は装着されているか、電子掲示板の外部に単数又は複数の空中浮揚停止推進体が格納又は装着されるているか、電子掲示板の外部に単数又は複数の空中浮揚停止推進体が格納又は装着されるているか、格納又は装着されている単数又は複数の空中浮揚停止推進体が矩形の容器に格納又は装着されている。
【０１５８】
（空中浮揚停止推進体の内部に電子掲示板が格納又は装着）
図８（１）に示す空中浮揚停止推進電子掲示板８１は、電子掲示板８１が直方体又は球体若しくは楕円球体の空中浮揚停止推進体１，２，３，４，５内部に格納又は装着された構成となっており、空中での浮揚停止推進が可能な構成となっている。尚、空中浮揚停止推進体１，２，３，４，５の形状はどのようなものであってもよい。
【０１５９】
（電子掲示板の内部に単数又は複数の空中浮揚停止推進体が格納又は装着（１））
図８（２）に示す空中浮揚停止推進電子掲示板８１は、直方体又は球体若しくは楕円球体の空中浮揚停止推進体１，２，３，４，５が空中浮揚停止推進電子掲示板８１内部に単数又は複数、格納又は装着され、空中での浮揚停止推進が可能な構成となっている。尚、空中浮揚停止推進体１，２，３，４，５の空中浮揚停止推進電子掲示板８１内部への格納又は装着場所はどこであってもよい。
【０１６０】
（電子掲示板の内部に単数又は複数の空中浮揚停止推進体が格納又は装着（２））
図８（３）に示す空中浮揚停止推進電子掲示板８１は、直方体又は球体若しくは楕円球体の空中浮揚停止推進体１，２，３，４，５が空中浮揚停止推進電子掲示板８１内部に単数又は複数、格納又は装着され、空中での浮揚停止推進が可能な構成となっている。尚、空中浮揚停止推進体１，２，３，４，５の空中浮揚停止推進電子掲示板８１内部への格納又は装着場所はどこであってもよい。
【０１６１】
（電子掲示板の外部に単数又は複数の空中浮揚停止推進体が格納又は装着（４−１））
図８（４−１）に示す空中浮揚停止推進電子掲示板８１は、電子掲示板８１の外部に単数又は複数の直方体又は球体若しくは楕円球体の空中浮揚停止推進体１，２，３，４，５が格納又は装着され、空中での浮揚停止推進が可能な構成となっている。
【０１６２】
（電子掲示板の外部に矩形の容器に格納又は装着された単数又は複数の空中浮揚停止推進体が格納又は装着（５−１））
図８５−１）に示す空中浮揚停止推進電子掲示板８１は、電子掲示板８１の外部に単数又は複数の直方体又は球体若しくは楕円球体の空中浮揚停止推進体１，２，３，４，５が格納又は装着され、さらに、空中浮揚停止推進体１，２，３，４，５が矩形の容器に格納又は装着され、空中での浮揚停止推進が可能な構成となっている。
【０１６３】
（電子掲示板の外部に矩形の容器に格納又は装着された単数又は複数の空中浮揚停止推進体が格納又は装着（５−２））
図８（５−２）に示す空中浮揚停止推進電子掲示板８１は、電子掲示板８１が透明の矩形の容器に1又は２面から挟まれており、少なくとも1つの矩形の容器には、図８（２）、図８（３）の状態で透明の球体又は楕円球体の空中浮揚停止推進体１，２，３，４，５が格納又は装着され、空中での浮揚停止推進が可能な構成となっている。
【０１６４】
（電子掲示板の外部に矩形の容器に格納又は装着された単数又は複数の空中浮揚停止推進体が格納又は装着（５−３））
図８（５−３）に示す空中浮揚停止推進電子掲示板８１は、電子掲示板８１が透明の矩形の容器に３又は４面から挟まれており、少なくとも1つの矩形の容器には、図８（２）、図８（３）の状態で透明の球体又は楕円球体の空中浮揚停止推進体１，２，３，４，５が格納又は装着され、空中での浮揚停止推進が可能な構成となっている。
【０１６５】
（電子掲示板の外部に矩形の容器に格納又は装着された単数又は複数の空中浮揚停止推進体が格納又は装着（５−４））
図８（５−４）に示す空中浮揚停止推進電子掲示板８１は、電子掲示板８１が透明の矩形の容器に５又は６面から挟まれており、少なくとも1つの矩形の容器には、図８（２）、図８（３）の状態で透明の球体又は楕円球体の空中浮揚停止推進体１，２，３，４，５が格納又は装着され、空中での浮揚停止推進が可能な構成となっている。
【０１６６】
尚、以上において、空中浮揚停止推進電子掲示板８１、空中浮揚停止推進体１，２，３，４，５、及び進電子掲示板８１の形状はどのようなものであってもよく、電子掲示板８１と何らかの形で空中浮揚停止推進体１，２，３，４，５とが格納又は装着されあう構成であればどのようなものであってもよい。
【０１６７】
図８（１０）は、本願発明の空中浮揚停止推進電子機器若しくは機器を机に応用した例である空中浮揚停止推進机を示している。また、図８（１１）は、本願発明の空中浮揚停止推進電子機器若しくは機器を様々な種類の機器に応用した例である空中浮揚停止推進機器を示している。
【０１６８】
本発明の空中浮揚停止推進机８２は、図８（１０）に示すように、机の上面、下面、又は側面のうちの少なくとも1つに空中浮揚停止推進体１，２，３，４，５が装着され、空中での浮揚停止推進が可能な構成となっている。また、本発明の空中浮揚停止推進機器８３は、図８（１１）に示すように、機器の上面、下面、又は側面のうちの少なくとも1つに空中浮揚停止推進体１，２，３，４，５が装着され、空中での浮揚停止推進が可能な構成となっている。
【０１６９】
また、本願発明の空中浮揚停止推進電子機器若しくは機器を磁気ヘッドに応用し、図８（１２）に示すように、磁気ヘッド８０１を単数又は複数装着した空中浮揚停止推進磁気ヘッド８０２とした磁気ディスク装置８００としてもよい。図８（１２−１−１），図８（１２−１−２）に示すように、単数装着した場合、空中浮揚停止推進磁気ヘッド８０１−１−１，８０１−１−２は、磁気ディスク８０３−１−１，８０３−１−２上を所定の間隔で空中浮揚、停止、及び／又は推進して走査するように制御する（例えば、トラック８０４−１−２に対して同心円状に、トラック８０４−１−２に対して垂直に、及び／又は任意の領域を走査するように制御する。尚、電源投入後、別（所定）の場所から磁気ディスク８０３−１−１，８０３−１−２上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。また、制御は有線又は無線により通信制御を行い、磁気ヘッドを制御する磁気ヘッド制御情報を受信する磁気ヘッド制御情報受信手段と、制御情報受信手段により受信された制御情報に基づいて、磁気ヘッドからの読み込み、書き込み等の磁気ヘッドを制御する磁気ヘッド制御手段と、磁気ヘッド制御結果情報を送信する磁気ヘッド制御結果情報送信手段とが空中浮揚停止推進体に備えられている。）。また、図８（１２−２−１），図８（１２−２−２）に示すように、複数装着した場合、磁気ヘッド８０１−２−１を所定の個数（単数又は複数）だけ備えた空中浮揚停止推進磁気ヘッド８０２−２−１とし、所定の個数（単数又は複数）の磁気ヘッド８０１−２−１が備えられた空中浮揚停止推進磁気ヘッド８０２−２−１が磁気ディスク８０３−２−１，８０３−２−２上（面及び／又は下面）の其々所定の領域を磁気ディスク８０３−２−１，８０３−２−２上（面及び／又は下面）から所定の間隔で空中浮揚、停止、及び／又は推進して走査するように制御する（例えば、其々の所定の領域のトラック８０４−２−２に対して同心円状に、其々の所定の領域のトラック８０４−２−２に垂直に、及び／又は其々の所定の領域の任意の向き及び／又は距離を走査するように制御する。尚、電源投入後、別（所定）の場所から磁気ディスク８０３−２−１，８０３−２−２上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。また、制御は有線又は無線により通信制御を行い、磁気ヘッドを制御する磁気ヘッド制御情報を受信する磁気ヘッド制御情報受信手段と、制御情報受信手段により受信された制御情報に基づいて、磁気ヘッドからの読み込み、書き込み等の磁気ヘッドを制御する磁気ヘッド制御手段と、磁気ヘッド制御結果情報を送信する磁気ヘッド制御結果情報送信手段とが空中浮揚停止推進体に備えられている。）。また、図８（１２−２−３）に示すように、複数装着した場合、磁気ディスク８０３−３の記憶領域に対応した個数の磁気ヘッド８０１−３を空中浮揚停止推進体に備えた空中浮揚停止推進磁気ヘッド８０２−３とし、空中浮揚停止推進磁気ヘッド８０２−３は磁気ディスク８０３−３上（面及び／又は下面）を所定の間隔で空中浮揚、停止したままで、磁気ディスク８０３−３への読み取り、書き込みを行うようにしてもよい（尚、電源投入後、別（所定）の場所から磁気ディスク上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。また、制御は有線又は無線により通信制御を行い、磁気ヘッドを制御する磁気ヘッド制御情報を受信する磁気ヘッド制御情報受信手段と、制御情報受信手段により受信された制御情報に基づいて、磁気ヘッドからの読み込み、書き込み等の磁気ヘッドを制御する磁気ヘッド制御手段と、磁気ヘッド制御結果情報を送信する磁気ヘッド制御結果情報送信手段とが空中浮揚停止推進体に備えられている。）。尚、以上において、磁気ディスク８０３上（面及び／又は下面）の空中浮揚停止推進磁気ヘッド８０２の走査は、磁気ディスク８０３と所定の間隔を有していればよく、例えば、図８(１２−４)に示すように、空中浮揚停止推進磁気ヘッド８０２−４を磁気ディスク８０３−４に対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気ヘッド８０２−４の到達は所定の記憶領域に到達できればよく、どのような手段をとってもよい。尚、図８(１２)においては、磁気ディスク８０３は上面又は下面を上にした場合を示しており、下面の場合は、上下を逆にして図示したものとなる。
【０１７０】
以上説明したようにすれば、磁気ヘッド８０２による磁気ディスク８０３へのクラッシュ、吸着等の障害を回避するようにすることができる。また、磁気ディスク８０３を回転させる必要が無く、読み込み、書き込み等の必要な処理を行う必要な記憶領域上のみの走査だけとすることができ、記憶領域で発生する様々な記憶領域に於ける障害等を回避することができる。また、図８(１２−３)の場合（磁気ディスク８０３−３の記憶領域に対応した個数の磁気ヘッド８０１−３を空中浮揚停止推進体に備えた空中浮揚停止推進磁気ヘッド８０２−３とし、空中浮揚停止推進磁気ヘッド８０２−３は磁気ディスク８０３−３上（面及び／又は下面）を所定の間隔で空中浮揚、停止したままで、磁気ディスク８０３−３への読み取り、書き込みを行うように制御する場合）、空中浮揚停止推進磁気ヘッド８０２が空中に浮揚して停止しており、走査する必要がない為、記憶領域で発生する様々な記憶領域に於ける障害等を回避することができる。また、空中浮揚停止推進磁気ヘッド具備磁気ディスク装置の空中浮揚停止推進磁気ヘッドに後述する遠隔物体操作機及び／又は物体遠隔操作システムを備え、ディスクの走査及び／又は読み書き中、ディスクとの所望の走査及び／又は読み書き距離と距離が異なる位置に存在する異物を位置センサ（位置計測手段）が備えられた後述する遠隔物体操作機及び／又は物体遠隔操作システムにより検知し、遠隔に操作し、ディスク上から取り除いてから走査及び／又は読み書きを継続するようにしてもよい。このようにすれば、記憶領域で発生するクラッシュ、吸着等の様々な記憶領域に於ける障害等を回避することができる。
【０１７１】
尚、以上において、磁気ディスクを光ディスク、磁気ヘッドを光ヘッド、磁気ディスク装置を光ディスク装置とした空中浮揚停止推進光ヘッド具備光ディスク装置としてもよい。すなわち、本願発明の空中浮揚停止推進電子機器若しくは機器を磁気（及び／又は光）ヘッドに応用し、図８（１２）に示すように、磁気（及び／又は光）ヘッド８０１を単数又は複数装着した空中浮揚停止推進磁気（及び／又は光）ヘッド８０２とした磁気（及び／又は光）ディスク装置８００としてもよい。図８（１２−１−１），図８（１２−１−２）に示すように、単数装着した場合、空中浮揚停止推進磁気（及び／又は光）ヘッド８０１−１−１，８０１−１−２は、磁気（及び／又は光）ディスク８０３−１−１，８０３−１−２上（面及び／又は下面）を所定の間隔で空中浮揚、停止、及び／又は推進して走査するように制御する（例えば、トラック８０４−１−２に対して同心円状に、トラック８０４−１−２に対して垂直に、及び／又は任意の領域を走査するように制御する。尚、電源投入後、別（所定）の場所から磁気（及び／又は光）ディスク８０３−１−１，８０３−１−２上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。また、制御は有線又は無線により通信制御を行い、磁気（及び／又は光）ヘッドを制御する磁気（及び／又は光）ヘッド制御情報を受信する磁気（及び／又は光）ヘッド制御情報受信手段と、制御情報受信手段により受信された制御情報に基づいて、磁気（及び／又は光）ヘッドからの読み込み、書き込み等の磁気（及び／又は光）ヘッドを制御する磁気（及び／又は光）ヘッド制御手段と、磁気（及び／又は光）ヘッド制御結果情報を送信する磁気（及び／又は光）ヘッド制御結果情報送信手段とが空中浮揚停止推進体に備えられている。）。また、図８（１２−２−１），図８（１２−２−２）に示すように、複数装着した場合、磁気（及び／又は光）ヘッド８０１−２−１を所定の個数（単数又は複数）だけ備えた空中浮揚停止推進磁気（及び／又は光）ヘッド８０２−２−１とし、所定の個数（単数又は複数）の磁気（及び／又は光）ヘッド８０１−２−１が備えられた空中浮揚停止推進磁気（及び／又は光）ヘッド８０２−２−１が磁気（及び／又は光）ディスク８０３−２−１，８０３−２−２上（面及び／又は下面）の其々所定の領域を磁気（及び／又は光）ディスク８０３−２−１，８０３−２−２上（面及び／又は下面）から所定の間隔で空中浮揚、停止、及び／又は推進して走査するように制御する（例えば、其々の所定の領域のトラック８０４−２−２に対して同心円状に、其々の所定の領域のトラック８０４−２−２に垂直に、及び／又は其々の所定の領域の任意の向き及び／又は距離を走査するように制御する。尚、電源投入後、別（所定）の場所から磁気（及び／又は光）ディスク８０３−２−１，８０３−２−２上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。また、制御は有線又は無線により通信制御を行い、磁気（及び／又は光）ヘッドを制御する磁気（及び／又は光）ヘッド制御情報を受信する磁気（及び／又は光）ヘッド制御情報受信手段と、制御情報受信手段により受信された制御情報に基づいて、磁気（及び／又は光）ヘッドからの読み込み、書き込み等の磁気（及び／又は光）ヘッドを制御する磁気（及び／又は光）ヘッド制御手段と、磁気（及び／又は光）ヘッド制御結果情報を送信する磁気（及び／又は光）ヘッド制御結果情報送信手段とが空中浮揚停止推進体に備えられている。）。また、図８（１２−２−３）に示すように、複数装着した場合、磁気（及び／又は光）ディスク８０３−３の記憶領域に対応した個数の磁気（及び／又は光）ヘッド８０１−３を空中浮揚停止推進体に備えた空中浮揚停止推進磁気（及び／又は光）ヘッド８０２−３とし、空中浮揚停止推進磁気（及び／又は光）ヘッド８０２−３は磁気（及び／又は光）ディスク８０３−３上（面及び／又は下面）を所定の間隔で空中浮揚、停止したままで、磁気（及び／又は光）ディスク８０３−３への読み取り、書き込みを行うようにしてもよい（尚、電源投入後、別（所定）の場所から磁気（及び／又は光）ディスク上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。また、制御は有線又は無線により通信制御を行い、磁気（及び／又は光）ヘッドを制御する磁気（及び／又は光）ヘッド制御情報を受信する磁気（及び／又は光）ヘッド制御情報受信手段と、制御情報受信手段により受信された制御情報に基づいて、磁気（及び／又は光）ヘッドからの読み込み、書き込み等の磁気（及び／又は光）ヘッドを制御する磁気（及び／又は光）ヘッド制御手段と、磁気（及び／又は光）ヘッド制御結果情報を送信する磁気（及び／又は光）ヘッド制御結果情報送信手段とが空中浮揚停止推進体に備えられている。）尚、以上において、磁気（及び／又は光）ディスク８０３上（面及び／又は下面）の空中浮揚停止推進磁気（及び／又は光）ヘッド８０２の走査は、磁気（及び／又は光）ディスク８０３と所定の間隔を有していればよく、例えば、図８(１２−４)に示すように、空中浮揚停止推進磁気（及び／又は光）ヘッド８０２−４を磁気（及び／又は光）ディスク８０３−４に対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッド８０２−４の到達は所定の記憶領域に到達できればよく、どのような手段をとってもよい。尚、図８(１２)にお��ては、磁気（及び／又は光）ディスク８０３は上面又は下面を上にした場合を示しており、下面の場合は、上下を逆にして図示したものとなる。
【０１７２】
以上説明したようにすれば、磁気（及び／又は光）ディスクを回転させる必要がないと共に、磁気（及び／又は光）ヘッド８０２による磁気（及び／又は光）ディスクへのクラッシュ、吸着等の障害を回避するようにすることができる。また、磁気（及び／又は光）ディスク８０３を回転させる必要が無く、読み込み、書き込み等の必要な処理を行う必要な記憶領域上のみの走査だけとすることができ、記憶領域で発生する様々な記憶領域に於ける障害等を回避することができる。また、図８(１２−３)の場合（磁気（及び／又は光）ディスク８０３−３の記憶領域に対応した個数の磁気（及び／又は光）ヘッド８０１−３を空中浮揚停止推進体に備えた空中浮揚停止推進磁気（及び／又は光）ヘッド８０２−３とし、空中浮揚停止推進磁気（及び／又は光）ヘッド８０２−３は磁気（及び／又は光）ディスク８０３−３上（面及び／又は下面）を所定の間隔で空中浮揚、停止したままで、磁気（及び／又は光）ディスク８０３−３への読み取り、書き込みを行うように制御する場合）、空中浮揚停止推進磁気（及び／又は光）ヘッド８０２−３が空中に浮揚して停止しており、走査する必要がない為、記憶領域で発生する様々な記憶領域に於ける障害等を回避することができる。また、空中浮揚停止推進磁気（及び／又は光）ヘッド具備磁気（及び／又は光）ディスク装置の空中浮揚停止推進磁気（及び／又は光）ヘッドに後述する遠隔物体操作機及び／又は物体遠隔操作システムを備え、ディスクの走査及び／又は読み書き中、ディスクとの所望の走査及び／又は読み書き距離と距離が異なる位置に存在する異物を位置センサ（位置計測手段）が備えられた後述する遠隔物体操作機及び／又は物体遠隔操作システムにより検知し、遠隔に操作し、ディスク上から取り除いてから走査及び／又は読み書きを継続するようにしてもよい。このようにすれば、記憶領域で発生するクラッシュ、吸着等の様々な記憶領域に於ける障害等を回避することができる。
【０１７３】
より詳細には、以下のようになる。
【０１７４】
また、本願発明の空中浮揚停止推進電子機器若しくは機器を磁気ヘッドに応用し、図８（１２）に示すように、磁気ヘッド８０１を単数又は複数装着した空中浮揚停止推進磁気ヘッド８０２とした磁気ディスク装置８００としてもよい。図８（１２−１−１），図８（１２−１−２）に示すように、単数装着した場合、空中浮揚停止推進磁気ヘッド８０１−１−１，８０１−１−２は、磁気ディスク８０３−１−１，８０３−１−２上を所定の間隔で空中浮揚、停止、及び／又は推進して走査するように制御する（例えば、トラック８０４−１−２に対して同心円状に、トラック８０４−１−２に対して垂直に、及び／又は任意の領域を走査するように制御する。尚、電源投入後、別（所定）の場所から磁気ディスク８０３−１−１，８０３−１−２上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。（以下では、空中浮揚停止推進磁気ヘッドのことを磁気ヘッドと略して称する。）また、制御は有線又は無線により通信制御を行い、磁気ヘッドを制御する磁気ヘッド制御情報（走査制御情報を含む）を受信する第１の磁気ヘッド制御情報受信手段と、第１の磁気ヘッド制御情報受信手段により受信された磁気ヘッド制御情報（及び／又は位置計測手段に計測された位置計測情報）に基づいて、磁気ヘッド制御情報（走査制御情報を含む）を生成し、磁気ヘッドからの読み込み、書き込み等の磁気ヘッド（空中浮揚停止推進体及び／又は磁気ヘッド）を後述する磁気ヘッド制御手段により制御（走査制御を含む）する磁気ヘッド制御情報生成／制御手段と、磁気ヘッド制御情報生成／制御手段により生成された磁気ヘッド制御情報（走査制御情報を含む）に基づいて、磁気ヘッド（空中浮揚停止推進体及び／又は磁気ヘッド）を制御する磁気ヘッド制御手段と、磁気ヘッド制御手段により制御された、磁気ヘッド制御結果情報（及び／又は位置計測手段により計測された位置計測情報を含む）を送信する第１の磁気ヘッド制御結果情報送信手段とから構成される第１の磁気ヘッド制御手段が空中浮揚停止推進体に備えられている。及び／又は、磁気ヘッドを制御する磁気ヘッド制御情報（及び／又は走査制御情報を含む）を受信する第２の磁気ヘッド制御情報受信手段と、及び／又は、第２の磁気ヘッド制御結果情報受信手段により受信された磁気ヘッド制御情報（及び／又は走査制御情報を含む）（及び／又は位置計測手段に計測された位置計測情報）に基づいて、磁気ヘッド制御情報（走査制御情報を含む）を生成する磁気ヘッド制御情報生成手段と、第２の磁気ヘッド制御情報受信手段により受信された、及び／又は、磁気ヘッド制御情報生成手段により生成された磁気ヘッドを制御する磁気ヘッド制御情報（走査制御情報を含む）を第１の磁気ヘッド制御情報受信手段に送信する第２の磁気ヘッド制御情報送信手段と、第１の磁気ヘッド制御結果情報送信手段により送信された磁気ヘッド制御結果情報（及び／又は位置計測手段により計測された位置計測情報を含む）を受信する第２の磁気ヘッド制御結果情報受信手段と、第２の磁気ヘッド制御結果情報受信手段により受信された磁気ヘッド制御結果情報（及び／又は位置計測手段により計測された位置計測情報を含む）を送信する第２の磁気ヘッド制御結果情報送信手段とから構成される第２の磁気ヘッド制御手段を、空中浮揚停止推進磁気ヘッドに有している、又は、を、（及び／又は磁気ディスク装置を含む）空中浮揚停止推進磁気ヘッド具備磁気ディスク装置に備えられている。）。また、図８（１２−２−１），図８（１２−２−２）に示すように、複数装着した場合、磁気ヘッド８０１−２−１を空中浮揚停止推進体に所定の個数（単数又は複数）だけ備えた空中浮揚停止推進磁気ヘッド８０２−２−１とし、所定の個数（単数又は複数）の磁気ヘッド８０１−２−１が備えられた空中浮揚停止推進磁気ヘッド８０２−２−１が磁気ディスク８０３−２−１，８０３−２−２上（面及び／又は下面）の其々所定の領域を磁気ディスク８０３−２−１，８０３−２−２上（面及び／又は下面）から所定の間隔で空中浮揚、停止、及び／又は推進して走査するように制御する（例えば、其々の所定の領域のトラック８０４−２−２に対して同心円状に、其々の所定の領域のトラック８０４−２−２に垂直に、及び／又は其々の所定の領域の任意の向き及び／又は距離を走査するように制御する。尚、電源投入後、別（所定）の場所から磁気ディスク８０３−２−１，８０３−２−２上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。（以下では、空中浮揚停止推進磁気ヘッドのことを磁気ヘッドと略して称する。）また、制御は有線又は無線により通信制御を行い、磁気ヘッドを制御する磁気ヘッド制御情報（走査制御情報を含む）を受信する第１の磁気ヘッド制御情報受信手段と、第１の磁気ヘッド制御情報受信手段により受信された磁気ヘッド制御情報（及び／又は位置計測手段に計測された位置計測情報）に基づいて、磁気ヘッド制御情報（走査制御情報を含む）を生成し、磁気ヘッドからの読み込み、書き込み等の磁気ヘッド（空中浮揚停止推進体及び／又は磁気ヘッド）を後述する磁気ヘッド制御手段により制御（走査制御を含む）する磁気ヘッド制御情報生成／制御手段と、磁気ヘッド制御情報生成／制御手段により生成された磁気ヘッド制御情報（走査制御情報を含む）に基づいて、磁気ヘッド（空中浮揚停止推進体及び／又は磁気ヘッド）を制御する磁気ヘッド制御手段と、磁気ヘッド制御手段により制御された、磁気ヘッド制御結果情報（及び／又は位置計測手段により計測された位置計測情報を含む）を送信する第１の磁気ヘッド制御結果情報送信手段とから構成される第１の磁気ヘッド制御手段が空中浮揚停止推進体に備えられている。及び／又は、磁気ヘッドを制御する磁気ヘッド制御情報（及び／又は走査制御情報を含む）を受信する第２の磁気ヘッド制御情報受信手段と、及び／又は、第２の磁気ヘッド制御結果情報受信手段により受信された磁気ヘッド制御情報（及び／又は走査制御情報を含む）（及び／又は位置計測手段に計測された位置計測情報）に基づいて、磁気ヘッド制御情報（走査制御情報を含む）を生成する磁気ヘッド制御情報生成手段と、第２の磁気ヘッド制御情報受信手段により受信された、及び／又は、磁気ヘッド制御情報生成手段により生成された磁気ヘッドを制御する磁気ヘッド制御情報（走査制御情報を含む）を第１の磁気ヘッド制御情報受信手段に送信する第２の磁気ヘッド制御情報送信手段と、第１の磁気ヘッド制御結果情報送信手段により送信された磁気ヘッド制御結果情報（及び／又は位置計測手段により計測された位置計測情報を含む）を受信する第２の磁気ヘッド制御結果情報受信手段と、第２の磁気ヘッド制御結果情報受信手段により受信された磁気ヘッド制御結果情報（及び／又は位置計測手段により計測された位置計測情報を含む）を送信する第２の磁気ヘッド制御結果情報送信手段とから構成される第２の磁気ヘッド制御手段を、空中浮揚停止推進磁気ヘッドに有している、又は、を、（及び／又は磁気ディスク装置を含む）空中浮揚停止推進磁気ヘッド具備磁気ディスク装置に備えられている。）。また、図８（１２−２−３）に示すように、複数装着した場合、磁気ディスク８０３−３の記憶領域に対応した個数の磁気ヘッド８０１−３を空中浮揚停止推進体に備えた空中浮揚停止推進磁気ヘッド８０２−３とし、空中浮揚停止推進磁気ヘッド８０２−３は磁気ディスク８０３−３上（面及び／又は下面）を所定の間隔で空中浮揚、停止したままで、磁気ディスク８０３−３への読み取り、書き込みを行うようにしてもよい（尚、電源投入後、別（所定）の場所から磁気ディスク上（面及び／又は下面）に移動するように制御し、終了時は、別（所定）の場所へ移動するように制御し、図８（１２−４）に示すように、所定の記憶領域への空中浮揚停止推進磁気ヘッド８０２−４の到達（移動）制御は、所望（各種）の到達手段（移動経路）により到達（移動）できるように制御する。（以下では、空中浮揚停止推進磁気ヘッドのことを磁気ヘッドと略して称する。）また、制御は有線又は無線により通信制御を行い、磁気ヘッドを制御する磁気ヘッド制御情報（走査制御情報を含む）を受信する第１の磁気ヘッド制御情報受信手段と、第１の磁気ヘッド制御情報受信手段により受信された磁気ヘッド制御情報（及び／又は位置計測手段に計測された位置計測情報）に基づいて、磁気ヘッド制御情報（走査制御情報を含む）を生成し、磁気ヘッドからの読み込み、書き込み等の磁気ヘッド（空中浮揚停止推進体及び／又は磁気ヘッド）を後述する磁気ヘッド制御手段により制御（走査制御を含む）する磁気ヘッド制御情報生成／制御手段と、磁気ヘッド制御情報生成／制御手段により生成された磁気ヘッド制御情報（走査制御情報を含む）に基づいて、磁気ヘッド（空中浮揚停止推進体及び／又は磁気ヘッド）を制御する磁気ヘッド制御手段と、磁気ヘッド制御手段により制御された、磁気ヘッド制御結果情報（及び／又は位置計測手段により計測された位置計測情報を含む）を送信する第１の磁気ヘッド制御結果情報送信手段とから構成される第１の磁気ヘッド制御手段が空中浮揚停止推進体に備えられている。及び／又は、磁気ヘッドを制御する磁気ヘッド制御情報（及び／又は走査制御情報を含む）を受信する第２の磁気ヘッド制御情報受信手段と、及び／又は、第２の磁気ヘッド制御結果情報受信手段により受信された磁気ヘッド制御情報（及び／又は走査制御情報を含む）（及び／又は位置計測手段に計測された位置計測情報）に基づいて、磁気ヘッド制御情報（走査制御情報を含む）を生成する磁気ヘッド制御情報生成手段と、第２の磁気ヘッド制御情報受信手段により受信された、及び／又は、磁気ヘッド制御情報生成手段により生成された磁気ヘッドを制御する磁気ヘッド制御情報（走査制御情報を含む）を第１の磁気ヘッド制御情報受信手段に送信する第２の磁気ヘッド制御情報送信手段と、第１の磁気ヘッド制御結果情報送信手段により送信された磁気ヘッド制御結果情報（及び／又は位置計測手段により計測された位置計測情報を含む）を受信する第２の磁気ヘッド制御結果情報受信手段と、第２の磁気ヘッド制御結果情報受信手段により受信された磁気ヘッド制御結果情報（及び／又は位置計測手段により計測された位置計測情報を含む）を送信する第２の磁気ヘッド制御結果情報送信手段とから構成される第２の磁気ヘッド制御手段を、空中浮揚停止推進磁気ヘッドに有している、又は、を、（及び／又は磁気ディスク装置を含む）空中浮揚停止推進磁気ヘッド具備磁気ディスク装置に備えられている。）。尚、以上において、磁気ディスク８０３上（面及び／又は下面）の空中浮揚停止推進磁気ヘッド８０２の走査は、（及び／又は（及び／又は磁気ディスク装置を含む）空中浮揚停止推進磁気ヘッド具備磁気ディスク装置に及び／又は空中浮揚停止推進磁気ヘッドの空中浮揚停止推進体に単数又は複数備えられた位置計測手段により計測された位置計測情報に基づいた、及び／又は、設定された）走査制御情報に基づいて、磁気ヘッド制御情報生成／制御手段により走査制御され、）磁気ディスク８０３と所定の間隔を有していればよく、例えば、図８(１２−４)に示すように、空中浮揚停止推進磁気ヘッド８０２−４を磁気ディスク８０３−４に対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気ヘッド８０２−４の到達は所定の記憶領域に到達できれ
ばよく、どのような手段をとってもよい。尚、図８(１２)においては、磁気ディスク８０３は上面又は下面を上にした場合を示しており、下面の場合は、上下を逆にして図示したものとなる。
【０１７５】
以上説明したようにすれば、磁気ヘッド８０２による磁気ディスク８０３へのクラッシュ、吸着等の障害を回避するようにすることができる。また、磁気ディスク８０３を回転させる必要が無く、読み込み、書き込み等の必要な処理を行う必要な記憶領域上のみの走査だけとすることができ、記憶領域で発生する様々な記憶領域に於ける障害等を回避することができる。また、図８(１２−３)の場合（磁気ディスク８０３−３の記憶領域に対応した個数の磁気ヘッド８０１−３を空中浮揚停止推進体に備えた空中浮揚停止推進磁気ヘッド８０２−３とし、空中浮揚停止推進磁気ヘッド８０２−３は磁気ディスク８０３−３上（面及び／又は下面）を所定の間隔で空中浮揚、停止したままで、磁気ディスク８０３−３への読み取り、書き込みを行うように制御する場合）、空中浮揚停止推進磁気ヘッド８０２が空中に浮揚して停止しており、走査する必要がない為、記憶領域で発生する様々な記憶領域に於ける障害等を回避することができる。また、（及び／又は磁気ディスク装置を含む）空中浮揚停止推進磁気ヘッド具備磁気ディスク装置に、及び／又は、空中浮揚停止推進磁気ヘッド具備磁気ディスク装置の空中浮揚停止推進磁気ヘッドに備えられている空中浮揚停止推進体に、後述する遠隔物体操作機及び／又は物体遠隔操作システムを単数又は複数備え、後述する遠隔物体操作機及び／又は物体遠隔操作システムにより、及び／又は、第１及び／又は第２の磁気ヘッド制御手段による制御による、後述する遠隔物体操作機及び／又は物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置センサ（位置計測手段）が備えられた後述する遠隔物体操作機及び／又は物体遠隔操作システムにより検知し、遠隔に操作し、ディスク上から取り除くようにし、及び／又は、取り除いてから走査及び／又は読み書きを継続するようにしてもよい。このようにすれば、記憶領域で発生するクラッシュ、吸着等の様々な記憶領域に於ける障害等を回避することができる。
【０１７６】
尚、以上において、磁気ディスクを光ディスク、磁気ヘッドを光ヘッド、磁気ディスク装置を光ディスク装置とした空中浮揚停止推進光ヘッド具備光ディスク装置としてもよい。すなわち、本願発明の空中浮揚停止推進電子機器若しくは機器を磁気（及び／又は光）ヘッドに応用し、図８（１２）に示すように、磁気（及び／又は光）ヘッド８０１を単数又は複数装着した空中浮揚停止推進磁気（及び／又は光）ヘッド８０２とした磁気（及び／又は光）ディスク装置８００としてもよい。図８（１２−１−１），図８（１２−１−２）に示すように、単数装着した場合、空中浮揚停止推進磁気（及び／又は光）ヘッド８０１−１−１，８０１−１−２は、磁気（及び／又は光）ディスク８０３−１−１，８０３−１−２上（面及び／又は下面）を所定の間隔で空中浮揚、停止、及び／又は推進して走査するように制御する（例えば、トラック８０４−１−２に対して同心円状に、トラック８０４−１−２に対して垂直に、及び／又は任意の領域を走査するように制御する。尚、電源投入後、別（所定）の場所から磁気（及び／又は光）ディスク８０３−１−１，８０３−１−２上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。（以下では、空中浮揚停止推進磁気（及び／又は光）ヘッドのことを磁気（及び／又は光）ヘッドと略して称する。）また、制御は有線又は無線により通信制御を行い、磁気（及び／又は光）ヘッドを制御する磁気（及び／又は光）ヘッド制御情報（走査制御情報を含む）を受信する第１の磁気（及び／又は光）ヘッド制御情報受信手段と、第１の磁気（及び／又は光）ヘッド制御情報受信手段により受信された磁気（及び／又は光）ヘッド制御情報（及び／又は位置計測手段に計測された位置計測情報）に基づいて、磁気（及び／又は光）ヘッド制御情報（走査制御情報を含む）を生成し、磁気（及び／又は光）ヘッドからの読み込み、書き込み等の磁気（及び／又は光）ヘッド（空中浮揚停止推進体及び／又は磁気（及び／又は光）ヘッド）を後述する磁気（及び／又は光）ヘッド制御手段により制御（走査制御を含む）する磁気（及び／又は光）ヘッド制御情報生成／制御手段と、磁気（及び／又は光）ヘッド制御情報生成／制御手段により生成された磁気（及び／又は光）ヘッド制御情報（走査制御情報を含む）に基づいて、磁気（及び／又は光）ヘッド（空中浮揚停止推進体及び／又は磁気（及び／又は光）ヘッド）を制御する磁気（及び／又は光）ヘッド制御手段と、磁気（及び／又は光）ヘッド制御手段により制御された、磁気（及び／又は光）ヘッド制御結果情報（及び／又は位置計測手段により計測された位置計測情報を含む）を送信する第１の磁気（及び／又は光）ヘッド制御結果情報送信手段とから構成される第１の磁気（及び／又は光）ヘッド制御手段が空中浮揚停止推進体に備えられている。及び／又は、磁気（及び／又は光）ヘッドを制御する磁気（及び／又は光）ヘッド制御情報（及び／又は走査制御情報を含む）を受信する第２の磁気（及び／又は光）ヘッド制御情報受信手段と、及び／又は、第２の磁気（及び／又は光）ヘッド制御結果情報受信手段により受信された磁気（及び／又は光）ヘッド制御情報（及び／又は走査制御情報を含む）（及び／又は位置計測手段に計測された位置計測情報）に基づいて、磁気（及び／又は光）ヘッド制御情報（走査制御情報を含む）を生成する磁気（及び／又は光）ヘッド制御情報生成手段と、第２の磁気（及び／又は光）ヘッド制御情報受信手段により受信された、及び／又は、磁気（及び／又は光）ヘッド制御情報生成手段により生成された磁気（及び／又は光）ヘッドを制御する磁気（及び／又は光）ヘッド制御情報（走査制御情報を含む）を第１の磁気（及び／又は光）ヘッド制御情報受信手段に送信する第２の磁気（及び／又は光）ヘッド制御情報送信手段と、第１の磁気（及び／又は光）ヘッド制御結果情報送信手段により送信された磁気（及び／又は光）ヘッド制御結果情報（及び／又は位置計測手段により計測された位置計測情報を含む）を受信する第２の磁気（及び／又は光）ヘッド制御結果情報受信手段と、第２の磁気（及び／又は光）ヘッド制御結果情報受信手段により受信された磁気（及び／又は光）ヘッド制御結果情報（及び／又は位置計測手段により計測された位置計測情報を含む）を送信する第２の磁気（及び／又は光）ヘッド制御結果情報送信手段とから構成される第２の磁気（及び／又は光）ヘッド制御手段を、空中浮揚停止推進磁気（及び／又は光）ヘッドに有している、又は、を、（及び／又は磁気（及び／又は光）ディスク装置を含む）空中浮揚停止推進磁気（及び／又は光）ヘッド具備磁気（及び／又は光）ディスク装置に備えられている。）。また、図８（１２−２−１），図８（１２−２−２）に示すように、複数装着した場合、磁気（及び／又は光）ヘッド８０１−２−１を空中浮揚停止推進体に所定の個数（単数又は複数）だけ備えた空中浮揚停止推進磁気（及び／又は光）ヘッド８０２−２−１とし、所定の個数（単数又は複数）の磁気（及び／又は光）ヘッド８０１−２−１が備えられた空中浮揚停止推進磁気（及び／又は光）ヘッド８０２−２−１が磁気（及び／又は光）ディスク８０３−２−１，８０３−２−２上（面及び／又は下面）の其々所定の領域を磁気（及び／又は光）ディスク８０３−２−１，８０３−２−２上（面及び／又は下面）から所定の間隔で空中浮揚、停止、及び／又は推進して走査するように制御する（例えば、其々の所定の領域のトラック８０４−２−２に対して同心円状に、其々の所定の領域のトラック８０４−２−２に垂直に、及び／又は其々の所定の領域の任意の向き及び／又は距離を走査するように制御する。尚、電源投入後、別（所定）の場所から磁気（及び／又は光）ディスク８０３−２−１，８０３−２−２上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。（以下では、空中浮揚停止推進磁気（及び／又は光）ヘッドのことを磁気（及び／又は光）ヘッドと略して称する。）また、制御は有線又は無線により通信制御を行い、磁気（及び／又は光）ヘッドを制御する磁気（及び／又は光）ヘッド制御情報（走査制御情報を含む）を受信する第１の磁気（及び／又は光）ヘッド制御情報受信手段と、第１の磁気（及び／又は光）ヘッド制御情報受信手段により受信された磁気（及び／又は光）ヘッド制御情報（及び／又は位置計測手段に計測された位置計測情報）に基づいて、磁気（及び／又は光）ヘッド制御情報（走査制御情報を含む）を生成し、磁気（及び／又は光）ヘッドからの読み込み、書き込み等の磁気（及び／又は光）ヘッド（空中浮揚停止推進体及び／又は磁気（及び／又は光）ヘッド）を後述する磁気（及び／又は光）ヘッド制御手段により制御（走査制御を含む）する磁気（及び／又は光）ヘッド制御情報生成／制御手段と、磁気（及び／又は光）ヘッド制御情報生成／制御手段により生成された磁気（及び／又は光）ヘッド制御情報（走査制御情報を含む）に基づいて、磁気（及び／又は光）ヘッド（空中浮揚停止推進体及び／又は磁気（及び／又は光）ヘッド）を制御する磁気（及び／又は光）ヘッド制御手段と、磁気（及び／又は光）ヘッド制御手段により制御された、磁気（及び／又は光）ヘッド制御結果情報（及び／又は位置計測手段により計測された位置計測情報を含む）を送信する第１の磁気（及び／又は光）ヘッド制御結果情報送信手段とから構成される第１の磁気（及び／又は光）ヘッド制御手段が空中浮揚停止推進体に備えられている。及び／又は、磁気（及び／又は光）ヘッドを制御する磁気（及び／又は光）ヘッド制御情報（及び／又は走査制御情報を含む）を受信する第２の磁気（及び／又は光）ヘッド制御情報受信手段と、及び／又は、第２の磁気（及び／又は光）ヘッド制御結果情報受信手段により受信された磁気（及び／又は光）ヘッド制御情報（及び／又は走査制御情報を含む）（及び／又は位置計測手段に計測された位置計測情報）に基づいて、磁気（及び／又は光）ヘッド制御情報（走査制御情報を含む）を生成する磁気（及び／又は光）ヘッド制御情報生成手段と、第２の磁気（及び／又は光）ヘッド制御情報受信手段により受信された、及び／又は、磁気（及び／又は光）ヘッド制御情報生成手段により生成された磁気（及び／又は光）ヘッドを制御する磁気（及び／又は光）ヘッド制御情報（走査制御情報を含む）を第１の磁気（及び／又は光）ヘッド制御情報受信手段に送信する第２の磁気（及び／又は光）ヘッド制御情報送信手段と、第１の磁気（及び／又は光）ヘッド制御結果情報送信手段により送信された磁気（及び／又は光）ヘッド制御結果情報（及び／又は位置計測手段により計測された位置計測情報を含む）を受信する第２の磁気（及び／又は光）ヘッド制御結果情報受信手段と、第２の磁気（及び／又は光）ヘッド制御結果情報受信手段により受信された磁気（及び／又は光）ヘッド制御結果情報（及び／又は位置計測手段により計測された位置計測情報を含む）を送信する第２の磁気（及び／又は光）ヘッド制御結果情報送信手段とから構成される第２の磁気（及び／又は光）ヘッド制御手段を、空中浮揚停止推進磁気（及び／又は光）ヘッドに有している、又は、を、（及び／又は磁気（及び／又は光）ディスク装置を含む）空中浮揚停止推進磁気（及び／又は光）ヘッド具備磁気（及び／又は光）ディスク装置に備えられている。）。また、図８（１２−２−３）に示すように、複数装着した場合、磁気（及び／又は光）ディスク８０３−３の記憶領域に対応した個数の磁気（及び／又は光）ヘッド８０１−３を空中浮揚停止推進体に備えた空中浮揚停止推進磁気（及び／又は光）ヘッド８０２−３とし、空中浮揚停止推進磁気（及び／又は光）ヘッド８０２−３は磁気（及び／又は光）ディスク８０３−３上（面及び／又は下面）を所定の間隔で空中浮揚、停止したままで、磁気（及び／又は光）ディスク８０３−３への読み取り、書き込みを行うようにしてもよい（尚、電源投入後、別（所定）の場所から磁気（及び／又は光）ディスク上（面及び／又は下面）に移動するように制御し、終了時は、別（所定）の場所へ移動するように制御し、図８（１２−４）に示すように、所定の記憶領域への空中浮揚停止推進磁気（及び／又は光）ヘッド８０２−４の到達（移動）制御は、所望（各種）の到達手段（移動経路）により到達（移動）できるように制御する。（以下では、空中浮揚停止推進磁気（及び／又は光）ヘッドのことを磁気（及び／又は光）ヘッドと略して称する。）また、制御は有線又は無線により通信制御を行い、磁気（及び／又は光）ヘッドを制御する磁気（及び／又は光）ヘッド制御情報（走査制御情報を含む）を受信する第１の磁気（及び／又は光）ヘッド制御情報受信手段と、第１の磁気（及び／又は光）ヘッド制御情報受信手段により受信された磁気（及び／又は光）ヘッド制御情報（及び／又は位置計測手段に計測された位置計測情報）に基づいて、磁気（及び／又は光）ヘッド制御情報（走査制御情報を含む）を生成し、磁気（及び／又は光）ヘッドからの読み込み、書き込み等の磁気（及び／又は光）ヘッド（空中浮揚停止推進体及び／又は磁気（及び／又は光）ヘッド）を後述する磁気（及び／又は光）ヘッド制御手段により制御（走査制御を含む）する磁気（及び／又は光）ヘッド制御情報生成／制御手段と、磁気（及び／又は光）ヘッド制御情報生成／制御手段により生成された磁気（及び／又は光）ヘッド制御情報（走査制御情報を含む）に基づいて、磁気（及び／又は光）ヘッド（空中浮揚停止推進体及び／又は磁気（及び／又は光）ヘッド）を制御する磁気（及び／又は光）
ヘッド制御手段と、磁気（及び／又は光）ヘッド制御手段により制御された、磁気（及び／又は光）ヘッド制御結果情報（及び／又は位置計測手段により計測された位置計測情報を含む）を送信する第１の磁気（及び／又は光）ヘッド制御結果情報送信手段とから構成される第１の磁気（及び／又は光）ヘッド制御手段が空中浮揚停止推進体に備えられている。及び／又は、磁気（及び／又は光）ヘッドを制御する磁気（及び／又は光）ヘッド制御情報（及び／又は走査制御情報を含む）を受信する第２の磁気（及び／又は光）ヘッド制御情報受信手段と、及び／又は、第２の磁気（及び／又は光）ヘッド制御結果情報受信手段により受信された磁気（及び／又は光）ヘッド制御情報（及び／又は走査制御情報を含む）（及び／又は位置計測手段に計測された位置計測情報）に基づいて、磁気（及び／又は光）ヘッド制御情報（走査制御情報を含む）を生成する磁気（及び／又は光）ヘッド制御情報生成手段と、第２の磁気（及び／又は光）ヘッド制御情報受信手段により受信された、及び／又は、磁気（及び／又は光）ヘッド制御情報生成手段により生成された磁気（及び／又は光）ヘッドを制御する磁気（及び／又は光）ヘッド制御情報（走査制御情報を含む）を第１の磁気（及び／又は光）ヘッド制御情報受信手段に送信する第２の磁気（及び／又は光）ヘッド制御情報送信手段と、第１の磁気（及び／又は光）ヘッド制御結果情報送信手段により送信された磁気（及び／又は光）ヘッド制御結果情報（及び／又は位置計測手段により計測された位置計測情報を含む）を受信する第２の磁気（及び／又は光）ヘッド制御結果情報受信手段と、第２の磁気（及び／又は光）ヘッド制御結果情報受信手段により受信された磁気（及び／又は光）ヘッド制御結果情報（及び／又は位置計測手段により計測された位置計測情報を含む）を送信する第２の磁気（及び／又は光）ヘッド制御結果情報送信手段とから構成される第２の磁気（及び／又は光）ヘッド制御手段を、空中浮揚停止推進磁気（及び／又は光）ヘッドに有している、又は、を、（及び／又は磁気（及び／又は光）ディスク装置を含む）空中浮揚停止推進磁気（及び／又は光）ヘッド具備磁気（及び／又は光）ディスク装置に備えられている。）尚、以上において、磁気（及び／又は光）ディスク８０３上（面及び／又は下面）の空中浮揚停止推進磁気（及び／又は光）ヘッド８０２の走査は、（及び／又は（及び／又は磁気（及び／又は光）ディスク装置を含む）空中浮揚停止推進磁気（及び／又は光）ヘッド具備磁気（及び／又は光）ディスク装置に及び／又は空中浮揚停止推進磁気（及び／又は光）ヘッドの空中浮揚停止推進体に単数又は複数備えられた位置計測手段により計測された位置計測情報に基づいた、及び／又は、設定された）走査制御情報に基づいて、磁気（及び／又は光）ヘッド制御情報生成／制御手段により走査制御され、）磁気（及び／又は光）ディスク８０３と所定の間隔を有していればよく、例えば、図８(１２−４)に示すように、空中浮揚停止推進磁気（及び／又は光）ヘッド８０２−４を磁気（及び／又は光）ディスク８０３−４に対して大きく上方（及び／又は下方）に上昇（及び／又は下降）した後に、所定の記憶領域上に移動し、���定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッド８０２−４の到達は所定の記憶領域に到達できればよく、どのような手段をとってもよい。尚、図８(１２)においては、磁気（及び／又は光）ディスク８０３は上面又は下面を上にした場合を示しており、下面の場合は、上下を逆にして図示したものとなる。
【０１７７】
以上説明したようにすれば、磁気（及び／又は光）ディスクを回転させる必要がないと共に、磁気（及び／又は光）ヘッド８０２による磁気（及び／又は光）ディスクへのクラッシュ、吸着等の障害を回避するようにすることができる。また、磁気（及び／又は光）ディスク８０３を回転させる必要が無く、読み込み、書き込み等の必要な処理を行う必要な記憶領域上のみの走査だけとすることができ、記憶領域で発生する様々な記憶領域に於ける障害等を回避することができる。また、図８(１２−３)の場合（磁気（及び／又は光）ディスク８０３−３の記憶領域に対応した個数の磁気（及び／又は光）ヘッド８０１−３を空中浮揚停止推進体に備えた空中浮揚停止推進磁気（及び／又は光）ヘッド８０２−３とし、空中浮揚停止推進磁気（及び／又は光）ヘッド８０２−３は磁気（及び／又は光）ディスク８０３−３上（面及び／又は下面）を所定の間隔で空中浮揚、停止したままで、磁気（及び／又は光）ディスク８０３−３への読み取り、書き込みを行うように制御する場合）、空中浮揚停止推進磁気（及び／又は光）ヘッド８０２−３が空中に浮揚して停止しており、走査する必要がない為、記憶領域で発生する様々な記憶領域に於ける障害等を回避することができる。また、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、後述する遠隔物体操作機及び／又は物体遠隔操作システムを単数又は複数備え、後述する遠隔物体操作機及び／又は物体遠隔操作システムにより、及び／又は、第１及び／又は第２の磁気（及び／又は光）ヘッド制御手段による制御による、後述する遠隔物体操作機及び／又は物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置センサ（位置計測手段）が備えられた後述する遠隔物体操作機及び／又は物体遠隔操作システムにより検知し、遠隔に操作し、ディスク上から取り除くようにし、及び／又は、取り除いてから走査及び／又は読み書きを継続するようにしてもよい。このようにすれば、記憶領域で発生するクラッシュ、吸着等の様々な記憶領域に於ける障害等を回避することができる。
【０１７８】
即ち、図８（１３）（１）に示すように、（尚、空中浮揚停止推進磁気（及び／又は光）ヘッド具備磁気（及び／又は光）ディスク装置の説明において、手段と記載されているものは、部（手段）及び／又は部（、装置、手段）とすることができ、第１の磁気（及び／又は光）ヘッド制御手段は、第１の磁気（及び／又は光）ヘッド制御部（、装置、手段）とすることができ、第２の磁気（及び／又は光）ヘッド制御手段は、第２の磁気（及び／又は光）ヘッド制御部（、装置、手段）とすることができる。また、図８（１３）中において、１６００は、空中浮揚停止推進磁気（及び／又は光）ヘッド具備磁気（及び／又は光）ディスク装置、＜第１の磁気（及び／又は光）ヘッド制御手段＞１６００−１は、第１の磁気（及び／又は光）ヘッド制御手段，１６０６−１は、第１の磁気（及び／又は光）ヘッド制御情報受信手段，１６０７−１は、磁気（及び／又は光）ヘッド制御情報生成／制御手段，１６０７−１’は、第１の磁気（及び／又は光）ヘッド遠隔操作情報生成／制御手段，１６０８−１は、磁気（及び／又は光）ヘッド制御手段，１６０９−１は、第１の磁気（及び／又は光）ヘッド制御結果情報送信手段，１６０１１は、位置計測手段，１６０１２は、遠隔物体操作機及び／又は物体遠隔操作システム、＜第２の磁気（及び／又は光）ヘッド制御手段＞１６００−２は、第２の磁気（及び／又は光）ヘッド制御手段，１６０６−２は、第２の磁気（及び／又は光）ヘッド制御情報受信手段，１６０７−２は、磁気（及び／又は光）ヘッド制御情報生成手段，１６０７−２’は、第２の磁気（及び／又は光）ヘッド遠隔操作情報生成／制御手段，１６０８−２は、第２の磁気（及び／又は光）ヘッド制御情報送信手段，１６０９−２は、第２の磁気（及び／又は光）ヘッド制御結果情報受信手段，１６１０−２は、第２の磁気（及び／又は光）ヘッド制御結果情報送信手段，１６１１は、位置計測手段，１６１２は、遠隔物体操作機及び／又は物体遠隔操作システムを其々示している。）
電磁気力を利用して空中に浮揚、停止、及び／又は推進することができるようにしたことを特徴とする空中浮揚停止推進電子機器若しくは機器であって、
本明細書中、特許請求の範囲中、図面中、及び／又は要約書中に記載の空中浮揚停止推進体電子機器若しくは機器において、
磁気（及び／又は光）ディスク装置において、磁気（及び／又は光）ヘッドを本明細書中、特許請求の範囲中、図面中、及び／又は要約書中に記載の空中浮揚停止推進体、若しくは本明細書中、特許請求の範囲中、図面中、及び／又は要約書中に記載の燃料無搭載燃料無線供給空中浮揚停止推進体に単数又は複数装着し、単数装着した場合、磁気（及び／又は光）ディスク上（面及び／又は下面）を所定の間隔で空中浮揚、停止、及び／又は推進して走査するように制御し（例えば、トラックに対して同心円状に、トラックに対して垂直に、及び／又は任意の領域を走査するように制御し）、複数装着した場合、磁気（及び／又は光）ヘッドを空中浮揚停止推進体に所定の個数（単数又は複数）だけ備えた空中浮揚停止推進磁気（及び／又は光）ヘッドとし、所定の個数（単数又は複数）の磁気（及び／又は光）ヘッドが備えられた空中浮揚停止推進磁気（及び／又は光）ヘッドが磁気（及び／又は光）ディスク上（面及び／又は下面）の其々所定の領域を磁気（及び／又は光）ディスク上（面及び／又は下面）から所定の間隔で空中浮揚、停止、及び／又は推進して走査するように制御するか（例えば、其々の所定の領域のトラックに対して同心円状に、其々の所定の領域のトラックに垂直に、及び／又は其々の所定の領域の任意の向き及び／又は距離を走査するように制御するか）、又は、複数装着した場合、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御し、以上の場合において、電源投入後、別（所定）の場所から磁気（及び／又は光）ディスク上に移動するように制御し、終了時は、別（所定）の場所へ移動するように制御し、所定の記憶領域への空中浮揚停止推進磁気（及び／又は光）ヘッドの到達（移動）制御は、所望（各種）の到達手段（移動経路）（尚、以上において、磁気（及び／又は光）ディスク上（面及び／又は下面）の空中浮揚停止推進磁気（及び／又は光）ヘッドの走査は、（及び／又は（及び／又は磁気（及び／又は光）ディスク装置を含む）空中浮揚停止推進磁気（及び／又は光）ヘッド具備磁気（及び／又は光）ディスク装置に及び／又は空中浮揚停止推進磁気（及び／又は光）ヘッド（以下では、空中浮揚停止推進磁気（及び／又は光）ヘッドのことを磁気（及び／又は光）ヘッドと略して称する。）の空中浮揚停止推進体に単数又は複数備えられた位置計測手段により計測された位置計測情報に基づいた、及び／又は、設定された）走査制御情報に基づいて、後述する磁気（及び／又は光）ヘッド制御情報生成／制御手段により走査制御され、）磁気（及び／又は光）ディスクと所定の間隔を有していればよく、例えば、空中浮揚停止推進磁気（及び／又は光）ヘッドを磁気（及び／又は光）ディスクに対して大きく上方（及び／又は下方）に上昇（及び／又は下降）した後に、所定の記憶領域上に移動し、所定の記憶領域に下降（及び／又は上昇）して、所定の記憶領域へ読み込み、書き込み等の所定の処理を行うようにしてもよく、所定の記憶領域への空中浮揚停止推進磁気（及び／又は光）ヘッドの到達は所定の記憶領域に到達できればよく、所望（各種）の到達手段（移動経路）としてよい）により到達（移動）できるように制御し、制御は有線又は無線により通信制御を行い、磁気（及び／又は光）ヘッドを制御する磁気（及び／又は光）ヘッド制御情報（走査制御情報を含む）を受信する第１の磁気（及び／又は光）ヘッド制御情報受信手段と、第１の磁気（及び／又は光）ヘッド制御情報受信手段により受信された磁気（及び／又は光）ヘッド制御情報（及び／又は位置計測手段に計測された位置計測情報）に基づいて、磁気（及び／又は光）ヘッド制御情報（走査制御情報を含む）を生成し、磁気（及び／又は光）ヘッドからの読み込み、書き込み等の磁気（及び／又は光）ヘッド（空中浮揚停止推進体及び／又は磁気（及び／又は光）ヘッド）を後述する磁気（及び／又は光）ヘッド制御手段により制御（走査制御を含む）する磁気（及び／又は光）ヘッド制御情報生成／制御手段と、磁気（及び／又は光）ヘッド制御情報生成／制御手段により生成された磁気（及び／又は光）ヘッド制御情報（走査制御情報を含む）に基づいて、磁気（及び／又は光）ヘッド（空中浮揚停止推進体及び／又は磁気（及び／又は光）ヘッド）を制御する磁気（及び／又は光）ヘッド制御手段と、磁気（及び／又は光）ヘッド制御手段により制御された、磁気（及び／又は光）ヘッド制御結果情報（及び／又は位置計測手段により計測された位置計測情報を含む）を送信する第１の磁気（及び／又は光）ヘッド制御結果情報送信手段とから構成される第１の磁気（及び／又は光）ヘッド制御手段が空中浮揚停止推進体に備えられていることを特徴とする空中浮揚停止推進磁気（及び／又は光）ヘッド又は空中浮揚停止推進磁気（及び／又は光）ヘッドを備えたことを特徴とする空中浮揚停止推進磁気（及び／又は光）ヘッド具備磁気（及び／又は光）ディスク装置、
及び／又は、磁気（及び／又は光）ヘッドを制御する磁気（及び／又は光）ヘッド制御情報（及び／又は走査制御情報を含む）を受信する第２の磁気（及び／又は光）ヘッド制御情報受信手段と、及び／又は、第２の磁気（及び／又は光）ヘッド制御結果情報受信手段により受信された磁気（及び／又は光）ヘッド制御情報（及び／又は走査制御情報を含む）（及び／又は位置計測手段に計測された位置計測情報）に基づいて、磁気（及び／又は光）ヘッド制御情報（走査制御情報を含む）を生成する磁気（及び／又は光）ヘッド制御情報生成手段と、第２の磁気（及び／又は光）ヘッド制御情報受信手段により受信された、及び／又は、磁気（及び／又は光）ヘッド制御情報生成手段により生成された磁気（及び／又は光）ヘッドを制御する磁気（及び／又は光）ヘッド制御情報（走査制御情報を含む）を第１の磁気（及び／又は光）ヘッド制御情報受信手段に送信する第２の磁気（及び／又は光）ヘッド制御情報送信手段と、第１の磁気（及び／又は光）ヘッド制御結果情報送信手段により送信された磁気（及び／又は光）ヘッド制御結果情報（及び／又は位置計測手段により計測された位置計測情報を含む）を受信する第２の磁気（及び／又は光）ヘッド制御結果情報受信手段と、第２の磁気（及び／又は光）ヘッド制御結果情報受信手段により受信された磁気（及び／又は光）ヘッド制御結果情報（及び／又は位置計測手段により計測された位置計測情報を含む）を送信する第２の磁気（及び／又は光）ヘッド制御結果情報送信手段とから構成される第２の磁気（及び／又は光）ヘッド制御手段を、有することを特徴とする空中浮揚停止推進磁気（及び／又は光）ヘッド、又は、を、（及び／又は磁気（及び／又は光）ディスク装置を含む）空中浮揚停止推進磁気（及び／又は光）ヘッド具備磁気（及び／又は光）ディスク装置に備えたことを特徴とする空中浮揚停止推進磁気（及び／又は光）ヘッド具備磁気（及び／又は光）ディスク装置、
及び／又は、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、本明細書中、特許請求の範囲中、図面中、及び／又は要約書中に記載の遠隔物体操作機及び／又は物体遠隔操作システムを単数又は複数備え、本明細書中、特許請求の範囲中、図面中、及び／又は要約書中に記載の遠隔物体操作機及び／又は物体遠隔操作システムにより、及び／又は、第１及び／又は第２の磁気（及び／又は光）ヘッド制御手段による制御による、本明細書中、特許請求の範囲中、図面中、及び／又は要約書中に記載の遠隔物体操作機及び／又は物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた本明細書中、特許請求の範囲中、図面中、及び／又は要約書中に記載の遠隔物体操作機及び／又は物体遠隔操作システムにより検知し、遠隔に操作し、ディスク上から取り除くようにしたことを特徴とし、及び／又は、取り除いてから走査及び／又は読み書きを継続するようにしたことを特徴とする空中浮揚停止推進磁気（及び／又は光）ヘッド又は空中浮揚停止推進磁気（及び／又は光）ヘッド具備磁気（及び／又は光）ディスク装置
であることを特徴とする本明細書中、特許請求の範囲中、図面中、及び／又は要約書中に記載の空中浮揚停止推進体電子機器若しくは機器の一例である空中浮揚停止推進磁気（及び／又は光）ヘッド又は空中浮揚停止推進磁気（及び／又は光）ヘッド具備磁気（及び／又は光）ディスク装置
となる。
【０１７９】
このようにすれば、磁気（及び／又は光）ディスクを回転させる必要がないと共に、磁気（及び／又は光）ヘッドによる磁気（及び／又は光）ディスクへのクラッシュ、吸着等の障害を回避するようにすることができる。また、磁気（及び／又は光）ディスクを回転させる必要が無く、読み込み、書き込み等の必要な処理を行う必要な記憶領域上のみの走査だけとすることができ、記憶領域で発生する様々な記憶領域に於ける障害等を回避することができる。また、磁気（及び／又は光）ディスクの記憶領域に対応した個数の磁気（及び／又は光）ヘッドを空中浮揚停止推進体に備えた空中浮揚停止推進磁気（及び／又は光）ヘッドとし、空中浮揚停止推進磁気（及び／又は光）ヘッドは磁気（及び／又は光）ディスク上（面及び／又は下面）を所定の間隔で空中浮揚、停止したままで、磁気（及び／又は光）ディスクへの読み取り、書き込みを行うように制御する場合、空中浮揚停止推進磁気（及び／又は光）ヘッドが空中に浮揚して停止しており、走査する必要がない為、記憶領域で発生する様々な記憶領域に於ける障害等を回避することができる。また、（及び／又は磁気（及び／又は光）ディスク装置を含む）空中浮揚停止推進磁気（及び／又は光）ヘッド具備磁気（及び／又は光）ディスク装置に、及び／又は、空中浮揚停止推進磁気（及び／又は光）ヘッド具備磁気（及び／又は光）ディスク装置の空中浮揚停止推進磁気（及び／又は光）ヘッドに備えられている空中浮揚停止推進体に、本明細書中、特許請求の範囲中、図面中、及び／又は要約書中に記載の遠隔物体操作機及び／又は物体遠隔操作システムを単数又は複数備え、本明細書中、特許請求の範囲中、図面中、及び／又は要約書中に記載の遠隔物体操作機及び／又は物体遠隔操作システムにより、及び／又は、第１及び／又は第２の磁気（及び／又は光）ヘッド制御手段による制御による、本明細書中、特許請求の範囲中、図面中、及び／又は要約書中に記載の遠隔物体操作機及び／又は物体遠隔操作システムにより、（及び／又は、遠隔操作時には、所定の元の位置から、移動せず、移動、又は、離脱して、そのままの位置又は所定の操作位置で遠隔操作し、及び／又は、遠隔操作後は、そのままの位置又は所定の操作終了位置に移動するようにして、）所望の時刻に、及び／又は、ディスクの走査及び／又は読み書き中、ディスクとの所望の走査及び／又は読み書き距離と距離が異なる位置に存在する異物を位置計測手段が備えられた本明細書中、特許請求の範囲中、図面中、及び／又は要約書中に記載の遠隔物体操作機及び／又は物体遠隔操作システムにより検知し、遠隔に操作し、ディスク上から取り除くようにし、及び／又は、取り除いてから走査及び／又は読み書きを継続するようにすれば、記憶領域で発生するクラッシュ、吸着等の様々な記憶領域に於ける障害等を回避することができる。
【０１８０】
図８（１３）（１−１）は、第１の磁気（及び／又は光）ヘッド制御手段１６００−１の構成を示すブロック図である。（以下では、空中浮揚停止推進磁気（及び／又は光）ヘッドのことを磁気（及び／又は光）ヘッドと略して称する。）
【０１８１】
第１の磁気（及び／又は光）ヘッド制御手段１６００−１は、ＣＰＵ（Central・Processing・Unit）１６０１−１、ＲＯＭ（Read・Only・Memory）１６０２−１、ＲＡＭ（Random・Access・Memory）１６０３−１、バス１６０４−１、入出力インターフェイス１６０５−１、第１の磁気（及び／又は光）ヘッド制御情報受信手段１６０６−１、磁気（及び／又は光）ヘッド制御手段１６０８−１、第１の磁気（及び／又は光）ヘッド制御結果情報送信手段１６０９−１、及び／又は（単数又は複数、可動可能／非可動に、（位置伸縮）可動可能／非可能に設置された）位置計測手段である位置センサ（位置計測手段）１６１１、及び／又は単数又は複数備えられた遠隔物体操作機及び／又は物体遠隔操作システム１６１２とから構成されている。尚、入出力としては、ネットワーク入出力等も含まれるものとする（伝送路（媒体）等入出力も含まれるものとする）。また、（単数又は複数、可動可能／非可動に、（位置伸縮）可動可能／非可能に設置された）位置計測手段として、位置センサの変わりに、位置センサ、重力センサ、フォトインタラプタ、ホールIC（Integrated・Circuit）、リミット・スイッチ、超音波センサ、及び／又は赤外線センサを用いるようにしてもよい。
【０１８２】
ＣＰＵ１６０１−１は、ＲＯＭ１６０２−１に記憶されている第１の磁気（及び／又は光）ヘッド制御プログラムに従って、各種の処理を実行する。ＲＡＭ１６０３−１は、ＣＰＵ１６０１−１が各種の処理を実行する上において必要なデータ、プログラム等が、適宜記憶される。入出力インターフェイス１６０５−１は、第１の磁気（及び／又は光）ヘッド制御情報受信手段１６０６−１、磁気（及び／又は光）ヘッド制御手段１６０８−１、第１の磁気（及び／又は光）ヘッド制御結果情報送信手段１６０９−１、及び／又は位置センサ（位置計測手段）１６１１、及び／又は遠隔物体操作機及び／又は物体遠隔操作システム１６１２に対する入出力のインターフェース処理を実行する。
【０１８３】
第１の磁気（及び／又は光）ヘッド制御情報受信手段１６０６−１は、磁気（及び／又は光）ヘッドを制御する磁気（及び／又は光）ヘッド制御情報（走査制御情報を含む）を受信する。磁気（及び／又は光）ヘッド制御情報生成／制御手段１６０７−１は、第１の磁気（及び／又は光）ヘッド制御情報受信手段１６０６−１により受信された磁気（及び／又は光）ヘッド制御情報（及び／又は位置計測手段１６１１に計測された位置計測情報）に基づいて、磁気（及び／又は光）ヘッド制御情報（走査制御情報を含む）を生成し、磁気（及び／又は光）ヘッドからの読み込み、書き込み等の磁気（及び／又は光）ヘッド（空中浮揚停止推進体及び／又は磁気（及び／又は光）ヘッド）を磁気（及び／又は光）ヘッド制御手段により制御（走査制御を含む）する。磁気（及び／又は光）ヘッド制御手段は、磁気（及び／又は光）ヘッド制御情報生成／制御手段１６０７−１により生成された磁気（及び／又は光）ヘッド制御情報（走査制御情報を含む）に基づいて、磁気（及び／又は光）ヘッド（空中浮揚停止推進体及び／又は磁気（及び／又は光）ヘッド）を制御する。第１の磁気（及び／又は光）ヘッド制御結果情報送信手段１６０９−１は、磁気（及び／又は光）ヘッド制御手段により制御された、磁気（及び／又は光）ヘッド制御結果情報（及び／又は位置計測手段１６１１により計測された位置計測情報を含む）を送信する。及び／又は、位置センサ（位置計測手段）１６１１は、計測した位置計測情報を第１の磁気（及び／又は光）ヘッド制御手段１６００−１に出力（送信）する。
【０１８４】
及び／又は、遠隔物体操作機及び／又は物体遠隔操作システム１６１２は、及び／又は第１及び／又は第２の磁気（及び／又は光）ヘッド制御手段１６００−１及び／又は１６００−２により、入力（受信）された、及び／又は、設定された遠隔物体操作情報に基づいて遠隔物体操作を実行し、遠隔物体操作結果情報を第１及び／又は第２の磁気（及び／又は光）ヘッド制御手段１６００−１及び／又は１６００−２に出力（送信）する。尚、第１及び／又は第２の磁気（及び／又は光）ヘッド制御手段１６００−１及び／又は１６００−２と遠隔物体操作機及び／又は物体遠隔操作システム１６１２との入出力は、第１及び／又は第２の磁気（及び／又は光）ヘッド制御手段１６００−１及び／又は１６００−２には、及び／又は、磁気（及び／又は光）ヘッド制御情報、磁気（及び／又は光）ヘッド制御結果情報、位置計測情報、及び／又は遠隔物体操作結果情報に基づいて、遠隔操作情報を生成し、遠隔物体操作機及び／又は物体遠隔操作システム１６１２を遠隔操作制御する第１及び／又は第２の磁気（及び／又は光）ヘッド遠隔操作情報生成／制御手段１６０７−１’及び／又は１６０７−２’（磁気（及び／又は光）ヘッド制御情報生成／制御手段１６０７−１及び／又は磁気（及び／又は光）ヘッド制御情報生成手段１６０７−２に含まれる）と、第１及び／又は第２の磁気（及び／又は光）ヘッド遠隔操作情報生成／制御手段１６０７−１’及び／又は１６０７−２’により生成された遠隔操作情報を遠隔物体操作機及び／又は物体遠隔操作システム１６１２に出力（送信）する遠隔操作情報出力（送信）手段と、遠隔物体操作機及び／又は物体遠隔操作システム１６１２からの遠隔操作結果情報を入力（受信）する遠隔操作結果情報入力（受信）手段とが備えられており、遠隔物体操作機及び／又は物体遠隔操作システム１６１２には、第１及び／又は第２の磁気（及び／又は光）ヘッド制御手段１６００−１及び／又は１６００−２からの遠隔操作情報を入力（受信）する遠隔操作情報入力（受信）手段と、遠隔操作結果情報を出力（送信）する遠隔操作結果情報出力（送信）手段とが備えられている。
即ち、第１及び／又は第２の磁気（及び／又は光）ヘッド制御手段１６００−１及び／又は１６００−２において、磁気（及び／又は光）ヘッド制御情報生成／制御手段１６０７−１及び／又は磁気（及び／又は光）ヘッド制御情報生成手段１６０７−２により、磁気（及び／又は光）ヘッド制御情報、磁気（及び／又は光）ヘッド制御結果情報、位置計測情報、及び／又は遠隔物体操作結果情報に基づいて、遠隔操作情報が生成され、遠隔操作情報出力（送信）手段により、遠隔操作情報が遠隔物体操作機及び／又は物体遠隔操作システム１６１２に出力される。遠隔物体操作機及び／又は物体遠隔操作システムでは、遠隔操作情報入力（受信）手段により入力された遠隔操作情報に基づいて、ディスクとの所望の走査及び／又は読み書き距離と距離が異なる位置に存在する異物を検知し、遠隔に操作し、ディスク上から取り除き、遠隔操作結果情報を遠隔操作結果情報出力（送信）手段により、第１及び／又は第２の磁気（及び／又は光）ヘッド制御手段１６００−１及び／又は１６００−２に出力する。第１及び／又は第２の磁気（及び／又は光）ヘッド制御手段１６００−１及び／又は１６００−２では、磁気（及び／又は光）ヘッド制御情報生成／制御手段１６０７−１及び／又は磁気（及び／又は光）ヘッド制御情報生成手段１６０７−２により、磁気（及び／又は光）ヘッド制御情報、磁気（及び／又は光）ヘッド制御結果情報、位置計測情報、及び／又は遠隔操作結果情報入力（受信）手段により入力された遠隔操作結果情報に基づいて、磁気（及び／又は光）ヘッド制御情報が生成され、（第２の磁気（及び／又は光）ヘッド制御手段１６００−２の場合は、第２の磁気（及び／又は光）ヘッド制御情報送信手段１６０８−２により、磁気（及び／又は光）ヘッド制御情報が第１の磁気（及び／又は光）ヘッド制御情報受信手段１６０６−１に送信され、第１の磁気（及び／又は光）ヘッド制御情報受信手段１６０６−１により受信された磁気（及び／又は光）ヘッド制御情報に基づいて、）磁気（及び／又は光）ヘッド制御手段により磁気（及び／又は光）ヘッド（空中浮揚停止推進体及び／又は磁気（及び／又は光）ヘッド）を制御し、ディスクとの所望の走査及び／又は読み書き距離と距離が異なる位置に存在する異物をディスク上から取り除いてから走査及び／又は読み書きを継続するように制御する。尚、空中浮揚停止推進体（即ち、空中浮揚停止推進磁気（及び／又は光）ヘッド）は、制御情報に基づいて、所定の領域を走査し、走査結果情報（磁気（及び／又は光）ヘッド制御結果情報に含まれる）を第１及び／又は第２の磁気（及び／又は光）ヘッド制御手段１６００−１及び／又は１６００−２に出力する（これら制御の詳細は、図１１に示す電力供給及び／又は位置変更制御部を参照）。これら制御の処理は、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体においても同様である（詳細は、図１１に示す電力供給及び／又は位置変更制御部を参照）。
即ち、制御側に、少なくとも制御命令送信手段と、（及び／又は、制御命令結果情報受信手段と、並びに／若しくは、制御命令指示手段と、制御命令結果情報表示手段と、）を備え、被制御側に、少なくとも、被制御側の処理を制御命令情報とした制御命令情報受信手段と、制御命令情報受信手段により受信された制御命令情報に応じた処理を実行制御する実行制御手段と、（及び／又は、実行制御手段により実行制御された実行制御命令結果情報を制御側に送信する実行制御命令結果情報送信手段と、実行制御手段により実行制御された実行制御命令結果情報を表示する実行制御命令結果情報表示手段と、）を備えることとなる（本明細書中、特許請求の範囲中、図面中、及び／又は、要約書中に記載の全ての制御と被制御との対応関係を有する対象に対して、上述した構成を適用することができる）。制御側と被制御側の対応としては、第２の磁気（及び／又は光）ヘッド制御手段に対して第１の磁気（及び／又は光）ヘッド制御手段が備えられた空中浮揚停止推進磁気（及び／又は光）ヘッドの対応があり、空中浮揚停止推進磁気（及び／又は光）ヘッドに対して空中浮揚停止推進磁気（及び／又は光）ヘッドの磁気（及び／又は光）ヘッド、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体の対応があり、空中浮揚停止推進体が備えられた遠隔物体操作操作機及び／又は遠隔物体操作システムに備えられた空中浮揚停止推進体に対して遠隔物体操作操作機及び／又は遠隔物体操作システムの対応がある。
尚、空中浮揚停止推進体と磁気（及び／又は光）ヘッド及び／又は遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体と遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体と遠隔物体操作操作機及び／又は遠隔物体操作システムとの連結に、本明細書中、特許請求の範囲中、図面中、及び／又は、要約書中に記載の遠隔連結手段を使用するようにしてもよい。遠隔連結手段を使用する場合の制御側と被制御側の対応としては、被制御側として遠隔連結手段があり、制御側として、空中浮揚停止推進磁気（及び／又は光）ヘッド、空中浮揚停止推進体が備えられた遠隔物体操作操作機及び／又は遠隔物体操作システムに備えられた空中浮揚停止推進体がある。
【０１８５】
図８（１３）（１−２）は、第２の磁気（及び／又は光）ヘッド制御手段１６００−２の構成を示すブロック図である。（以下では、空中浮揚停止推進磁気（及び／又は光）ヘッドのことを磁気（及び／又は光）ヘッドと略して称する。）
【０１８６】
第２の磁気（及び／又は光）ヘッド制御手段１６００−２は、ＣＰＵ（Central・Processing・Unit）１６０１−２、ＲＯＭ（Read・Only・Memory）１６０２−１、ＲＡＭ（Random・Access・Memory）１６０３−２、バス１６０４−２、入出力インターフェイス１６０５−２、第２の磁気（及び／又は光）ヘッド制御情報受信手段１６０６−２、第２の磁気（及び／又は光）ヘッド制御情報送信手段１６０８−２、第２の磁気（及び／又は光）ヘッド制御結果情報受信手段１６０９−２、第２の磁気（及び／又は光）ヘッド制御結果情報送信手段１６１０−２、及び／又は（単数又は複数、可動可能／非可動に、（位置伸縮）可動可能／非可能に設置された）位置計測手段である位置センサ（位置計測手段）１６１１、及び／又は単数又は複数備えられた遠隔物体操作機及び／又は物体遠隔操作システム１６１２とから構成されている。尚、入出力としては、ネットワーク入出力等も含まれるものとする（伝送路（媒体）等入出力も含まれるものとする）。また、（単数又は複数、可動可能／非可動に、（位置伸縮）可動可能／非可能に設置された）位置計測手段として、位置センサの変わりに、位置センサ、重力センサ、フォトインタラプタ、ホールIC（Integrated・Circuit）、リミット・スイッチ、超音波センサ、及び／又は赤外線センサを用いるようにしてもよい。
【０１８７】
ＣＰＵ１６０１−２は、ＲＯＭ１６０２−２に記憶されている第２の磁気（及び／又は光）ヘッド制御プログラムに従って、各種の処理を実行する。ＲＡＭ１６０３−２は、ＣＰＵ１６０１−２が各種の処理を実行する上において必要なデータ、プログラム等が、適宜記憶される。入出力インターフェイス１６０５−２は、第２の磁気（及び／又は光）ヘッド制御情報受信手段１６０６−２、及び／又は磁気（及び／又は光）ヘッド制御情報生成手段１６０７−２、第２の磁気（及び／又は光）ヘッド制御情報送信手段１６０８−２、第２の磁気（及び／又は光）ヘッド制御結果情報受信手段１６０９−２、第２の磁気（及び／又は光）ヘッド制御結果情報送信手段１６１０−２、及び／又は位置センサ（位置計測手段）１６１１、及び／又は遠隔物体操作機及び／又は物体遠隔操作システム１６１２に対する入出力のインターフェース処理を実行する。
【０１８８】
第２の磁気（及び／又は光）ヘッド制御情報受信手段１６０６−２は、磁気（及び／又は光）ヘッドを制御する磁気（及び／又は光）ヘッド制御情報（及び／又は走査制御情報を含む）を受信する。及び／又は、磁気（及び／又は光）ヘッド制御情報生成手段（第２の磁気（及び／又は光）ヘッド制御プログラムのうちの一つである）１６０７−２は、第２の磁気（及び／又は光）ヘッド制御結果情報受信手段１６０９−２により受信された磁気（及び／又は光）ヘッド制御情報（及び／又は走査制御情報を含む）（及び／又は位置計測手段１６１１に計測された位置計測情報）に基づいて、磁気（及び／又は光）ヘッド制御情報（走査制御情報を含む）を生成する。第２の磁気（及び／又は光）ヘッド制御情報送信手段１６０８−２は、第２の磁気（及び／又は光）ヘッド制御情報受信手段１６０６−２により受信された、及び／又は、磁気（及び／又は光）ヘッド制御情報生成手段１６０７−２により生成された磁気（及び／又は光）ヘッドを制御する磁気（及び／又は光）ヘッド制御情報（走査制御情報を含む）を第１の磁気（及び／又は光）ヘッド制御情報受信手段１６０６−１に送信する。第２の磁気（及び／又は光）ヘッド制御結果情報受信手段１６０９−２は、第１の磁気（及び／又は光）ヘッド制御結果情報送信手段１６０９−１により送信された磁気（及び／又は光）ヘッド制御結果情報（及び／又は位置計測手段１６１１により計測された位置計測情報を含む）を受信する。第２の磁気（及び／又は光）ヘッド制御結果情報送信手段１６１０−２は、第２の磁気（及び／又は光）ヘッド制御結果情報受信手段１６０９−２により受信された磁気（及び／又は光）ヘッド制御結果情報（及び／又は位置計測手段１６１１により計測された位置計測情報を含む）を送信する。及び／又は、位置センサ（位置計測手段）１６１１は、計測した位置計測情報を第２の磁気（及び／又は光）ヘッド制御手段１６００−２に出力（送信）する。
【０１８９】
及び／又は、遠隔物体操作機及び／又は物体遠隔操作システム１６１２は、及び／又は第１及び／又は第２の磁気（及び／又は光）ヘッド制御手段１６００−１及び／又は１６００−２により、入力（受信）された、及び／又は、設定された遠隔物体操作情報に基づいて遠隔物体操作を実行し、遠隔物体操作結果情報を第１及び／又は第２の磁気（及び／又は光）ヘッド制御手段１６００−１及び／又は１６００−２に出力（送信）する。尚、第１及び／又は第２の磁気（及び／又は光）ヘッド制御手段１６００−１及び／又は１６００−２と遠隔物体操作機及び／又は物体遠隔操作システム１６１２との入出力は、第１及び／又は第２の磁気（及び／又は光）ヘッド制御手段１６００−１及び／又は１６００−２には、及び／又は、磁気（及び／又は光）ヘッド制御情報、磁気（及び／又は光）ヘッド制御結果情報、位置計測情報、及び／又は遠隔物体操作結果情報に基づいて、遠隔操作情報を生成し、遠隔物体操作機及び／又は物体遠隔操作システム１６１２を遠隔操作制御する第１及び／又は第２の磁気（及び／又は光）ヘッド遠隔操作情報生成／制御手段１６０７−１’及び／又は１６０７−２’（磁気（及び／又は光）ヘッド遠隔操作情報生成／制御手段１６０７−１及び／又は磁気（及び／又は光）ヘッド制御情報生成手段１６０７−２に含まれる）と、第１及び／又は第２の磁気（及び／又は光）ヘッド遠隔操作情報生成／制御手段１６０７−１’及び／又は１６０７−２’により生成された遠隔操作情報を遠隔物体操作機及び／又は物体遠隔操作システム１６１２に出力（送信）する遠隔操作情報出力（送信）手段と、遠隔物体操作機及び／又は物体遠隔操作システム１６１２からの遠隔操作結果情報を入力（受信）する遠隔操作結果情報入力（受信）手段とが備えられており、遠隔物体操作機及び／又は物体遠隔操作システム１６１２には、第１及び／又は第２の磁気（及び／又は光）ヘッド制御手段１６００−１及び／又は１６００−２からの遠隔操作情報を入力（受信）する遠隔操作情報入力（受信）手段と、遠隔操作結果情報を出力（送信）する遠隔操作結果情報出力（送信）手段とが備えられている。
即ち、第１及び／又は第２の磁気（及び／又は光）ヘッド制御手段１６００−１及び／又は１６００−２において、磁気（及び／又は光）ヘッド制御情報生成／制御手段１６０７−１及び／又は磁気（及び／又は光）ヘッド制御情報生成手段１６０７−２により、磁気（及び／又は光）ヘッド制御情報、磁気（及び／又は光）ヘッド制御結果情報、位置計測情報、及び／又は遠隔物体操作結果情報に基づいて、遠隔操作情報が生成され、遠隔操作情報出力（送信）手段により、遠隔操作情報が遠隔物体操作機及び／又は物体遠隔操作システム１６１２に出力される。遠隔物体操作機及び／又は物体遠隔操作システムでは、遠隔操作情報入力（受信）手段により入力された遠隔操作情報に基づいて、ディスクとの所望の走査及び／又は読み書き距離と距離が異なる位置に存在する異物を検知し、遠隔に操作し、ディスク上から取り除き、遠隔操作結果情報を遠隔操作結果情報出力（送信）手段により、第１及び／又は第２の磁気（及び／又は光）ヘッド制御手段１６００−１及び／又は１６００−２に出力する。第１及び／又は第２の磁気（及び／又は光）ヘッド制御手段１６００−１及び／又は１６００−２では、磁気（及び／又は光）ヘッド制御情報生成／制御手段１６０７−１及び／又は磁気（及び／又は光）ヘッド制御情報生成手段１６０７−２により、磁気（及び／又は光）ヘッド制御情報、磁気（及び／又は光）ヘッド制御結果情報、位置計測情報、及び／又は遠隔操作結果情報入力（受信）手段により入力された遠隔操作結果情報に基づいて、磁気（及び／又は光）ヘッド制御情報が生成され、（第２の磁気（及び／又は光）ヘッド制御手段１６００−２の場合は、第２の磁気（及び／又は光）ヘッド制御情報送信手段１６０８−２により、磁気（及び／又は光）ヘッド制御情報が第１の磁気（及び／又は光）ヘッド制御情報受信手段１６０６−１に送信され、第１の磁気（及び／又は光）ヘッド制御情報受信手段１６０６−１により受信された磁気（及び／又は光）ヘッド制御情報に基づいて、）磁気（及び／又は光）ヘッド制御手段により磁気（及び／又は光）ヘッド（空中浮揚停止推進体及び／又は磁気（及び／又は光）ヘッド）を制御し、ディスクとの所望の走査及び／又は読み書き距離と距離が異なる位置に存在する異物をディスク上から取り除いてから走査及び／又は読み書きを継続するように制御する。尚、空中浮揚停止推進体（即ち、空中浮揚停止推進磁気（及び／又は光）ヘッド）は、制御情報に基づいて、所定の領域を走査し、走査結果情報（磁気（及び／又は光）ヘッド制御結果情報に含まれる）を第１及び／又は第２の磁気（及び／又は光）ヘッド制御手段１６００−１及び／又は１６００−２に出力する（これら制御の詳細は、図１１に示す電力供給及び／又は位置変更制御部を参照）。これら制御の処理は、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体においても同様である（詳細は、図１１に示す電力供給及び／又は位置変更制御部を参照）。
即ち、制御側に、少なくとも制御命令送信手段と、（及び／又は、制御命令結果情報受信手段と、並びに／若しくは、制御命令指示手段と、制御命令結果情報表示手段と、）を備え、被制御側に、少なくとも、被制御側の処理を制御命令情報とした制御命令情報受信手段と、制御命令情報受信手段により受信された制御命令情報に応じた処理を実行制御する実行制御手段と、（及び／又は、実行制御手段により実行制御された実行制御命令結果情報を制御側に送信する実行制御命令結果情報送信手段と、実行制御手段により実行制御された実行制御命令結果情報を表示する実行制御命令結果情報表示手段と、）を備えることとなる（本明細書中、特許請求の範囲中、図面中、及び／又は、要約書中に記載の全ての制御と被制御との対応関係を有する対象に対して、上述した構成を適用することができる）。制御側と被制御側の対応としては、第２の磁気（及び／又は光）ヘッド制御手段に対して第１の磁気（及び／又は光）ヘッド制御手段が備えられた空中浮揚停止推進磁気（及び／又は光）ヘッドの対応があり、空中浮揚停止推進磁気（及び／又は光）ヘッドに対して空中浮揚停止推進磁気（及び／又は光）ヘッドの磁気（及び／又は光）ヘッド、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体の対応があり、空中浮揚停止推進体が備えられた遠隔物体操作操作機及び／又は遠隔物体操作システムに備えられた空中浮揚停止推進体に対して遠隔物体操作操作機及び／又は遠隔物体操作システムの対応がある。
尚、空中浮揚停止推進体と磁気（及び／又は光）ヘッド及び／又は遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体、遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体と遠隔物体操作操作機及び／又は遠隔物体操作システム、並びに／若しくは、空中浮揚停止推進体が備えられた遠隔物体操作操作機及び／又は遠隔物体操作システムに備えられた空中浮揚停止推進体と遠隔物体操作操作機及び／又は遠隔物体操作システムとの連結に、本明細書中、特許請求の範囲中、図面中、及び／又は、要約書中に記載の遠隔連結手段を使用するようにしてもよい。遠隔連結手段を使用する場合の制御側と被制御側の対応としては、被制御側として遠隔連結手段があり、制御側として、空中浮揚停止推進磁気（及び／又は光）ヘッド、空中浮揚停止推進体が備えられた遠隔物体操作操作機及び／又は遠隔物体操作システムに備えられた空中浮揚停止推進体がある。
【０１９０】
尚、以上において、空中浮揚停止推進体１，２，３，４，５の代わりに、燃料無搭載燃料無線供給空中浮揚停止体を使用することができ、また、本願発明の空中浮揚停止推進電子機器若しくは機器は、電子レンジ、机に限ることなく、全ての電子機器若しくは機器を使用することができ、空中浮揚停止推進体、若しくは燃料無搭載燃料無線供給空中浮揚停止推進体、又は、様々な機能を有した電子機器若しくは機器に、様々な機能を有した電子機器若しくは機器、又は空中浮揚停止推進体、若しくは燃料無搭載燃料無線供給空中浮揚停止推進体を搭載、格納、又は、装着することにより、適用が可能であり、空中に浮揚、停止、及び／又は推進しつつ、電子機器若しくは機器が有している機能を発揮することができる。
【０１９１】
尚、以上においては、電力供給部として直流電源を用いるようにしたが、交流電源でもその他の種類の電源でも、所望の電力を供給することができるものであればどのようなものであってもよい。
【０１９２】
尚、以上においては、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法は、超伝導を用いないような構成及び方法としたが、超伝導を用いる（超伝導を用いない（常伝導）及び／又は超伝導を用いる）ような構成及び方法としてもよい。
【０１９３】
以下に、以上の本発明の空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法において、伝導性のある線状の物体を巻いたものである導電性線状コイル形状物体に巻かれている若しくは巻かれていない磁性を有する磁性物体と、磁性を有する磁性物体を巻いている若しくは巻いていない伝導性のある線状の物体を巻いたものである導電性線状コイル形状物体を超伝導体、第２種超伝導体、又は高温超電導体とした場合について、図９を用いて説明する。
【０１９４】
本発明の実施の形態の空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法は、以上の本発明の空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法において、単数又は複数の、コイル被巻/不被巻磁性物体と、磁性物体巻/不巻導電性線状コイル形状物体とを液体ヘリウム、若しくは液体窒素等の冷却材により冷却し、可動可能な可動可能手段である可動部により設置され若しくは非可動に、容器に格納され、又は超伝導電流リードにより接続されて冷却機により冷却し、超伝導状態（体）、高温超伝導状態（体）とした構成（超伝導電磁石、超伝導コイルとした構成）となっている。
【０１９５】
図９（１）は、相互作用を及ぼしあって、空中浮揚停止推進力を生成する為の一対の組のうちの一方の、単数又は複数の、コイル被巻/不被巻磁性物体９１と、及び／又は磁性物体巻/不巻導電性線状コイル形状物体９２とを液体ヘリウム、若しくは液体窒素等の冷却材により冷却し、可動可能な可動可能手段である可動部９８、９８−１により設置され若しくは非可動に、容器９３（超伝導維持機９０）に格納され、又は超伝導電流リード９７により接続されて冷却機９４により、冷却され、超伝導状態（体）、高温超伝導状態（体）とした構成を示している。
【０１９６】
図９（２）は、相互作用を及ぼしあって、空中浮揚停止推進力を生成する為の一対の組のうちの両方の、単数又は複数の、コイル被巻/不被巻磁性物体９１と、及び／又は磁性物体巻/不巻導電性線状コイル形状物体９２と、磁性物体巻/不巻導電性線状コイル形状物体９２とを液体ヘリウム、若しくは液体窒素等の冷却材により冷却し、可動可能な可動可能手段である可動部９８、９８−１により設置され若しくは非可動に、容器９３（超伝導維持機９０）に格納され、又は超伝導電流リード９７により接続されて冷却機９４により、冷却され、超伝導状態（体）、高温超伝導状態（体）とした構成を示している。
【０１９７】
図９（１）、（２）に示した可動部９８は、レールのような円弧状で、空中浮揚停止推進力を生成する為の一対の組のうちの一方の、単数又は複数の、コイル被巻/不被巻磁性物体又は磁性物体巻/不巻導電性線状コイル形状物体を上下、左右等全方向に可動可能な可動可能手段であり、超伝導維持機９０に装着されており、図９（１）、（２）に示した可動部９８−１は、円弧状又は半円弧状で、空中浮揚停止推進力を生成する為の一対の組のうちの両方の、単数又は複数の、コイル被巻/不被巻磁性物体及び／又は磁性物体巻/不巻導電性線状コイル形状物体を全方向に可動可能な可動可能手段であり、超伝導維持機９０−１に装着されている。
【０１９８】
図９（２）のように、組を１つの超伝導維持機９０に格納する構成とした場合、空中浮揚停止推進体の超伝導維持機９０の装着の構成には、図９（３）に示すような装着の構成がある。
【０１９９】
図９（３−１）に示すように、図１と図２の場合、一対の組を１つの超伝導維持機９０に格納し、図９（３−２）に示すように、体の一部分が磁性物体となっている場合は、磁性物体とそうでない物体との間に超伝導維持機９０−１を挿入して装着する。また、全ての組を格納する場合は、図９（３−３）に示すように、相互作用を及ぼす組を１つの超伝導超伝導維持機９０−１の中に格納する。さらに、空中浮揚停止推進体そのものを超伝導維持機９０−１としてもよい。
【０２００】
以上のように、本発明の空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法において、超伝導を用いるようにしたので、永久に電流を流し続けることができると共に、容易に強電磁場を生成することができ、制御が容易となる。
【０２０１】
尚、以上に説明した超伝導維持機９０、９０−１に、冷却材排水口（不図示）（冷却材排出注入手段）と、冷却材排水口から繋がる冷却材貯蔵庫（不図示）（冷却材排出注入手段）と、コイル被巻/不被巻磁性物体９１及び／又は磁性物体巻/不巻導電性線状コイル形状物体９２の近傍に電磁気力計測器（電磁気力計測手段）及び／又は温度計測器（温度計測手段）（不図示）とを備え、所望の電磁気力がコイル被巻/不被巻磁性物体９１及び／又は磁性物体巻/不巻導電性線状コイル形状物体９２から生成されるように、冷却材の排水、注入、冷却機９４による冷却／非冷却（及び／又は温度計測器（温度計測手段）による温度計測）を伴いながら、所望の電磁気力を生成するように、コイル被巻/不被巻磁性物体９１及び／又は磁性物体巻/不巻導電性線状コイル形状物体９２の導電性線状コイル形状物体に電力を供給するようにしてもよい。
【０２０２】
尚、以上に説明した超伝導維持機９０、９０−１は、本発明の物体遠隔操作機としても使用することができ、物体（物品、磁性材料、高分子材等の非磁性材料、及び／又は生物等を含む）に向けて電磁気力を作用させ、物体の引き寄せ、引き離し（上下、左右）等の遠隔操作が行える。（高圧（酸素）ガス等を吹き付ける高圧（酸素）ガス等吹付手段を備え、物体及び／又は物体の周辺に高圧（酸素）ガス等を吹き付けて高圧（酸素）ガス雰囲気中として制御するようにしてもよい。また、単数又は複数の超伝導維持機９０、９０−１を用いて異なる場所に電磁気力を集中させ、大きな磁場勾配をつけ、引き寄せ、引き離し、上下、左右等全方向のあらゆる全方向の所望の方向に遠隔操作できるようにしてもよい。また、可動可能手段に設置／非設置されている、単数又は複数の高圧（酸素）ガス等を吹き付ける高圧（酸素）ガス等吹付手段により、物体及び／又は物体の周辺に高圧（酸素）ガス等を吹き付けて高圧（酸素）ガス雰囲気中とし、さらに、及び／又は、可動可能手段に設置／非設置されている、単数又は複数の超伝導維持機９０、９０−１を用いて異なる場所に電磁気力を集中させ、大きな磁場勾配をつけ、上下、左右等全方向のあらゆる全方向の所望の方向に遠隔操作できるようにしてもよい。また、CPU（Central・Processing・Unit）,ROM（Read・Only・Memory）,RAM（Random・Access・Memory）、及び／又は可動可能手段に設置／非設置されている、単数又は複数の、（位置伸縮）可動可能／非可能な位置計測手段等を備えた制御手段を設け、位置計測手段により物体の位置を計測しつつ、可動可能手段に設置／非設置されている、単数又は複数の高圧（酸素）ガス等吹付手段による高圧（酸素）ガス等の吹き付け向き、吹き付け速度、吹き付け量、及び／又は、可動可能手段に設置／非設置されている、単数又は複数の超伝導維持機９０、９０−１により生成される電磁気力の大きさ、向きを制御して、引き寄せ、引き離し等、上下、左右等全方向の、所望の位置及び方向に物体を遠隔制御できるようにしてもよい。また、単数又は複数の超伝導維持機９０、９０−１を可動可能に／非可動に設置され、及び／若しくは、単数又は複数の、図９に示す超伝導コイル及び／又は超伝導電磁石が液体ヘリウム、若しくは液体窒素等の冷却材９３により、又は超伝導電流リード９７により接続されて冷却機９４により冷却され、可動可能に／非可動に設置され、並びに／又は、高圧（酸素）ガス等吹付機を設置／非設置され、及び／若しくは、制御手段を設置／非設置された物体遠隔操作機及び方法としてもよく、さらに、これらの超伝導維持を含んだ全ての超伝導維持機を使用して単数又は複数の物体を囲んで又は囲まずに物体を全方向の所望の方向に制御する物体遠隔操作システム及び方法としてもよい。また、上述した物体遠隔操作機及び方法を、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法内部に設置し、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法��内部又は外部に単数又は複数格納装着して設置し、物体遠隔操作機が搭載された空中浮揚停止推進体から単数又は複数の物体を囲んで又は囲まずに単数又は複数の物体を遠隔から引き寄せ、引き離し等、上下、左右等全方向の所望の方向に操作できる構成及び方法としてもよく、これらを含めて物体遠隔操作システム及び方法としてもよい。）即ち、（１）物体を引き寄せたり、物体を遠ざけたり（上下、左右）等の遠隔操作することができる物体遠隔操作機であって、単数又は複数の、可動可能な可動可能手段に設置され、又は非可動に容器若しくは体自身に設置された、伝導性のある線状の物体を巻いたものである導電性線状コイル形状物体に巻かれている若しくは巻かれていない磁性を有する磁性物体と、及び／又は、単数又は複数の、可動可能な可動可能手段に設置され、又は非可動に容器若しくは体自身に設置された、磁性を有する磁性物体を巻いている若しくは巻いていない伝導性のある線状の物体を巻いたものである導電性線状コイル形状物体と、を有し、前記単数又は複数の磁性物体、及び／又は、前記単数又は複数の導電性線状コイル形状物体は、液体ヘリウム、液体窒素等の冷却材に浸された容器若しくは体自身に格納されているか、又は、冷凍機により冷却され、及び／又は容器若しくは体自身に格納されており、並びに／若しくは、単数又は複数の、可動可能な可動可能手段に設置され、又は非可動に容器若しくは体自身に設置された、物体及び／又は物体の周辺に高圧（酸素）ガスを吹き付け、高圧（酸素）ガス雰囲気中にする高圧（酸素）ガス吹付手段を有し、並びに／若しくは、単数又は複数の、可動可能な可動可能手段に設置され、又は非可動に容器若しくは体自身に設置された、物体及び／又は物体の周辺に高圧（酸素）ガスを吹き付け、高圧（酸素）ガス雰囲気中にする高圧（酸素）ガス吹付手段を有し、及び／又は、前記した高圧（酸素）ガス吹付手段から吹き付ける高圧（酸素）ガスの向き、速度、及び／又は量を制御し、及び／又は、磁場勾配を大きくするように前記単数又は複数の磁性物体、及び／又は、前記単数又は複数の導電性線状コイル形状物体の向き及び生成される電磁気力を制御する制御手段を有することを特徴とする物体遠隔操作機及び方法としてもよく（これにより、物体を遠隔で操作することができる。）、（２）さらに、物体を引き寄せたり、物体を遠ざけたり、並びに／又は、上下及び／若しくは左右の全方向に遠隔で操作することができる物体遠隔操作機であって、上述した物体遠隔操作機が単数又は複数、可動可能な可動可能手段に設置され、又は非可動に容器若しくは体自身に設置されていること並びに／若しくは、単数又は複数の、可動可能な可動可能手段に設置され、又は非可動に容器若しくは体自身に設置された、物体及び／又は物体の周辺に高圧（酸素）ガスを吹き付け、高圧（酸素）ガス雰囲気中にする高圧（酸素）ガス吹付手段を有し、並びに／若しくは、単数又は複数の、可動可能な可動可能手段に設置され、又は非可動に容器若しくは体自身に設置された、物体及び／又は物体の周辺に高圧（酸素）ガスを吹き付け、高圧（酸素）ガス雰囲気中にする高圧（酸素）ガス吹付手段を有し、及び／又は、前記した高圧（酸素）ガス吹付手段か��吹き付ける高圧（酸素）ガスの向き、速度、及び／又は量を制御し、及び／又は、磁場勾配を大きくするように前記単数又は複数の磁性物体、及び／又は、前記単数又は複数の導電性線状コイル形状物体の向き及び生成される電磁気力を制御する制御手段を有することを特徴とする物体遠隔操作機及び方法としてもよく（これにより、物体を遠隔で所望の全方向に制御することができる。）、（３）さらに、物体を引き寄せたり、物体を遠ざけたり、並びに／又は、上下及び／若しくは左右の全方向に遠隔で操作することができる物体遠隔操作機であって、上述した空中浮揚停止推進体、燃料無搭載燃料無線供給空中浮揚停止推進体、又は空中浮揚停止推進体電子機器若しくは機器に、物体遠隔操作機が、単数又は複数、可動可能又は非可動に設置、搭載、格納、又は装着されていることを特徴とする物体遠隔操作機及び方法としてもよく（これにより、物体を遠隔で所望の全方向に容易に制御することができる。）、（４）さらに、上述した、単数又は複数の物体遠隔操作機から構成され、上述した、単数又は複数の物体遠隔操作機により物体を遠隔で操作することを特徴とする物体遠隔操作システム物体遠隔操作機及び方法としてもよい（これにより、物体を遠隔で所望の全方向に容易に制御することができる。）。これにより、物体を遠隔で所望の全方向に容易に制御することができる。尚、以下に、上述した本発明の物体遠隔操作機及び方法の１実施の形態について説明する。本発明の物体遠隔操作機及び方法の実施の形態の物体遠隔操作機は、半円状の球体の中が空洞の（半円球、楕円半円球の内部がくり貫かれた）形状をしており、上面から見ると、半円状となっており、水平面から見ると、半円状となっている。また、本発明の物体遠隔操作機及び方法の実施の形態の物体遠隔操作機は、上下、左右等全方向に可動可能な可動可能手段である可動部に備えられ、又は非可動に単数又は複数備えられた、図９に示す超伝導コイル及び／又は超伝導電磁石が格納された物体遠隔操作機が備えられており、物体（物品、磁性材料、高分子材等の非磁性材料、及び／又は生物等を含む）を遠隔から制御できるように構成されている。物体遠隔操作機の内部には、及び／又は、単数又は複数の高圧（酸素）ガス等吹付機が、上下、左右等全方向に可動可能な可動可能手段である可動部に備えられ、又は非可動に備えられ、及び／又は、上述した制御手段が備えられている。また、内部に格納されている物体遠隔操作機にも、及び／又は、単数又は複数の高圧（酸素）ガス吹付機が、上下、左右等全方向に可動可能な可動可能手段である可動部に備えられ、又は非可動に備えられ、及び／又は、上述した制御手段が備えられている。また、本発明の物体遠隔操作機及び方法の他の実施の形態の物体遠隔操作機は、上下、左右等全方向に可動可能な可動可能手段である可動部に備えられ、又は非可動に、単数又は複数備えられた、図９に示す超伝導コイル及び／又は超伝導電磁石が液体ヘリウム、若しくは液体窒素等の冷却材９３により、又は超伝導電流リード９７により接続されて冷却機９４により冷却され、物体遠隔操作機に備えられている。物体遠隔操作機の内部には、及び／又は、単数又は複数の高圧（酸素）ガス吹付機が��上下、左右等全方向に可動可能な可動可能手段である可動部に備えられ、又は非可動に備えられ、及び／又は、上述した制御手段が備えられている。また、物体遠隔操作機から物体を遠隔制御する方向は、半円球状の外向きでも内向き（半円球状の中心方向）でもどちらでもよい。尚、可動可能な可動可能手段である可動部は、円弧状の可動部となっており、この円弧状の可動部に内側に沿わして可動させる構成となっているが、円弧状の可動部の外側に沿わすか、円弧状の可動部に設置し、円弧状のそのものを可動させるような構成としてもよい（尚、物体遠隔操作機、超伝導磁石及び／又は超伝導コイル、並びに／若しくは、高圧（酸素）ガス吹付機を備える可動可能な可動可能手段は、物体遠隔操作機、超伝導磁石及び／又は超伝導コイル、並びに／若しくは、高圧（酸素）ガス吹付機ごとに其々備えるようにしてもよい。）。また、物体遠隔操作機の形状は、物体遠隔操作機、超伝導磁石及び／又は超伝導コイル、並びに／若しくは、高圧（酸素）ガス吹付機を全方向に可動可能とできる形状であればどのような形状であってもよい。また、高圧ガス吹付機９６より吹付けるガスは、酸素に限らず、窒素等の気体のガスであればよい。また、以下に、上述した本発明の物体遠隔操作システム及び方法の実施の形態の物体遠隔操作システムび方法を説明する。本発明の物体遠隔操作システム及び方法の実施の形態の物体遠隔操作システムは、物体遠隔操作機が物体に対して４方向に設置され、４方向から単数又は複数の物体を制御し、引き寄せ、引き離し等、上下、左右等全方向の所望の方向に制御可能な構成となっている。尚、設置方向は、上述したように、４方向に限らず、単数又は複数の物体遠隔操作機の全方向の所望の方向に設置可能である。また、上述した物体遠隔操作機及び方法を、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法内部に設置し、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法の内部又は外部に単数又は複数格納装着して設置し、物体遠隔操作機が搭載された空中浮揚停止推進体から単数又は複数の物体を囲んで又は囲まずに単数又は複数の物
体を遠隔から引き寄せ、引き離し等、上下、左右等全方向の所望の方向に操作できる構成及び方法としてもよく、これらを含めて物体遠隔操作システム及び方法としてもよい。また、以上に説明した超伝導維持機９０、９０−１に、冷却材排水口（不図示）（冷却材排出注入手段）と、冷却材排水口から繋がる冷却材貯蔵庫（不図示）（冷却材排出注入手段）と、コイル被巻/不被巻磁性物体９１及び／又は磁性物体巻/不巻導電性線状コイル形状物体９２の近傍に電磁気力計測器（電磁気力計測手段）及び／又は温度計測器（温度計測手段）（不図示）とを備え、制御手段は、上述した機能に加え、所望の電磁気力がコイル被巻/不被巻磁性物体９１及び／又は磁性物体巻/不巻導電性線状コイル形状物体９２から生成されるように、冷却材の排水、注入、冷却機９４による冷却／非冷却（及び／又は温度計測器（温度計測手段）による温度計測）を伴いながら、所望の電磁気力を生成するように、コイル被巻/不被巻磁性物体９１及び／又は磁性物体巻/不巻導電性線状コイル形状物体９２の導電性線状コイル形状物体に電力を供給するようにしてもよい。
【０２０３】
以下に、上述した本発明の物体遠隔操作機及び方法の実施の形態の物体遠隔操作機及び方法について、図１０を用いて説明する。
【０２０４】
図１０は、本発明の物体遠隔操作機及び方法の１実施の形態を示す図である。
【０２０５】
本発明の物体遠隔操作機及び方法の実施の形態の物体遠隔操作機１００は、図１０（１）に示すように、半円状の球体の中が空洞の（半円球、楕円半円球の内部がくり貫かれた）形状をしており、上面から見ると、図１０（２−１）に示すように、半円状となっており、水平面から見ると、図１０（２−２）に示すように、半円状となっている。
【０２０６】
本発明の物体遠隔操作機及び方法の実施の形態の物体遠隔操作機１００（物体遠隔操作機９９）は、図１０（３−１）に示すように、上下、左右等全方向に可動可能な可動可能手段である可動部９８、９８−１，９８’、９８−１’に備えられ、又は非可動に単数又は複数備えられた、図９に示す超伝導コイル及び／又は超伝導電磁石が格納された物体遠隔操作機９９（超伝導維持機９０）が備えられており、物体（物品、磁性材料、高分子材等の非磁性材料、及び／又は生物等を含む）１０２を遠隔から制御できるように構成されている。物体遠隔操作機の内部には、及び／又は、単数又は複数の高圧（酸素）ガス等吹付機９６が、上下、左右等全方向に可動可能な可動可能手段である可動部９８’，９８−１’に備えられ、又は非可動に備えられ、及び／又は、上述した制御手段（制御部１０５）が備えられている。また、内部に格納されている物体遠隔操作機にも、及び／又は、単数又は複数の高圧（酸素）ガス吹付機９６が、上下、左右等全方向に可動可能な可動可能手段である可動部９８’，９８−１’に備えられ、又は非可動に備えられ、及び／又は、上述した制御手段（制御部１０５）が備えられている。また、本発明の物体遠隔操作機及び方法の他の実施の形態の物体遠隔操作機１００−１（物体遠隔操作機９９）は、図１０（３−２）に示すように、上下、左右等全方向に可動可能な可動可能手段９８，９８−１である可動部に備えられ、又は非可動に、単数又は複数備えられた、図９に示す超伝導コイル及び／又は超伝導電磁石が液体ヘリウム、若しくは液体窒素等の冷却材９３により、又は超伝導電流リード９７により接続されて冷却機９４により冷却され、物体遠隔操作機１００−１（物体遠隔操作機９９）に備えられている。物体遠隔操作機１００−１（物体遠隔操作機９９）の内部には、及び／又は、単数又は複数の高圧（酸素）ガス吹付機９６が、上下、左右等全方向に可動可能な可動可能手段である可動部９８’，９８−１’に備えられ、又は非可動に備えられ、及び／又は、上述した制御手段（制御部１０５）が備えられている。また、物体遠隔操作機１００，１００−１（物体遠隔操作機９９）から物体を遠隔制御する方向は、半円球状の外向きでも内向き（半円球状の中心方向）でもどちらでもよい。尚、また、図１０（３−１）、（３−２）においては、可動可能な可動可能手段である可動部９８−２，９８−２’は、円弧状の可動部となっており、図１０（３−３）に示すように、この円弧状の可動部１０３−１に内側に沿わして可動させる構成となっているが、円弧状の可動部の外側に沿わすか、円弧状の可動部９８−２，９８−２’に設置し、円弧状のそのものを可動させるような構成としてもよい（尚、物体遠隔操作機１００，１００−１（物体遠隔操作機９９）、超伝導磁石及び／又は超伝導コイル、並びに／若しくは、高圧（酸素）ガス吹付機９６を備える可動可能な可動可能手段９８，９８’，９８−１，９８−１’，９８−２，９８−２’は、物体遠隔操作機１００，１００−１（物体遠隔操作機９９）、超伝導磁石及び／又は超伝導コイル、並びに／若しくは、高圧（酸素）ガス吹付機９６ごとに其々備えるようにしてもよい。）。
【０２０７】
尚、物体遠隔操作機１００，１００−１の形状は、物体遠隔操作機９９（超伝導維持機９０）、超伝導磁石及び／又は超伝導コイル、並びに／若しくは、高圧（酸素）ガス吹付機９６を全方向に可動可能とできる形状であればどのような形状であってもよい。また、高圧ガス吹付機９６より吹付けるガスは、酸素に限らず、窒素等の気体のガスであればよい。
【０２０８】
以下に、上述した本発明の物体遠隔操作システム及び方法の実施の形態の物体遠隔操作システムび方法について、図１０（４）を用いて説明する。
【０２０９】
図１０（４）は、本発明の物体遠隔操作システム及び方法の実施の形態の物体遠隔操作システムび方法を説明する概念図である。
【０２１０】
図１０（４）に示す本発明の物体遠隔操作システム及び方法の実施の形態の物体遠隔操作システム１０３は、物体遠隔操作機１００，１００−１が単数又は複数の物体１０２に対して４方向に設置され、４方向から単数又は複数の物体１０２を制御し、引き寄せ、引き離し等、上下、左右等全方向の所望の方向に制御可能な構成となっている。尚、設置方向は、上述したように、４方向に限らず、単数又は複数の物体遠隔操作機の全方向の所望の方向に設置可能である。また、（位置伸縮）可動可能／非可能な位置計測手段を備え、位置計測手段による計測位置に基づいて物体に一定（所定）の距離まで近づいてから物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）ようにしてもよい。また、及び／又は、予め、一定（所定）の領域を高圧ガス雰囲気中にしておき、及び／又は、（位置伸縮）可動可能／非可能な位置計測手段を備え、位置計測手段による計測位置に基づいて一定（所定）の領域中に存在した（例えば、通過する等の移動等を含む）場合、物体及び／又は物体周辺に電磁気力を作用させ、物体を遠隔で操作するようにしてもよい。すなわち、（位置伸縮）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、)物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）ようにしてもよい。
【０２１１】
また、図１０（５）に示すように、上述した物体遠隔操作機及び方法を、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法内部に設置し、空中浮揚停止推進体及び方法、燃料無搭載空中浮揚停止推進体及び方法、燃料無搭載飛行体及び方法、空中浮揚停止推進電子機器若しくは機器及び方法、並びに、無燃料飛行体及び方法の内部又は外部に単数又は複数格納装着して設置し、物体遠隔操作機１００，１００−１，９９が搭載された空中浮揚停止推進体１，２，３，４，５から単数又は複数の物体１０２を囲んで又は囲まずに単数又は複数の物体１０２を遠隔から引き寄せ、引き離し等、上下、左右等全方向の所望の方向に操作できる構成及び方法となっている。
【０２１２】
また、図１０（６）に示すように、図１０（４）に示した物体遠隔操作システム及び方法に、図１０（５）に示した物体遠隔操作機１０５を含め、単数又は複数の、物体１０２に対して全方向に設置可能な物体遠隔操作機１００，１００−１，９９，１０５により、単数又は複数の物体１０２を囲んで又は囲まずに単数又は複数の物体１０２を遠隔から制御し、引き寄せ、引き離し等、上下、左右等全方向の所望の方向に制御可能な構成な物体遠隔操作システム１０３−１及び方法としてもよい。
【０２１３】
また、以上に説明した超伝導維持機９０、９０−１に、冷却材排水口（不図示）（冷却材排出注入手段）と、冷却材排水口から繋がる冷却材貯蔵庫（不図示）（冷却材排出注入手段）と、コイル被巻/不被巻磁性物体９１及び／又は磁性物体巻/不巻導電性線状コイル形状物体９２の近傍に（位置伸縮）可動可能／非可能な電磁気力計測器（電磁気力計測手段）及び／又は（位置伸縮）可動可能／非可能な温度計測器（温度計測手段）（不図示）とを備え、制御手段は、上述した機能に加え、所望の電磁気力がコイル被巻/不被巻磁性物体９１及び／又は磁性物体巻/不巻導電性線状コイル形状物体９２から生成されるように、冷却材の排水、注入、冷却機９４による冷却／非冷却（及び／又は温度計測器（温度計測手段）による温度計測）を伴いながら、所望の電磁気力を生成するように、コイル被巻/不被巻磁性物体９１及び／又は磁性物体巻/不巻導電性線状コイル形状物体９２の導電性線状コイル形状物体に電力を供給するようにしてもよい。また、（位置伸縮）可動可能／非可能な位置計測手段を備え、位置計測手段による計測位置に基づいて物体に一定（所定）の距離まで近づいてから物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）ようにしてもよい。また、及び／又は、予め、一定（所定）の領域を高圧ガス雰囲気中にしておき、及び／又は、（位置伸縮）可動可能／非可能な位置計測手段を備え、位置計測手段による計測位置に基づいて一定（所定）の領域中に存在した（例えば、通過する等の移動等を含む）場合、物体及び／又は物体周辺に電磁気力を作用させ、物体を遠隔で操作するようにしてもよい。すなわち、（位置伸縮）可動可能／非可能な位置計測手段を備え、位置計測手段による計測位置に基づいて物体に一定（所定）の距離まで近づいてから(及び／又は、一定（所定）の領域で待機し、予め、一定（所定）の領域を高圧ガス雰囲気中にしておき、位置計測手段による計測位置に基づいて物体が一定（所定）の領域中に存在した（例えば、通過する等の移動等を含む）場合、)物体を遠隔で操作する（（並びに／若しくは、物体及び／又は物体の周辺に高圧ガスを吹き付け、高圧ガス雰囲気中にすると共に）所望の電磁気力を物体及び／又は物体周辺に作用させる）ようにしてもよい。
【０２１４】
また、以上説明した、物体遠隔操作機１００，１００−１，９９において、高圧ガス吹付機９６の代わりに／にさらに加えて、液体窒素、液体ヘリウム等の冷却材を吹付ける冷却材吹付機１３４を搭載し、（１）物体１０２に一定（所定）の距離まで近づいて（及び／又は、一定（所定）の領域で待機しておき、物体１０２が一定（所定）の領域中に存在した（例えば、通過する等の移動等を含む）場合）、（２）電磁気力を物体１０２’に作用させ、（３）電磁気力を物体１０２に作用させながら、液体窒素、液体ヘリウム等の冷却材を吹付けて、超伝導状態にして、物体１０２’を一定（所定）の距離で捕捉し、（４）物体遠隔操作機１００’，１００−１’，９９’が移動し、（４）’物体１０２’を所望の位置に移動させて遠隔で操作するようにしてもよい。この構成は、図１３に示されており、図１０に示した高圧ガス吹付機９６の高圧ガスを冷却材に変えた以外は、図１０に示した高圧ガス吹付機９６と機能的に同様である。また、以上説明した、物体遠隔操作機１００，１００−１，９９に、さらに、液体窒素、液体ヘリウム等の冷却材を吹付ける冷却材吹付け機９６を搭載する構成としてもよい。また、図１０の制御手段１０５に対応した図１３の制御手段１０５’は、制御手段105の機能の代わりに又は機能に加えて、（１）物体１０２’に一定（所定）の距離まで近づいて（及び／又は、一定（所定）の領域で待機しておき、物体１０２’が一定（所定）の領域中に存在した（例えば、通過する等の移動等を含む）場合）、（２）電磁気力を物体１０２’に作用させ、（３）電磁気力を物体１０２’に作用させながら、液体窒素、液体ヘリウム等の冷却材を吹付けて、超伝導状態にして、物体１０２’を一定（所定）の距離で捕捉し、（４）物体遠隔操作機１００’，１００−１’，９９’が移動し、（４）’物体１０２’を所望の位置に移動させて遠隔で操作する制御を行うものとなる。尚、ここで使用する物体１０２’は、液体窒素、液体ヘリウム等の冷却材を吹付けることにより超伝導体となる物体（超伝導物質、第２種超伝導物質、高温超伝導物質）である必要がある。また、物体遠隔操作機１００，１００−１，９９には、位置伸縮可動可能／非可能な温度計測手段（不図示）及び／又は位置伸縮可動可能／非可能な位置計測手段（不図示）が備えられており、位置計測手段による計測位置に基づいて物体１０２に一定（所定）の距離まで近づいて、温度計測手段による温度計測に基づいて物体及び／又は物体周辺が臨界温度以上であるかどうかを判断し、臨界温度以上であることを確認した後に液体窒素、液体ヘリウム等の冷却材を噴き付け、超伝導状態にし、位置計測手段により物体１０２を一定（所定）の距離に捕捉できたかどうかの判断及び／又は確認を行うようにしてもよい。すなわち、高圧ガス吹付手段代わりに／にさらに加えて、液体窒素、液体ヘリウム等の冷却材を吹付ける冷却材吹付手段を搭載し、及び／又は、位置伸縮可動可能／非可能な温度計測手段及び／又は位置伸縮可動可能／非可能な位置計測手段を搭載し、位置計測手段による計測位置に基づいて（１）物体１０２に一定（所定）の距離まで近づいて（及び／又は、一定（所定）の領域で待機しておき、物体１０２が一定（所定）の領域中に存在した（例えば、通過する等の移動等を含む）場合）、温度計測手段による温度計測に基づいて物体及び／又は物体周辺が臨界温度以上であるかどうかを判断し、臨界温度以上であることを確認した後に、（２）電磁気力を物体１０２’に作用させ、（３）電磁気力を物体１０２に作用させながら、液体窒素、液体ヘリウム等の冷却材を吹付けて、超伝導状態にして、位置計測手段により物体１０２を一定（所定）の距離に捕捉できたかどうかの判断及び／又は確認を行い、物体１０２’を一定（所定）の距離で捕捉し、（４）物体遠隔操作機１００’，１００−１’，９９’が移動し、（４）’物体１０２’を所望の位置に移動させて遠隔で操作するようにしてもよい。
【０２１５】
尚、以上に説明した、磁性物体若しくは導電性線状コイル形状物体で巻かれた磁性物体３の導電性線状コイル形状物体及び／又は磁性物体を巻いている若しくは巻いていないコイルに供給する電力を調整制御し、コイルの可変位置を変更制御する電力供給及び／又は位置変更制御部の構成を、図１１を用いて詳細に説明する。
【０２１６】
図１１は、電力供給及び／又は位置変更制御部の構成を示すブロック図である。
【０２１７】
電力供給及び／又は位置変更制御部１５、２４は、ＣＰＵ（Central・Processing・Unit）１１０１、ＲＯＭ（Read・Only・Memory）１１０２、ＲＡＭ（Random・Access・Memory）１１０３、バス１１０４、入出力インターフェイス１１０５、無線又は有線命令受信部１１０６、（単数又は複数、可動可能／非可動に、（位置伸縮）可動可能／非可能に設置された）位置計測手段である位置センサ１１０７、無線又は有線電源入切信号送受信部１１０８、電源供給部１４，２４及び／又は可変位置方向変更制御部２３とから構成されている。尚、入出力としては、ネットワーク入出力等も含まれるものとする（伝送路（媒体）等入出力も含まれるものとする）。また、（単数又は複数、可動可能／非可動に、（位置伸縮）可動可能／非可能に設置された）位置計測手段として、位置センサの変わりに、位置センサ、重力センサ、フォトインタラプタ、ホールIC（Integrated・Circuit）、リミット・スイッチ、超音波センサ、及び／又は赤外線センサを用いるようにしてもよい。
【０２１８】
ＣＰＵ１１０１は、ＲＯＭ１１０２に記憶されている電力供給及び／又は位置変更制御プログラムに従って、各種の処理を実行する。ＲＡＭ１１０３は、ＣＰＵ１１０１が各種の処理を実行する上において必要なデータ、プログラム等が、適宜記憶される。入出力インターフェイス１１０５は、無線又は有線命令受信部１１０６、位置計測手段である位置センサ１１０７、無線又は有線電源入切信号送受信部１１０８、電源供給部１４，２４、及び／又は可変位置方向変更制御部２３、並びに／若しくは特願２００９−１２１５９５，特願２００９−２３１０６８，特願２０１０−１０９７２３に記載の無燃料蓄電（充電）装置（システム、素子）である無燃料充電装置（無燃料蓄電（充電）装置（システム、素子））１１０９に対する入出力のインターフェース処理を実行する。
【０２１９】
無線又は有線電源入切信号送受信部１１０８は、電源ON/OFFの信号である電源入切信号を受信し、出力する。また、無線又は有線電源入切信号送受信部１１０８は、入力された電力供給及び／又は位置変更制御部１５、２４の開始と終了を示す起動完了通知と終了通知を送信する。無線又は有線命令受信部１１０６は、無線又は有線で移動指示命令を受信し、受信した移動指示命令を出力する。位置計測手段である位置センサ１１０７は、現在の電力供給及び／又は位置変更制御部の位置を随時計測し、出力する。
【０２２０】
図１１（２）は、コントローラの外観を示す斜視図である。
【０２２１】
コントローラ１１２０は、空中浮揚停止推進体の電源をON／OFFする電源入切釦１１２１と、スティック１１２２−１を所望の方向に傾けることにより全方向に命令指示が可能な全移動方向指示部１１２２と、上下、左右、斜め４５度の方向に移動指示を出せる移動方向指示部１１２３−１〜１１２３−８と、及び／又は電磁波充電釦１１２４とから構成されており、全方向指示部１１２２と移動指示部１１２３−１〜１１２３−８の指示方向と押下時間により、指示方向と指示方向移動時間が命令できる構成となっている。尚、スティック１１２２−１及び移動方向指示部１１２３−１〜１１２３−８は、１度押しで奥に押したまま（１度押しで釦が奥に入り込んだ状態になる）、所望の方向に傾けることにより、奥行き方向の所望の方向に移動命令指示を出力し、２度押ししたまま（２度押しで釦が飛び出した状態になる）、所望の方向に傾けることにより、手前方向の所望の方向に移動命令指示を出力する。また、電磁波充電釦１１２４を押下することにより、電磁波が送信される。
【０２２２】
図１１（３）は、コントローラの構成を示すブロック図である。
【０２２３】
コントローラ１１２０は、ＣＰＵ（Central・Processing・Unit）１１４１、ＲＯＭ（Read・Only・Memory）１１４２、ＲＡＭ（Random・Access・Memory）１１４３、バス１１４４、入出力インターフェイス１１４５、電源入切部１１４６、電源入切信号送受信部１１５０、全移動方向指示部１１２２、移動方向指示部１１２３、移動方向指示信号送信部１１５１、及び／又は電磁波充電釦１１２４とから構成されている。尚、入出力としては、ネットワーク入出力等も含まれるものとする（伝送路（媒体）等入出力も含まれるものとする）。
【０２２４】
ＣＰＵ１１４１は、ＲＯＭ１１４２に記憶されている移動方向指示プログラムに従って、各種の処理を実行する。ＲＡＭ１１４３は、ＣＰＵ１１４１が各種の処理を実行する上において必要なデータ、プログラム等が、適宜記憶される。電源入切信号送信部１１４７は、電源入切釦１１４６から出力された電源入切信号を送信する。入出力インターフェイス１１４５は、電源入切釦１１４６、電源入切信号送信部１１５０、全方向指示部１１２２、移動方向指示部１１２３、及び無線又は有線移動方向指示信号送信部１１５１に対する入出力のインターフェース処理を実行する。
【０２２５】
電源入切部１１２１は、電源ON/OFFの信号である電源入切信号を出力する。無線又は有線電源入切信号送信部１１５０は、入力された電源入切信号に基づいて、所定の電磁波の電源入切信号を送信する。また、無線又は有線電源入切信号送信部１１５０は、電力供給及び／又は位置変更制御部１５、２４の開始と終了を示す起動完了通知と終了通知を受信し、出力する。無線又は有線移動方向指示信号送受信部１１５１は、入力された移動方向指示信号に基づいて、所定の電磁波の移動方向指示信号送信する。電磁波生成送受信部１１５２は、入力された電磁波充電命令に基づいて、所定の電磁波を生成し、送信する。また、電磁波生成送受信部１１５２は、電磁波充電の完了を示す電磁波充電命令完了通知を受信し、出力する。
【０２２６】
無線又は有線充電釦１１２４は、押下することにより電磁波を発生させることができ、これにより、空中浮揚停止推進体に特願２００９−１２１５９５，特願２００９−２３１０６８，特願２０１０−１０９７２３に記載の無燃料蓄電（充電）装置（システム、素子）が搭載されている場合、無線又は有線充電釦１１２４を押下することにより燃料を充電することができる。
【０２２７】
以下に、コントローラ１１２０と電力供給及び／又は位置変更制御部１５、２４の動作について説明する。
【０２２８】
コントローラ１１２０の電源入切釦１１２１が押下されると、無線又は有線電源入切信号送受信部１１５０により、所定の周波数の電磁波の電源入切信号が送信される。送信された電源入切信号は、電力供給及び／又は位置変更制御部の無線又は有線電源送受信部１１０８により受信され、電力供給及び／又は位置変更制御部１５、２４が起動する。尚、電源入切釦１１２１が押下され、電力供給及び／又は位置変更制御部１５、２４が起動すれば、無線又は有線電源入切信号送受信部１１０８から起動完了通知が出力され、コントローラ１１２０の無線又は有線電源入切送受信部１１５０により起動完了通知が受信され、電源入切釦１１２１のランプが点灯する。電力供給及び／又は位置変更制御部１５、２４が終了すれば、終了通知が出力され、コントローラ１１２０の無線又は有線電源入切送受信部１１５０により終了通知が受信され、電源入切釦１１２１のランプが消灯する。
【０２２９】
コントローラ１１２０の全方向指示部１１２２又は移動方向指示部１１２３から出された移動指示命令は、無線又は有線命令送受信部１１０６により受信される。ＣＰＵ１１０１は、ＲＯＭ１１０２に記憶されているプログラムにしたがって、受信した移動指示命令により、移動指示方向と移動指示時間を解析し、位置センサ１１０７により随時入力される位置情報に基づき、現在の位置と移動指示後の予測位置を算出する。そして、移動指示命令に応じて、どの単数又は複数の磁性物体若しくは導電性線状コイル形状物体で巻かれた磁性物体の導電性線状コイル形状物体及び／又は磁性物体を巻いている若しくは巻いていないコイルをどこにどれだけ移動させ（可変位置方向変更制御部が備えられている場合）、どの単数又は複数の磁性物体若しくは導電性線状コイル形状物体で巻かれた磁性物体の導電性線状コイル形状物体及び／又は磁性物体を巻いている若しくは巻いていないコイルにどれだけの電力をどれだけの時間供給するかを判断し、コイルに接続されている可変位置方向変更制御部２３に移動指示情報と（可変位置方向変更制御部が備えられている場合）、コイルに接続されている電源供給部１４，２４に電力供給指示情報が出力される。移動指示情報が出力された可変位置方向変更制御部２３は、入力された移動指示情報に基づき、コイルを移動する（可変位置方向変更制御部が備えられている場合）。電力供給指示情報が出力された電源供給部１４，２４は、入力された判断情報に基づき、電力を供給する。また、ＣＰＵ１１０１は、ＲＯＭ１１０２に記憶されているプログラムにしたがって、随時、移動制御後の予測位置と現在の位置とを比較し、差分に応じた、コイルの移動（可変位置方向変更制御部が備えられている場合）、コイルへの電力供給量及び電力供給時間を算出し、コイルに接続されている電力供給部１４，２４に電力供給指示情報を出力する。電力供給指示情報が入力された電源供給部１４，２４は、入力された電力供給指示情報に基づき、電力を供給する。（すなわち、これらの制御により、随時、それまでに出された命令に応じた命令位置と現在の位置とを比較し、命令位置と現在の位置との差分がなくなるように随時制御を行う（電力供給及び／又は可動可能設置位置制御手段は、随時、それまでに出された制御情報受信手段により入力された制御情報である命令に応じた命令位置と位置計測手段により計測された位置計測情報である現在の位置とを比較し、命令位置と現在の位置との差分がなくなるように随時電力供給手段及び／又は可動可能設置手段を制御する）為、空中浮揚停止推進体、燃料無搭載空中浮揚停止推進体、燃料無搭載飛行空中浮揚停止推進体（空中浮揚停止推進体が装備されており、空中浮揚停止推進機能を有している）、空中浮揚停止推進電子機器若しくは機器、無燃料飛行空中浮揚停止推進体（空中浮揚停止推進体が装備されており、空中浮揚停止推進機能を有している）、空中浮揚停止推進物体遠隔操作機（空中浮揚停止推進体が装備されており、空中浮揚停止推進機能を有している）、並びに、空中浮揚停止推進物体遠隔操作システム（空中浮揚停止推進体が装備されており、空中浮揚停止推進機能を有している）は、出された命令位置で停止し続けることができる。）また、及び／又は、制御結果情報は随時コントローラ１１２０に出力され、コントローラ１１２０に備えられた不図示の現在地表示部（手段）に（例えば、緯度，経度等、及び／又は、制御結果情報が制御情報どおりであるかどうか等、によって）表示される。即ち、無線又は有線電源送受信部１１０８により制御結果情報が出力され、及び／又はコントローラ１１２０に備えられた無線又は有線移動方向指示結果情報信号受信部により制御結果情報が受信され、コントローラ１１２０に備えられた不図示の現在地表示部（手段）により表示される。
【０２３０】
また、コントローラ１１２０の電磁波充電釦１１２４が押下されると、電磁波生成送受信部１１５２から所定の電磁波が生成され送信される。送信された電磁波は、無燃料充電装置（無燃料蓄電（充電）装置（システム、素子））１１０９により受信され電力が充電される。充電が開始すれば、無燃料充電装置（無燃料蓄電（充電）装置（システム、素子））１１０９により、充電開始通知が送信され、コントローラ１１２０の無線又は有線電磁波送信部により受信され、電磁波充電釦１１２４のランプが消灯する。充電が完了すれば、特願２００９−１２１５９５，特願２００９−２３１０６８，特願２０１０−１０９７２３に記載の無燃料蓄電（充電）（システム、素子）である無燃料充電装置１１０９により充電完了通知が出力され、コントローラ１１２０の無線又は有線電磁波送信部により受信し、電磁波充電釦１１２４のランプが消灯する。尚、電磁波充電釦１１２４が押下された時間だけ、充電命令を送信し、充電するようにしてもよく、充電時間を指定して充電命令を送信し、充電するようにしてもよい。
【０２３１】
また、超伝導維持機９０を備えている場合は、電力供給及び／又は位置変更制御部１５、２４が起動と共に、超伝導維持機構が起動する。また、可変位置方向変更制御部を備えている場合、超伝導維持機も可動部に設置されている為、可変位置方向変更制御部による可動部の制御により、同様に制御される。
【０２３２】
また、以上に説明した超伝導維持機９０、９０−１に、冷却材排水口（不図示）（冷却材排出注入手段）と、冷却材排水口から繋がる冷却材貯蔵庫（不図示）（冷却材排出注入手段）と、コイル被巻/不被巻磁性物体９１及び／又は磁性物体巻/不巻導電性線状コイル形状物体９２の近傍に電磁気力計測器（電磁気力計測手段）及び／又は温度計測器（温度計測手段）（不図示）とを備えている場合、全方向指示部１１２２又は移動方向指示部１１２３から移動指示命令出された際の動作は、電力供給並びに／若しくは可動可能設置位置制御部（電力供給並びに／若しくは可動可能設置位置制御手段）は、上述した機能に加え、所望の電磁気力がコイル被巻/不被巻磁性物体９１及び／又は磁性物体巻/不巻導電性線状コイル形状物体９２から生成されるように、冷却材の排水、注入、冷却機９４による冷却／非冷却（及び／又は温度計測器（温度計測手段）による温度計測）を伴いながら、所望の電磁気力を生成するように、コイル被巻/不被巻磁性物体９１及び／又は磁性物体巻/不巻導電性線状コイル形状物体９２の導電性線状コイル形状物体に電力を供給するものとなる。
【０２３３】
また、以上に説明した処理は、物体遠隔操作機及び／又は物体遠隔操作システム及び方法、並びに／若しくは遠隔連結手段（、部、装置、システム）及び方法（、並びに／若しくは、空中浮揚停止推進磁気（及び／又は光）ヘッド及び方法、空中浮揚停止推進磁気（及び／又は光）ヘッド具備磁気（及び／又は光）ディスク装置及び方法（、並びに／若しくは、空中浮揚停止推進体及び方法、燃料無搭載空中浮揚停止推進体及び方法、燃料無搭載飛行体及び方法、空中浮揚停止推進電子機器若しくは機器及び方法、無燃料飛行体及び方法））においても同様に装備することができる。即ち、コントローラ１１２０（制御側）に、少なくとも制御命令送信手段と、（及び／又は、制御命令結果情報受信手段と、並びに／若しくは、制御命令指示手段と、制御命令結果情報表示手段と、）を備え、本明細書中、特許請求の範囲中、図面中、及び／又は、要約書中に記載の物体遠隔操作機及び／又は物体遠隔操作システム及び方法（被制御側）、並びに／若しくは遠隔連結手段（、部、装置、システム）及び方法（被制御側）（、並びに／若しくは、空中浮揚停止推進磁気（及び／又は光）ヘッド及び方法（被制御側）、空中浮揚停止推進磁気（及び／又は光）ヘッド具備磁気（及び／又は光）ディスク装置及び方法（被制御側）（、並びに／若しくは、空中浮揚停止推進体及び方法（被制御側）、燃料無搭載空中浮揚停止推進体及び方法（被制御側）、燃料無搭載飛行体及び方法（被制御側）、空中浮揚停止推進電子機器若しくは機器及び方法（被制御側）、無燃料飛行体及び方法）（被制御側））に、少なくとも、本明細書中、特許請求の範囲中、図面中、及び／又は、要約書中に記載の物体遠隔操作機及び／又は物体遠隔操作システム及び方法、並びに／若しくは遠隔連結手段（、部、装置、システム）及び方法（、並びに／若しくは、空中浮揚停止推進磁気（及び／又は光）ヘッド及び方法、空中浮揚停止推進磁気（及び／又は光）ヘッド具備磁気（及び／又は光）ディスク装置及び方法（、並びに／若しくは、空中浮揚停止推進体及び方法、燃料無搭載空中浮揚停止推進体及び方法、燃料無搭載飛行体及び方法、空中浮揚停止推進電子機器若しくは機器及び方法、無燃料飛行体及び方法））に記載の処理を制御命令情報とした制御命令情報受信手段と、制御命令情報受信手段により受信された制御命令情報に応じた処理を実行制御する実行制御手段と、（及び／又は、実行制御手段により実行制御された実行制御命令結果情報をコントローラ１１２０（制御側）に送信する実行制御命令結果情報送信手段と、実行制御手段により実行制御された実行制御命令結果情報を表示する実行制御命令結果情報表示手段と、）を備えることとなる。（即ち、制御側に、少なくとも制御命令送信手段と、（及び／又は、制御命令結果情報受信手段と、並びに／若しくは、制御命令指示手段と、制御命令結果情報表示手段と、）を備え、被制御側に、少なくとも、被制御側の処理を制御命令情報とした制御命令情報受信手段と、制御命令情報受信手段により受信された制御命令情報に応じた処理を実行制御する実行制御手段と、（及び／又は、実行制御手段により実行制御された実行制御命令結果情報を制御側に送信する実行制御命令結果情報送信手段と、実行制御手段により実行制御された実行制御命令結果情報を表示する実行制御命令結果情報表示手段と、）を備えることとなる（本明細書中、特許請求の範囲中、図面中、及び／又は、要約書中に記載の全ての制御と被制御との対応関係を有する対象に対して、上述した構成を適用することができる）。）
【０２３４】
尚、本明細書中、特許請求の範囲中、図面中、要約書中における以上の構成および方法において、超伝導を用いない（常伝導）及び／又は超伝導を用いるような構成及び方法（一部分は超伝導を用いない（常伝導）ような構成及び方法とし、一部分は超伝導を用いるような構成及び方法）としてもよい。また、本明細書中、特許請求の範囲中、図面中、要約書中における以上の構成および方法において、（位置伸縮）可動可能／非可能な手段とは、（位置伸縮及び／又は）可動可能／非可能な手段、位置伸縮及び／又は可動可能／非可能な手段のことを示しており、全方位に向けての可動が可能／非可能な手段である位置伸縮可能／非可能及び／又は可動可能／非可能な手段のことを示している。また、本明細書中、特許請求の範囲中、図面中、要約書中における以上の構成および方法において、可動可能な手段とは、（位置伸縮）可動可能／非可能な手段、（位置伸縮及び／又は）可動可能／非可能な手段、位置伸縮及び／又は可動可能／非可能な手段とすることができ、全方位に向けての可動が可能／非可能な手段である位置伸縮可能／非可能及び／又は可動可能／非可能な手段とすることができる。また、それ以外の本明細書中、特許請求の範囲中、図面中、要約書中における以上の構成および方法において、当該記載の全ての手段を、可動可能な手段、即ち、（位置伸縮）可動可能／非可能な手段、（位置伸縮及び／又は）可動可能／非可能な手段、位置伸縮及び／又は可動可能／非可能な手段、即ち、全方位に向けての可動が可能／非可能な手段である位置伸縮可能／非可能及び／又は可動可能／非可能な手段とすることが可能であり、そのようにしてもよい。また、本明細書中、特許請求の範囲中、図面中、要約書中において、「A、かつ、又はB」とは、文言どおりであり、「A、かつ、（又はB）」のことを意味しており、即ち、「A、又は、AかつB」のことを意味している。また、本明細書中、特許請求の範囲中、図面中、要約書中において、遠隔という場合は、（非接触で）遠隔という意味を示しており、遠隔（で（，に，から，・・・等の語））操作（制御）という場合は、（非接触で）遠隔（で（，に，から，・・・等の語））操作（制御）という意味を示している。
【０２３５】
【図面の簡単な説明】
【０２３６】
【図１】本発明の空中浮揚停止推進体の１実施の形態を示す概念図である。
【図２】本発明の空中浮揚停止推進体の１実施の形態を示す概念図である。
【図３】本発明の空中浮揚停止推進体の１実施の形態の実施例１を示す概念図である。
【図４】本発明の空中浮揚停止推進体の１実施の形態の実施例２を示す概念図である。
【図５】本発明の空中浮揚停止推進体の１実施の形態の実施例２を示す概念図である。
【図６】本発明の空中浮揚停止推進体の１実施の形態の詳細を説明する図である。
【図７】本発明の空中浮揚停止推進体の１実施の形態の詳細を説明する図である。
【図８】本発明の空中浮揚停止推電子機器若しくは機器進体の１実施の形態の詳細を説明する図である。
【図９】本発明の空中浮揚停止推進体の１実施の形態の詳細を説明する図である。
【図１０】本発明の遠隔操作機及びシステム、並びに空中浮揚停止推進遠隔操作機の１実施の形態の詳細を説明する図である。
【図１１】本発明の空中浮揚停止推進体の１実施の詳細を説明する図である。
【図１２】本発明の空中浮揚停止推進体の１実施の形態の詳細を説明する図である。
【図１３】本発明の遠隔操作機及びシステム、並びに空中浮揚停止推進遠隔操作機の１実施の形態の詳細を説明する図である。
【図１４】本発明の空中浮揚停止推進体の１実施の形態の詳細を説明する図である。
【図１５】本発明の空中浮揚停止推進体の１実施の形態の詳細を説明する図である。
【図１６】本発明の空中浮揚停止推進体の１実施の形態の詳細を説明する図である。
【符号の説明】
【０２３７】
１  空中浮揚停止推進体，  １０  電磁気力遮断体，  １１  磁性物体，  １２  導電性線状コイル形状物体，  １４  電力供給部，  １５  電力供給制御部，  １６  導電性線状コイル形状物体，  １７  磁性物体，  
１１and１２，１９  電磁石，  １０−１  開口部，  １０−２  傾斜，  ２０  非磁性体，  ２８  緩衝材及び／又は所定の気圧のガス，  ２９  容器，  ３０  固定具，  ２１０  可動部，  
２  空中浮揚停止推進体，  ２１  磁性物体，  ２２  導電性線状コイル形状物体，  ２３  可変位置方向変更制御部，  ２４  電力供給部，  ２５  電力供給制御部，２７  可変位置方向変更部，  
１７０  ダイオード、トランジスタ等の電流整流手段等の（自己）誘導起電力防止手段，  １８０  第２（他）の導電性線状コイル形状物体等，  １７１  第２（他）の導電性線状コイル形状物体等１８０の（自己）誘導起電力防止手段，  
３  空中浮揚停止推進体，磁性物体，  ３２  導電性線状コイル形状物体，  ３３  磁性体，  ３４  絶縁体，  
４  空中浮揚停止推進体，磁性物体，  ４２  導電性線状コイル形状物体，  ４５  磁気シールド材，  ４８  磁気シールド材，  ４９ａ  磁気シールド材，  ４９ｂ  磁気シールド材，  
４３  磁性体，  ４４  絶縁体，  
５  空中浮揚停止推進体，磁性物体，  ５２  導電性線状コイル形状物体，  ５５  磁気シールド材，  ５８  磁気シールド材，  ５９ａ  磁気シールド材，  ５９ｂ  磁気シールド材  
５３  磁性体，  ５４  絶縁体，  
８１  空中浮揚停止推進電子掲示板，  ８２  空中浮揚停止推進机，  ８３  空中浮揚停止推進機器，  
８００，８００−１−１，８００−１−２，８００−２−１，８００−２−２，８００−３，８００−４  空中浮揚停止推進磁気（及び／又は光）ヘッド具備磁気（及び／又は光）ディスク装置，
８０１，８０１−１−１，８０１−１−２，８０１−２−１，８０１−２−２，８０１−３，８０１−４  磁気（及び／又は光）ヘッド，
８０２，８０２−１−１，８０２−１−２，８０２−２−１，８０２−２−２，８０２−３，８０２−４  空中浮揚停止推進磁気（及び／又は光）ヘッド，
８０３，８０３−１−１，８０３−１−２，８０３−２−１，８０３−２−２，８０３−３，８０３−４  磁気（及び／又は光）ディスク，
８０４，８０４−１−１，８０４−１−２，８０４−２−１，８０４−２−２，８０４−３，８０４−４  トラック，
９０  超伝導維持機，  ９１  超伝導体，  ９２  超伝導コイル，  ９３  液体ヘリウム又は液体窒素等の冷却材，  ９４  冷却機，  ９５  物体，  ９７  超伝導電流リード，  ９８，９８−１，９８−２，９８’，９８−１’，９８−２’  可動部，  ９９  物体遠隔操作機，  ９６  高圧（酸素）ガス吹付機，  ２２０  制御部，  
１００，１００−１，１０３−１  物体遠隔操作機，  １０２  物体，  １０３  可動部，  １０４  高圧（酸素）ガス吹付機，  １０５  制御部，  
１２０，１２０−1〜１２０−ｎ  多層階層，  １２１，１２１−１，１２１−２，１２１−３  一対の組，  １２２  与力部，  １２３，１２３’，１２３’’  空中浮揚停止推進体，  
１４０，１４０’，１４０’’  推進力付与部，  
９９  物体遠隔操作機，  １００’，１００−１’，１０３−１’  物体遠隔操作機，  １０２’  物体，  １０４’  高圧（酸素）ガス吹付機，  １０５’  制御部，  １３４  冷却材吹付機，  
１１０１  ＣＰＵ，  １１０２  ＲＯＭ，  １１０３  ＲＡＭ，  １１０４  バス，  １１０５  入出力Ｉ／Ｆ，  １１０６  無線又は有線命令送受信部，  １１０７  位置計測手段，  １１０８  無線又は有線電源入切信号送受信部，  １１０９  無燃料充電装置（無燃料蓄電（充電）装置（システム、素子）），  
１１２０  コントローラ，  １１２１  電源入切釦，  １１２２  全移動方向指示部，  １１２３，１１２３−１〜１１２３−８  移動方向指示部，  １１２４  電磁波充電釦，  
１１４１  ＣＰＵ，  １１４２  ＲＯＭ，  １１４３  ＲＡＭ，  １１４４  バス，  １１４５  入出力Ｉ／Ｆ，１１５０  無線又は有線電源入切信号送受信部  ，１１５１  無線又は有線移動方向指示信号送受信部，  １１５２  電磁波送信部，  
１１６０，１１７０，１１８０，１１９０，１２００，１２３０  複合体の空中浮揚停止推進体，
１１６１−１  一例としての１つ目の多層構造の空中浮揚停止推進体，  １１６１−２  一例としての２つ目の多層構造の空中浮揚停止推進体，  １１６１−３  一例としての３つ目の多層構造の空中浮揚停止推進体，
１１６１−１−１  一例としての１つ目の多層構造の空中浮揚停止推進体を構成する単数又は複数の単位構造から構成された構造，  １１６１−２−１  一例としての２つ目の多層構造の空中浮揚停止推進体を構成する単数又は複数の単位構造から構成された構造，  １１６１−３−１  一例としての３つ目の多層構造の空中浮揚停止推進体を構成する単数又は複数の単位構造から構成された構造，
１１７１，１１８１，１１９１  一例としての多層構造の空中浮揚停止推進体，
１１７１−１，１１８１−１，１１９１−１  一例としての多層構造の空中浮揚停止推進体を構成する単数又は複数の単位構造から構成された１つ目の構造体，
１１７１−２，１１８１−２，１１９１−２  一例としての多層構造の空中浮揚停止推進体を構成する単数又は複数の単位構造から構成された２つ目の構造体，
１１６２，１１７２，１１８２，１１９２，１２３２  単数又は複数の同種類及び／又は異種類の連結部（手段），
１２３１  単数又は複数の同種類及び／又は異種類の空中浮揚停止推進体１１６１−１，１１６１−２，１１６１−３，１１６１−４、１２３１を、及び／又は、当該空中浮揚停止推進体１１６１−１，１１６１−２，１１６１−３，１１６１−４、１２３１が多層構造を有する場合、単数又は複数の単位構造から構成される単数又は複数の単位構造１１６１−１−１，１１６１−２−１，１１６１−３−１、１２３１，
１２１０，１２１０’  （並びに／若しくは各手段に内在する及び／又は備えられた)連結部（手段）， 
１２１１，１２１１’，１２１１−１，１２１１−２，１２１１−３，１２１１’−１，１２１１’−２，１２１１’−３  （及び／又は後述する物体遠隔操作機及び／又は物体遠隔操作システムを備えており、及び／又は単数又は複数の高圧ガス吹付機１２１３を備えており、及び／又は単数又は複数の（（位置伸縮）可動可能な）位置センサ（位置計測手段）（不図示）を備えた、）単数又は複数の要素（及び／又は後述する物体遠隔操作機及び／又は物体遠隔操作システムを備えており、及び／又は単数又は複数の高圧ガス吹付機１２１３を備えており、及び／又は単数又は複数の（（位置伸縮）可動可能な）位置センサ（位置計測手段）（不図示）を備えた、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６、コイル被巻/不被巻磁性物体及び／又は磁性物体巻/不巻コイル１２１６に電力供給手段より供給する電力を制御する電力供給制御手段、単数又は複数の（並びに／若しくは（位置伸縮）可動可能な及び／又は（位置伸縮）可動可能（設置）手段に備えられている）コイル被巻/不被巻磁性物体及び／又は磁性物体巻/不巻コイル１２１６の位置を（位置伸縮）可動可能に制御する（位置伸縮）可動可能（設置）位置制御手段、要素１２１１間及び／又は要素１２１１内に備えられた電磁気力遮断手段１２１２、及び／又は単数又は複数の（並びに／若しくは（位置伸縮）可動可能な及び／又は（位置伸縮）可動可能（設置）手段に備えられている）電磁気力遮断手段１２１２の位置を（位置伸縮）可動可能に制御する電磁気力遮断手段（位置伸縮）可動可能（設置）位置制御手段、及び／又は単数又は複数の（並びに／若しくは（位置伸縮）可動可能な及び／又は（位置伸縮）可動可能（設置）手段に備えられている）物体１２１６、及び／又は物体１２１６の位置を（位置伸縮）可動可能に制御する物体（位置伸縮）可動可能（設置）位置制御手段），
１２１２，１２１２’  電磁気力遮断手段，  １２１３，１２１３’  高圧ガス吹付機，  １２１４  単数又は複数の空中浮揚停止推進遠隔操作機，  １２１６，１２１６’  コイル被巻/不被巻磁性物体及び／又は磁性物体巻/不巻コイル並びに／若しくは物体，  １２１９  連結する単数又は複数の各手段，
１６００  空中浮揚停止推進磁気（及び／又は光）ヘッド具備磁気（及び／又は光）ディスク装置，
＜第１の磁気（及び／又は光）ヘッド制御部（、装置、手段）＞  １６００−１  第１の磁気（及び／又は光）ヘッド制御部（、装置、手段），  １６０６−１  第１の磁気（及び／又は光）ヘッド制御情報受信部（手段），  １６０７−１  磁気（及び／又は光）ヘッド制御情報生成／制御部（手段），  １６０７−１’  第１の磁気（及び／又は光）ヘッド制御情報生成／制御部（手段），  １６０８−１  磁気（及び／又は光）ヘッド制御部（手段），  １６０９−１  第１の磁気（及び／又は光）ヘッド制御結果情報送信部（手段），  １６０１１  位置計測部（手段），  １６０１２  遠隔物体操作機及び／又は物体遠隔操作システム，
＜第２の磁気（及び／又は光）ヘッド制御部（、装置、手段）＞  １６００−２  第２の磁気（及び／又は光）ヘッド制御部（、装置、手段），  １６０６−２  第２の磁気（及び／又は光）ヘッド制御情報受信部（手段），  １６０７−２  磁気（及び／又は光）ヘッド制御情報生成部（手段），  １６０７−２’  第２の磁気（及び／又は光）ヘッド遠隔操作情報生成／制御部（手段），  １６０８−２  第２の磁気（及び／又は光）ヘッド制御情報送信部（手段），  １６０９−２  第２の磁気（及び／又は光）ヘッド制御結果情報受信部（手段），  １６１０−２  第２の磁気（及び／又は光）ヘッド制御結果情報送信部（手段），  １６１１  位置計測部（手段），  １６１２  遠隔物体操作機及び／又は物体遠隔操作システム
【図１】
2011100528.tif 000003
【図２】
2011100528.tif 000004
【図３】
2011100528.tif 000005
【図４】
2011100528.tif 000006
【図５】
2011100528.tif 000007
【図６】
2011100528.tif 000008
【図７】
2011100528.tif 000009
【図８】
2011100528.tif 000010
【図９】
2011100528.tif 000011
【図１０】
2011100528.tif 000012
【図１１】
2011100528.tif 000013
【図１２】
2011100528.tif 000014
【図１３】
2011100528.tif 000015
【図１４】
2011100528.tif 000016
【図１５】
2011100528.tif 000017
【図１６】
2011100528.tif 000018